(57)【要約】      （修正有）【課題】大規模ＭＩＭＯシナリオにおける通信の安定性を高める信号伝送装置、システムおよび方法を提供する。【解決手段】ユーザ機器である第１のネットワーク装置は、第１のリソースグループにおいて、第２ネットワーク装置によって送信された第１の信号を検出し、第１のリソースグループ内の第ｎのリソースおよび第１の対応関係に従って、第２のリソースグループ内の第ｍのリソースを決定する。このようにして、第１のネットワーク装置は、ブラインド検出によって第２の信号を取得する必要も、第２のリソースグループ内の複数のリソース上の信号を送信する必要もなく、システムの効率とパフォーマンスが向上する。【選択図】図７
2019149815.tif 000002
【特許請求の範囲】
【請求項１】
第1のリソースグループにおいて、第2のネットワーク装置によって送信された第1の信号を検出するように構成された検出モジュールであって、前記第1のリソースグループはN個のリソースを備え、Nは1より大きい正の整数であり、前記第1のリソースグループの各リソースは1つの前記第1の信号に対応する、検出モジュールと、
前記第1のリソースグループ内の第nのリソースおよび第1の対応関係に従って前記第2のリソースグループ内の第mのリソースを決定するように構成された決定モジュールとを備え、前記第2のリソースグループは、M個のリソースを備え、Mは1より大きい正の整数であり、前記第2のリソースグループ内の第mのリソースは、前記第2のリソースグループ内の少なくとも2つの候補リソースのうちの1つであり、前記第1のリソースグループ内の前記第nのリソースは、前記第2のリソースグループ内の少なくとも2つの候補リソースのそれぞれと第1の対応関係を有し、mの値域は0＜m≦Mであり、nの値域は0＜n≦Nである、ネットワーク装置。
【請求項２】
前記決定モジュールは、前記第1のリソースグループ内の前記第nのリソースおよび前記第1の対応関係に従って前記第2のリソースグループ内の前記第mのリソースを決定する前に、第1のルールに従って前記第1のリソースグループ内の前記第nのリソースを決定するようにさらに構成された、請求項1に記載のネットワーク装置。
【請求項３】
前記決定モジュールは、具体的には、
前記第1の信号のエネルギーが前記第1のリソースグループ内において最も強い、検出されたリソースを、前記第1のリソースグループ内の前記第nのリソースとして使用するように、または、
前記第1の信号のエネルギーが前記第1のリソースグループ内において、第1の予め設定された閾値よりも大きい第1のリソースを、前記第1のリソースグループ内の前記第nのリソースとして使用するように、または、
前記第1の信号の基準信号受信品質RSRQが、前記第1のリソースグループ内において、第2の予め設定された閾値よりも大きい第1のリソースを、前記第1のリソースグループ内の前記第nのリソースとして使用するように、または、
前記第1のリソースグループ内において巡回冗長コードCRCを前記第1のリソースグループ内の前記第nのリソースとして使用して、第1の信号が正しくチェックされたリソースを使用するように構成された、請求項2に記載のネットワーク装置。
【請求項４】
前記検出モジュールは、前記決定モジュールが前記第1のリソースグループ内の前記第nのリソースおよび前記第1の対応関係に従って前記第2のリソースグループ内の前記第mのリソースを決定した後、前記第2のリソースグループ内の前記第mのリソース上で、前記第2のネットワーク装置によって送信される第2の信号を検出するようにさらに構成され、前記第2のリソースグループの各リソースは1つの第2の信号に対応し、
前記決定モジュールは、前記第2のリソースグループ内の前記第mのリソースおよび第2の対応関係に従って第3のリソースグループ内の第qのリソースを決定するようにさらに構成され、前記第3のリソースグループは、Q個のリソースを備え、Qは1より大きい正の整数であり、前記第3のリソースグループ内の前記第qのリソースは、前記第3のリソースグループ内の少なくとも2つの候補リソースのうちの1つであり、前記第2のリソースグループ内の前記第mのリソースは、前記第3のリソースグループ内の少なくとも2つの候補リソースのそれぞれと前記第2の対応関係を有し、qの値域は、0＜q≦Qである、請求項1または3のいずれか一項に記載のネットワーク装置。
【請求項５】
前記決定モジュールは、前記第2のリソースグループ内の前記第mのリソースおよび前記第2の対応関係に従って前記第3のリソースグループ内の前記第qのリソースを決定する前に、第2のルールに従って前記第2のリソースグループ内の前記第mのリソースを決定するようにさらに構成された、請求項4に記載のネットワーク装置。
【請求項６】
前記決定モジュールは、具体的には、
前記第2の信号のエネルギーが第2のリソースグループ内において最も強い、検出されたリソースを、前記第2のリソースグループ内の前記第mのリソースとして使用するように、または、
前記第2の信号のエネルギーが前記第2のリソースグループ内において、第3の予め設定された閾値よりも大きい第1のリソースを、前記第2のリソースグループ内の前記第mのリソースとして使用するように、または、
前記第2の信号の基準信号受信品質RSRQが、前記第2のリソースグループ内において、第4の予め設定された閾値よりも大きい第1のリソースを、前記第2のリソースグループ内の前記第mのリソースとして使用するように、または、
前記第2のリソースグループ内において巡回冗長コードCRCを前記第2のリソースグループ内の前記第mのリソースとして使用して、前記第2の信号が正しくチェックされたリソースを使用するように構成された、請求項5に記載のネットワーク装置。
【請求項７】
前記第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
前記第1の信号が前記同期チャネルである場合、前記第2の信号は、前記測定パイロット信号、前記ブロードキャストチャネル、前記システムメッセージ、前記ランダムアクセス応答チャネル、前記RRC要求確認メッセージ、または前記ダウンリンクデータチャネルの少なくとも1つであり、
前記第1の信号が前記測定パイロット信号である場合、前記第2の信号は、前記ブロードキャストチャネル、前記システムメッセージ、前記ランダムアクセス応答チャネル、前記RRC要求確認メッセージ、または前記ダウンリンクデータチャネルのうちの少なくとも1つであり、
前記第1の信号が前記ブロードキャストチャネルである場合、前記第2の信号は、前記システムメッセージ、前記ランダムアクセス応答チャネル、前記RRC要求確認メッセージ、または前記ダウンリンクデータチャネルのうちの少なくとも1つであり、
前記第1の信号が前記システムメッセージである場合、前記第2の信号は、前記ランダムアクセス応答チャネル、前記RRC要求確認メッセージ、または前記ダウンリンクデータチャネルのうちの少なくとも1つであり、
前記第1の信号が前記ランダムアクセス応答チャネルである場合、前記第2の信号は、前記RRC要求確認メッセージまたは前記ダウンリンクデータチャネルのうちの少なくとも1つであり、または
前記第1の信号が前記RRC要求確認メッセージである場合、前記第2の信号はダウンリンクデータチャネルである、請求項4〜6のいずれか一項に記載のネットワーク装置。
【請求項８】
前記検出モジュールは、前記決定モジュールが前記第2のリソースグループ内の前記第mのリソースおよび前記第2の対応関係に従って前記第3のリソースグループ内の前記第qのリソースを決定した後、前記第3のリソースグループ内の前記第qのリソース上で、前記第2のネットワーク装置によって送信される第3の信号を検出するようにさらに構成され、前記第3のリソースグループの各リソースは1つの第3の信号に対応し、
前記決定モジュールは、前記第3のリソースグループ内の前記第qのリソースおよび第3の対応関係に従って第4のリソースグループ内の第kのリソースを決定するようにさらに構成され、前記第4のリソースグループは、K個のリソースを備え、Kは1より大きい正の整数であり、前記第4のリソースグループ内の前記第kのリソースは、前記第4のリソースグループ内の少なくとも2つの候補リソースのうちの1つであり、前記第3のリソースグループ内の前記第qのリソースは、前記第4のリソースグループ内の少なくとも2つの候補リソースのそれぞれと第3の対応関係を有し、kの値域は、0＜k≦Kである、請求項4〜7のいずれか一項に記載のネットワーク装置。
【請求項９】
前記決定モジュールは、第1のネットワーク装置が、前記第3のリソースグループ内の前記第qのリソースおよび前記第3の対応関係に従って前記第4のリソースグループ内の前記第kのリソースを決定する前に、第3のルールに従って前記第3のリソースグループ内の前記第qのリソースを決定するようにさらに構成された、請求項8に記載のネットワーク装置。
【請求項１０】
前記決定モジュールは、具体的には、
前記第3の信号のエネルギーが前記第3のリソースグループ内において最も強い、検出されたリソースを、前記第3のリソースグループ内の前記第qのリソースとして使用するように、または、
前記第3の信号のエネルギーが前記第3のリソースグループ内において、第5の予め設定された閾値よりも大きい第1のリソースを、前記第3のリソースグループ内の前記第qのリソースとして使用するように、または、
前記第3の信号の基準信号受信品質RSRQが、前記第3のリソースグループ内において、第6の予め設定された閾値よりも大きい第1のリソースを、前記第3のリソースグループ内の前記第qのリソースとして使用するように、または、
前記第3のリソースグループ内において巡回冗長コードCRCを前記第3のリソースグループ内の前記第qのリソースとして使用して、前記第3の信号が正しくチェックされたリソースを使用するように構成された、請求項9に記載のネットワーク装置。
【請求項１１】
前記第3の信号はブロードキャストチャネルである、請求項8〜10のいずれか一項に記載のネットワーク装置。
【請求項１２】
前記検出モジュールは、前記決定モジュールが前記第3の対応関係に従って前記第4のリソースグループ内の前記第kのリソースを決定した後、前記第4のリソースグループ内の前記第kのリソース上の第4の信号を検出するようにさらに構成され、前記第4のリソースグループの各リソースは1つの前記第4の信号に対応し、
前記決定モジュールは、第5のリソースグループ内の前記第kのリソースおよび第4の対応関係に従って前記第5のリソースグループ内の第jのリソースを決定するようにさらに構成され、前記第5のリソースグループは、J個のリソースを備え、Jは1より大きい正の整数であり、前記第5のリソースグループ内の前記第jのリソースは、前記第5のリソースグループ内の少なくとも2つの候補リソースのうちの1つであり、前記第4のリソースグループ内の前記第kのリソースは、前記第5のリソースグループ内の少なくとも2つの候補リソースのそれぞれと前記第4の対応関係を有し、jの値域は、0＜j≦Jである、請求項8〜11のいずれか一項に記載のネットワーク装置。
【請求項１３】
前記決定モジュールは、前記第4のリソースグループ内の前記第kのリソースおよび前記第4の対応関係に従って前記第5のリソースグループ内の前記第jのリソースを決定する前に、第4のルールに従って前記第4のリソースグループ内の前記第kのリソースを決定するようにさらに構成された、請求項12に記載のネットワーク装置。
【請求項１４】
前記決定モジュールは、具体的には、
前記第4の信号のエネルギーが前記第4のリソースグループ内において最も強い、検出されたリソースを、前記第4のリソースグループ内の前記第kのリソースとして使用するように、または、
前記第4の信号のエネルギーが前記第4のリソースグループ内において、第7の予め設定された閾値よりも大きい第1のリソースを、前記第4のリソースグループ内の前記第kのリソースとして使用するように、または、
前記第4の信号の基準信号受信品質RSRQが、前記第4のリソースグループ内において、第8の予め設定された閾値よりも大きい第1のリソースを、前記第4のリソースグループ内の前記第kのリソースとして使用するように、または、
前記第4のリソースグループ内において巡回冗長コードCRCを前記第4のリソースグループ内の前記第kのリソースとして使用して、前記第4の信号が正しくチェックされたリソースを使用するように構成された、請求項13に記載のネットワーク装置。
【請求項１５】
前記第4の信号はシステムメッセージである、請求項13または14に記載のネットワーク装置。
【請求項１６】
前記決定モジュールが、前記第4のリソースグループ内の前記第kのリソースおよび前記第4の対応関係に従って前記第5のリソースグループ内の前記第jのリソースを決定した後、前記第5のリソースグループ内の前記第jのリソース上の第5の信号を送信するように構成された送信モジュールをさら備えたネットワーク装置であって、
前記第5のリソースグループ内の前記第jのリソースは、第6のリソースグループ内の少なくとも2つの候補リソースのそれぞれと第5の対応関係を有し、前記第6のリソースグループ内の第rのリソースは、前記第6のリソースグループ内の少なくとも2つの候補リソースのうちの1つであり、前記第6のリソースグループはR個のリソースを備え、Rは1より大きい正の整数であり、rの値域は0＜r≦Rである、請求項12〜15のいずれか一項に記載のネットワーク装置。
【請求項１７】
前記第5の信号は、ランダムアクセスチャネルである、請求項16に記載のネットワーク装置。
【請求項１８】
前記検出モジュールは、前記送信モジュールが前記第5のリソースグループ内の前記第jのリソース上の前記第5の信号を送信した後、前記第6のリソースグループ内の前記第rのリソース上の第6の信号を検出するように構成され、前記第6のリソースグループの各リソースは1つの第6の信号に対応し、
前記決定モジュールは、前記第6のリソースグループ内の前記第rのリソースおよび第6の対応関係に従って第7のリソースグループ内の第wのリソースを決定するようにさらに構成され、前記第7のリソースグループは、W個のリソースを備え、Wは1より大きい正の整数であり、前記第7のリソースグループ内の前記第wのリソースは、前記第7のリソースグループ内の少なくとも2つの候補リソースのうちの1つであり、前記第6のリソースグループ内の前記第rのリソースは、前記第7のリソースグループ内の少なくとも2つの候補リソースのそれぞれと前記第6の対応関係を有し、wの値域は、0＜w≦Wである、請求項16または17に記載のネットワーク装置。
【請求項１９】
前記決定モジュールは、前記第6のリソースグループ内の前記第rのリソースおよび前記第6の対応関係に従って前記第7のリソースグループ内の前記第wのリソースを決定する前に、第6のルールに従って前記第6のリソースグループ内の前記第rのリソースを決定するようにさらに構成された、請求項18に記載のネットワーク装置。
【請求項２０】
前記決定モジュールは、具体的には、
前記第6の信号のエネルギーが第6のリソースグループ内において最も強い、検出されたリソースを、前記第6のリソースグループ内の前記第rのリソースとして使用するように、または、
前記第6の信号のエネルギーが前記第6のリソースグループ内において、第9の予め設定された閾値よりも大きい第1のリソースを、前記第6のリソースグループ内の前記第rのリソースとして使用するように、または、
前記第6の信号の基準信号受信品質RSRQが、前記第6のリソースグループ内において、第10の予め設定された閾値よりも大きい第1のリソースを、前記第6のリソースグループ内の前記第rのリソースとして使用するように、または、
前記第6のリソースグループ内において巡回冗長コードCRCを前記第6のリソースグループ内の前記第rのリソースとして使用して、前記第6の信号が正しくチェックされたリソースを使用するように構成された、請求項19に記載のネットワーク装置。
【請求項２１】
前記第6の信号は、ランダムアクセス応答チャネルである、請求項18〜20のいずれか一項に記載のネットワーク装置。
【請求項２２】
前記送信モジュールは、前記検出モジュールが前記第6のリソースグループ内の前記第rのリソース上の前記第6の信号を検出した後、前記第7のリソースグループ内の前記第wのリソース上の第7の信号を送信するようにさらに構成され、
前記第7のリソースグループ内の前記第wのリソースは、第8のリソースグループ内の少なくとも2つの候補リソースのそれぞれと第7の対応関係を有し、前記第8のリソースグループ内の第cのリソースは、前記第8のリソースグループ内の少なくとも2つの候補リソースのうちの1つであり、前記第8のリソースグループはC個のリソースを備え、Cは1より大きい正の整数であり、cの値域は0＜c≦Cである、請求項18〜21のいずれか一項に記載のネットワーク装置。
【請求項２３】
前記第7の信号は、RRC要求メッセージである、請求項22に記載のネットワーク装置。
【請求項２４】
前記検出モジュールは、前記送信モジュールが前記第7のリソースグループ内の前記第wのリソース上の前記第7の信号を送信した後、前記第8のリソースグループ内の前記第cのリソース上の第8の信号を検出するように構成され、前記第8のリソースグループの各リソースは1つの第8の信号に対応し、
前記決定モジュールは、前記第8のリソースグループ内の前記第cのリソースおよび第8の対応関係に従って第9のリソースグループ内の第sのリソースを決定するようにさらに構成され、前記第9のリソースグループは、S個のリソースを備え、Sは1より大きい正の整数であり、前記第9のリソースグループ内の前記第sのリソースは、前記第9のリソースグループ内の少なくとも2つの候補リソースのうちの1つであり、前記第8のリソースグループ内の前記第cのリソースは、前記第9のリソースグループ内の少なくとも2つの候補リソースのそれぞれと前記第8の対応関係を有し、sの値域は、0＜s≦Sである、請求項22または23に記載のネットワーク装置。
【請求項２５】
前記決定モジュールは、前記第8のリソースグループ内の前記第cのリソースおよび前記第8の対応関係に従って前記第9のリソースグループ内の前記第sのリソースを決定する前に、第7のルールに従って前記第8のリソースグループ内の前記第cのリソースを決定するようにさらに構成された、請求項24に記載のネットワーク装置。
【請求項２６】
前記決定モジュールは、具体的には、
前記第8の信号のエネルギーが前記第8のリソースグループ内において最も強い、検出されたリソースを、前記第8のリソースグループ内の前記第cのリソースとして使用するように、または、
前記第8の信号のエネルギーが前記第8のリソースグループ内において、前記第9の予め設定された閾値よりも大きい第1のリソースを、前記第8のリソースグループ内の前記第cのリソースとして使用するように、または、
前記第8の信号の基準信号受信品質RSRQが、前記第8のリソースグループ内において、前記第10の予め設定された閾値よりも大きい第1のリソースを、前記第8のリソースグループ内の前記第cのリソースとして使用するように、または、
前記第8のリソースグループ内において巡回冗長コードCRCを前記第8のリソースグループ内の前記第cのリソースとして使用して、前記第8の信号が正しくチェックされたリソースを使用するように構成された、請求項25に記載のネットワーク装置。
【請求項２７】
前記第8の信号はRRC要求確認メッセージである、請求項24〜26のいずれか一項に記載のネットワーク装置。
【請求項２８】
前記送信モジュールは、前記検出モジュールが前記第8のリソースグループ内の前記第cのリソース上の前記第8の信号を検出した後、前記第9のリソースグループ内の前記第sのリソース上の第9の信号を送信するようにさらに構成され、
前記検出モジュールは、前記第9のリソースグループ内の前記第sのリソース上の第10の信号を検出するようにさらに構成されたネットワーク装置であって、
第9のリソースグループの各リソースは、1つの第10の信号に対応する、請求項24〜27のいずれか一項に記載のネットワーク装置。
【請求項２９】
前記検出モジュールが前記第9のリソースグループ内の前記第sのリソース上の前記第10の信号を検出した場合、前記決定モジュールは、前記検出モジュールが前記第9のリソースグループ内の前記第sのリソース上の前記第10の信号を検出する前に、第8のルールに従って前記第9のリソースグループ内の前記第sのリソースを決定するようにさらに構成された、請求項28に記載のネットワーク装置。
【請求項３０】
前記決定モジュールは、具体的には、
前記第9の信号のエネルギーが前記第9のリソースグループ内において最も強い、検出されたリソースを、前記第9のリソースグループ内の前記第sのリソースとして使用するように、または、
前記第9の信号のエネルギーが前記第9のリソースグループ内において、第11の予め設定された閾値よりも大きい第1のリソースを、前記第9のリソースグループ内の前記第sのリソースとして使用するように、または、
前記第9の信号の基準信号受信品質RSRQが、前記第9のリソースグループ内において、第12の予め設定された閾値よりも大きい第1のリソースを、前記第9のリソースグループ内の前記第sのリソースとして使用するように、または、
前記第9のリソースグループ内において巡回冗長コードCRCを前記第9のリソースグループ内の前記第sのリソースとして使用して、前記第9の信号が正しくチェックされたリソースを使用するように構成された、請求項29に記載のネットワーク装置。
【請求項３１】
前記第9の信号は、アップリンクデータチャネルであり、前記第10の信号は、ダウンリンクデータチャネルである、請求項28〜30のいずれか一項に記載のネットワーク装置。
【請求項３２】
前記送信モジュールは、前記決定モジュールが前記第1の対応関係に従って前記第2のリソースグループ内の前記第mのリソースを決定した後、前記第2のリソースグループ内の前記第mのリソース上の第11の信号を送信するようにさらに構成された、請求項1に記載のネットワーク装置。
【請求項３３】
前記第1の信号は、システムメッセージ、ランダムアクセス応答チャネル、またはRRC要求確認メッセージのうちの少なくとも1つであり、
前記第1の信号が前記システムメッセージである場合、前記第2の信号は、ランダムアクセスチャネル、RRC要求メッセージ、またはアップリンクデータチャネルのうちの少なくとも1つであり、
前記第1の信号が前記ランダムアクセス応答チャネルである場合、前記第2の信号は、前記RRC要求メッセージまたは前記アップリンクデータチャネルのうちの少なくとも1つであり、または、
前記第1の信号が前記RRC要求確認メッセージである場合、前記第2の信号は前記アップリンクデータチャネルである、請求項32に記載のネットワーク装置。
【請求項３４】
前記第1のリソースグループ内の前記N個のリソースは、時間ドメインリソース、周波数ドメインリソース、コードリソース、スペースリソース、または電力リソースのうちのいずれか1つのタイプのリソースであり、
前記第2のリソースグループ内の前記M個のリソースは、前記時間ドメインリソース、前記周波数ドメインリソース、前記コードリソース、前記スペースリソース、または前記電力リソースのうちのいずれか1つのタイプのリソースであり、
前記第3のリソースグループ内の前記Q個のリソースは、前記時間ドメインリソース、前記周波数ドメインリソース、前記コードリソース、前記スペースリソース、または前記電力リソースのいずれかのタイプのリソースであり、
前記第4のリソースグループ内の前記K個のリソースは、前記時間ドメインリソース、前記周波数ドメインリソース、前記コードリソース、前記スペースリソース、または前記電力リソースのうちのいずれか1つのタイプのリソースであり、
前記第5のリソースグループ内の前記J個のリソースは、前記時間ドメインリソース、前記周波数ドメインリソース、前記コードリソース、前記スペースリソース、または前記電力リソースのうちのいずれかのタイプのリソースであり、
前記第6のリソースグループ内の前記R個のリソースは、前記時間ドメインリソース、前記周波数ドメインリソース、前記コードリソース、前記スペースリソース、または前記電力リソースのうちのいずれか1つのタイプのリソースであり、
前記第7のリソースグループ内の前記W個のリソースは、前記時間ドメインリソース、前記周波数ドメインリソース、前記コードリソース、前記スペースリソース、または前記電力リソースのいずれかのタイプのリソースであり、
前記第8のリソースグループ内の前記C個のリソースは、前記時間ドメインリソース、前記周波数ドメインリソース、前記コードリソース、前記スペースリソース、または前記電力リソースのいずれかのタイプのリソースであり、または、
前記第9のリソースグループ内の前記S個のリソースは、前記時間ドメインリソース、前記周波数ドメインリソース、前記コードリソース、前記スペースリソース、または前記電力リソースのいずれかのタイプのリソースである、請求項1〜33のいずれか一項に記載のネットワーク装置。
【請求項３５】
前記第1のリソースグループ内の前記第nのリソースが前記時間ドメインリソースであり、前記第2のリソースグループ内の前記第mのリソースが前記時間ドメインリソースである場合、以下の式の
m＝n＋x1が満たされ、
x1は第1のオフセットであり、x1は0以上であり、
前記第3のリソースグループ内の前記第qのリソースが前記時間ドメインリソースである場合、以下の式の
q＝m＋x2が満たされ、
x2は第2のオフセットであり、x2は0以上であり、
前記第4のリソースグループ内の前記第kのリソースが前記時間ドメインリソースである場合、以下の式の
k＝q＋x3が満たされ、
x3は第3のオフセットであり、x3は0以上であり、
前記第5のリソースグループ内の前記第jのリソースが前記時間ドメインリソースである場合、以下の式の
j＝k＋x4が満たされ、  x4は第4のオフセットであり、x4は0以上であり、
前記第6のリソースグループ内の前記第rのリソースが前記時間ドメインリソースである場合、以下の式の
r＝j＋x5が満たされ、x5は第5のオフセットであり、x5は0以上であり、
前記第7のリソースグループ内の前記第wのリソースが前記時間ドメインリソースの場合、以下の式の
w＝r＋x6が満たされ、
x6は第6のオフセットであり、x6は0以上であり、
前記第8のリソースグループ内の前記第cのリソースが前記時間ドメインリソースである場合、以下の式の
c＝w＋x7が満たされ、
x7は第7のオフセットであり、x7は0以上であり、または、
前記第9のリソースグループ内の前記第sのリソースが前記時間ドメインリソースである場合、以下の式の
s＝c＋x8が満たされ、
x8は第8のオフセットであり、x8は0以上である、請求項34に記載のネットワーク装置。
【請求項３６】
前記シーケンスリソースは、信号送信シーケンス、信号によって使用される拡散コード、信号によって使用されるスクランブリングコード、または巡回冗長コードCRC処理の間に追加されるマスクのうちのいずれか1つを備える、請求項34または35のいずれか一項に記載のネットワーク装置。
【請求項３７】
前記スペースリソースは、前記第2のネットワーク装置が信号を送信するときに使用される少なくとも1つのビーム、または前記送信モジュールが信号を送信するときに使用される少なくとも1つのビームを示し、
前記第1のリソースグループ内の前記第nのリソースが前記スペースリソースである場合、前記第1の対応関係は、前記第1のリソースグループ内の前記第nのリソースに対応するビームの識別子と前記第2のリソースグループ内の前記第mのリソースとの対応関係であり、
前記第2のリソースグループ内の前記第mのリソースが前記スペースリソースである場合、前記第2の対応関係は、前記第2のリソースグループ内の前記第mのリソースに対応するビームの識別子と前記第3のリソースグループ内の前記第qのリソースとの対応関係であり、
前記第3のリソースグループ内の前記第qのリソースが前記スペースリソースである場合、前記第3の対応関係は、前記第3のリソースグループ内の前記第qのリソースに対応するビームの識別子と前記第4のリソースグループ内の前記第kのリソースとの対応関係であり、
前記第4のリソースグループ内の前記第kのリソースが前記スペースリソースである場合、前記第4の対応関係は、前記第4のリソースグループ内の前記第kのリソースに対応するビームの識別子と前記第5のリソースグループ内の前記第jのリソースとの対応関係であり、
前記第5のリソースグループ内の前記第jのリソースが前記スペースリソースである場合、前記第5の対応関係は、前記第5のリソースグループ内の前記第jのリソースに対応するビームの識別子と前記第6のリソースグループ内の前記第rのリソースとの対応関係であり、
前記第6のリソースグループ内の前記第rのリソースが前記スペースリソースである場合、前記第6の対応関係は、前記第6のリソースグループ内の前記第rのリソースに対応するビームの識別子と前記第7のリソースグループ内の前記第wのリソースとの対応関係であり、
前記第7のリソースグループ内の前記第wのリソースが前記スペースリソースである場合、前記第7の対応関係は、前記第7のリソースグループ内の前記第wのリソースに対応するビームの識別子と前記第8のリソースグループ内の前記第cのリソースとの対応関係であり、
前記第8のリソースグループ内の前記第cのリソースが前記スペースリソースである場合、前記第7の対応関係は前記第8のリソースグループ内の前記第cのリソースに対応するビームの識別子と前記第9のリソースグループ内の前記第sのリソースとの対応関係である、請求項34に記載のネットワーク装置。
【請求項３８】
前記第1のリソースグループ内の前記第nのリソースが前記時間ドメインリソースであり、前記第2のリソースグループ内の前記第mのリソースが前記時間ドメインリソースである場合、または、前記第1のリソースグループ内の前記第nのリソースが前記時間ドメインリソースであり、前記第2のリソースグループ内の前記第mのリソースが前記周波数ドメインリソースである場合、または、前記第1のリソースグループ内の前記第nのリソースが前記周波数ドメインリソースであり、前記第2のリソースグループ内の前記第mのリソースが前記時間ドメインリソースである場合、または、前記第1のリソースグループ内の前記第nのリソースが前記周波数ドメインリソースであり、前記第2のリソースグループ内の前記第mのリソースが前記周波数ドメインリソースである場合、または、前記第1のリソースグループ内の前記第nのリソースが前記コードリソースであり、前記第2のリソースグループ内の前記第mのリソースが前記コードリソースである場合、または、前記第1のリソースグループ内の前記第nのリソースが前記コードリソースであり、前記第2のリソースグループ内の前記第mのリソースが前記時間ドメインリソースである場合、または、前記第1のリソースグループ内の前記第nのリソースが前記コードリソースであり、前記第2のリソースグループ内の前記第mのリソースが前記周波数ドメインリソースである場合、または、前記第1のリソースグループ内の前記第nのリソースが前記周波数ドメインリソースであり、前記第2のリソースグループ内の前記第mのリソースが前記コードリソースである場合、または、前記第1のリソースグループ内の前記第nのリソースが前記時間ドメインリソースであり、前記第2のリソースグループ内の前記第mのリソースが前記コードリソースである場合、
前記第1の対応関係は、前記第1のリソースグループ内の前記第nのリソースと前記第2のリソースグループ内の前記第mのリソースとの間に確立された第1のインデックスであって、無線フレームインデックス、サブフレームインデックス、またはシンボルインデックスのうちの少なくとも1つの第1のインデックスであり、
前記第2のリソースグループ内の前記第mのリソースが前記時間ドメインリソースであり、前記第3のリソースグループ内の前記第qのリソースが前記時間ドメインリソースである場合、または、前記第2のリソースグループ内の前記第mのリソースが前記時間ドメインリソースであり、前記第3のリソースグループ内の前記第qのリソースが前記周波数ドメインリソースである場合、または、前記第2のリソースグループ内の前記第mのリソースが前記周波数ドメインリソースであり、前記第3のリソースグループ内の前記第qのリソースが前記時間ドメインリソースである場合、または、前記第2のリソースグループ内の前記第mのリソースが前記周波数ドメインリソースであり、前記第3のリソースグループ内の前記第qのリソースが前記周波数ドメインリソースである場合、または、前記第2のリソースグループ内の前記第mのリソースが前記コードリソースであり、前記第3のリソースグループ内の前記第qのリソースが前記コードリソースである場合、または、前記第2のリソースグループ内の前記第mのリソースが前記コードリソースであり前記第3のリソースグループ内の前記第qのリソースが前記時間ドメインリソースである場合、または、前記第2のリソースグループ内の前記第mのリソースが前記コードリソースであり、前記第3のリソースグループ内の前記第qのリソースが前記周波数ドメインリソースである場合、または、前記第2のリソースグループ内の前記第mのリソースが前記周波数ドメインリソースであり、前記第3のリソースグループ内の前記第qのリソースが前記コードリソースである場合、または、前記第2のリソースグループ内の前記第mのリソースが前記時間ドメインリソースであり、前記第3のリソースグループ内の前記第qのリソースが前記コードリソースである場合、  前記第2の対応関係は、前記第2のリソースグループ内の前記第mのリソースと前記第3のリソースグループ内の前記第qのリソースとの間に確立された第2のインデックスであって、無線フレームインデックス、サブフレームインデックス、またはシンボルインデックスのうちの少なくとも1つの第2のインデックスであり、
前記第3のリソースグループ内の前記第qのリソースが前記時間ドメインリソースであり、前記第4のリソースグループ内の前記第kのリソースが前記時間ドメインリソースである場合、または、前記第3のリソースグループ内の前記第qのリソースが前記時間ドメインリソースであり、前記第4のリソースグループ内の前記第kのリソースが前記周波数ドメインリソースである場合、または、前記第3のリソースグループ内の前記第qのリソースが前記周波数ドメインリソースであり、前記第4のリソースグループ内の前記第kのリソースが前記時間ドメインリソースである場合、または、前記第3のリソースグループ内の前記第qのリソースが前記周波数ドメインリソースであり、前記第4のリソースグループ内の前記第kのリソースが前記周波数ドメインリソースである場合、または、前記第3のリソースグループ内の前記第qのリソースが前記コードリソースであり、前記第4のリソースグループ内の前記第kのリソースが前記コードリソースである場合、または、前記第3のリソースグループ内の前記第qのリソースが前記コードリソースであり、前記第4のリソースグループ内の前記第kのリソースが前記時間ドメインリソースである場合、または、前記第3のリソースグループ内の前記第qのリソースが前記コードリソースであり、前記第4のリソースグループ内の前記第kのリソースが前記周波数ドメインリソースである場合、または、前記第3のリソースグループ内の前記第qのリソースが前記周波数ドメインリソースであり、前記第4のリソースグループ内の前記第kのリソースが前記コードリソースである場合、または、前記第3のリソースグループ内の前記第qのリソースが前記時間ドメインリソースであり、前記第4のリソースグループ内の前記第kのリソースが前記コードリソースである場合、
前記第3の対応関係は、前記第3のリソースグループ内の前記第qのリソースと前記第4のリソースグループ内の前記第kのリソースとの間に確立された第3のインデックスであって、無線フレームインデックス、サブフレームインデックス、またはシンボルインデックスのうちの少なくとも1つの第3のインデックスであり、
前記第4のリソースグループ内の前記第kのリソースが前記時間ドメインリソースであり、前記第5のリソースグループ内の前記第jのリソースが前記時間ドメインリソースである場合、または、前記第4のリソースグループ内の前記第kのリソースが前記時間ドメインリソースであり、前記第5のリソースグループ内の前記第jのリソースが前記周波数ドメインリソースである場合、または、前記第4のリソースグループ内の前記第kのリソースが前記周波数ドメインリソースであり、前記第5のリソースグループ内の前記第jのリソースが前記時間ドメインリソースである場合、または、前記第4のリソースグループ内の前記第kのリソースが前記周波数ドメインリソースであり、前記第5のリソースグループ内の前記第jのリソースが前記周波数ドメインリソースである場合、または、前記第4のリソースグループ内の前記第kのリソースが前記コードリソースであり、前記第5のリソースグループ内の前記第jのリソースが前記コードリソースである場合、または、前記第4のリソースグループ内の前記第kのリソースが前記コードリソースであり、前記第5のリソースグループ内の前記第jのリソースが前記時間ドメインリソースである場合、または、前記第4のリソースグループ内の前記第kのリソースがコードリソースであり、前記第5のリソースグループ内の前記第jのリソースが前記周波数ドメインリソースである場合、または、前記第4のリソースグループ内の前記第kのリソースが前記周波数ドメインリソースであり、前記第5のリソースグループ内の前記第jのリソースが前記コードリソースである場合、または、前記第4のリソースグループ内の前記第kのリソースが前記時間ドメインリソースであり、前記第5のリソースグループ内の前記第jのリソースが前記コードリソースである場合、
前記第4の対応関係は、前記第4のリソースグループ内の前記第kのリソースと前記第5のリソースグループ内の前記第jのリソースとの間に確立された第4のインデックスであって、無線フレームインデックス、サブフレームインデックス、またはシンボルインデックスのうちの少なくとも1つの第4のインデックスであり、  前記第5のリソースグループ内の前記第jのリソースが前記時間ドメインリソースであり、前記第6のリソースグループ内の前記第rのリソースが前記時間ドメインリソースである場合、または、前記第5のリソースグループ内の前記第jのリソースが前記時間ドメインリソースであり、前記第6のリソースグループ内の前記第rのリソースが前記周波数ドメインリソースである場合、または、前記第5のリソースグループ内の前記第jのリソースが前記周波数ドメインリソースであり、前記第6のリソースグループ内の前記第rのリソースが前記時間ドメインリソースである場合、または、前記第5のリソースグループ内の前記第jのリソースが前記周波数ドメインリソースであり、前記第6のリソースグループ内の前記第rのリソースが前記周波数ドメインリソースである場合、または、前記第5のリソースグループ内の前記第jのリソースが前記コードリソースであり、前記第6のリソースグループ内の前記第rのリソースが前記コードリソースである場合、または、前記第5のリソースグループ内の前記第jのリソースが前記コードリソースであり、前記第6のリソースグループ内の前記第rのリソースが前記時間ドメインリソースである場合、または、前記第5のリソースグループ内の前記第jのリソースが前記コードリソースであり、前記第6のリソースグループ内の前記第rのリソースが前記周波数ドメインリソースである場合、または、前記第5のリソースグループ内の前記第jのリソースが前記周波数ドメインリソースであり、前記第6のリソースグループ内の前記第rのリソースが前記コードリソースである場合、または、前記第5のリソースグループ内の前記第jのリソースが前記時間ドメインリソースであり、前記第6のリソースグループ内の前記第rのリソースが前記コードリソースである場合、
前記第5の対応関係は、前記第5のリソースグループ内の前記第jのリソースと前記第6のリソースグループ内の前記第rのリソースとの間に確立された第5のインデックスであって、無線フレームインデックス、サブフレームインデックス、またはシンボルインデックスのうちの少なくとも1つの第5のインデックスであり、
前記第6のリソースグループ内の前記第rのリソースが前記時間ドメインリソースであり、前記第7のリソースグループ内の前記第wのリソースが前記時間ドメインリソースである場合、または、前記第6のリソースグループ内の前記第rのリソースが前記時間ドメインリソースであり、前記第7のリソースグループ内の前記第wのリソースが前記周波数ドメインリソースである場合、または、前記第6のリソースグループ内の前記第rのリソースが前記周波数ドメインリソースであり、前記第7のリソースグループ内の前記第wのリソースが前記時間ドメインリソースである場合、または、前記第6のリソースグループ内の前記第rのリソースが前記周波数ドメインリソースであり、前記第7のリソースグループ内の前記第wのリソースが前記周波数ドメインリソースである場合、または、前記第6のリソースグループ内の前記第rのリソースが前記コードリソースであり、前記第7のリソースグループ内の前記第wのリソースが前記コードリソースである場合、または、前記第6のリソースグループ内の前記第rのリソースが前記コードリソースであり、前記第7のリソースグループ内の前記第wのリソースが前記時間ドメインリソースである場合、または、前記第6のリソースグループ内の前記第rのリソースが前記コードリソースであり、前記第7のリソースグループ内の前記第wのリソースが前記周波数ドメインリソースである場合、または、前記第6のリソースグループ内の前記第rのリソースが前記周波数ドメインリソースであり、前記第7のリソースグループ内の前記第wのリソースが前記コードリソースである場合、または、前記第6のリソースグループ内の前記第rのリソースが前記時間ドメインリソースであり、前記第7のリソースグループ内の前記第wのリソースが前記コードリソースである場合、
前記第6の対応関係は、前記第6のリソースグループ内の前記第rのリソースと前記第7のリソースグループ内の前記第wのリソースとの間に確立された第6のインデックスであって、無線フレームインデックス、サブフレームインデックス、またはシンボルインデックスのうちの少なくとも1つの第6のインデックスであり、
前記第7のリソースグループ内の前記第wのリソースが前記時間ドメインリソースであり、前記第8のリソースグループ内の前記第cのリソースが前記時間ドメインリソースである場合、または、前記第7のリソースグループ内の前記第wのリソースが前記時間ドメインリソースであり、前記第8のリソースグループ内の前記第cのリソースが前記周波数ドメインリソースである場合、または、前記第7のリソースグループ内の前記第wのリソースが前記周波数ドメインリソースであり、前記第8のリソースグループ内の前記第cのリソースが前記時間ドメインリソースである場合、または、前記第7のリソースグループ内の前記第wのリソースが前記周波数ドメインリソースであり、前記第8のリソースグループ内の前記第cのリソースが前記周波数ドメインリソースである場合、または、前記第7のリソースグループ内の前記第wのリソースが前記コードリソースであり、前記第8のリソースグループ内の前記第cのリソースが前記コードリソースである場合、または、前記第7のリソースグループ内の前記第wのリソースが前記コードリソースであり、前記第8のリソースグループ内の前記第cのリソースが前記時間ドメインリソースである場合、または、前記第7のリソースグループ内の前記第wのリソースが前記コードリソースであり、前記第8のリソースグループ内の前記第cのリソースが前記周波数ドメインリソースである場合、または、前記第7のリソースグループ内の前記第wのリソースが前記周波数ドメインリソースであり、前記第8のリソースグループ内の前記第cのリソースが前記コードリソースである場合、または、前記第7のリソースグループ内の前記第wのリソースが前記時間ドメインリソースであり、前記第8のリソースグループ内の前記第cのリソースが前記コードリソースである場合、
前記第7の対応関係は、前記第7のリソースグループ内の前記第wのリソースと前記第8のリソースグループ内の前記第cのリソースとの間に確立された第7のインデックスであって、無線フレームインデックス、サブフレームインデックス、またはシンボルインデックスのうちの少なくとも1つの第7のインデックスであり、
前記第8のリソースグループ内の前記第cのリソースが前記時間ドメインリソースであり、前記第9のリソースグループ内の前記第sのリソースが前記時間ドメインリソースである場合、または、前記第8のリソースグループ内の前記第cのリソースが前記時間ドメインリソースであり、前記第9のリソースグループ内の前記第sのリソースが前記周波数ドメインリソースである場合、または、前記第8のリソースグループ内の前記第cのリソースが前記周波数ドメインリソースであり、前記第9のリソースグループ内の前記第sのリソースが前記時間ドメインリソースである場合、または、前記第8のリソースグループ内の前記第cのリソースが前記周波数ドメインリソースであり、前記第9のリソースグループ内の前記第sのリソースが前記周波数ドメインリソースである場合、または、前記第8のリソースグループ内の前記第cのリソースが前記コードリソースであり、前記第9の前記リソースグループ内の前記第sのリソースが前記コードリソースである場合、または、前記第8のリソースグループ内の前記第cのリソースが前記コードリソースであり、前記第9のリソースグループ内の前記第sのリソースが前記時間ドメインリソースである場合、または、前記第8のリソースグループ内の前記第cのリソースが前記コードリソースであり、前記第9のリソースグループ内の前記第sのリソースが前記周波数ドメインリソースである場合、または、前記第8のリソースグループ内の前記第cのリソースが前記周波数ドメインリソースであり、前記第9のリソースグループ内の前記第sのリソースが前記コードリソースである場合、または、前記第8のリソースグループ内の前記第cのリソースが前記時間ドメインリソースであり、前記第9のリソースグループ内の前記第sのリソースが前記コードリソースである場合、
第8の対応関係は、前記第8のリソースグループ内の前記第cのリソースと前記第9のリソースグループ内の前記第sのリソースとの間に確立された第8のインデックスであって、無線フレームインデックス、サブフレームインデックス、またはシンボルインデックスのうちの少なくとも1つの第8のインデックスである、請求項34に記載のネットワーク装置。
【請求項３９】
第1のリソースグループ内の第1の信号を送信するように構成された送信モジュールを備えたネットワーク装置であって、前記第1のリソースグループはN個のリソースを備え、Nは1より大きい正の整数であり、前記第1のリソースグループの各リソースは1つの第1の信号に対応し、
前記第1のリソースグループ内の第nのリソースは、第2のリソースグループ内の第mのリソースと第1の対応関係を有し、前記第2のリソースグループは、M個のリソースを備え、Mは1より大きい正の整数であり、前記第2のリソースグループ内の前記第mのリソースは、前記第2のリソースグループ内の少なくとも2つの候補リソースのうちの1つであり、前記第1のリソースグループ内の前記第nのリソースは、前記第2のリソースグループ内の少なくとも2つの候補リソースのそれぞれと前記第1の対応関係を有し、mの値域は0＜m≦Mであり、nの値域は0＜n≦Nである、ネットワーク装置。
【請求項４０】
前記送信モジュールは、前記第1のリソースグループ内の前記第1の信号を送信した後、前記第2のリソースグループ内の第2の信号を送信するように構成され、前記第2のリソースグループの各リソースは1つの第2の信号に対応し、
前記第2のリソースグループ内の前記第mのリソースは、第3のリソースグループ内の第qのリソースと第2の対応関係を有し、前記第3のリソースグループは、Q個のリソースを備え、Qは1より大きい正の整数であり、前記第3のリソースグループ内の前記第qのリソースは、前記第3のリソースグループ内の少なくとも2つの候補リソースのうちの1つであり、前記第2のリソースグループ内の前記第mのリソースは、前記第3のリソースグループ内の少なくとも2つの候補リソースのそれぞれと前記第2の対応関係を有し、qの値域は、0＜q≦Qである、請求項39に記載のネットワーク装置。
【請求項４１】
前記第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
前記第1の信号が前記同期チャネルである場合、前記第2の信号は、前記測定パイロット信号、前記ブロードキャストチャネル、前記システムメッセージ、前記ランダムアクセス応答チャネル、前記RRC要求確認メッセージ、または前記ダウンリンクデータチャネルの少なくとも1つであり、
前記第1の信号が前記測定パイロット信号である場合、前記第2の信号は、前記ブロードキャストチャネル、前記システムメッセージ、前記ランダムアクセス応答チャネル、前記RRC要求確認メッセージ、または前記ダウンリンクデータチャネルのうちの少なくとも1つであり、
前記第1の信号が前記ブロードキャストチャネルである場合、前記第2の信号は、前記システムメッセージ、前記ランダムアクセス応答チャネル、前記RRC要求確認メッセージ、または前記ダウンリンクデータチャネルのうちの少なくとも1つであり、
前記第1の信号が前記システムメッセージである場合、前記第2の信号は、前記ランダムアクセス応答チャネル、前記RRC要求確認メッセージ、または前記ダウンリンクデータチャネルのうちの少なくとも1つであり、
前記第1の信号が前記ランダムアクセス応答チャネルである場合、前記第2の信号は、前記RRC要求確認応答メッセージまたは前記ダウンリンクデータチャネルのうちの少なくとも1つであり、または、
前記第1の信号が前記RRC要求確認メッセージである場合、前記第2の信号はダウンリンクデータチャネルである、請求項39または40に記載のネットワーク装置。
【請求項４２】
前記送信モジュールは、前記第2のリソースグループ内の前記第2の信号を送信した後、前記第3のリソースグループ上の第3の信号を送信するように構成され、前記第3のリソースグループの各リソースは1つの第3の信号に対応し、
前記第3のリソースグループ内の前記第qのリソースは、第4のリソースグループ内の第kのリソースと第3の対応関係を有し、前記第4のリソースグループは、K個のリソースを備え、Kは1より大きい正の整数であり、前記第4のリソースグループ内の前記第kのリソースは、前記第4のリソースグループの少なくとも2つの候補リソースのうちの1つであり、前記第3のリソースグループ内の前記第qのリソースは、前記第4のリソースグループの少なくとも2つの候補リソースのそれぞれと第3の対応関係を有し、kの値域は、0＜k≦Kである、請求項39または41に記載のネットワーク装置。
【請求項４３】
前記第3の信号はブロードキャストチャネルであることを特徴とする、請求項42に記載のネットワーク装置。
【請求項４４】
前記送信モジュールは、前記第3のリソースグループ上の前記第3の信号を送信した後、前記第4のリソースグループ上の第4の信号を送信するようにさらに構成され、前記第4のリソースグループの各リソースは1つの第4の信号に対応し、
前記第4のリソースグループ内の前記第kのリソースは、前記第5のリソースグループ内の第jのリソースと第4の対応関係を有し、前記第5のリソースグループは、J個のリソースを備え、Jは1より大きい正の整数であり、前記第5のリソースグループ内の前記第jのリソースは、前記第5のリソースグループ内の少なくとも2つの候補リソースのうちの1つであり、前記第4のリソースグループ内の前記第qのリソースは、前記第5のリソースグループ内の少なくとも2つの候補リソースのそれぞれと第4の対応関係を有し、jの値域は、0＜j≦Jである、請求項42または43に記載のネットワーク装置。
【請求項４５】
前記第4の信号はシステムメッセージである、請求項44に記載のネットワーク装置。
【請求項４６】
前記送信モジュールが前記第4のリソースグループ上の前記第4の信号を送信した後、前記第5のリソースグループ内の前記第jのリソース上で、前記第1のネットワーク装置によって送信された第5の信号を検出するように構成された検出モジュールであって、前記第5のリソースグループの各リソースは、1つの第5の信号に対応する、検出モジュールと、
前記第5のリソースグループ内の前記第jのリソースおよび第5の対応関係に従って、前記第6のリソースグループ内の第rのリソースを決定するように構成された決定モジュールとを備えたネットワーク装置であって、前記第6のリソースグループはR個のリソースを備え、Rは1より大きい正の整数であり、前記第6のリソースグループ内の第rのリソースは前記第6のリソースグループ内の少なくとも2つの候補リソースのうちの1つであり、rの値域は0＜r≦Rである、請求項44または45に記載のネットワーク装置。
【請求項４７】
前記第5の信号は、ランダムアクセスチャネルである、請求項46に記載のネットワーク装置。
【請求項４８】
前記送信モジュールは、前記第5の信号が、前記第5のリソースグループ内の前記第jのリソース上で送信された後、前記第6のリソースグループ上の第6の信号を送信するようにさらに構成され、前記第6のリソースグループの各リソースは1つの第6の信号に対応し、
前記第6のリソースグループ内の前記第rのリソースは、第7のリソースグループ内の第wのリソースと第6の対応関係を有し、前記第7のリソースグループは、W個のリソースを備え、Wは1より大きい正の整数であり、前記第7のリソースグループ内の前記第wのリソースは、前記第7のリソースグループ内の少なくとも2つの候補リソースのうちの1つであり、前記第6のリソースグループ内の前記第rのリソースは、前記第7のリソースグループ内の少なくとも2つの候補リソースのそれぞれと第6の対応関係を有し、wの値域は、0＜w≦Wである、請求項46または47に記載のネットワーク装置。
【請求項４９】
前記第6の信号は、ランダムアクセス応答チャネルである、請求項48に記載のネットワーク装置。
【請求項５０】
前記検出モジュールは、前記送信モジュールが前記第6のリソースグループ上の第6の信号を送信した後、前記第7のリソースグループ内の前記第wのリソース上で、前記第1のネットワーク装置によって送信された第7の信号を検出するようにさらに構成され、前記第7のリソースグループの各リソースは、1つの第7の信号に対応し、
前記決定モジュールは、前記第7のリソースグループ内の前記第wのリソースおよび第7の対応関係に従って、前記第8のリソースグループ内の第cのリソースを決定するようにさらに構成され、前記第8のリソースグループはC個のリソースを備え、Cは1より大きい正の整数であり、前記第8のリソースグループ内の前記第cのリソースは前記第8のリソースグループ内の少なくとも2つの候補リソースのうちの1つであり、cの値域は0＜c≦Cである、請求項48または49に記載のネットワーク装置。
【請求項５１】
前記第7の信号は、RRC要求メッセージである、請求項50に記載のネットワーク装置。
【請求項５２】
前記送信モジュールは、前記検出モジュールが、前記第1のネットワーク装置によって送信された前記第7の信号を、前記第7のリソースグループ内の前記第wのリソース上で検出した後、前記第8のリソースグループ内の前記第cのリソース上の第8の信号を送信するようにさらに構成され、前記第8のリソースグループの各リソースが1つの第8の信号に対応し、
前記第8のリソースグループ内の前記第cのリソースは、第9のリソースグループ内の第sのリソースと第8の対応関係を有し、前記第9のリソースグループは、S個のリソースを備え、Sは1より大きい正の整数であり、第9のリソースグループ内の第sのリソースは、第9のリソースグループ内の少なくとも2つの候補リソースのうちの1つであり、第8のリソースグループ内の第cのリソースは、第9のリソースグループ内の少なくとも2つの候補リソースのそれぞれと第8の対応関係を有し、sの値域は、0＜s≦Sである、請求項50または51に記載のネットワーク装置。
【請求項５３】
前記第8の信号はRRC要求確認メッセージである、請求項52に記載のネットワーク装置。
【請求項５４】
前記検出モジュールは、前記送信モジュールが前記第8のリソースグループ内の前記第cのリソース上の前記第8の信号を送信した後、前記第9のリソースグループ内の前記第sのリソース上で第9の信号を検出するようにさらに構成され、
前記送信モジュールは、前記第9のリソースグループ内の前記第sのリソース上の第10の信号を送信するようにさらに構成され、前記第9のリソースグループの各リソースは、1つの第10の信号に対応する、請求項52または53に記載のネットワーク装置。
【請求項５５】
前記第9の信号は、アップリンクデータチャネルであり、前記第10の信号は、ダウンリンクデータチャネルである、請求項54に記載のネットワーク装置。
【請求項５６】
前記検出モジュールは、前記送信モジュールが前記第1のリソースグループ内の前記第1の信号を送信した後、前記第2のリソースグループ内の前記第mのリソース上で、前記第1のネットワーク装置によって送信された第11の信号を検出するようにさらに構成される、請求項39に記載のネットワーク装置。
【請求項５７】
前記第1の信号は、システムメッセージ、ランダムアクセス応答チャネル、またはRRC要求確認メッセージのうちの少なくとも1つであり、
前記第1の信号が前記システムメッセージである場合、前記第2の信号は、ランダムアクセスチャネル、RRC要求メッセージ、またはアップリンクデータチャネルのうちの少なくとも1つであり、
前記第1の信号が前記ランダムアクセス応答チャネルである場合、前記第2の信号は、前記RRC要求メッセージまたは前記アップリンクデータチャネルのうちの少なくとも1つであり、または、
前記第1の信号が前記RRC要求確認メッセージである場合、前記第2の信号は前記アップリンクデータチャネルである、請求項56に記載のネットワーク装置。
【請求項５８】
前記第1のリソースグループ内の前記N個のリソースは、時間ドメインリソース、周波数ドメインリソース、コードリソース、スペースリソース、または電力リソースのうちのいずれか1つのタイプのリソースであり、
前記第2のリソースグループ内の前記M個のリソースは、前記時間ドメインリソース、前記周波数ドメインリソース、前記コードリソース、前記スペースリソース、または前記電力リソースのうちのいずれか1つのタイプのリソースであり、
前記第3のリソースグループ内の前記Q個のリソースは、前記時間ドメインリソース、前記周波数ドメインリソース、前記コードリソース、前記スペースリソース、または前記電力リソースのいずれかのタイプのリソースであり、
前記第4のリソースグループ内の前記K個のリソースは、前記時間ドメインリソース、前記周波数ドメインリソース、前記コードリソース、前記スペースリソース、または前記電力リソースのうちのいずれか1つのタイプのリソースであり、
前記第5のリソースグループ内の前記J個のリソースは、前記時間ドメインリソース、前記周波数ドメインリソース、前記コードリソース、前記スペースリソース、または前記電力リソースのうちのいずれかのタイプのリソースであり、
前記第6のリソースグループ内の前記R個のリソースは、前記時間ドメインリソース、前記周波数ドメインリソース、前記コードリソース、前記スペースリソース、または前記電力リソースのうちのいずれか1つのタイプのリソースであり、
前記第7のリソースグループ内の前記W個のリソースは、前記時間ドメインリソース、前記周波数ドメインリソース、前記コードリソース、前記スペースリソース、または前記電力リソースのいずれかのタイプのリソースであり、
前記第8のリソースグループ内の前記C個のリソースは、前記時間ドメインリソース、前記周波数ドメインリソース、前記コードリソース、前記スペースリソース、または前記電力リソースのいずれかのタイプのリソースであり、または、
前記第9のリソースグループ内の前記S個のリソースは、前記時間ドメインリソース、前記周波数ドメインリソース、前記コードリソース、前記スペースリソース、または前記電力リソースのいずれかのタイプのリソースである、請求項39〜57のいずれか一項に記載のネットワーク装置。
【請求項５９】
前記第1のリソースグループ内の前記第nのリソースが前記時間ドメインリソースであり、前記第2のリソースグループ内の前記第mのリソースが前記時間ドメインリソースである場合、以下の式の
m＝n＋x1が満たされ、
x1は第1のオフセットであり、x1は0以上であり、
前記第3のリソースグループ内の前記第qのリソースが前記時間ドメインリソースである場合、以下の式の
q＝m＋x2が満たされ、
x2は第2のオフセットであり、x2は0以上であり、
前記第4のリソースグループ内の前記第kのリソースが前記時間ドメインリソースである場合、以下の式の
k＝q＋x3が満たされ、
x3は第3のオフセットであり、x3は0以上であり、
前記第5のリソースグループ内の前記第jのリソースが前記時間ドメインリソースである場合、以下の式の
j＝k＋x4が満たされ、
x4は第4のオフセットであり、x4は0以上であり、
前記第6のリソースグループ内の前記第rのリソースが前記時間ドメインリソースである場合、以下の式の
r＝j＋x5が満たされ、
x5は第5のオフセットであり、x5は0以上であり、
前記第7のリソースグループ内の前記第wのリソースが前記時間ドメインリソースの場合、以下の式の
w＝r＋x6が満たされ、
x6は第6のオフセットであり、x6は0以上であり、
前記第8のリソースグループ内の前記第cのリソースが前記時間ドメインリソースである場合、以下の式の
c＝w＋x7が満たされ、
x7は第7のオフセットであり、x7は0以上であり、または、
前記第9のリソースグループ内の前記第sのリソースが前記時間ドメインリソースである場合、以下の式の
s＝c＋x8が満たされ、
x8は第8のオフセットであり、x8は0以上である、請求項58に記載のネットワーク装置。
【請求項６０】
前記シーケンスリソースは、信号送信シーケンス、信号によって使用される拡散コード、信号によって使用されるスクランブリングコード、または巡回冗長コードCRC処理の間に追加されるマスクのうちのいずれか1つを備える、請求項58または59に記載のネットワーク装置。
【請求項６１】
前記スペースリソースは、前記第2のネットワーク装置が信号を送信するときに使用される少なくとも1つのビーム、または前記第1のネットワーク装置が信号を送信するときに使用される少なくとも1つのビームを示し、
前記第1のリソースグループ内の前記第nのリソースが前記スペースリソースである場合、前記第1の対応関係は、前記第1のリソースグループ内の前記第nのリソースに対応するビームの識別子と前記第2のリソースグループ内の前記第mのリソースとの対応関係であり、
前記第2のリソースグループ内の前記第mのリソースが前記スペースリソースである場合、前記第2の対応関係は、前記第2のリソースグループ内の前記第mのリソースに対応するビームの識別子と前記第3のリソースグループ内の前記第qのリソースとの対応関係であり、
前記第3のリソースグループ内の前記第qのリソースが前記スペースリソースである場合、前記第3の対応関係は、前記第3のリソースグループ内の前記第qのリソースに対応するビームの識別子と前記第4のリソースグループ内の前記第kのリソースとの対応関係であり、
前記第4のリソースグループ内の前記第kのリソースが前記スペースリソースである場合、前記第4の対応関係は、前記第4のリソースグループ内の前記第kのリソースに対応するビームの識別子と前記第5のリソースグループ内の前記第jのリソースとの対応関係であり、
前記第5のリソースグループ内の前記第jのリソースが前記スペースリソースである場合、前記第5の対応関係は、前記第5のリソースグループ内の前記第jのリソースに対応するビームの識別子と前記第6のリソースグループ内の前記第rのリソースとの対応関係であり、
前記第6のリソースグループ内の前記第rのリソースが前記スペースリソースである場合、前記第6の対応関係は、前記第6のリソースグループ内の前記第rのリソースに対応するビームの識別子と前記第7のリソースグループ内の前記第wのリソースとの対応関係であり、
前記第7のリソースグループ内の前記第wのリソースが前記スペースリソースである場合、前記第7の対応関係は、前記第7のリソースグループ内の前記第wのリソースに対応するビームの識別子と前記第8のリソースグループ内の前記第cのリソースとの対応関係であり、
前記第8のリソースグループ内の前記第cのリソースが前記スペースリソースである場合、前記第8の対応関係は前記第8のリソースグループ内の前記第cのリソースに対応するビームの識別子と前記第9のリソースグループ内の前記第sのリソースとの対応関係である、請求項60に記載のネットワーク装置。
【請求項６２】
前記第1のリソースグループ内の前記第nのリソースが前記時間ドメインリソースであり、前記第2のリソースグループ内の前記第mのリソースが前記時間ドメインリソースである場合、または、前記第1のリソースグループ内の前記第nのリソースが前記時間ドメインリソースであり、前記第2のリソースグループ内の前記第mのリソースが前記周波数ドメインリソースである場合、または、前記第1のリソースグループ内の前記第nのリソースが前記周波数ドメインリソースであり、前記第2のリソースグループ内の前記第mのリソースが前記時間ドメインリソースである場合、または、前記第1のリソースグループ内の前記第nのリソースが前記周波数ドメインリソースであり、前記第2のリソースグループ内の前記第mのリソースが前記周波数ドメインリソースである場合、または、前記第1のリソースグループ内の前記第nのリソースが前記コードリソースであり、前記第2のリソースグループ内の前記第mのリソースが前記コードリソースである場合、または、前記第1のリソースグループ内の前記第nのリソースが前記コードリソースであり、前記第2のリソースグループ内の前記第mのリソースが前記時間ドメインリソースである場合、または、前記第1のリソースグループ内の前記第nのリソースが前記コードリソースであり、前記第2のリソースグループ内の前記第mのリソースが前記周波数ドメインリソースである場合、または、前記第1のリソースグループ内の前記第nのリソースが前記周波数ドメインリソースであり、前記第2のリソースグループ内の前記第mのリソースが前記コードリソースである場合、または、前記第1のリソースグループ内の前記第nのリソースが前記時間ドメインリソースであり、前記第2のリソースグループ内の前記第mのリソースが前記コードリソースである場合、
前記第1の対応関係は、前記第1のリソースグループ内の前記第nのリソースと前記第2のリソースグループ内の前記第mのリソースとの間に確立された第1のインデックスであって、無線フレームインデックス、サブフレームインデックス、またはシンボルインデックスのうちの少なくとも1つの第1のインデックスであり、
前記第2のリソースグループ内の前記第mのリソースが前記時間ドメインリソースであり、前記第3のリソースグループ内の前記第qのリソースが前記時間ドメインリソースである場合、または、前記第2のリソースグループ内の前記第mのリソースが前記時間ドメインリソースであり、前記第3のリソースグループ内の前記第qのリソースが前記周波数ドメインリソースである場合、または、前記第2のリソースグループ内の前記第mのリソースが前記周波数ドメインリソースであり、前記第3のリソースグループ内の前記第qのリソースが前記時間ドメインリソースである場合、または、前記第2のリソースグループ内の前記第mのリソースが前記周波数ドメインリソースであり、前記第3のリソースグループ内の前記第qのリソースが前記周波数ドメインリソースである場合、または、前記第2のリソースグループ内の前記第mのリソースが前記コードリソースであり、前記第3のリソースグループ内の前記第qのリソースが前記コードリソースである場合、または、前記第2のリソースグループ内の前記第mのリソースが前記コードリソースであり前記第3のリソースグループ内の前記第qのリソースが前記時間ドメインリソースである場合、または、前記第2のリソースグループ内の前記第mのリソースが前記コードリソースであり、前記第3のリソースグループ内の前記第qのリソースが前記周波数ドメインリソースである場合、または、前記第2のリソースグループ内の前記第mのリソースが前記周波数ドメインリソースであり、前記第3のリソースグループ内の前記第qのリソースが前記コードリソースである場合、または、前記第2のリソースグループ内の前記第mのリソースが前記時間ドメインリソースであり、前記第3のリソースグループ内の前記第qのリソースが前記コードリソースである場合、
前記第2の対応関係は、前記第2のリソースグループ内の前記第mのリソースと前記第3のリソースグループ内の前記第qのリソースとの間に確立された第2のインデックスであって、無線フレームインデックス、サブフレームインデックス、またはシンボルインデックスのうちの少なくとも1つの第2のインデックスであり、
前記第3のリソースグループ内の前記第qのリソースが前記時間ドメインリソースであり、前記第4のリソースグループ内の前記第kのリソースが前記時間ドメインリソースである場合、または、前記第3のリソースグループ内の前記第qのリソースが前記時間ドメインリソースであり、前記第4のリソースグループ内の前記第kのリソースが前記周波数ドメインリソースである場合、または、前記第3のリソースグループ内の前記第qのリソースが前記周波数ドメインリソースであり、前記第4のリソースグループ内の前記第kのリソースが前記時間ドメインリソースである場合、または、前記第3のリソースグループ内の前記第qのリソースが前記周波数ドメインリソースであり、前記第4のリソースグループ内の前記第kのリソースが前記周波数ドメインリソースである場合、または、前記第3のリソースグループ内の前記第qのリソースが前記コードリソースであり、前記第4のリソースグループ内の前記第kのリソースが前記コードリソースである場合、または、前記第3のリソースグループ内の前記第qのリソースが前記コードリソースであり、前記第4のリソースグループ内の前記第kのリソースが前記時間ドメインリソースである場合、または、前記第3のリソースグループ内の前記第qのリソースが前記コードリソースであり、前記第4のリソースグループ内の前記第kのリソースが前記周波数ドメインリソースである場合、または、前記第3のリソースグループ内の前記第qのリソースが前記周波数ドメインリソースであり、前記第4のリソースグループ内の前記第kのリソースが前記コードリソースである場合、または、前記第3のリソースグループ内の前記第qのリソースが前記時間ドメインリソースであり、前記第4のリソースグループ内の前記第kのリソースが前記コードリソースである場合、
前記第3の対応関係は、前記第3のリソースグループ内の前記第qのリソースと前記第4のリソースグループ内の前記第kのリソースとの間に確立された第3のインデックスであって、無線フレームインデックス、サブフレームインデックス、またはシンボルインデックスのうちの少なくとも1つの第3のインデックスであり、
前記第4のリソースグループ内の前記第kのリソースが前記時間ドメインリソースであり、前記第5のリソースグループ内の前記第jのリソースが前記時間ドメインリソースである場合、または、前記第4のリソースグループ内の前記第kのリソースが前記時間ドメインリソースであり、前記第5のリソースグループ内の前記第jのリソースが前記周波数ドメインリソースである場合、または、前記第4のリソースグループ内の前記第kのリソースが前記周波数ドメインリソースであり、前記第5のリソースグループ内の前記第jのリソースが前記時間ドメインリソースである場合、または、前記第4のリソースグループ内の前記第kのリソースが前記周波数ドメインリソースであり、前記第5のリソースグループ内の前記第jのリソースが前記周波数ドメインリソースである場合、または、前記第4のリソースグループ内の前記第kのリソースが前記コードリソースであり、前記第5のリソースグループ内の前記第jのリソースが前記コードリソースである場合、または、前記第4のリソースグループ内の前記第kのリソースが前記コードリソースであり、前記第5のリソースグループ内の前記第jのリソースが前記時間ドメインリソースである場合、または、前記第4のリソースグループ内の前記第kのリソースがコードリソースであり、前記第5のリソースグループ内の前記第jのリソースが前記周波数ドメインリソースである場合、または、前記第4のリソースグループ内の前記第kのリソースが前記周波数ドメインリソースであり、前記第5のリソースグループ内の前記第jのリソースが前記コードリソースである場合、または、前記第4のリソースグループ内の前記第kのリソースが前記時間ドメインリソースであり、前記第5のリソースグループ内の前記第jのリソースが前記コードリソースである場合、
前記第4の対応関係は、前記第4のリソースグループ内の前記第kのリソースと前記第5のリソースグループ内の前記第jのリソースとの間に確立された第4のインデックスであって、無線フレームインデックス、サブフレームインデックス、またはシンボルインデックスのうちの少なくとも1つの第4のインデックスであり、
前記第5のリソースグループ内の前記第jのリソースが前記時間ドメインリソースであり、前記第6のリソースグループ内の前記第rのリソースが前記時間ドメインリソースである場合、または、前記第5のリソースグループ内の前記第jのリソースが前記時間ドメインリソースであり、前記第6のリソースグループ内の前記第rのリソースが前記周波数ドメインリソースである場合、または、前記第5のリソースグループ内の前記第jのリソースが前記周波数ドメインリソースであり、前記第6のリソースグループ内の前記第rのリソースが前記時間ドメインリソースである場合、または、前記第5のリソースグループ内の前記第jのリソースが前記周波数ドメインリソースであり、前記第6のリソースグループ内の前記第rのリソースが前記周波数ドメインリソースである場合、または、前記第5のリソースグループ内の前記第jのリソースが前記コードリソースであり、前記第6のリソースグループ内の前記第rのリソースが前記コードリソースである場合、または、前記第5のリソースグループ内の前記第jのリソースが前記コードリソースであり、前記第6のリソースグループ内の前記第rのリソースが前記時間ドメインリソースである場合、または、前記第5のリソースグループ内の前記第jのリソースが前記コードリソースであり、前記第6のリソースグループ内の前記第rのリソースが前記周波数ドメインリソースである場合、または、前記第5のリソースグループ内の前記第jのリソースが前記周波数ドメインリソースであり、前記第6のリソースグループ内の前記第rのリソースが前記コードリソースである場合、または、前記第5のリソースグループ内の前記第jのリソースが前記時間ドメインリソースであり、前記第6のリソースグループ内の前記第rのリソースが前記コードリソースである場合、
前記第5の対応関係は、前記第5のリソースグループ内の前記第jのリソースと前記第6のリソースグループ内の前記第rのリソースとの間に確立された第5のインデックスであって、無線フレームインデックス、サブフレームインデックス、またはシンボルインデックスのうちの少なくとも1つの第5のインデックスであり、
前記第6のリソースグループ内の前記第rのリソースが前記時間ドメインリソースであり、前記第7のリソースグループ内の前記第wのリソースが前記時間ドメインリソースである場合、または、前記第6のリソースグループ内の前記第rのリソースが前記時間ドメインリソースであり、前記第7のリソースグループ内の前記第wのリソースが前記周波数ドメインリソースである場合、または、前記第6のリソースグループ内の前記第rのリソースが前記周波数ドメインリソースであり、前記第7のリソースグループ内の前記第wのリソースが前記時間ドメインリソースである場合、または、前記第6のリソースグループ内の前記第rのリソースが前記周波数ドメインリソースであり、前記第7のリソースグループ内の前記第wのリソースが前記周波数ドメインリソースである場合、または、前記第6のリソースグループ内の前記第rのリソースが前記コードリソースであり、前記第7のリソースグループ内の前記第wのリソースが前記コードリソースである場合、または、前記第6のリソースグループ内の前記第rのリソースが前記コードリソースであり、前記第7のリソースグループ内の前記第wのリソースが前記時間ドメインリソースである場合、または、前記第6のリソースグループ内の前記第rのリソースが前記コードリソースであり、前記第7のリソースグループ内の前記第wのリソースが前記周波数ドメインリソースである場合、または、前記第6のリソースグループ内の前記第rのリソースが前記周波数ドメインリソースであり、前記第7のリソースグループ内の前記第wのリソースが前記コードリソースである場合、または、前記第6のリソースグループ内の前記第rのリソースが前記時間ドメインリソースであり、前記第7のリソースグループ内の前記第wのリソースが前記コードリソースである場合、
前記第6の対応関係は、前記第6のリソースグループ内の前記第rのリソースと前記第7のリソースグループ内の前記第wのリソースとの間に確立された第6のインデックスであって、無線フレームインデックス、サブフレームインデックス、またはシンボルインデックスのうちの少なくとも1つの第6のインデックスであり、
前記第7のリソースグループ内の前記第wのリソースが前記時間ドメインリソースであり、前記第8のリソースグループ内の前記第cのリソースが前記時間ドメインリソースである場合、または、前記第7のリソースグループ内の前記第wのリソースが前記時間ドメインリソースであり、前記第8のリソースグループ内の前記第cのリソースが前記周波数ドメインリソースである場合、または、前記第7のリソースグループ内の前記第wのリソースが前記周波数ドメインリソースであり、前記第8のリソースグループ内の前記第cのリソースが前記時間ドメインリソースである場合、または、前記第7のリソースグループ内の前記第wのリソースが前記周波数ドメインリソースであり、前記第8のリソースグループ内の前記第cのリソースが前記周波数ドメインリソースである場合、または、前記第7のリソースグループ内の前記第wのリソースが前記コードリソースであり、前記第8のリソースグループ内の前記第cのリソースが前記コードリソースである場合、または、前記第7のリソースグループ内の前記第wのリソースが前記コードリソースであり、前記第8のリソースグループ内の前記第cのリソースが前記時間ドメインリソースである場合、または、前記第7のリソースグループ内の前記第wのリソースが前記コードリソースであり、前記第8のリソースグループ内の前記第cのリソースが前記周波数ドメインリソースである場合、または、前記第7のリソースグループ内の前記第wのリソースが前記周波数ドメインリソースであり、前記第8のリソースグループ内の前記第cのリソースが前記コードリソースである場合、または、前記第7のリソースグループ内の前記第wのリソースが前記時間ドメインリソースであり、前記第8のリソースグループ内の前記第cのリソースが前記コードリソースである場合、
前記第7の対応関係は、前記第7のリソースグループ内の前記第wのリソースと前記第8のリソースグループ内の前記第cのリソースとの間に確立された第7のインデックスであって、無線フレームインデックス、サブフレームインデックス、またはシンボルインデックスのうちの少なくとも1つの第7のインデックスであり、
前記第8のリソースグループ内の前記第cのリソースが前記時間ドメインリソースであり、前記第9のリソースグループ内の前記第sのリソースが前記時間ドメインリソースである場合、または、前記第8のリソースグループ内の前記第cのリソースが前記時間ドメインリソースであり、前記第9のリソースグループ内の前記第sのリソースが前記周波数ドメインリソースである場合、または、前記第8のリソースグループ内の前記第cのリソースが前記周波数ドメインリソースであり、前記第9のリソースグループ内の前記第sのリソースが前記時間ドメインリソースである場合、または、前記第8のリソースグループ内の前記第cのリソースが前記周波数ドメインリソースであり、前記第9のリソースグループ内の前記第sのリソースが前記周波数ドメインリソースである場合、または、前記第8のリソースグループ内の前記第cのリソースが前記コードリソースであり、前記第9のリソースグループ内の前記第sのリソースが前記コードリソースである場合、または、前記第8のリソースグループ内の前記第cのリソースが前記コードリソースであり、前記第9のリソースグループ内の前記第sのリソースが前記時間ドメインリソースである場合、または、前記第8のリソースグループ内の前記第cのリソースが前記コードリソースであり、前記第9のリソースグループ内の前記第sのリソースが前記周波数ドメインリソースである場合、または、前記第8のリソースグループ内の前記第cのリソースが前記周波数ドメインリソースであり、前記第9のリソースグループ内の前記第sのリソースが前記コードリソースである場合、または、前記第8のリソースグループ内の前記第cのリソースが前記時間ドメインリソースであり、前記第9のリソースグループ内の前記第sのリソースが前記コードリソースである場合、
前記第8の対応関係は、前記第8のリソースグループ内の前記第cのリソースと前記第9のリソースグループ内の第前記sのリソースとの間に確立された第8のインデックスであって、無線フレームインデックス、サブフレームインデックス、またはシンボルインデックスのうちの少なくとも1つの第8のインデックスである、請求項61に記載の装置。
【請求項６３】
請求項1〜38のいずれか一項に記載の少なくとも1つのネットワーク装置と、請求項39〜62のいずれか一項に記載の少なくとも1つのネットワーク装置とを備える、信号伝送システム。
【請求項６４】
第1のリソースグループ内の第1のネットワーク装置により、第2のネットワーク装置によって送信された第1の信号を検出するステップであって、前記第1のリソースグループはN個のリソースを備え、Nは1より大きい正の整数であり、前記第1のリソースグループの各リソースは1つの第1の信号に対応する、ステップと、
前記第1のネットワーク装置により、前記第1のリソースグループ内の第nのリソースおよび第1の対応関係に従って前記第2のリソースグループ内の第mのリソースを決定するステップとを備えた信号伝送方法であって、前記第2のリソースグループは、M個のリソースを備え、Mは1より大きい正の整数であり、前記第2のリソースグループ内の前記第mのリソースは、前記第2のリソースグループ内の少なくとも2つの候補リソースのうちの1つであり、前記第1のリソースグループ内の前記第nのリソースは、前記第2のリソースグループ内の少なくとも2つの候補リソースのそれぞれと前記第1の対応関係を有し、mの値域は0＜m≦Mであり、nの値域は0＜n≦Nである、信号伝送方法。
【請求項６５】
前記第1のネットワーク装置によって、前記第1のリソースグループ内の第nのリソースおよび第1の対応関係に従って前記第2のリソースグループ内の第mのリソースを決定するステップの前に、
前記第1のネットワーク装置によって、第1のルールに従って前記第1のリソースグループ内の前記第nのリソースを決定するステップをさらに備える、請求項64に記載の方法。
【請求項６６】
前記第1のネットワーク装置によって、前記第1のリソースグループ内の前記第nのリソースを第1のルールに従って決定する前記ステップは、
前記第1のネットワーク装置によって、前記第1の信号のエネルギーが前記第1のリソースグループ内において最も強い、検出されたリソースを、前記第1のリソースグループ内の前記第nのリソースとして使用するステップ、または、
前記第1のネットワーク装置によって、前記第1の信号のエネルギーが前記第1のリソースグループ内において、第1の予め設定された閾値よりも大きい第1のリソースを、前記第1のリソースグループ内の前記第nのリソースとして使用するステップ、または
前記第1のネットワーク装置によって前記第1の信号の基準信号受信品質RSRQが、前記第1のリソースグループ内において、第2の予め設定された閾値よりも大きい第1のリソースを、前記第1のリソースグループ内の前記第nのリソースとして使用するステップ、または、
前記第1のネットワーク装置によって、前記第1のリソースグループ内において巡回冗長コードCRCを前記第1のリソースグループ内の前記第nのリソースとして使用して、第1の信号が正しくチェックされたリソースを使用するステップを備える、請求項65に記載の方法。
【請求項６７】
前記第1のネットワーク装置によって、前記第1のリソースグループ内の第nのリソースおよび第1の対応関係に従って前記第2のリソースグループ内の第mのリソースを決定する前記ステップの後、
前記第1のネットワーク装置によって、前記第2のリソースグループ内の前記第mのリソース上で、前記第2のネットワーク装置によって送信される第2の信号を検出するステップであって、前記第2のリソースグループの各リソースは1つの第2の信号に対応する、ステップと、
前記第1のネットワーク装置によって、前記第2のリソースグループ内の前記第mのリソースおよび第2の対応関係に従って第3のリソースグループ内の第qのリソースを決定するステップとを備えた方法であって、前記第3のリソースグループは、Q個のリソースを備え、Qは1より大きい正の整数であり、前記第3のリソースグループ内の前記第qのリソースは、前記第3のリソースグループ内の少なくとも2つの候補リソースのうちの1つであり、前記第2のリソースグループ内の前記第mのリソースは、前記第3のリソースグループ内の少なくとも2つの候補リソースのそれぞれと前記第2の対応関係を有し、qの値域は、0＜q≦Qである、請求項64〜66のいずれか一項に記載の方法。
【請求項６８】
前記第1のネットワーク装置によって、前記第2のリソースグループ内の前記第mのリソースおよび第2の対応関係に従って第3のリソースグループ内の第qのリソースを決定するステップの前に、
前記第1のネットワーク装置によって、第2のルールに従って前記第2のリソースグループ内の前記第mのリソースを決定するステップをさらに備えた、請求項67に記載の方法。
【請求項６９】
前記第1のネットワーク装置によって、前記第2のリソースグループ内の前記第mのリソースを第2のルールに従って決定する前記ステップは、
前記第1のネットワーク装置によって、前記第2の信号のエネルギーが前記第2のリソースグループ内において最も強い、検出されたリソースを、前記第2のリソースグループ内の前記第mのリソースとして使用するステップ、または、
前記第1のネットワーク装置によって、前記第2の信号のエネルギーが前記第2のリソースグループ内において、第3の予め設定された閾値よりも大きい第1のリソースを、前記第2のリソースグループ内の前記第mのリソースとして使用するステップ、または、
前記第1のネットワーク装置によって、前記第2の信号の基準信号受信品質RSRQが、前記第2のリソースグループ内において、第4の予め設定された閾値よりも大きい第1のリソースを、前記第2のリソースグループ内の前記第mのリソースとして使用するステップ、または、
前記第1のネットワーク装置によって、前記第2のリソースグループ内において巡回冗長コードCRCを前記第2のリソースグループ内の前記第mのリソースとして使用して前記第2の信号が正しくチェックされたリソースを使用するステップを備える、請求項68に記載の方法。
【請求項７０】
前記第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
前記第1の信号が前記同期チャネルである場合、前記第2の信号は、前記測定パイロット信号、前記ブロードキャストチャネル、前記システムメッセージ、前記ランダムアクセス応答チャネル、前記RRC要求確認メッセージ、または前記ダウンリンクデータチャネルの少なくとも1つであり、
前記第1の信号が前記測定パイロット信号である場合、前記第2の信号は、前記ブロードキャストチャネル、前記システムメッセージ、前記ランダムアクセス応答チャネル、前記RRC要求確認メッセージ、または前記ダウンリンクデータチャネルのうちの少なくとも1つであり、
前記第1の信号が前記ブロードキャストチャネルである場合、前記第2の信号は、前記システムメッセージ、前記ランダムアクセス応答チャネル、前記RRC要求確認メッセージ、または前記ダウンリンクデータチャネルのうちの少なくとも1つであり、
前記第1の信号が前記システムメッセージである場合、前記第2の信号は、前記ランダムアクセス応答チャネル、前記RRC要求確認メッセージ、または前記ダウンリンクデータチャネルのうちの少なくとも1つであり、
前記第1の信号が前記ランダムアクセス応答チャネルである場合、前記第2の信号は、前記RRC要求確認応答メッセージまたは前記ダウンリンクデータチャネルのうちの少なくとも1つであり、または
前記第1の信号が前記RRC要求確認メッセージである場合、前記第2の信号はダウンリンクデータチャネルである、請求項67〜69のいずれか一項に記載の方法。
【請求項７１】
前記第1のネットワーク装置によって、前記第2のリソースグループ内の前記第mのリソースおよび前記第2の対応関係に従って第3のリソースグループ内の第qのリソースを決定する前記ステップの後、
前記第1のネットワーク装置によって、前記第3のリソースグループ内の前記第qのリソース上で、前記第2のネットワーク装置によって送信される第3の信号を検出するステップであって、前記第3のリソースグループの各リソースは1つの第3の信号に対応する、ステップと、
前記第1のネットワーク装置によって、前記第3のリソースグループ内の前記第qのリソースおよび第3の対応関係に従って第4のリソースグループ内の第kのリソースを決定するステップとを備える方法であって、前記第4のリソースグループは、K個のリソースを備え、Kは1より大きい正の整数であり、前記第4のリソースグループ内の第kのリソースは、前記第4のリソースグループ内の少なくとも2つの候補リソースのうちの1つであり、前記第3のリソースグループ内の前記第qのリソースは、前記第4のリソースグループ内の少なくとも2つの候補リソースのそれぞれと前記第3の対応関係を有し、kの値域は、0＜k≦Kである、請求項67〜69のいずれか一項に記載の方法。
【請求項７２】
前記第1のネットワーク装置によって、前記第3のリソースグループ内の前記第qのリソースおよび第3の対応関係に従って第4のリソースグループ内の第kのリソースを決定する前記ステップの前に、
前記第1のネットワーク装置によって、第3のルールに従って前記第3のリソースグループ内の前記第qのリソースを決定するステップをさらに備えた、請求項71に記載の方法。
【請求項７３】
前記第1のネットワーク装置によって、前記第3のリソースグループ内の前記第qのリソースを第3のルールに従って決定する前記ステップは、
前記第1のネットワーク装置によって、前記第3の信号のエネルギーが前記第3のリソースグループ内において最も強い、検出されたリソースを、前記第3のリソースグループ内の前記第qのリソースとして使用するステップ、または、
前記第1のネットワーク装置によって、前記第3の信号のエネルギーが前記第3のリソースグループ内において、第5の予め設定された閾値よりも大きい第1のリソースを、前記第3のリソースグループ内の前記第qのリソースとして使用するステップ、または、
前記第1のネットワーク装置によって、前記第3の信号の基準信号受信品質RSRQが、前記第3のリソースグループ内において、第6の予め設定された閾値よりも大きい第1のリソースを、前記第3のリソースグループ内の前記第qのリソースとして使用するステップ、または、
前記第1のネットワーク装置によって、前記第3のリソースグループ内において巡回冗長コードCRCを前記第3のリソースグループ内の前記第qのリソースとして使用して前記第3の信号が正しくチェックされたリソースを使用するステップを備えた、請求項72に記載の方法。
【請求項７４】
前記第3の信号はブロードキャストチャネルである、請求項71から73のいずれか一項に記載の方法。
【請求項７５】
前記第1のネットワーク装置によって、第3の対応関係に従って第4のリソースグループ内の第kのリソースを決定する前記ステップの後、
前記第1のネットワーク装置によって、前記第4のリソースグループ内の前記第kのリソース上の前記第4の信号を検出するステップであって、前記第4のリソースグループの各リソースは1つの第4の信号に対応する、ステップと、
前記第1のネットワーク装置によって、第5のリソースグループ内の第jのリソースおよび第4の対応関係に従って第5のリソースグループ内の第jのリソースを決定するステップとを備えた方法であって、前記第5のリソースグループは、J個のリソースを備え、Jは1より大きい正の整数であり、前記第5のリソースグループ内の前記第jのリソースは、前記第5のリソースグループ内の少なくとも2つの候補リソースのうちの1つであり、前記第4のリソースグループ内の前記第kのリソースは、前記第5のリソースグループ内の少なくとも2つの候補リソースのそれぞれと前記第4の対応関係を有し、jの値域は、0＜j≦Jである、請求項71〜74のいずれか一項に記載の方法。
【請求項７６】
前記第1のネットワーク装置によって、前記第4のリソースグループ内の前記第kのリソースおよび第4の対応関係に従って第5のリソースグループ内の第jのリソースを決定する前記ステップの前に、
前記第1のネットワーク装置によって、第4のルールに従って前記第4のリソースグループ内の前記第kのリソースを決定するステップをさらに備えた、請求項75に記載の方法。
【請求項７７】
前記第1のネットワーク装置によって、前記第4のリソースグループ内の前記第kのリソースを第4のルールに従って決定する前記ステップは、
前記第1のネットワーク装置によって、前記第4の信号のエネルギーが第4のリソースグループ内において最も強い、検出されたリソースを、前記第4のリソースグループ内の前記第kのリソースとして使用するステップ、または、
前記第1のネットワーク装置によって、前記第4の信号のエネルギーが前記第4のリソースグループ内において、第7の予め設定された閾値よりも大きい第1のリソースを、前記第4のリソースグループ内の前記第kのリソースとして使用するステップ、または、
前記第1のネットワーク装置によって、前記第4の信号の基準信号受信品質RSRQが、前記第4のリソースグループ内において、第8の予め設定された閾値よりも大きい第1のリソースを、前記第4のリソースグループ内の前記第kのリソースとして使用するステップ、または、
前記第1のネットワーク装置によって、前記第4のリソースグループ内において巡回冗長コードCRCを前記第4のリソースグループ内の前記第kのリソースとして使用して、第4の信号が正しくチェックされたリソースを使用するステップと備えた、請求項76に記載の方法。
【請求項７８】
前記第4の信号はシステムメッセージである、請求項76または77に記載の方法。
【請求項７９】
前記第1のネットワーク装置によって、前記第4のリソースグループ内の前記第kのリソースおよび第4の対応関係に従って第5のリソースグループ内の第jのリソースを決定する前記ステップの後、
前記第1のネットワーク装置によって、前記第5のリソースグループ内の前記第jのリソース上の第5の信号を送信するステップをさらに備える方法であって、
前記第5のリソースグループ内の前記第jのリソースは、前記第6のリソースグループ内の少なくとも2つの候補リソースのそれぞれと第5の対応関係を有し、前記第6のリソースグループ内の第rのリソースは、前記第6のリソースグループ内の少なくとも2つの候補リソースのうちの1つであり、前記第6のリソースグループはR個のリソースを備え、Rは1より大きい正の整数であり、rの値域は0＜r≦Rである、請求項75〜78のいずれか一項に記載の方法。
【請求項８０】
前記第5の信号は、ランダムアクセスチャネルである、請求項79に記載の方法。
【請求項８１】
前記第1のネットワーク装置によって、前記第5のリソースグループ内の前記第jのリソース上の第5の信号を送信する前記ステップの後、
前記第1のネットワーク装置によって、前記第6のリソースグループ内の前記第rのリソース上の第6の信号を検出するステップであって、前記第6のリソースグループの各リソースは1つの第6の信号に対応する、ステップと、
前記第1のネットワーク装置によって、前記第6のリソースグループ内の前記第rのリソースおよび第6の対応関係に従って第7のリソースグループ内の第wのリソースを決定するステップとを備えた方法であって、前記第7のリソースグループは、W個のリソースを備え、Wは1より大きい正の整数であり、前記第7のリソースグループ内の前記第wのリソースは、前記第7のリソースグループ内の少なくとも2つの候補リソースのうちの1つであり、前記第6のリソースグループ内の前記第rのリソースは、前記第7のリソースグループ内の少なくとも2つの候補リソースのそれぞれと前記第6の対応関係を有し、wの値域は、0＜w≦Wである、請求項79または80に記載の方法。
【請求項８２】
前記第1のネットワーク装置によって、前記第6のリソースグループ内の前記第rのリソースおよび第6の対応関係に従って第7のリソースグループ内の第wのリソースを決定するステップの前に、
前記第1のネットワーク装置によって、第6のルールに従って前記第6のリソースグループ内の前記第rのリソースを決定するステップをさらに備えた、請求項81に記載の方法。
【請求項８３】
前記第1のネットワーク装置によって、前記第6のリソースグループ内の前記第rのリソースを第6のルールに従って決定する前記ステップは、
前記第1のネットワーク装置によって、第6の信号のエネルギーが第6のリソースグループ内において最も強い、検出されたリソースを、前記第6のリソースグループ内の前記第rのリソースとして使用するステップ、または、
前記第1のネットワーク装置によって、前記第6の信号のエネルギーが前記第6のリソースグループ内において、第9の予め設定された閾値よりも大きい第1のリソースを、前記第6のリソースグループ内の前記第rのリソースとして使用するステップ、または、
前記第1のネットワーク装置によって、前記第6の信号の基準信号受信品質RSRQが、前記第6のリソースグループ内において、第10の予め設定された閾値よりも大きい第1のリソースを、前記第6のリソースグループ内の前記第rのリソースとして使用するステップ、または、
前記第1のネットワーク装置によって、前記第6のリソースグループ内において巡回冗長コードCRCを前記第6のリソースグループ内の第kのリソースとして使用して、前記第6の信号が正しくチェックされたリソースを使用するステップを備えた、請求項82に記載の方法。
【請求項８４】
前記第6の信号は、ランダムアクセス応答チャネルである、請求項81から83のいずれか一項に記載の方法。
【請求項８５】
前記第1のネットワーク装置によって、前記第6のリソースグループ内の前記第rのリソース上の第6の信号を検出する前記ステップの後、
前記第7のリソースグループ内の前記第wのリソース上の第7の信号を送信するステップをさらに備えた方法であって、
前記第7のリソースグループ内の前記第wのリソースは、第8のリソースグループ内の少なくとも2つの候補リソースのそれぞれと第7の対応関係を有し、前記第8のリソースグループ内の第cのリソースは、前記第8のリソースグループ内の少なくとも2つの候補リソースのうちの1つであり、前記第8のリソースグループはC個のリソースを備え、Cは1より大きい正の整数であり、cの値域は0＜c≦Cである、請求項81〜84のいずれか一項に記載の方法。
【請求項８６】
前記第7の信号は、RRC要求メッセージである、請求項85に記載の方法。
【請求項８７】
前記第1のネットワーク装置によって前記第7のリソースグループ内の前記第wのリソース上で第7の信号を送信する前記ステップの後、
前記第1のネットワーク装置によって、前記第8のリソースグループ内の前記第cのリソース上の第8の信号を検出するステップであって、前記第8のリソースグループの各リソースは1つの第8の信号に対応する、ステップと、
前記第8のリソースグループ内の前記第cのリソースおよび第8の対応関係に従って第9のリソースグループ内の第sのリソースを決定するステップを備え、前記第9のリソースグループは、S個のリソースを備え、Sは1より大きい正の整数であり、前記第9のリソースグループ内の第sのリソースは、前記第9のリソースグループ内の少なくとも2つの候補リソースのうちの1つであり、前記第8のリソースグループ内の前記第cのリソースは、前記第9のリソースグループ内の少なくとも2つの候補リソースのそれぞれと前記第8の対応関係を有し、sの値域は、0＜s≦Sである、請求項85または86に記載の方法。
【請求項８８】
前記第1のネットワーク装置によって、前記第8のリソースグループ内の前記第cのリソースおよび第8の対応関係に従って第9のリソースグループ内の第sのリソースを決定するステップの前に、
前記第1のネットワーク装置によって、第7のルールに従って前記第8のリソースグループ内の前記第cのリソースを決定するステップをさらに備えた、請求項87に記載の方法。
【請求項８９】
前記第1のネットワーク装置によって、前記第8のリソースグループ内の前記第cのリソースを第7のルールに従って決定する前記ステップは、
前記第1のネットワーク装置によって、前記第8の信号のエネルギーが前記第8のリソースグループ内において最も強い、検出されたリソースを、前記第8のリソースグループ内の前記第cのリソースとして使用するステップ、または、
前記第1のネットワーク装置によって、前記第8の信号のエネルギーが前記第8のリソースグループ内において、前記第9の予め設定された閾値よりも大きい第1のリソースを、前記第8のリソースグループ内の前記第cのリソースとして使用するステップ、または、
前記第1のネットワーク装置によって、第8の信号の基準信号受信品質RSRQが、前記第8のリソースグループ内において、前記第10の予め設定された閾値よりも大きい第1のリソースを、前記第8のリソースグループ内の前記第cのリソースとして使用するステップ、または、
前記第1のネットワーク装置によって、前記第8のリソースグループ内において巡回冗長コードCRCを前記第8のリソースグループ内の前記第cのリソースとして使用して、前記第8の信号が正しくチェックされたリソースを使用するステップを備えた、請求項88に記載の方法。
【請求項９０】
前記第8の信号は、RRC要求確認メッセージである、請求項87〜89のいずれか一項に記載の方法。
【請求項９１】
前記第1のネットワーク装置によって、前記第8のリソースグループ内の前記第cのリソース上の第8の信号を検出する前記ステップの後、
前記第1のネットワーク装置によって、前記第9のリソースグループ内の前記第sのリソース上の第9の信号または第10の信号を送信または検出するステップを備えた方法であって、
前記第9のリソースグループの各リソースは、1つの第10の信号に対応する、請求項87〜90に記載の方法。
【請求項９２】
前記第1のネットワーク装置が前記第9のリソースグループ内の前記第sのリソース上の前記第10の信号を検出した場合、前記第1のネットワーク装置によって、前記第9のリソースグループ内の前記第sのリソース上の第10の信号を検出する前に、
前記第1のネットワーク装置によって、第8のルールに従って、前記第9のリソースグループ内の前記第sのリソースを決定するステップをさらに備えた、請求項91に記載の方法。
【請求項９３】
前記第1のネットワーク装置によって、前記第9のリソースグループ内の前記第sのリソースを第8のルールに従って決定する前記ステップは、
前記第1のネットワーク装置によって、前記第9の信号のエネルギーが前記第9のリソースグループ内において最も強い、検出されたリソースを、前記第9のリソースグループ内の前記第sのリソースとして使用するステップ、または、
前記第1のネットワーク装置によって、前記第9の信号のエネルギーが前記第9のリソースグループ内において、第11の予め設定された閾値よりも大きい第1のリソースを、前記第9のリソースグループ内の前記第sのリソースとして使用するステップ、または、  前記第1のネットワーク装置によって、前記第9の信号の基準信号受信品質RSRQが、前記第9のリソースグループ内において、第12の予め設定された閾値よりも大きい第1のリソースを、前記第9のリソースグループ内の前記第sのリソースとして使用するステップ、または、
前記第1のネットワーク装置によって、前記第9のリソースグループ内において巡回冗長コードCRCを前記第9のリソースグループ内の前記第sのリソースとして使用して、前記第9の信号が正しくチェックされたリソースを使用するステップを備えた、請求項92に記載の方法。
【請求項９４】
前記第9の信号は、アップリンクデータチャネルであり、前記第10の信号は、ダウンリンクデータチャネルである、請求項91〜93のいずれか一項に記載の方法。
【請求項９５】
前記第1のネットワーク装置によって、前記第2のリソースグループ内の第mのリソースを第1の対応関係に従って決定する前記ステップの後、
前記第1のネットワーク装置によって、前記第2のリソースグループ内の前記第mのリソース上の第11の信号を送信するステップをさらに備えた、請求項64に記載の方法。
【請求項９６】
前記第1の信号は、システムメッセージ、ランダムアクセス応答チャネル、またはRRC要求確認メッセージのうちの少なくとも1つであり、
前記第1の信号が前記システムメッセージである場合、前記第2の信号は、ランダムアクセスチャネル、RRC要求メッセージ、またはアップリンクデータチャネルのうちの少なくとも1つであり、
前記第1の信号が前記ランダムアクセス応答チャネルである場合、前記第2の信号は、前記RRC要求メッセージまたは前記アップリンクデータチャネルのうちの少なくとも1つであり、または、
前記第1の信号が前記RRC要求確認メッセージである場合、前記第2の信号は前記アップリンクデータチャネルである、請求項95に記載の方法。
【請求項９７】
前記第1のリソースグループ内の前記N個のリソースは、時間ドメインリソース、周波数ドメインリソース、コードリソース、スペースリソース、または電力リソースのうちのいずれか1つのタイプのリソースであり、
前記第2のリソースグループ内の前記M個のリソースは、前記時間ドメインリソース、前記周波数ドメインリソース、前記コードリソース、前記スペースリソース、または前記電力リソースのうちのいずれか1つのタイプのリソースであり、
前記第3のリソースグループ内の前記Q個のリソースは、前記時間ドメインリソース、前記周波数ドメインリソース、前記コードリソース、前記スペースリソース、または前記電力リソースのいずれかのタイプのリソースであり、
前記第4のリソースグループ内の前記K個のリソースは、前記時間ドメインリソース、前記周波数ドメインリソース、前記コードリソース、前記スペースリソース、または前記電力リソースのうちのいずれか1つのタイプのリソースであり、
前記第5のリソースグループ内の前記J個のリソースは、前記時間ドメインリソース、前記周波数ドメインリソース、前記コードリソース、前記スペースリソース、または前記電力リソースのうちのいずれかのタイプのリソースであり、
前記第6のリソースグループ内の前記R個のリソースは、前記時間ドメインリソース、前記周波数ドメインリソース、前記コードリソース、前記スペースリソース、または前記電力リソースのうちのいずれか1つのタイプのリソースであり、
前記第7のリソースグループ内の前記W個のリソースは、前記時間ドメインリソース、前記周波数ドメインリソース、前記コードリソース、前記スペースリソース、または前記電力リソースのいずれかのタイプのリソースであり、
前記第8のリソースグループ内の前記C個のリソースは、前記時間ドメインリソース、前記周波数ドメインリソース、前記コードリソース、前記スペースリソース、または前記電力リソースのいずれかのタイプのリソースであり、または、
前記第9のリソースグループ内の前記S個のリソースは、前記時間ドメインリソース、前記周波数ドメインリソース、前記コードリソース、前記スペースリソース、または前記電力リソースのいずれかのタイプのリソースである、請求項64〜96のいずれか一項に記載の方法。
【請求項９８】
前記第1のリソースグループ内の前記第nのリソースが前記時間ドメインリソースであり、前記第2のリソースグループ内の前記第mのリソースが前記時間ドメインリソースである場合、以下の式の
m＝n＋x1が満たされ、
x1は第1のオフセットであり、x1は0以上であり、
前記第3のリソースグループ内の前記第qのリソースが前記時間ドメインリソースである場合、以下の式の
q＝m＋x2が満たされ、
x2は第2のオフセットであり、x2は0以上であり、
前記第4のリソースグループ内の前記第kのリソースが前記時間ドメインリソースである場合、以下の式の
k＝q＋x3が満たされ、
x3は第3のオフセットであり、x3は0以上であり、
前記第5のリソースグループ内の前記第jのリソースが前記時間ドメインリソースである場合、以下の式の
j＝k＋x4が満たされ、
x4は第4のオフセットであり、x4は0以上であり、
前記第6のリソースグループ内の前記第rのリソースが前記時間ドメインリソースである場合、以下の式の
r＝j＋x5が満たされ、
x5は第5のオフセットであり、x5は0以上であり、
前記第7のリソースグループ内の前記第wのリソースが前記時間ドメインリソースの場合、以下の式の
w＝r＋x6が満たされ、
x6は第6のオフセットであり、x6は0以上であり、
前記第8のリソースグループ内の前記第cのリソースが前記時間ドメインリソースである場合、以下の式の
c＝w＋x7が満たされ、
x7は第7のオフセットであり、x7は0以上であり、または、
前記第9のリソースグループ内の前記第sのリソースが前記時間ドメインリソースである場合、以下の式の
s＝c＋x8が満たされ、
x8は第8のオフセットであり、x8は0以上である、請求項97に記載の方法。
【請求項９９】
前記シーケンスリソースは、信号送信シーケンス、信号によって使用される拡散コード、信号によって使用されるスクランブリングコード、または巡回冗長コードCRC処理の間に追加されるマスクのうちのいずれか1つを備える、請求項97または98に記載の方法。
【請求項１００】
前記スペースリソースは、前記第2のネットワーク装置が信号を送信するときに使用される少なくとも1つのビーム、または前記第1のネットワーク装置が信号を送信するときに使用される少なくとも1つのビームを示し、
前記第1のリソースグループ内の前記第nのリソースが前記スペースリソースである場合、前記第1の対応関係は、前記第1のリソースグループ内の前記第nのリソースに対応するビームの識別子と前記第2のリソースグループ内の前記第mのリソースとの対応関係であり、
前記第2のリソースグループ内の前記第mのリソースが前記スペースリソースである場合、前記第2の対応関係は、前記第2のリソースグループ内の前記第mのリソースに対応するビームの識別子と前記第3のリソースグループ内の前記第qのリソースとの対応関係であり、
前記第3のリソースグループ内の前記第qのリソースが前記スペースリソースである場合、前記第3の対応関係は、前記第3のリソースグループ内の前記第qのリソースに対応するビームの識別子と前記第4のリソースグループ内の前記第kのリソースとの対応関係であり、
前記第4のリソースグループ内の前記第kのリソースが前記スペースリソースである場合、前記第4の対応関係は、前記第4のリソースグループ内の前記第kのリソースに対応するビームの識別子と前記第5のリソースグループ内の前記第jのリソースとの対応関係であり、
前記第5のリソースグループ内の前記第jのリソースが前記スペースリソースである場合、前記第5の対応関係は、前記第5のリソースグループ内の前記第jのリソースに対応するビームの識別子と前記第6のリソースグループ内の前記第rのリソースとの対応関係であり、
前記第6のリソースグループ内の前記第rのリソースが前記スペースリソースである場合、前記第6の対応関係は、前記第6のリソースグループ内の前記第rのリソースに対応するビームの識別子と前記第7のリソースグループ内の前記第wのリソースとの対応関係であり、
前記第7のリソースグループ内の前記第wのリソースが前記スペースリソースである場合、前記第7の対応関係は、前記第7のリソースグループ内の前記第wのリソースに対応するビームの識別子と前記第8のリソースグループ内の前記第cのリソースとの対応関係であり、
前記第8のリソースグループ内の前記第cのリソースが前記スペースリソースである場合、前記第7の対応関係は前記第8のリソースグループ内の前記第cのリソースに対応するビームの識別子と前記第9のリソースグループ内の前記第sのリソースとの対応関係である、請求項97に記載の方法。
【請求項１０１】
前記第1のリソースグループ内の前記第nのリソースが前記時間ドメインリソースであり、前記第2のリソースグループ内の前記第mのリソースが前記時間ドメインリソースである場合、または、前記第1のリソースグループ内の前記第nのリソースが前記時間ドメインリソースであり、前記第2のリソースグループ内の前記第mのリソースが前記周波数ドメインリソースである場合、または、前記第1のリソースグループ内の前記第nのリソースが前記周波数ドメインリソースであり、前記第2のリソースグループ内の前記第mのリソースが前記時間ドメインリソースである場合、または、前記第1のリソースグループ内の前記第nのリソースが前記周波数ドメインリソースであり、前記第2のリソースグループ内の前記第mのリソースが前記周波数ドメインリソースである場合、または、前記第1のリソースグループ内の前記第nのリソースが前記コードリソースであり、前記第2のリソースグループ内の前記第mのリソースが前記コードリソースである場合、または、前記第1のリソースグループ内の前記第nのリソースが前記コードリソースであり、前記第2のリソースグループ内の前記第mのリソースが前記時間ドメインリソースである場合、または、前記第1のリソースグループ内の前記第nのリソースが前記コードリソースであり、前記第2のリソースグループ内の前記第mのリソースが前記周波数ドメインリソースである場合、または、前記第1のリソースグループ内の前記第nのリソースが前記周波数ドメインリソースであり、前記第2のリソースグループ内の前記第mのリソースが前記コードリソースである場合、または、前記第1のリソースグループ内の前記第nのリソースが前記時間ドメインリソースであり、前記第2のリソースグループ内の前記第mのリソースが前記コードリソースである場合、  前記第1の対応関係は、前記第1のリソースグループ内の前記第nのリソースと前記第2のリソースグループ内の前記第mのリソースとの間に確立された第1のインデックスであって、無線フレームインデックス、サブフレームインデックス、またはシンボルインデックスのうちの少なくとも1つの第1のインデックスであり、
前記第2のリソースグループ内の前記第mのリソースが前記時間ドメインリソースであり、前記第3のリソースグループ内の前記第qのリソースが前記時間ドメインリソースである場合、または、前記第2のリソースグループ内の前記第mのリソースが前記時間ドメインリソースであり、前記第3のリソースグループ内の前記第qのリソースが前記周波数ドメインリソースである場合、または、前記第2のリソースグループ内の前記第mのリソースが前記周波数ドメインリソースであり、前記第3のリソースグループ内の前記第qのリソースが前記時間ドメインリソースである場合、または、前記第2のリソースグループ内の前記第mのリソースが前記周波数ドメインリソースであり、前記第3のリソースグループ内の前記第qのリソースが前記周波数ドメインリソースである場合、または、前記第2のリソースグループ内の前記第mのリソースが前記コードリソースであり、前記第3のリソースグループ内の前記第qのリソースが前記コードリソースである場合、または、前記第2のリソースグループ内の前記第mのリソースが前記コードリソースであり前記第3のリソースグループ内の前記第qのリソースが前記時間ドメインリソースである場合、または、前記第2のリソースグループ内の前記第mのリソースが前記コードリソースであり、前記第3のリソースグループ内の前記第qのリソースが前記周波数ドメインリソースである場合、または、前記第2のリソースグループ内の前記第mのリソースが前記周波数ドメインリソースであり、前記第3のリソースグループ内の前記第qのリソースが前記コードリソースである場合、または、前記第2のリソースグループ内の前記第mのリソースが前記時間ドメインリソースであり、前記第3のリソースグループ内の前記第qのリソースが前記コードリソースである場合、
前記第2の対応関係は、前記第2のリソースグループ内の前記第mのリソースと前記第3のリソースグループ内の前記第qのリソースとの間に確立された第2のインデックスであって、無線フレームインデックス、サブフレームインデックス、またはシンボルインデックスのうちの少なくとも1つの第2のインデックスであり、
前記第3のリソースグループ内の前記第qのリソースが前記時間ドメインリソースであり、前記第4のリソースグループ内の前記第kのリソースが前記時間ドメインリソースである場合、または、前記第3のリソースグループ内の前記第qのリソースが前記時間ドメインリソースであり、前記第4のリソースグループ内の前記第kのリソースが前記周波数ドメインリソースである場合、または、前記第3のリソースグループ内の前記第qのリソースが前記周波数ドメインリソースであり、前記第4のリソースグループ内の前記第kのリソースが前記時間ドメインリソースである場合、または、前記第3のリソースグループ内の前記第qのリソースが前記周波数ドメインリソースであり、前記第4のリソースグループ内の前記第kのリソースが前記周波数ドメインリソースである場合、または、前記第3のリソースグループ内の前記第qのリソースが前記コードリソースであり、前記第4のリソースグループ内の前記第kのリソースが前記コードリソースである場合、または、前記第3のリソースグループ内の前記第qのリソースが前記コードリソースであり、前記第4のリソースグループ内の前記第kのリソースが前記時間ドメインリソースである場合、または、前記第3のリソースグループ内の前記第qのリソースが前記コードリソースであり、前記第4のリソースグループ内の前記第kのリソースが前記周波数ドメインリソースである場合、または、前記第3のリソースグループ内の前記第qのリソースが前記周波数ドメインリソースであり、前記第4のリソースグループ内の前記第kのリソースが前記コードリソースである場合、または、前記第3のリソースグループ内の前記第qのリソースが前記時間ドメインリソースであり、前記第4のリソースグループ内の前記第kのリソースが前記コードリソースである場合、
前記第3の対応関係は、前記第3のリソースグループ内の前記第qのリソースと前記第4のリソースグループ内の前記第kのリソースとの間に確立された第3のインデックスであって、無線フレームインデックス、サブフレームインデックス、またはシンボルインデックスのうちの少なくとも1つの第3のインデックスであり、  前記第4のリソースグループ内の前記第kのリソースが前記時間ドメインリソースであり、前記第5のリソースグループ内の前記第jのリソースが前記時間ドメインリソースである場合、または、前記第4のリソースグループ内の前記第kのリソースが前記時間ドメインリソースであり、前記第5のリソースグループ内の前記第jのリソースが前記周波数ドメインリソースである場合、または、前記第4のリソースグループ内の前記第kのリソースが前記周波数ドメインリソースであり、前記第5のリソースグループ内の前記第jのリソースが前記時間ドメインリソースである場合、または、前記第4のリソースグループ内の前記第kのリソースが前記周波数ドメインリソースであり、前記第5のリソースグループ内の前記第jのリソースが前記周波数ドメインリソースである場合、または、前記第4のリソースグループ内の前記第kのリソースが前記コードリソースであり、前記第5のリソースグループ内の前記第jのリソースが前記コードリソースである場合、または、前記第4のリソースグループ内の前記第kのリソースが前記コードリソースであり、前記第5のリソースグループ内の前記第jのリソースが前記時間ドメインリソースである場合、または、前記第4のリソースグループ内の前記第kのリソースがコードリソースであり、前記第5のリソースグループ内の前記第jのリソースが前記周波数ドメインリソースである場合、または、前記第4のリソースグループ内の前記第kのリソースが前記周波数ドメインリソースであり、前記第5のリソースグループ内の前記第jのリソースが前記コードリソースである場合、または、前記第4のリソースグループ内の前記第kのリソースが前記時間ドメインリソースであり、前記第5のリソースグループ内の前記第jのリソースが前記コードリソースである場合、
前記第4の対応関係は、前記第4のリソースグループ内の前記第kのリソースと前記第5のリソースグループ内の前記第jのリソースとの間に確立された第4のインデックスであって、無線フレームインデックス、サブフレームインデックス、またはシンボルインデックスのうちの少なくとも1つの第4のインデックスであり、
前記第5のリソースグループ内の前記第jのリソースが前記時間ドメインリソースであり、前記第6のリソースグループ内の前記第rのリソースが前記時間ドメインリソースである場合、または、前記第5のリソースグループ内の前記第jのリソースが前記時間ドメインリソースであり、前記第6のリソースグループ内の前記第rのリソースが前記周波数ドメインリソースである場合、または、前記第5のリソースグループ内の前記第jのリソースが前記周波数ドメインリソースであり、前記第6のリソースグループ内の前記第rのリソースが前記時間ドメインリソースである場合、または、前記第5のリソースグループ内の前記第jのリソースが前記周波数ドメインリソースであり、前記第6のリソースグループ内の前記第rのリソースが前記周波数ドメインリソースである場合、または、前記第5のリソースグループ内の前記第jのリソースが前記コードリソースであり、前記第6のリソースグループ内の前記第rのリソースが前記コードリソースである場合、または、前記第5のリソースグループ内の前記第jのリソースが前記コードリソースであり、前記第6のリソースグループ内の前記第rのリソースが前記時間ドメインリソースである場合、または、前記第5のリソースグループ内の前記第jのリソースが前記コードリソースであり、前記第6のリソースグループ内の前記第rのリソースが前記周波数ドメインリソースである場合、または、前記第5のリソースグループ内の前記第jのリソースが前記周波数ドメインリソースであり、前記第6のリソースグループ内の前記第rのリソースが前記コードリソースである場合、または、前記第5のリソースグループ内の前記第jのリソースが前記時間ドメインリソースであり、前記第6のリソースグループ内の前記第rのリソースが前記コードリソースである場合、
前記第5の対応関係は、前記第5のリソースグループ内の前記第jのリソースと前記第6のリソースグループ内の前記第rのリソースとの間に確立された第5のインデックスであって、無線フレームインデックス、サブフレームインデックス、またはシンボルインデックスのうちの少なくとも1つの第5のインデックスであり、
前記第6のリソースグループ内の前記第rのリソースが前記時間ドメインリソースであり、前記第7のリソースグループ内の前記第wのリソースが前記時間ドメインリソースである場合、または、前記第6のリソースグループ内の前記第rのリソースが前記時間ドメインリソースであり、前記第7のリソースグループ内の前記第wのリソースが前記周波数ドメインリソースである場合、または、前記第6のリソースグループ内の前記第rのリソースが前記周波数ドメインリソースであり、前記第7のリソースグループ内の前記第wのリソースが前記時間ドメインリソースである場合、または、前記第6のリソースグループ内の前記第rのリソースが前記周波数ドメインリソースであり、前記第7のリソースグループ内の前記第wのリソースが前記周波数ドメインリソースである場合、または、前記第6のリソースグループ内の前記第rのリソースが前記コードリソースであり、前記第7のリソースグループ内の前記第wのリソースが前記コードリソースである場合、または、前記第6のリソースグループ内の前記第rのリソースが前記コードリソースであり、前記第7のリソースグループ内の前記第wのリソースが前記時間ドメインリソースである場合、または、前記第6のリソースグループ内の前記第rのリソースが前記コードリソースであり、前記第7のリソースグループ内の前記第wのリソースが前記周波数ドメインリソースである場合、または、前記第6のリソースグループ内の前記第rのリソースが前記周波数ドメインリソースであり、前記第7のリソースグループ内の前記第wのリソースが前記コードリソースである場合、または、前記第6のリソースグループ内の前記第rのリソースが前記時間ドメインリソースであり、前記第7のリソースグループ内の前記第wのリソースが前記コードリソースである場合、
前記第6の対応関係は、前記第6のリソースグループ内の前記第rのリソースと前記第7のリソースグループ内の前記第wのリソースとの間に確立された第6のインデックスであって、無線フレームインデックス、サブフレームインデックス、またはシンボルインデックスのうちの少なくとも1つの第6のインデックスであり、
前記第7のリソースグループ内の前記第wのリソースが前記時間ドメインリソースであり、前記第8のリソースグループ内の前記第cのリソースが前記時間ドメインリソースである場合、または、前記第7のリソースグループ内の前記第wのリソースが前記時間ドメインリソースであり、前記第8のリソースグループ内の前記第cのリソースが前記周波数ドメインリソースである場合、または、前記第7のリソースグループ内の前記第wのリソースが前記周波数ドメインリソースであり、前記第8のリソースグループ内の前記第cのリソースが前記時間ドメインリソースである場合、または、前記第7のリソースグループ内の前記第wのリソースが前記周波数ドメインリソースであり、前記第8のリソースグループ内の前記第cのリソースが前記周波数ドメインリソースである場合、または、前記第7のリソースグループ内の前記第wのリソースが前記コードリソースであり、前記第8のリソースグループ内の前記第cのリソースが前記コードリソースである場合、または、前記第7のリソースグループ内の前記第wのリソースが前記コードリソースであり、前記第8のリソースグループ内の前記第cのリソースが前記時間ドメインリソースである場合、または、前記第7のリソースグループ内の前記第wのリソースが前記コードリソースであり、前記第8のリソースグループ内の前記第cのリソースが前記周波数ドメインリソースである場合、または、前記第7のリソースグループ内の前記第wのリソースが前記周波数ドメインリソースであり、前記第8のリソースグループ内の前記第cのリソースが前記コードリソースである場合、または、前記第7のリソースグループ内の前記第wのリソースが前記時間ドメインリソースであり、前記第8のリソースグループ内の前記第cのリソースが前記コードリソースである場合、
前記第7の対応関係は、前記第7のリソースグループ内の前記第wのリソースと前記第8のリソースグループ内の前記第cのリソースとの間に確立された第7のインデックスであって、無線フレームインデックス、サブフレームインデックス、またはシンボルインデックスのうちの少なくとも1つの第7のインデックスであり、
前記第8のリソースグループ内の前記第cのリソースが前記時間ドメインリソースであり、前記第9のリソースグループ内の前記第sのリソースが前記時間ドメインリソースである場合、または、前記第8のリソースグループ内の前記第cのリソースが前記時間ドメインリソースであり、前記第9のリソースグループ内の前記第sのリソースが前記周波数ドメインリソースである場合、または、前記第8のリソースグループ内の前記第cのリソースが前記周波数ドメインリソースであり、前記第9のリソースグループ内の前記第sのリソースが前記時間ドメインリソースである場合、または、前記第8のリソースグループ内の前記第cのリソースが前記周波数ドメインリソースであり、前記第9のリソースグループ内の前記第sのリソースが前記周波数ドメインリソースである場合、または、前記第8のリソースグループ内の前記第cのリソースが前記コードリソースであり、前記第9のリソースグループ内の前記第sのリソースが前記コードリソースである場合、または、前記第8のリソースグループ内の前記第cのリソースが前記コードリソースであり、前記第9のリソースグループ内の前記第sのリソースが前記時間ドメインリソースである場合、または、前記第8のリソースグループ内の前記第cのリソースが前記コードリソースであり、前記第9のリソースグループ内の前記第sのリソースが前記周波数ドメインリソースである場合、または、前記第8のリソースグループ内の前記第cのリソースが前記周波数ドメインリソースであり、前記第9のリソースグループ内の前記第sのリソースが前記コードリソースである場合、または、前記第8のリソースグループ内の前記第cのリソースが前記時間ドメインリソースであり、前記第9のリソースグループ内の前記第sのリソースが前記コードリソースである場合、
前記第8の対応関係は、前記第8のリソースグループ内の前記第cのリソースと前記第9のリソースグループ内の第前記sのリソースとの間に確立された第8のインデックスであって、無線フレームインデックス、サブフレームインデックス、またはシンボルインデックスのうちの少なくとも1つの第8のインデックスである、請求項97に記載の方法。
【請求項１０２】
第2のネットワーク装置によって、第1のリソースグループ内の第1の信号を送信するステップを備えた信号伝送方法であって、前記第1のリソースグループはN個のリソースを備え、Nは1より大きい正の整数であり、前記第1のリソースグループの各リソースは1つの第1の信号に対応し、
前記第1のリソースグループ内の第nのリソースは、第2のリソースグループ内の第mのリソースと第1の対応関係を有し、前記第2のリソースグループは、M個のリソースを備え、Mは1より大きい正の整数であり、前記第2のリソースグループ内の前記第mのリソースは、前記第2のリソースグループ内の少なくとも2つの候補リソースのうちの1つであり、前記第1のリソースグループ内の前記第nのリソースは、前記第2のリソースグループ内の少なくとも2つの候補リソースのそれぞれと前記第1の対応関係を有し、mの値域は0＜m≦Mであり、nの値域は0＜n≦Nである、信号伝送方法。
【請求項１０３】
第2のネットワーク装置によって、第1のリソースグループ内の第1の信号を送信する前記ステップの後、
前記第2のネットワーク装置によって、前記第2のリソースグループ内の第2の信号を送信するステップであって、前記第2のリソースグループの各リソースは1つの第2の信号に対応する、ステップを備えた方法であって、
前記第2のリソースグループ内の前記第mのリソースは、第3のリソースグループ内の第qのリソースと第2の対応関係を有し、前記第3のリソースグループは、Q個のリソースを備え、Qは1より大きい正の整数であり、前記第3のリソースグループ内の前記第qのリソースは、前記第3のリソースグループ内の少なくとも2つの候補リソースのうちの1つであり、前記第2のリソースグループ内の前記第mのリソースは、前記第3のリソースグループ内の少なくとも2つの候補リソースのそれぞれと前記第2の対応関係を有し、qの値域は、0＜q≦Qである、請求項102に記載の方法。
【請求項１０４】
前記第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
前記第1の信号が前記同期チャネルである場合、前記第2の信号は、前記測定パイロット信号、前記ブロードキャストチャネル、前記システムメッセージ、前記ランダムアクセス応答チャネル、前記RRC要求確認メッセージ、または前記ダウンリンクデータチャネルの少なくとも1つであり、
前記第1の信号が前記測定パイロット信号である場合、前記第2の信号は、前記ブロードキャストチャネル、前記システムメッセージ、前記ランダムアクセス応答チャネル、前記RRC要求確認メッセージ、または前記ダウンリンクデータチャネルのうちの少なくとも1つであり、
前記第1の信号が前記ブロードキャストチャネルである場合、前記第2の信号は、前記システムメッセージ、前記ランダムアクセス応答チャネル、前記RRC要求確認メッセージ、または前記ダウンリンクデータチャネルのうちの少なくとも1つであり、
前記第1の信号が前記システムメッセージである場合、前記第2の信号は、前記ランダムアクセス応答チャネル、前記RRC要求確認メッセージ、または前記ダウンリンクデータチャネルのうちの少なくとも1つであり、
前記第1の信号が前記ランダムアクセス応答チャネルである場合、前記第2の信号は、前記RRC要求確認応答メッセージまたは前記ダウンリンクデータチャネルのうちの少なくとも1つであり、または、
前記第1の信号が前記RRC要求確認メッセージである場合、前記第2の信号はダウンリンクデータチャネルである、請求項102または103に記載の方法。
【請求項１０５】
前記第2のネットワーク装置によって前記第2のリソースグループ内の第2の信号を送信する前記ステップの後、
前記第2のネットワーク装置によって、前記第3のリソースグループ上の第3の信号を送信するステップであって、前記第3のリソースグループの各リソースは1つの第3の信号に対応する、ステップをさらに備え、
前記第3のリソースグループ内の前記第qのリソースは、第4のリソースグループ内の第kのリソースと第3の対応関係を有し、前記第4のリソースグループは、K個のリソースを含み、Kは1より大きい正の整数であり、前記第4のリソースグループ内の前記第kのリソースは、前記第4のリソースグループ内の少なくとも2つの候補リソースのうちの1つであり、前記第3のリソースグループ内の前記第qのリソースは、前記第4のリソースグループ内の少なくとも2つの候補リソースのそれぞれと前記第3の対応関係を有し、kの値域は、0＜k≦Kである、請求項102〜104のいずれか一項に記載の方法。
【請求項１０６】
前記第3の信号はブロードキャストチャネルである、請求項105に記載の方法。
【請求項１０７】
前記第2のネットワーク装置によって、前記第3のリソースグループ上の第3の信号を送信する前記ステップの後、
前記第2のネットワーク装置によって、前記第4のリソースグループ上の第4の信号を送信するステップであって、前記第4のリソースグループの各リソースは1つの第4の信号に対応する、ステップをさらに含み、
前記第4のリソースグループ内の前記第kのリソースは、第5のリソースグループ内の第jのリソースと第4の対応関係を有し、前記第5のリソースグループは、J個のリソースを備え、Jは1より大きい正の整数であり、前記第5のリソースグループ内の前記第jのリソースは、前記第5のリソースグループ内の少なくとも2つの候補リソースのうちの1つであり、前記第4のリソースグループ内の前記第kのリソースは、前記第5のリソースグループ内の少なくとも2つの候補リソースのそれぞれと前記第4の対応関係を有し、jの値域は、0＜j≦Jである、請求項105または106に記載の方法。
【請求項１０８】
前記第4の信号はシステムメッセージである、請求項107に記載の方法。
【請求項１０９】
前記第2のネットワーク装置によって、前記第4のリソースグループ上の第4の信号を送信する前記ステップの後、
前記第5のリソースグループ内の前記第jのリソース上の前記第2のネットワーク装置によって、前記第1のネットワーク装置によって送信された第5の信号を検出するステップであって、前記第5のリソースグループの各リソースは、1つの第5の信号に対応する、ステップと、  第2のネットワーク装置によって、前記第5のリソースグループ内の前記第jのリソースおよび第5の対応関係に従って、前記第6のリソースグループ内の第rのリソースを決定するステップとを備えた方法であって、前記第6のリソースグループはR個のリソースを含み、Rは1より大きい正の整数であり、前記第6のリソースグループ内の前記第rのリソースは前記第6のリソースグループ内の少なくとも2つの候補リソースのうちの1つであり、rの値域は0＜r≦Rである、請求項107または108に記載の方法。
【請求項１１０】
前記第5の信号は、ランダムアクセスチャネルである、請求項109に記載の方法。
【請求項１１１】
前記第1のネットワーク装置によって、前記第5のリソースグループ内の前記第jのリソース上で第5の信号を送信する前記ステップの後、
前記第2のネットワーク装置によって、前記第6のリソースグループ上の第6の信号を送信するステップであって、前記第6のリソースグループの各リソースは1つの第6の信号に対応する、ステップをさらに備えた方法であって、
前記第6のリソースグループ内の前記第rのリソースは、第7のリソースグループ内の第wのリソースと第6の対応関係を有し、前記第7のリソースグループは、W個のリソースを含み、Wは1より大きい正の整数であり、前記第7のリソースグループ内の前記第wのリソースは、前記第7のリソースグループ内の少なくとも2つの候補リソースのうちの1つであり、前記第6のリソースグループ内の前記第rのリソースは、前記第7のリソースグループ内の少なくとも2つの候補リソースのそれぞれと前記第6の対応関係を有し、wの値域は、0＜w≦Wである、請求項109または110に記載の方法。
【請求項１１２】
前記第6の信号は、ランダムアクセス応答チャネルである、請求項111に記載の方法。
【請求項１１３】
前記第2のネットワーク装置によって、前記第6のリソースグループ上の第6の信号を送信する前記ステップの後、
前記第7のリソースグループ内の前記第wのリソース上の前記第2のネットワーク装置によって、前記第1のネットワーク装置によって送信された第7の信号を検出するステップであって、前記第7のリソースグループの各リソースは、1つの第7の信号に対応する、ステップと、
前記第2のネットワーク装置によって、前記第7のリソースグループ内の前記第wのリソースおよび第7の対応関係に従って、前記第8のリソースグループ内の第cのリソースを決定するステップをさらに備えた方法であって、前記第8のリソースグループはC個のリソースを備え、Cは1より大きい正の整数であり、前記第8のリソースグループ内の前記第cのリソースは前記第8のリソースグループ内の少なくとも2つの候補リソースのうちの1つであり、cの値域は0＜c≦Cである、請求項111または112に記載の方法。
【請求項１１４】
前記第7の信号は、RRC要求メッセージである、請求項113に記載の方法。
【請求項１１５】
前記第2のネットワーク装置によって、前記第1のネットワーク装置によって送信された第7の信号を、前記第7のリソースグループ内の前記第wのリソース上で検出する前記ステップの後、
前記第2のネットワーク装置によって、前記第8のリソースグループ内の前記第cのリソース上の第8の信号を送信するステップであって、前記第8のリソースグループの各リソースが1つの第8の信号に対応する、ステップをさらに備えた方法であって、
前記第8のリソースグループ内の前記第cのリソースは、第9のリソースグループ内の第sのリソースと第8の対応関係を有し、
前記第9のリソースグループは、S個のリソースを含み、Sは1より大きい正の整数であり、前記第9のリソースグループ内の前記第sのリソースは、前記第9のリソースグループ内の少なくとも2つの候補リソースのうちの1つであり、前記第8のリソースグループ内の前記第cのリソースは、前記第9のリソースグループ内の少なくとも2つの候補リソースのそれぞれと前記第8の対応関係を有し、sの値域は、0＜s≦Sである、請求項113または114に記載の方法。
【請求項１１６】
前記第8の信号はRRC要求確認メッセージである、請求項115に記載の方法。
【請求項１１７】
前記第2のネットワーク装置によって、前記第8のリソースグループ内の前記第cのリソース上の第8の信号を送信する前記ステップの後、
前記第2のネットワーク装置によって、前記第9のリソースグループ内の前記第sのリソース上の第9の信号を検出するステップまたは
前記第2のネットワーク装置によって、前記第9のリソースグループ内の前記第sのリソース上の第10の信号を送信するステップであって、前記第9のリソースグループの各リソースは、1つの第10の信号に対応する、ステップをさらに備えた、請求項115または116に記載の方法。
【請求項１１８】
前記第9の信号は、アップリンクデータチャネルであり、前記第10の信号は、ダウンリンクデータチャネルである、請求項117に記載の方法。
【請求項１１９】
第2のネットワーク装置によって、第1のリソースグループ内の第1の信号を送信する前記ステップの後、
前記第2のリソースグループ内の前記第mのリソース上の前記第2のネットワーク装置によって、前記第1のネットワーク装置によって送信された第11の信号を検出するステップをさらに備えた、請求項102に記載の方法。
【請求項１２０】
前記第1の信号は、システムメッセージ、ランダムアクセス応答チャネル、またはRRC要求確認メッセージのうちの少なくとも1つであり、
前記第1の信号が前記システムメッセージである場合、前記第2の信号は、ランダムアクセスチャネル、RRC要求メッセージ、またはアップリンクデータチャネルのうちの少なくとも1つであり、
前記第1の信号が前記ランダムアクセス応答チャネルである場合、前記第2の信号は、前記RRC要求メッセージまたは前記アップリンクデータチャネルのうちの少なくとも1つであり、または、
前記第1の信号が前記RRC要求確認メッセージである場合、前記第2の信号は前記アップリンクデータチャネルである、請求項119に記載の方法。
【請求項１２１】
前記第1のリソースグループ内の前記N個のリソースは、時間ドメインリソース、周波数ドメインリソース、コードリソース、スペースリソース、または電力リソースのうちのいずれか1つのタイプのリソースであり、
前記第2のリソースグループ内の前記M個のリソースは、前記時間ドメインリソース、前記周波数ドメインリソース、前記コードリソース、前記スペースリソース、または前記電力リソースのうちのいずれか1つのタイプのリソースであり、
前記第3のリソースグループ内の前記Q個のリソースは、前記時間ドメインリソース、前記周波数ドメインリソース、前記コードリソース、前記スペースリソース、または前記電力リソースのいずれかのタイプのリソースであり、
前記第4のリソースグループ内の前記K個のリソースは、前記時間ドメインリソース、前記周波数ドメインリソース、前記コードリソース、前記スペースリソース、または前記電力リソースのうちのいずれか1つのタイプのリソースであり、
前記第5のリソースグループ内の前記J個のリソースは、前記時間ドメインリソース、前記周波数ドメインリソース、前記コードリソース、前記スペースリソース、または前記電力リソースのうちのいずれかのタイプのリソースであり、  前記第6のリソースグループ内の前記R個のリソースは、前記時間ドメインリソース、前記周波数ドメインリソース、前記コードリソース、前記スペースリソース、または前記電力リソースのうちのいずれか1つのタイプのリソースであり、
前記第7のリソースグループ内の前記W個のリソースは、前記時間ドメインリソース、前記周波数ドメインリソース、前記コードリソース、前記スペースリソース、または前記電力リソースのいずれかのタイプのリソースであり、
前記第8のリソースグループ内の前記C個のリソースは、前記時間ドメインリソース、前記周波数ドメインリソース、前記コードリソース、前記スペースリソース、または前記電力リソースのいずれかのタイプのリソースであり、または、
前記第9のリソースグループ内の前記S個のリソースは、前記時間ドメインリソース、前記周波数ドメインリソース、前記コードリソース、前記スペースリソース、または前記電力リソースのいずれかのタイプのリソースである、請求項102〜120のいずれか一項に記載の方法。
【請求項１２２】
前記第1のリソースグループ内の前記第nのリソースが前記時間ドメインリソースであり、前記第2のリソースグループ内の前記第mのリソースが前記時間ドメインリソースである場合、以下の式の
m＝n＋x1が満たされ、
x1は第1のオフセットであり、x1は0以上であり、
前記第3のリソースグループ内の前記第qのリソースが前記時間ドメインリソースである場合、以下の式の
q＝m＋x2が満たされ、
x2は第2のオフセットであり、x2は0以上であり、
前記第4のリソースグループ内の前記第kのリソースが前記時間ドメインリソースである場合、以下の式の
k＝q＋x3が満たされ、
x3は第3のオフセットであり、x3は0以上であり、
前記第5のリソースグループ内の前記第jのリソースが前記時間ドメインリソースである場合、以下の式の
j＝k＋x4が満たされ、
x4は第4のオフセットであり、x4は0以上であり、
前記第6のリソースグループ内の前記第rのリソースが前記時間ドメインリソースである場合、以下の式の
r＝j＋x5が満たされ、
x5は第5のオフセットであり、x5は0以上であり、
前記第7のリソースグループ内の前記第wのリソースが前記時間ドメインリソースの場合、以下の式の
w＝r＋x6が満たされ、
x6は第6のオフセットであり、x6は0以上であり、
前記第8のリソースグループ内の前記第cのリソースが前記時間ドメインリソースである場合、以下の式の
c＝w＋x7が満たされ、
x7は第7のオフセットであり、x7は0以上であり、または、
前記第9のリソースグループ内の前記第sのリソースが前記時間ドメインリソースである場合、以下の式の
s＝c＋x8が満たされ、
x8は第8のオフセットであり、x8は0以上である、請求項121に記載の方法。
【請求項１２３】
前記シーケンスリソースは、信号送信シーケンス、信号によって使用される拡散コード、信号によって使用されるスクランブリングコード、または巡回冗長コードCRC処理の間に追加されるマスクのうちのいずれか1つを備える、請求項121または122に記載の方法。
【請求項１２４】
前記スペースリソースは、前記第2のネットワーク装置が信号を送信するときに使用される少なくとも1つのビーム、または前記第1のネットワーク装置が信号を送信するときに使用される少なくとも1つのビームを示し、
前記第1のリソースグループ内の前記第nのリソースが前記スペースリソースである場合、前記第1の対応関係は、前記第1のリソースグループ内の前記第nのリソースに対応するビームの識別子と前記第2のリソースグループ内の前記第mのリソースとの対応関係であり、
前記第2のリソースグループ内の前記第mのリソースが前記スペースリソースである場合、前記第2の対応関係は、前記第2のリソースグループ内の前記第mのリソースに対応するビームの識別子と前記第3のリソースグループ内の前記第qのリソースとの対応関係であり、
前記第3のリソースグループ内の前記第qのリソースが前記スペースリソースである場合、前記第3の対応関係は、前記第3のリソースグループ内の前記第qのリソースに対応するビームの識別子と前記第4のリソースグループ内の前記第kのリソースとの対応関係であり、
前記第4のリソースグループ内の前記第kのリソースが前記スペースリソースである場合、前記第4の対応関係は、前記第4のリソースグループ内の前記第kのリソースに対応するビームの識別子と前記第5のリソースグループ内の前記第jのリソースとの対応関係であり、
前記第5のリソースグループ内の前記第jのリソースが前記スペースリソースである場合、前記第5の対応関係は、前記第5のリソースグループ内の前記第jのリソースに対応するビームの識別子と前記第6のリソースグループ内の前記第rのリソースとの対応関係であり、
前記第6のリソースグループ内の前記第rのリソースが前記スペースリソースである場合、前記第6の対応関係は、前記第6のリソースグループ内の前記第rのリソースに対応するビームの識別子と前記第7のリソースグループ内の前記第wのリソースとの対応関係であり、
前記第7のリソースグループ内の前記第wのリソースが前記スペースリソースである場合、前記第7の対応関係は、前記第7のリソースグループ内の前記第wのリソースに対応するビームの識別子と前記第8のリソースグループ内の前記第cのリソースとの対応関係であり、
前記第8のリソースグループ内の前記第cのリソースが前記スペースリソースである場合、前記第8の対応関係は、前記第8のリソースグループ内の前記第cのリソースに対応するビームの識別子と前記第9のリソースグループ内の前記第sのリソースとの対応関係である、請求項121に記載の方法。
【請求項１２５】
前記第1のリソースグループ内の前記第nのリソースが前記時間ドメインリソースであり、前記第2のリソースグループ内の前記第mのリソースが前記時間ドメインリソースである場合、または、前記第1のリソースグループ内の前記第nのリソースが前記時間ドメインリソースであり、前記第2のリソースグループ内の前記第mのリソースが前記周波数ドメインリソースである場合、または、前記第1のリソースグループ内の前記第nのリソースが前記周波数ドメインリソースであり、前記第2のリソースグループ内の前記第mのリソースが前記時間ドメインリソースである場合、または、前記第1のリソースグループ内の前記第nのリソースが前記周波数ドメインリソースであり、前記第2のリソースグループ内の前記第mのリソースが前記周波数ドメインリソースである場合、または、前記第1のリソースグループ内の前記第nのリソースが前記コードリソースであり、前記第2のリソースグループ内の前記第mのリソースが前記コードリソースである場合、または、前記第1のリソースグループ内の前記第nのリソースが前記コードリソースであり、前記第2のリソースグループ内の前記第mのリソースが前記時間ドメインリソースである場合、または、前記第1のリソースグループ内の前記第nのリソースが前記コードリソースであり、前記第2のリソースグループ内の前記第mのリソースが前記周波数ドメインリソースである場合、または、前記第1のリソースグループ内の前記第nのリソースが前記周波数ドメインリソースであり、前記第2のリソースグループ内の前記第mのリソースが前記コードリソースである場合、または、前記第1のリソースグループ内の前記第nのリソースが前記時間ドメインリソースであり、前記第2のリソースグループ内の前記第mのリソースが前記コードリソースである場合、
前記第1の対応関係は、前記第1のリソースグループ内の前記第nのリソースと前記第2のリソースグループ内の前記第mのリソースとの間に確立された第1のインデックスであって、無線フレームインデックス、サブフレームインデックス、またはシンボルインデックスのうちの少なくとも1つの第1のインデックスであり、
前記第2のリソースグループ内の前記第mのリソースが前記時間ドメインリソースであり、前記第3のリソースグループ内の前記第qのリソースが前記時間ドメインリソースである場合、または、前記第2のリソースグループ内の前記第mのリソースが前記時間ドメインリソースであり、前記第3のリソースグループ内の前記第qのリソースが前記周波数ドメインリソースである場合、または、前記第2のリソースグループ内の前記第mのリソースが前記周波数ドメインリソースであり、前記第3のリソースグループ内の前記第qのリソースが前記時間ドメインリソースである場合、または、前記第2のリソースグループ内の前記第mのリソースが前記周波数ドメインリソースであり、前記第3のリソースグループ内の前記第qのリソースが前記周波数ドメインリソースである場合、または、前記第2のリソースグループ内の前記第mのリソースが前記コードリソースであり、前記第3のリソースグループ内の前記第qのリソースが前記コードリソースである場合、または、前記第2のリソースグループ内の前記第mのリソースが前記コードリソースであり前記第3のリソースグループ内の前記第qのリソースが前記時間ドメインリソースである場合、または、前記第2のリソースグループ内の前記第mのリソースが前記コードリソースであり、前記第3のリソースグループ内の前記第qのリソースが前記周波数ドメインリソースである場合、または、前記第2のリソースグループ内の前記第mのリソースが前記周波数ドメインリソースであり、前記第3のリソースグループ内の前記第qのリソースが前記コードリソースである場合、または、前記第2のリソースグループ内の前記第mのリソースが前記時間ドメインリソースであり、前記第3のリソースグループ内の前記第qのリソースが前記コードリソースである場合、
前記第2の対応関係は、前記第2のリソースグループ内の前記第mのリソースと前記第3のリソースグループ内の前記第qのリソースとの間に確立された第2のインデックスであって、無線フレームインデックス、サブフレームインデックス、またはシンボルインデックスのうちの少なくとも1つの第2のインデックスであり、
前記第3のリソースグループ内の前記第qのリソースが前記時間ドメインリソースであり、前記第4のリソースグループ内の前記第kのリソースが前記時間ドメインリソースである場合、または、前記第3のリソースグループ内の前記第qのリソースが前記時間ドメインリソースであり、前記第4のリソースグループ内の前記第kのリソースが前記周波数ドメインリソースである場合、または、前記第3のリソースグループ内の前記第qのリソースが前記周波数ドメインリソースであり、前記第4のリソースグループ内の前記第kのリソースが前記時間ドメインリソースである場合、または、前記第3のリソースグループ内の前記第qのリソースが前記周波数ドメインリソースであり、前記第4のリソースグループ内の前記第kのリソースが前記周波数ドメインリソースである場合、または、前記第3のリソースグループ内の前記第qのリソースが前記コードリソースであり、前記第4のリソースグループ内の前記第kのリソースが前記コードリソースである場合、または、前記第3のリソースグループ内の前記第qのリソースが前記コードリソースであり、前記第4のリソースグループ内の前記第kのリソースが前記時間ドメインリソースである場合、または、前記第3のリソースグループ内の前記第qのリソースが前記コードリソースであり、前記第4のリソースグループ内の前記第kのリソースが前記周波数ドメインリソースである場合、または、前記第3のリソースグループ内の前記第qのリソースが前記周波数ドメインリソースであり、前記第4のリソースグループ内の前記第kのリソースが前記コードリソースである場合、または、前記第3のリソースグループ内の前記第qのリソースが前記時間ドメインリソースであり、前記第4のリソースグループ内の前記第kのリソースが前記コードリソースである場合、
前記第3の対応関係は、前記第3のリソースグループ内の前記第qのリソースと前記第4のリソースグループ内の前記第kのリソースとの間に確立された第3のインデックスであって、無線フレームインデックス、サブフレームインデックス、またはシンボルインデックスのうちの少なくとも1つの第3のインデックスであり、
前記第4のリソースグループ内の前記第kのリソースが前記時間ドメインリソースであり、前記第5のリソースグループ内の前記第jのリソースが前記時間ドメインリソースである場合、または、前記第4のリソースグループ内の前記第kのリソースが前記時間ドメインリソースであり、前記第5のリソースグループ内の前記第jのリソースが前記周波数ドメインリソースである場合、または、前記第4のリソースグループ内の前記第kのリソースが前記周波数ドメインリソースであり、前記第5のリソースグループ内の前記第jのリソースが前記時間ドメインリソースである場合、または、前記第4のリソースグループ内の前記第kのリソースが前記周波数ドメインリソースであり、前記第5のリソースグループ内の前記第jのリソースが前記周波数ドメインリソースである場合、または、前記第4のリソースグループ内の前記第kのリソースが前記コードリソースであり、前記第5のリソースグループ内の前記第jのリソースが前記コードリソースである場合、または、前記第4のリソースグループ内の前記第kのリソースが前記コードリソースであり、前記第5のリソースグループ内の前記第jのリソースが前記時間ドメインリソースである場合、または、前記第4のリソースグループ内の前記第kのリソースがコードリソースであり、前記第5のリソースグループ内の前記第jのリソースが前記周波数ドメインリソースである場合、または、前記第4のリソースグループ内の前記第kのリソースが前記周波数ドメインリソースであり、前記第5のリソースグループ内の前記第jのリソースが前記コードリソースである場合、または、前記第4のリソースグループ内の前記第kのリソースが前記時間ドメインリソースであり、前記第5のリソースグループ内の前記第jのリソースが前記コードリソースである場合、
前記第4の対応関係は、前記第4のリソースグループ内の前記第kのリソースと前記第5のリソースグループ内の前記第jのリソースとの間に確立された第4のインデックスであって、無線フレームインデックス、サブフレームインデックス、またはシンボルインデックスのうちの少なくとも1つの第4のインデックスであり、
前記第5のリソースグループ内の前記第jのリソースが前記時間ドメインリソースであり、前記第6のリソースグループ内の前記第rのリソースが前記時間ドメインリソースである場合、または、前記第5のリソースグループ内の前記第jのリソースが前記時間ドメインリソースであり、前記第6のリソースグループ内の前記第rのリソースが前記周波数ドメインリソースである場合、または、前記第5のリソースグループ内の前記第jのリソースが前記周波数ドメインリソースであり、前記第6のリソースグループ内の前記第rのリソースが前記時間ドメインリソースである場合、または、前記第5のリソースグループ内の前記第jのリソースが前記周波数ドメインリソースであり、前記第6のリソースグループ内の前記第rのリソースが前記周波数ドメインリソースである場合、または、前記第5のリソースグループ内の前記第jのリソースが前記コードリソースであり、前記第6のリソースグループ内の前記第rのリソースが前記コードリソースである場合、または、前記第5のリソースグループ内の前記第jのリソースが前記コードリソースであり、前記第6のリソースグループ内の前記第rのリソースが前記時間ドメインリソースである場合、または、前記第5のリソースグループ内の前記第jのリソースが前記コードリソースであり、前記第6のリソースグループ内の前記第rのリソースが前記周波数ドメインリソースである場合、または、前記第5のリソースグループ内の前記第jのリソースが前記周波数ドメインリソースであり、前記第6のリソースグループ内の前記第rのリソースが前記コードリソースである場合、または、前記第5のリソースグループ内の前記第jのリソースが前記時間ドメインリソースであり、前記第6のリソースグループ内の前記第rのリソースが前記コードリソースである場合、
前記第5の対応関係は、前記第5のリソースグループ内の前記第jのリソースと前記第6のリソースグループ内の前記第rのリソースとの間に確立された第5のインデックスであって、無線フレームインデックス、サブフレームインデックス、またはシンボルインデックスのうちの少なくとも1つの第5のインデックスであり、
前記第6のリソースグループ内の前記第rのリソースが前記時間ドメインリソースであり、前記第7のリソースグループ内の前記第wのリソースが前記時間ドメインリソースである場合、または、前記第6のリソースグループ内の前記第rのリソースが前記時間ドメインリソースであり、前記第7のリソースグループ内の前記第wのリソースが前記周波数ドメインリソースである場合、または、前記第6のリソースグループ内の前記第rのリソースが前記周波数ドメインリソースであり、前記第7のリソースグループ内の前記第wのリソースが前記時間ドメインリソースである場合、または、前記第6のリソースグループ内の前記第rのリソースが前記周波数ドメインリソースであり、前記第7のリソースグループ内の前記第wのリソースが前記周波数ドメインリソースである場合、または、前記第6のリソースグループ内の前記第rのリソースが前記コードリソースであり、前記第7のリソースグループ内の前記第wのリソースが前記コードリソースである場合、または、前記第6のリソースグループ内の前記第rのリソースが前記コードリソースであり、前記第7のリソースグループ内の前記第wのリソースが前記時間ドメインリソースである場合、または、前記第6のリソースグループ内の前記第rのリソースが前記コードリソースであり、前記第7のリソースグループ内の前記第wのリソースが前記周波数ドメインリソースである場合、または、前記第6のリソースグループ内の前記第rのリソースが前記周波数ドメインリソースであり、前記第7のリソースグループ内の前記第wのリソースが前記コードリソースである場合、または、前記第6のリソースグループ内の前記第rのリソースが前記時間ドメインリソースであり、前記第7のリソースグループ内の前記第wのリソースが前記コードリソースである場合、
前記第6の対応関係は、前記第6のリソースグループ内の前記第rのリソースと前記第7のリソースグループ内の前記第wのリソースとの間に確立された第6のインデックスであって、無線フレームインデックス、サブフレームインデックス、またはシンボルインデックスのうちの少なくとも1つの第6のインデックスであり、
前記第7のリソースグループ内の前記第wのリソースが前記時間ドメインリソースであり、前記第8のリソースグループ内の前記第cのリソースが前記時間ドメインリソースである場合、または、前記第7のリソースグループ内の前記第wのリソースが前記時間ドメインリソースであり、前記第8のリソースグループ内の前記第cのリソースが前記周波数ドメインリソースである場合、または、前記第7のリソースグループ内の前記第wのリソースが前記周波数ドメインリソースであり、前記第8のリソースグループ内の前記第cのリソースが前記時間ドメインリソースである場合、または、前記第7のリソースグループ内の前記第wのリソースが前記周波数ドメインリソースであり、前記第8のリソースグループ内の前記第cのリソースが前記周波数ドメインリソースである場合、または、前記第7のリソースグループ内の前記第wのリソースが前記コードリソースであり、前記第8のリソースグループ内の前記第cのリソースが前記コードリソースである場合、または、前記第7のリソースグループ内の前記第wのリソースが前記コードリソースであり、前記第8のリソースグループ内の前記第cのリソースが前記時間ドメインリソースである場合、または、前記第7のリソースグループ内の前記第wのリソースが前記コードリソースであり、前記第8のリソースグループ内の前記第cのリソースが前記周波数ドメインリソースである場合、または、前記第7のリソースグループ内の前記第wのリソースが前記周波数ドメインリソースであり、前記第8のリソースグループ内の前記第cのリソースが前記コードリソースである場合、または、前記第7のリソースグループ内の前記第wのリソースが前記時間ドメインリソースであり、前記第8のリソースグループ内の前記第cのリソースが前記コードリソースである場合、
前記第7の対応関係は、前記第7のリソースグループ内の前記第wのリソースと前記第8のリソースグループ内の前記第cのリソースとの間に確立された第7のインデックスであって、無線フレームインデックス、サブフレームインデックス、またはシンボルインデックスのうちの少なくとも1つの第7のインデックスであり、
前記第8のリソースグループ内の前記第cのリソースが前記時間ドメインリソースであり、前記第9のリソースグループ内の前記第sのリソースが前記時間ドメインリソースである場合、または、前記第8のリソースグループ内の前記第cのリソースが前記時間ドメインリソースであり、前記第9のリソースグループ内の前記第sのリソースが前記周波数ドメインリソースである場合、または、前記第8のリソースグループ内の前記第cのリソースが前記周波数ドメインリソースであり、前記第9のリソースグループ内の前記第sのリソースが前記時間ドメインリソースである場合、または、前記第8のリソースグループ内の前記第cのリソースが前記周波数ドメインリソースであり、前記第9のリソースグループ内の前記第sのリソースが前記周波数ドメインリソースである場合、または、前記第8のリソースグループ内の前記第cのリソースが前記コードリソースであり、前記第9のリソースグループ内の前記第sのリソースが前記コードリソースである場合、または、前記第8のリソースグループ内の前記第cのリソースが前記コードリソースであり、前記第9のリソースグループ内の前記第sのリソースが前記時間ドメインリソースである場合、または、前記第8のリソースグループ内の前記第cのリソースが前記コードリソースであり、前記第9のリソースグループ内の前記第sのリソースが前記周波数ドメインリソースである場合、または、前記第8のリソースグループ内の前記第cのリソースが前記周波数ドメインリソースであり、前記第9のリソースグループ内の前記第sのリソースが前記コードリソースである場合、または、前記第8のリソースグループ内の前記第cのリソースが前記時間ドメインリソースであり、前記第9のリソースグループ内の前記第sのリソースが前記コードリソースである場合、
前記第8の対応関係は、前記第8のリソースグループ内の前記第cのリソースと前記第9のリソースグループ内の第前記sのリソースとの間に確立された第8のインデックスであって、無線フレームインデックス、サブフレームインデックス、またはシンボルインデックスのうちの少なくとも1つの第8のインデックスである、請求項121に記載の方法。
【発明の詳細な説明】
【技術分野】
【０００１】
本発明は、無線通信技術の分野に関し、特に、信号伝送装置、システム、および方法に関する。
【背景技術】
【０００２】
信号伝送用の無線通信では、高周波技術が利用され始めており、高周波特性により、経路損失が増大する。経路損失を低減するために、実行可能な方法は、大規模な多入力多出力（Massive Multiple−Input Multiple−Output、略して大規模MIMO）を使用して非常に高いアンテナ利得を形成し、経路損失を補償することである。
【０００３】
従来技術では、大規模MIMOは数多くの（数百に及ぶ）のアンテナを有する。高いアンテナ利得が形成されるが、大規模MIMO技術を用いて形成されるビームは、非常に狭い幅を有する。したがって、1つのビームがセル内のすべてのユーザをカバーすることはできない。
しかしながら、従来の技術では、ブロードキャストチャネルおよび共通チャネルのような情報のために、アンテナはセル内のすべてのユーザをカバーする必要がある。大規模MIMOによって形成されたビームは、セル内のすべてのユーザをカバーすることはできない。したがって、セル内の一部のユーザは、ブロードキャストメッセージなどのメッセージを受信できないため、通信の安定性が低下する。
【先行技術文献】
【特許文献】
【０００４】
【特許文献１】特表２０１４−５２７３７０号公報
【特許文献２】特開２０１１−５５４４３号公報
【特許文献３】特開２００２−３００６５８号公報
【特許文献４】中国特許出願公開第１０１７７２１８２号明細書
【特許文献５】特願２０１４−９４１５６号（特開２０１５−１６４２８１号公報参照）
【発明の概要】
【課題を解決するための手段】
【０００５】
本発明は、大規模MIMOシナリオにおける通信の安定性を高めるために、信号伝送装置、システム、および方法を提供する。
【０００６】
本発明の第1の態様はネットワーク装置を提供し、ネットワーク装置は、
第1のリソースグループにおいて、第2のネットワーク装置によって送信された第1の信号を検出するように構成された検出モジュールであって、第1のリソースグループはN個のリソースを含み、Nは1より大きい正の整数であり、第1のリソースグループの各リソースは1つの第1の信号に対応する、検出モジュールと、
第1のリソースグループ内の第nのリソースおよび第1の対応関係に従って第2のリソースグループ内の第mのリソースを決定するように構成された決定モジュールであって、第2のリソースグループは、M個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである、決定モジュールとを含む。
【０００７】
第1の態様を参照すると、第1の実行可能な実施では、決定モジュールは、第1のリソースグループ内の第nのリソースおよび第1の対応関係に従って第2のリソースグループ内の第mのリソースを決定する前に、第1のルールに従って第1のリソースグループ内の第nのリソースを決定するようにさらに構成される。
【０００８】
第1の態様を参照すると、第2の実行可能な実施では、決定モジュールは、具体的には、
第1の信号のエネルギーが第1のリソースグループ内において最も強い、検出されたリソースを、第1のリソースグループ内の第nのリソースとして使用するように、または、
第1の信号のエネルギーが第1のリソースグループ内において、第1の予め設定された閾値よりも大きい第1のリソースを、第1のリソースグループ内の第nのリソースとして使用するように、または、
第1の信号の基準信号受信品質RSRQが、第1のリソースグループ内において、第2の予め設定された閾値よりも大きい第1のリソースを、第1のリソースグループ内の第nのリソースとして使用するように、または、
第1のリソースグループ内において巡回冗長コードCRCを第1のリソースグループ内の第nのリソースとして使用して、第1の信号が正しくチェックされたリソースを使用するように構成される。
【０００９】
第1の態様を参照すると、第3の実行可能な実施では、検出モジュールは、決定モジュールが第1のリソースグループ内の第nのリソースおよび第1の対応関係に従って第2のリソースグループ内の第mのリソースを決定した後、
第2のリソースグループ内の第mのリソース上で、第2のネットワーク装置によって送信される第2の信号を検出するようにさらに構成され、第2のリソースグループの各リソースは1つの第2の信号に対応し、
決定モジュールは、第2のリソースグループ内の第mのリソースおよび第2の対応関係に従って第3のリソースグループ内の第qのリソースを決定するようにさらに構成され、第3のリソースグループは、Q個のリソースを含み、Qは1より大きい正の整数であり、第3のリソースグループ内の第qのリソースは、第3のリソースグループ内の少なくとも2つの候補リソースのうちの1つであり、第2のリソースグループ内の第mのリソースは、第3のリソースグループ内の少なくとも2つの候補リソースのそれぞれと第2の対応関係を有し、qの値域は、0＜q≦Qである。
【００１０】
第1の態様を参照すると、第4の実行可能な実施では、決定モジュールは、第2のリソースグループ内の第mのリソースおよび第2の対応関係に従って第3のリソースグループ内の第qのリソースを決定する前に、第2のルールに従って第2のリソースグループ内の第mのリソースを決定するようにさらに構成される。
【００１１】
第1の態様を参照すると、第5の実行可能な実施では、決定モジュールは、具体的には、
第2の信号のエネルギーが第2のリソースグループ内において最も強い、検出されたリソースを、第2のリソースグループ内の第mのリソースとして使用するように、または、
第2の信号のエネルギーが第2のリソースグループ内において、第3の予め設定された閾値よりも大きい第1のリソースを、第2のリソースグループ内の第mのリソースとして使用するように、または、
第2の信号の基準信号受信品質RSRQが、第2のリソースグループ内において、第4の予め設定された閾値よりも大きい第1のリソースを、第2のリソースグループ内の第mのリソースとして使用するように、または、
第2のリソースグループ内において巡回冗長コードCRCを第2のリソースグループ内の第mのリソースとして使用して、第2の信号が正しくチェックされたリソースを使用するように構成される。
【００１２】
第1の態様に関して、第6の実行可能な実施では、第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
第1の信号が同期チャネルである場合、第2の信号は、測定パイロット信号、ブロードキャストチャネル、システムメッセージ、ランダムアクセス応答チャネル、RRC要求確認メッセージ、またはダウンリンクデータチャネルの少なくとも1つであり、
第1の信号が測定パイロット信号である場合、第2の信号は、ブロードキャストチャネル、システムメッセージ、ランダムアクセス応答チャネル、RRC要求確認メッセージ、またはダウンリンクデータチャネルのうちの少なくとも1つであり、
第1の信号がブロードキャストチャネルである場合、第2の信号は、システムメッセージ、ランダムアクセス応答チャネル、RRC要求確認メッセージ、またはダウンリンクデータチャネルのうちの少なくとも1つであり、
第1の信号がシステムメッセージである場合、第2の信号は、ランダムアクセス応答チャネル、RRC要求確認メッセージ、またはダウンリンクデータチャネルのうちの少なくとも1つであり、
第1の信号がランダムアクセス応答チャネルである場合、第2の信号は、RRC要求確認応答メッセージまたはダウンリンクデータチャネルのうちの少なくとも1つであり、または、
第1の信号がRRC要求確認メッセージである場合、第2の信号はダウンリンクデータチャネルである。
【００１３】
第1の態様を参照すると、第7の実行可能な実施では、検出モジュールは、決定モジュールが第2のリソースグループ内の第mのリソースおよび第2の対応関係に従って第3のリソースグループ内の第qのリソースを決定した後、
第3のリソースグループ内の第qのリソース上で、第2のネットワーク装置によって送信される第3の信号を検出するようにさらに構成され、第3のリソースグループの各リソースは1つの第3の信号に対応し、
決定モジュールは、第3のリソースグループ内の第qのリソースおよび第3の対応関係に従って第4のリソースグループ内の第kのリソースを決定するようにさらに構成され、第4のリソースグループは、K個のリソースを含み、Kは1より大きい正の整数であり、第4のリソースグループ内の第kのリソースは、第4のリソースグループ内の少なくとも2つの候補リソースのうちの1つであり、第3のリソースグループ内の第qのリソースは、第4のリソースグループ内の少なくとも2つの候補リソースのそれぞれと第3の対応関係を有し、kの値域は、0＜k≦Kである。
【００１４】
第1の態様を参照すると、第8の実行可能な実施では、決定モジュールは、第1のネットワーク装置が、第3のリソースグループ内の第qのリソースおよび第3の対応関係に従って第4のリソースグループ内の第kのリソースを決定する前に、第3のルールに従って第3のリソースグループ内の第qのリソースを決定するようにさらに構成される。
【００１５】
第1の態様を参照すると、第9の実行可能な実施では、決定モジュールは、具体的には、第3の信号のエネルギーが第3のリソースグループ内において最も強い、検出されたリソースを、第3のリソースグループ内の第qのリソースとして使用するように、または、
第3の信号のエネルギーが第3のリソースグループ内において、第5の予め設定された閾値よりも大きい第1のリソースを、第3のリソースグループ内の第qのリソースとして使用するように、または、
第3の信号の基準信号受信品質RSRQが、第3のリソースグループ内において、第6の予め設定された閾値よりも大きい第1のリソースを、第3のリソースグループ内の第qのリソースとして使用するように、または、
第3のリソースグループ内において巡回冗長コードCRCを第3のリソースグループ内の第qのリソースとして使用して、第3の信号が正しくチェックされたリソースを使用するように構成される。
【００１６】
第1の態様を参照すると、第10の実行可能な実施では、第3の信号はブロードキャストチャネルである。
【００１７】
第1の態様を参照すると、第11の実行可能な実施では、検出モジュールは、決定モジュールが第3の対応関係に従って第4のリソースグループ内の第kのリソースを決定した後、
第4のリソースグループ内の第kのリソース上の第4の信号を検出するようにさらに構成され、第4のリソースグループの各リソースは1つの第4の信号に対応し、
決定モジュールは、第5のリソースグループ内の第kのリソースおよび第4の対応関係に従って第5のリソースグループ内の第jのリソースを決定するようにさらに構成され、第5のリソースグループは、J個のリソースを含み、Jは1より大きい正の整数であり、第5のリソースグループ内の第jのリソースは、第5のリソースグループ内の少なくとも2つの候補リソースのうちの1つであり、第4のリソースグループ内の第kのリソースは、第5のリソースグループ内の少なくとも2つの候補リソースのそれぞれと第4の対応関係を有し、jの値域は、0＜j≦Jである。
【００１８】
第1の態様を参照すると、第12の実行可能な実施では、決定モジュールは、第4のリソースグループ内の第kのリソースおよび第4の対応関係に従って第5のリソースグループ内の第jのリソースを決定する前に、第4のルールに従って第4のリソースグループ内の第kのリソースを決定するようにさらに構成される。
【００１９】
第1の態様を参照すると、第13の実行可能な実施では、決定モジュールは、具体的には、
第4の信号のエネルギーが第4のリソースグループ内において最も強い、検出されたリソースを、第4のリソースグループ内の第kのリソースとして使用するように、または、
第4の信号のエネルギーが第4のリソースグループ内において、第7の予め設定された閾値よりも大きい第1のリソースを、第4のリソースグループ内の第kのリソースとして使用するように、または、
第4の信号の基準信号受信品質RSRQが、第4のリソースグループ内において、第8の予め設定された閾値よりも大きい第1のリソースを、第4のリソースグループ内の第kのリソースとして使用するように、または、
第4のリソースグループ内において巡回冗長コードCRCを第4のリソースグループ内の第kのリソースとして使用して、第4の信号が正しくチェックされたリソースを使用するように構成される。
【００２０】
第1の態様を参照すると、第14の実行可能な実施では、第4の信号はブロードキャストチャネルである。
【００２１】
第1の態様を参照すると、第15の実行可能な実施では、ネットワーク装置は、
決定モジュールが、第4のリソースグループ内の第kのリソースおよび第4の対応関係に従って第5のリソースグループ内の第jのリソースを決定した後、第5のリソースグループ内の第jのリソース上の第5の信号を送信するように構成された送信モジュールをさらに含み、
第5のリソースグループ内の第jのリソースは、第6のリソースグループ内の少なくとも2つの候補リソースのそれぞれと第5の対応関係を有し、第6のリソースグループ内の第rのリソースは、第6のリソースグループ内の少なくとも2つの候補リソースのうちの1つであり、第6のリソースグループはR個のリソースを含み、Rは1より大きい正の整数であり、rの値域は0＜r≦Rである。
【００２２】
第1の態様を参照すると、第16の実行可能な実施では、第5の信号はランダムアクセスチャネルである。
【００２３】
第1の態様を参照すると、第17の実行可能な実施では、検出モジュールは、送信モジュールが第5のリソースグループ内の第jのリソース上の第5の信号を送信した後、
第6のリソースグループ内の第rのリソース上の第6の信号を検出するように構成され、第6のリソースグループの各リソースは1つの第6の信号に対応し、
決定モジュールは、第6のリソースグループ内の第rのリソースおよび第6の対応関係に従って第7のリソースグループ内の第wのリソースを決定するようにさらに構成され、第7のリソースグループは、W個のリソースを含み、Wは1より大きい正の整数であり、第7のリソースグループ内の第wのリソースは、第7のリソースグループ内の少なくとも2つの候補リソースのうちの1つであり、第6のリソースグループ内の第rのリソースは、第7のリソースグループ内の少なくとも2つの候補リソースのそれぞれと第6の対応関係を有し、wの値域は、0＜w≦Wである。
【００２４】
第1の態様を参照すると、第18の実行可能な実施では、決定モジュールは、第6のリソースグループ内の第rのリソースおよび第6の対応関係に従って第7のリソースグループ内の第wのリソースを決定する前に、第6のルールに従って第6のリソースグループ内の第rのリソースを決定するようにさらに構成される。
【００２５】
第1の態様を参照すると、第19の実行可能な実施では、決定モジュールは、具体的には、
第6の信号のエネルギーが第6のリソースグループ内において最も強い、検出されたリソースを、第6のリソースグループ内の第rのリソースとして使用するように、または、
第6の信号のエネルギーが第6のリソースグループ内において、第9の予め設定された閾値よりも大きい第1のリソースを、第6のリソースグループ内の第rのリソースとして使用するように、または、
第6の信号の基準信号受信品質RSRQが、第6のリソースグループ内において、第10の予め設定された閾値よりも大きい第1のリソースを、第6のリソースグループ内の第rのリソースとして使用するように、または、
第6のリソースグループ内において巡回冗長コードCRCを第6のリソースグループ内の第rのリソースとして使用して、第6の信号が正しくチェックされたリソースを使用するように構成される。
【００２６】
第1の態様を参照すると、第20の実行可能な実施では、第6の信号はランダムアクセス応答チャネルである。
【００２７】
第1の態様を参照すると、第21の実行可能な実施では、送信モジュールは、検出モジュールが第6のリソースグループ内の第rのリソース上の第6の信号を検出した後、第7のリソースグループ内の第wのリソース上の第7の信号を送信するようにさらに構成され、
第7のリソースグループ内の第wのリソースは、第8のリソースグループ内の少なくとも2つの候補リソースのそれぞれと第7の対応関係を有し、第8のリソースグループ内の第cのリソースは、第8のリソースグループ内の少なくとも2つの候補リソースのうちの1つであり、第8のリソースグループはC個のリソースを含み、Cは1より大きい正の整数であり、cの値域は0＜c≦Cである。
【００２８】
第1の態様を参照すると、第22の実行可能な実施では、第7の信号はRRC要求メッセージである。
【００２９】
第1の態様を参照すると、第23の実行可能な実施では、検出モジュールは、送信モジュールが第7のリソースグループ内の第wのリソース上の第7の信号を送信した後、
第8のリソースグループ内の第cのリソース上の第8の信号を検出するように構成され、第8のリソースグループの各リソースは1つの第8の信号に対応し、
決定モジュールは、第8のリソースグループ内の第cのリソースおよび第8の対応関係に従って第9のリソースグループ内の第sのリソースを決定するようにさらに構成され、第9のリソースグループは、S個のリソースを含み、Sは1より大きい正の整数であり、第9のリソースグループ内の第sのリソースは、第9のリソースグループ内の少なくとも2つの候補リソースのうちの1つであり、第8のリソースグループ内の第cのリソースは、第9のリソースグループ内の少なくとも2つの候補リソースのそれぞれと第8の対応関係を有し、sの値域は、0＜s≦Sである。
【００３０】
第1の態様を参照すると、第24の実行可能な実施では、決定モジュールは、第8のリソースグループ内の第cのリソースおよび第8の対応関係に従って第9のリソースグループ内の第sのリソースを決定する前に、第7のルールに従って第8のリソースグループ内の第cのリソースを決定するようにさらに構成される。
【００３１】
第1の態様を参照すると、第25の実行可能な実施では、決定モジュールは、具体的には、
第8の信号のエネルギーが第8のリソースグループ内において最も強い、検出されたリソースを、第8のリソースグループ内の第cのリソースとして使用するように、または、
第8の信号のエネルギーが第8のリソースグループ内において、第9の予め設定された閾値よりも大きい第1のリソースを、第8のリソースグループ内の第cのリソースとして使用するように、または、
第8の信号の基準信号受信品質RSRQが、第8のリソースグループ内において、第10の予め設定された閾値よりも大きい第1のリソースを、第8のリソースグループ内の第cのリソースとして使用するように、または、
第8のリソースグループ内において巡回冗長コードCRCを第8のリソースグループ内の第cのリソースとして使用して、第8の信号が正しくチェックされたリソースを使用するように構成される。
【００３２】
第1の態様を参照すると、第26の実行可能な実施では、第8の信号は、RRC要求確認メッセージである。
【００３３】
第1の態様を参照すると、第27の実行可能な実施では、送信モジュールは、検出モジュールが第8のリソースグループ内の第cのリソース上の第8の信号を検出した後、第9のリソースグループ内の第sのリソース上の第9の信号を送信するようにさらに構成され、
検出モジュールは、第9のリソースグループ内の第sのリソース上の第10の信号を検出するようにさらに構成され、
第9のリソースグループの各リソースは、1つの第10の信号に対応する。
【００３４】
第1の態様を参照すると、第28の実行可能な実施では、検出モジュールが第9のリソースグループ内の第sのリソース上の第10の信号を検出した場合、決定モジュールは、検出モジュールが第9のリソースグループ内の第sのリソース上の第10の信号を検出する前に、第8のルールに従って第9のリソースグループ内の第sのリソースを決定するようにさらに構成されている。
【００３５】
第1の態様を参照すると、第29の実行可能な実施では、決定モジュールは、具体的には、
第9の信号のエネルギーが第9のリソースグループ内において最も強い、検出されたリソースを、第9のリソースグループ内の第sのリソースとして使用するように、または、
第9の信号のエネルギーが第9のリソースグループ内において、第11の予め設定された閾値よりも大きい第1のリソースを、第9のリソースグループ内の第sのリソースとして使用するように、または、
第9の信号の基準信号受信品質RSRQが、第9のリソースグループ内において、第12の予め設定された閾値よりも大きい第1のリソースを、第9のリソースグループ内の第sのリソースとして使用するように、または、
第9のリソースグループ内において巡回冗長コードCRCを第9のリソースグループ内の第sのリソースとして使用して、第9の信号が正しくチェックされたリソースを使用するように構成される。
【００３６】
第1の態様を参照すると、第30の実行可能な実施では、第9の信号はアップリンクデータチャネルであり、第10の信号はダウンリンクデータチャネルである。
【００３７】
第1の態様を参照すると、第31の実行可能な実施では、送信モジュールは、決定モジュールが第1の対応関係に従って第2のリソースグループ内の第mのリソースを決定した後、第2のリソースグループ内の第mのリソース上の第11の信号を送信するようにさらに構成される。
【００３８】
第1の態様を参照すると、第32の実行可能な実施では、第1の信号は、システムメッセージ、ランダムアクセス応答チャネル、またはRRC要求確認メッセージのうちの少なくとも1つであり、
第1の信号がシステムメッセージである場合、第2の信号は、ランダムアクセスチャネル、RRC要求メッセージ、またはアップリンクデータチャネルのうちの少なくとも1つであり、
第1の信号がランダムアクセス応答チャネルである場合、第2の信号は、RRC要求メッセージまたはアップリンクデータチャネルのうちの少なくとも1つであり、または、
第1の信号がRRC要求確認メッセージである場合、第2の信号はアップリンクデータチャネルである。
【００３９】
第1の態様を参照すると、第33の実行可能な実施では、第1のリソースグループ内のN個のリソースは、時間ドメインリソース、周波数ドメインリソース、コードリソース、スペースリソース、または電力リソースのうちのいずれか1つのタイプのリソースであり、
第2のリソースグループ内のM個のリソースは、時間ドメインリソース、周波数ドメインリソース、コードリソース、スペースリソース、または電力リソースのうちのいずれか1つのタイプのリソースであり、  第3のリソースグループ内のQ個のリソースは、時間ドメインリソース、周波数ドメインリソース、コードリソース、スペースリソース、または電力リソースのいずれかのタイプのリソースであり、
第4のリソースグループ内のK個のリソースは、時間ドメインリソース、周波数ドメインリソース、コードリソース、スペースリソース、または電力リソースのうちのいずれか1つのタイプのリソースであり、
第5のリソースグループ内のJ個のリソースは、時間ドメインリソース、周波数ドメインリソース、コードリソース、スペースリソース、または電力リソースのうちのいずれかのタイプのリソースであり、
第6のリソースグループ内のR個のリソースは、時間ドメインリソース、周波数ドメインリソース、コードリソース、スペースリソース、または電力リソースのうちのいずれか1つのタイプのリソースであり、
第7のリソースグループ内のW個のリソースは、時間ドメインリソース、周波数ドメインリソース、コードリソース、スペースリソース、または電力リソースのいずれかのタイプのリソースであり、
第8のリソースグループ内のC個のリソースは、時間ドメインリソース、周波数ドメインリソース、コードリソース、スペースリソース、または電力リソースのいずれかのタイプのリソースであり、
または第9のリソースグループ内のS個のリソースは、時間ドメインリソース、周波数ドメインリソース、コードリソース、スペースリソース、または電力リソースのいずれかのタイプのリソースである。
【００４０】
第1の態様を参照すると、第34の実行可能な実施では、第1のリソースグループ内の第nのリソースが時間ドメインリソースであり、第2のリソースグループ内の第mのリソースが時間ドメインリソースである場合、以下の式の
m＝n＋x1が満たされ、
x1は第1のオフセットであり、x1は0以上であり、
第3のリソースグループ内の第qのリソースが時間ドメインリソースである場合、以下の式の
q＝m＋x2が満たされ、
x2は第2のオフセットであり、x2は0以上であり、
第4のリソースグループ内の第kのリソースが時間ドメインリソースである場合、以下の式の
k＝q＋x3が満たされ、
x3は第3のオフセットであり、x3は0以上であり、
第5のリソースグループ内の第jのリソースが時間ドメインリソースである場合、以下の式の
j＝k＋x4が満たされ、
x4は第4のオフセットであり、x4は0以上であり、
第6のリソースグループ内の第rのリソースが時間ドメインリソースである場合、以下の式の
r＝j＋x5が満たされ、
x5は第5のオフセットであり、x5は0以上であり、
第7のリソースグループ内の第wのリソースが時間ドメインリソースの場合、以下の式の
w＝r＋x6が満たされ、
x6は第6のオフセットであり、x6は0以上であり、
第8のリソースグループ内の第cのリソースが時間ドメインリソースである場合、以下の式の
c＝w＋x7が満たされ、
x7は第7のオフセットであり、x7は0以上であり、  第9のリソースグループ内の第sのリソースが時間ドメインリソースである場合、以下の式の
s＝c＋x8が満たされ、
x8は第8のオフセットであり、x8は0以上である。
【００４１】
第1の態様を参照すると、第35の実行可能な実施では、シーケンスリソースは、信号送信シーケンス、信号によって使用される拡散コード、信号によって使用されるスクランブリングコード、または巡回冗長コードCRC処理の間に追加されるマスクのうちのいずれか1つを含む。
【００４２】
第1の態様を参照すると、第36の実行可能な実施では、スペースリソースは、第2のネットワーク装置が信号を送信するときに使用される少なくとも1つのビーム、または送信モジュールが信号を送信するときに使用される少なくとも1つのビームを示し、
第1のリソースグループ内の第nのリソースがスペースリソースである場合、第1の対応関係は、第1のリソースグループ内の第nのリソースに対応するビームの識別子と第2のリソースグループ内の第mのリソースとの対応関係であり、
第2のリソースグループ内の第mのリソースがスペースリソースである場合、第2の対応関係は、第2のリソースグループ内の第mのリソースに対応するビームの識別子と第3のリソースグループ内の第qのリソースとの対応関係であり、
第3のリソースグループ内の第qのリソースがスペースリソースである場合、第3の対応関係は、第3のリソースグループ内の第qのリソースに対応するビームの識別子と第4のリソースグループ内の第kのリソースとの対応関係であり、
第4のリソースグループ内の第kのリソースがスペースリソースである場合、第4の対応関係は、第4のリソースグループ内の第kのリソースに対応するビームの識別子と第5のリソースグループ内の第jのリソースとの対応関係であり、
第5のリソースグループ内の第jのリソースがスペースリソースである場合、第5の対応関係は、第5のリソースグループ内の第jのリソースに対応するビームの識別子と第6のリソースグループ内の第rのリソースとの対応関係であり、
第6のリソースグループ内の第rのリソースがスペースリソースである場合、第6の対応関係は、第6のリソースグループ内の第rのリソースに対応するビームの識別子と前記第7のリソースグループ内の第wのリソースとの対応関係であり、
第7のリソースグループ内の第wのリソースがスペースリソースである場合、第7の対応関係は、第7のリソースグループ内の第wのリソースに対応するビームの識別子と第8のリソースグループ内の第cのリソースとの対応関係であり、
第8のリソースグループ内の第cのリソースがスペースリソースである場合、第7の対応関係は、第8のリソースグループ内の第cのリソースに対応するビームの識別子と第9のリソースグループ内の第sのリソースとの対応関係である。
【００４３】
第1の態様に関して、第37の実行可能な実施では、第1のリソースグループ内の第nのリソースが時間ドメインリソースであり、第2のリソースグループ内の第mのリソースが時間ドメインリソースである場合、または、第1のリソースグループ内の第nのリソースが時間ドメインリソースであり、第2のリソースグループ内の第mのリソースが周波数ドメインリソースである場合、または、第1のリソースグループ内の第nのリソースが周波数ドメインリソースであり、第2のリソースグループ内の第mのリソースが時間ドメインリソースである場合、または、第1のリソースグループ内の第nのリソースが周波数ドメインリソースであり、第2のリソースグループ内の第mのリソースが周波数ドメインリソースである場合、または、第1のリソースグループ内の第nのリソースがコードリソースであり、第2のリソースグループ内の第mのリソースがコードリソースである場合、または、第1のリソースグループ内の第nのリソースがコードリソースであり、第2のリソースグループ内の第mのリソースが時間ドメインリソースである場合、または、第1のリソースグループ内の第nのリソースがコードリソースであり、第2のリソースグループ内の第mのリソースが周波数ドメインリソースである場合、または、第1のリソースグループ内の第nのリソースが周波数ドメインリソースであり、第2のリソースグループ内の第mのリソースがコードリソースである場合、または、第1のリソースグループ内の第nのリソースが時間ドメインリソースであり、第2のリソースグループ内の第mのリソースがコードリソースである場合、
第1の対応関係は、第1のリソースグループ内の第nのリソースと第2のリソースグループ内の第mのリソースとの間に確立された第1のインデックスであって、無線フレームインデックス、サブフレームインデックス、またはシンボルインデックスのうちの少なくとも1つの第1のインデックスであり、
第2のリソースグループ内の第mのリソースが時間ドメインリソースであり、第3のリソースグループ内の第qのリソースが時間ドメインリソースである場合、または、第2のリソースグループ内の第mのリソースが時間ドメインリソースであり、第3のリソースグループ内の第qのリソースが周波数ドメインリソースである場合、または、第2のリソースグループ内の第mのリソースが周波数ドメインリソースであり、第3のリソースグループ内の第qのリソースが時間ドメインリソースである場合、または、第2のリソースグループ内の第mのリソースが周波数ドメインリソースであり、第3のリソースグループ内の第qのリソースが周波数ドメインリソースである場合、または、第2のリソースグループ内の第mのリソースがコードリソースであり、第3のリソースグループ内の第qのリソースがコードリソースである場合、または、第2のリソースグループ内の第mのリソースがコードリソースであり、第3のリソースグループ内の第qのリソースが時間ドメインリソースである場合、または、第2のリソースグループ内の第mのリソースがコードリソースであり、第3のリソースグループ内の第qのリソースが周波数ドメインリソースである場合、または、第2のリソースグループ内の第mのリソースが周波数ドメインリソースであり、第3のリソースグループ内の第qのリソースがコードリソースである場合、または、第2のリソースグループ内の第mのリソースが時間ドメインリソースであり、第3のリソースグループ内の第qのリソースがコードリソースである場合、
第2の対応関係は、第2のリソースグループ内の第mのリソースと第3のリソースグループ内の第qのリソースとの間に確立された第2のインデックスであって、無線フレームインデックス、サブフレームインデックス、またはシンボルインデックスのうちの少なくとも1つの第2のインデックスであり、
第3のリソースグループ内の第qのリソースが時間ドメインリソースであり、第4のリソースグループ内の第kのリソースが時間ドメインリソースである場合、または、第3のリソースグループ内の第qのリソースが時間ドメインリソースであり、第4のリソースグループ内の第kのリソースが周波数ドメインリソースである場合、または、第3のリソースグループ内の第qのリソースが周波数ドメインリソースであり、第4のリソースグループ内の第kのリソースが時間ドメインリソースである場合、または、第3のリソースグループ内の第qのリソースが周波数ドメインリソースであり、第4のリソースグループ内の第kのリソースが周波数ドメインリソースである場合、または、第3のリソースグループ内の第qのリソースがコードリソースであり、第4のリソースグループ内の第kのリソースがコードリソースである場合、または、第3のリソースグループ内の第qのリソースがコードリソースであり、第4のリソースグループ内の第kのリソースが時間ドメインリソースである場合、または、第3のリソースグループ内の第qのリソースがコードリソースであり、第4のリソースグループ内の第kのリソースが周波数ドメインリソースである場合、または、第3のリソースグループ内の第qのリソースが周波数ドメインリソースであり、第4のリソースグループ内の第kのリソースがコードリソースである場合、または、第3のリソースグループ内の第qのリソースが時間ドメインリソースであり、第4のリソースグループ内の第kのリソースがコードリソースである場合、
第3の対応関係は、第3のリソースグループ内の第qのリソースと第4のリソースグループ内の第kのリソースとの間に確立された第3のインデックスであって、無線フレームインデックス、サブフレームインデックス、またはシンボルインデックスのうちの少なくとも1つの第3のインデックスであり、
第4のリソースグループ内の第kのリソースが時間ドメインリソースであり、第5のリソースグループ内の第jのリソースが時間ドメインリソースである場合、または、第4のリソースグループ内の第kのリソースが時間ドメインリソースであり、第5のリソースグループ内の第jのリソースが周波数ドメインリソースである場合、または、第4のリソースグループ内の第kのリソースが周波数ドメインリソースであり、第5のリソースグループ内の第jのリソースが時間ドメインリソースである場合、または、第4のリソースグループ内の第kのリソースが周波数ドメインリソースであり、第5のリソースグループ内の第jのリソースが周波数ドメインリソースである場合、または、第4のリソースグループ内の第kのリソースがコードリソースであり、第5のリソースグループ内の第jのリソースがコードリソースである場合、または、第4のリソースグループ内の第kのリソースがコードリソースであり、第5のリソースグループ内の第jのリソースが時間ドメインリソースである場合、または、第4のリソースグループ内の第kのリソースがコードリソースであり、第5のリソースグループ内の第jのリソースが周波数ドメインリソースである場合、または、第4のリソースグループ内の第kのリソースが周波数ドメインリソースであり、第5のリソースグループ内の第jのリソースがコードリソースである場合、または、第4のリソースグループ内の第kのリソースが時間ドメインリソースであり、第5のリソースグループ内の第jのリソースがコードリソースである場合、
第4の対応関係は、第4のリソースグループ内の第kのリソースと第5のリソースグループ内の第jのリソースとの間に確立された第4のインデックスであって、無線フレームインデックス、サブフレームインデックス、またはシンボルインデックスのうちの少なくとも1つの第4のインデックスであり、
第5のリソースグループ内の第jのリソースが時間ドメインリソースであり、第6のリソースグループ内の第rのリソースが時間ドメインリソースである場合、または、第5のリソースグループ内の第jのリソースが時間ドメインリソースであり、第6のリソースグループ内の第rのリソースが周波数ドメインリソースである場合、または、第5のリソースグループ内の第jのリソースが周波数ドメインリソースであり、第6のリソースグループ内の第rのリソースが時間ドメインリソースである場合、または、第5のリソースグループ内の第jのリソースが周波数ドメインリソースであり、第6のリソースグループ内の第rのリソースが周波数ドメインリソースである場合、または、第5のリソースグループ内の第jのリソースがコードリソースであり、第6のリソースグループ内の第rのリソースがコードリソースである場合、または、第5のリソースグループ内の第jのリソースがコードリソースであり、第6のリソースグループ内の第rのリソースが時間ドメインリソースである場合、または、第5のリソースグループ内の第jのリソースがコードリソースであり、第6のリソースグループ内の第rのリソースが周波数ドメインリソースである場合、または、第5のリソースグループ内の第jのリソースが周波数ドメインリソースであり、第6のリソースグループ内の第rのリソースがコードリソースである場合、または、第5のリソースグループ内の第jのリソースが時間ドメインリソースであり、第6のリソースグループ内の第rのリソースがコードリソースである場合、
第5の対応関係は、第5のリソースグループ内の第jのリソースと第6のリソースグループ内の第rのリソースとの間に確立された第5のインデックスであって、無線フレームインデックス、サブフレームインデックス、またはシンボルインデックスのうちの少なくとも1つの第5のインデックスであり、
第6のリソースグループ内の第rのリソースが時間ドメインリソースであり、第7のリソースグループ内の第wのリソースが時間ドメインリソースである場合、または、第6のリソースグループ内の第rのリソースが時間ドメインリソースであり、第7のリソースグループ内の第wのリソースが周波数ドメインリソースである場合、または、第6のリソースグループ内の第rのリソースが周波数ドメインリソースであり、第7のリソースグループ内の第wのリソースが時間ドメインリソースである場合、または、第6のリソースグループ内の第rのリソースが周波数ドメインリソースであり、第7のリソースグループ内の第wのリソースが周波数ドメインリソースである場合、または、第6のリソースグループ内の第rのリソースがコードリソースであり、第7のリソースグループ内の第wのリソースがコードリソースである場合、または、第6のリソースグループ内の第rのリソースがコードリソースであり、第7のリソースグループ内の第wのリソースが時間ドメインリソースである場合、または、第6のリソースグループ内の第rのリソースがコードリソースであり、第7のリソースグループ内の第wのリソースが周波数ドメインリソースである場合、または、第6のリソースグループ内の第rのリソースが周波数ドメインリソースであり、第7のリソースグループ内の第wのリソースがコードリソースである場合、または、第6のリソースグループ内の第rのリソースが時間ドメインリソースであり、第7のリソースグループ内の第wのリソースがコードリソースである場合、
第6の対応関係は、第6のリソースグループ内の第rのリソースと第7のリソースグループ内の第wのリソースとの間に確立された第6のインデックスであって、無線フレームインデックス、サブフレームインデックス、またはシンボルインデックスのうちの少なくとも1つの第6のインデックスであり、
第7のリソースグループ内の第wのリソースが時間ドメインリソースであり、第8のリソースグループ内の第cのリソースが時間ドメインリソースである場合、または、第7のリソースグループ内の第wのリソースが時間ドメインリソースであり、第8のリソースグループ内の第cのリソースが周波数ドメインリソースである場合、または、第7のリソースグループ内の第wのリソースが周波数ドメインリソースであり、第8のリソースグループ内の第cのリソースが時間ドメインリソースである場合、または、第7のリソースグループ内の第wのリソースが周波数ドメインリソースであり、第8のリソースグループ内の第cのリソースが周波数ドメインリソースである場合、または、第7のリソースグループ内の第wのリソースがコードリソースであり、第8のリソースグループ内の第cのリソースがコードリソースである場合、または、第7のリソースグループ内の第wのリソースがコードリソースであり、第8のリソースグループ内の第cのリソースが時間ドメインリソースである場合、または、第7のリソースグループ内の第wのリソースがコードリソースであり、第8のリソースグループ内の第cのリソースが周波数ドメインリソースである場合、または、第7のリソースグループ内の第wのリソースが周波数ドメインリソースであり、第8のリソースグループ内の第cのリソースがコードリソースである場合、または、第7のリソースグループ内の第wのリソースが時間ドメインリソースであり、第8のリソースグループ内の第cのリソースがコードリソースである場合、
第7の対応関係は、第7のリソースグループ内の第wのリソースと第8のリソースグループ内の第cのリソースとの間に確立された第7のインデックスであって、無線フレームインデックス、サブフレームインデックス、またはシンボルインデックスのうちの少なくとも1つの第7のインデックスであり、
第8のリソースグループ内の第cのリソースが時間ドメインリソースであり、第9のリソースグループ内の第sのリソースが時間ドメインリソースである場合、または、第8のリソースグループ内の第cのリソースが時間ドメインリソースであり、第9のリソースグループ内の第sのリソースが周波数ドメインリソースである場合、または、第8のリソースグループ内の第cのリソースが周波数ドメインリソースであり、第9のリソースグループ内の第sのリソースが時間ドメインリソースである場合、または、第8のリソースグループ内の第cのリソースが周波数ドメインリソースであり、第9のリソースグループ内の第sのリソースが周波数ドメインリソースである場合、または、第8のリソースグループ内の第cのリソースがコードリソースであり、第9のリソースグループ内の第sのリソースがコードリソースである場合、または、第8のリソースグループ内の第cのリソースがコードリソースであり、第9のリソースグループ内の第sのリソースが時間ドメインリソースである場合、または、第8のリソースグループ内の第cのリソースがコードリソースであり、第9のリソースグループ内の第sのリソースが周波数ドメインリソースである場合、または、第8のリソースグループ内の第cのリソースが周波数ドメインリソースであり、第9のリソースグループ内の第sのリソースがコードリソースである場合、または、第8のリソースグループ内の第cのリソースが時間ドメインリソースであり、第9のリソースグループ内の第sのリソースがコードリソースである場合、
第8の対応関係は、第8のリソースグループ内の第cのリソースと第9のリソースグループ内の第sのリソースとの間に確立された第8のインデックスであって、無線フレームインデックス、サブフレームインデックス、またはシンボルインデックスのうちの少なくとも1つの第8のインデックスである。
【００４４】
本発明の第2の態様は、ネットワーク装置を提供し、ネットワーク装置は、第1のリソースグループ内の第1の信号を送信するように構成された送信モジュールを含み、
第1のリソースグループはN個のリソースを含み、Nは1より大きい正の整数であり、第1のリソースグループの各リソースは1つの第1の信号に対応し、
第1のリソースグループ内の第nのリソースは、第2のリソースグループ内の第mのリソースと第1の対応関係を有し、第2のリソースグループは、M個のリソースを含み、Mは1より大きい正の整数であり、第2のリソースグループ内の第mのリソースは、第2のリソースグループの少なくとも2つの候補リソースのうちの1つであり、第1のリソースグループ内の第nのリソースは、第2のリソースグループの少なくとも2つの候補リソースのそれぞれと第1の対応関係を有し、mの値域は0＜m≦Mであり、nの値域は0＜n≦Nである。
【００４５】
第2の態様を参照すると、第1の実行可能な実施では、送信モジュールは、第1のリソースグループ内の第1の信号を送信した後、第2のリソースグループ内の第2の信号を送信するように構成され、第2のリソースグループの各リソースは1つの第2の信号に対応し、
第2のリソースグループ内の第mのリソースは、第3のリソースグループ内の第qのリソースと第2の対応関係を有し、第3のリソースグループは、Q個のリソースを含み、Qは1より大きい正の整数であり、第3のリソースグループ内の第qのリソースは、第3のリソースグループの少なくとも2つの候補リソースのうちの1つであり、第2のリソースグループ内の第mのリソースは、第3のリソースグループの少なくとも2つの候補リソースのそれぞれと第2の対応関係を有し、qの値域は、0＜q≦Qである。
【００４６】
第2の態様に関して、第2の実行可能な実施では、第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
第1の信号が同期チャネルである場合、第2の信号は、測定パイロット信号、ブロードキャストチャネル、システムメッセージ、ランダムアクセス応答チャネル、RRC要求確認メッセージ、またはダウンリンクデータチャネルの少なくとも1つであり、
第1の信号が測定パイロット信号である場合、第2の信号は、ブロードキャストチャネル、システムメッセージ、ランダムアクセス応答チャネル、RRC要求確認メッセージ、またはダウンリンクデータチャネルのうちの少なくとも1つであり、
第1の信号がブロードキャストチャネルである場合、第2の信号は、システムメッセージ、ランダムアクセス応答チャネル、RRC要求確認メッセージ、またはダウンリンクデータチャネルのうちの少なくとも1つであり、
第1の信号がシステムメッセージである場合、第2の信号は、ランダムアクセス応答チャネル、RRC要求確認メッセージ、またはダウンリンクデータチャネルのうちの少なくとも1つであり、
第1の信号がランダムアクセス応答チャネルである場合、第2の信号は、RRC要求確認応答メッセージまたはダウンリンクデータチャネルのうちの少なくとも1つであり、または、
第1の信号がRRC要求確認メッセージである場合、第2の信号はダウンリンクデータチャネルである。
【００４７】
第2の態様を参照すると、第3の実行可能な実施では、送信モジュールは、第2のリソースグループ内の第2の信号を送信した後、第3のリソースグループ上の第3の信号を送信するように構成され、第3のリソースグループの各リソースは1つの第3の信号に対応し、
第3のリソースグループ内の第qのリソースは、第4のリソースグループ内の第kのリソースと第3の対応関係を有し、第4のリソースグループは、K個のリソースを含み、Kは1より大きい正の整数であり、第4のリソースグループ内の第kのリソースは、第4のリソースグループの少なくとも2つの候補リソースのうちの1つであり、第3のリソースグループ内の第qのリソースは、第4のリソースグループの少なくとも2つの候補リソースのそれぞれと第3の対応関係を有し、kの値域は、0＜k≦Kである。
【００４８】
第2の態様を参照すると、第4の実行可能な実施では、第3の信号はブロードキャストチャネルである。
【００４９】
第2の態様を参照すると、第5の実行可能な実施では、送信モジュールは、第3のリソースグループ上の第3の信号を送信した後、第4のリソースグループ上の第4の信号を送信するようにさらに構成され、第4のリソースグループの各リソースは1つの第4の信号に対応し、
第4のリソースグループ内の第kのリソースは、第5のリソースグループ内の第jのリソースと第4の対応関係を有し、第5のリソースグループは、J個のリソースを含み、Jは1より大きい正の整数であり、第5のリソースグループ内の第jのリソースは、第5のリソースグループの少なくとも2つの候補リソースのうちの1つであり、第4のリソースグループ内の第kのリソースは、第5のリソースグループの少なくとも2つの候補リソースのそれぞれと第4の対応関係を有し、jの値域は、0＜j≦Jである。
【００５０】
第2の態様を参照すると、第6の実行可能な実施では、第4の信号はシステムメッセージである。
【００５１】
第2の態様を参照すると、第7の実行可能な実施では、ネットワーク装置は、
送信モジュールが第4のリソースグループ上の第4の信号を送信した後、第5のリソースグループ内の第jのリソース上で、第1のネットワーク装置によって送信された第5の信号を検出するように構成された検出モジュールであって、第5のリソースグループの各リソースは、1つの第5の信号に対応する、検出モジュールと、
第5のリソースグループ内の第jのリソースおよび第5の対応関係に従って、第6のリソースグループ内の第rのリソースを決定するように構成された決定モジュールとを含み、第6のリソースグループはR個のリソースを含み、Rは1より大きい正の整数であり、第6のリソースグループ内の第rのリソースは第6のリソースグループ内の少なくとも2つの候補リソースのうちの1つであり、rの値域は0＜r≦Rである。
【００５２】
第2の態様を参照すると、第8の実行可能な実施では、第5の信号はランダムアクセスチャネルである。
【００５３】
第2の態様を参照すると、第9の実行可能な実施では、送信モジュールは、第5の信号が、第5のリソースグループ内の第jのリソース上で送信された後、第6のリソースグループ上の第6の信号を送信するようにさらに構成され、第6のリソースグループの各リソースは1つの第6の信号に対応し、
第6のリソースグループ内の第rのリソースは、第7のリソースグループ内の第wのリソースと第6の対応関係を有し、第7のリソースグループは、W個のリソースを含み、Wは1より大きい正の整数であり、第7のリソースグループ内の第wのリソースは、第7のリソースグループ内の少なくとも2つの候補リソースのうちの1つであり、第6のリソースグループ内の第rのリソースは、第7のリソースグループ内の少なくとも2つの候補リソースのそれぞれと第6の対応関係を有し、wの値域は、0＜w≦Wである。
【００５４】
第2の態様を参照すると、第10の実行可能な実施では、第6の信号はランダムアクセス応答チャネルである。
【００５５】
第2の態様を参照すると、第11の実行可能な実施では、検出モジュールは、送信モジュールが第6のリソースグループ上の第6の信号を送信した後、第7のリソースグループ内の第wのリソース上で、第1のネットワーク装置によって送信された第7の信号を検出するようにさらに構成され、第7のリソースグループの各リソースは、1つの第7の信号に対応し、
決定モジュールは、第7のリソースグループ内の第wのリソースおよび第7の対応関係に従って、第8のリソースグループ内の第cのリソースを決定するようにさらに構成され、第8のリソースグループはC個のリソースを含み、Cは1より大きい正の整数であり、第8のリソースグループ内の第cのリソースは第8のリソースグループ内の少なくとも2つの候補リソースのうちの1つであり、cの値域は0＜c≦Cである。
【００５６】
第2の態様を参照すると、第12の実行可能な実施では、第7の信号はRRC要求メッセージである。
【００５７】
第2の態様を参照すると、第13の実行可能な実施では、送信モジュールは、検出モジュールが、第1のネットワーク装置によって送信された第7の信号を、第7のリソースグループ内の第wのリソース上で検出した後、第8のリソースグループ内の第cのリソース上の第8の信号を送信するようにさらに構成され、第8のリソースグループの各リソースが1つの第8の信号に対応し、
第8のリソースグループ内の第cのリソースは、第9のリソースグループ内の第sのリソースと第8の対応関係を有し、第9のリソースグループは、S個のリソースを含み、Sは1より大きい正の整数であり、第9のリソースグループ内の第sのリソースは、第9のリソースグループ内の少なくとも2つの候補リソースのうちの1つであり、第8のリソースグループ内の第cのリソースは、第9のリソースグループ内の少なくとも2つの候補リソースのそれぞれと第8の対応関係を有し、sの値域は、0＜s≦Sである。
【００５８】
第2の態様を参照すると、第14の実行可能な実施では、第8の信号は、RRC要求確認メッセージである。
【００５９】
第2の態様を参照すると、第15の実行可能な実施では、検出モジュールは、送信モジュールが第8のリソースグループ内の第cのリソース上の第8の信号を送信した後、第9のリソースグループ内の第sのリソース上で第9の信号を検出するようにさらに構成され、
送信モジュールは、第9のリソースグループ内の第sのリソース上の第10の信号を送信するようにさらに構成され、第9のリソースグループの各リソースは、1つの第10の信号に対応する。
【００６０】
第2の態様を参照すると、第16の実行可能な実施では、第9の信号はアップリンクデータチャネルであり、第10の信号はダウンリンクデータチャネルである。
【００６１】
第2の態様を参照すると、第17の実行可能な実施では、検出モジュールは、送信モジュールが第1のリソースグループ内の第1の信号を送信した後、第2のリソースグループ内の第mのリソース上で、第1のネットワーク装置によって送信された第11の信号を検出するようにさらに構成される。
【００６２】
第2の態様を参照すると、第18の実行可能な実施では、第1の信号は、システムメッセージ、ランダムアクセス応答チャネル、またはRRC要求確認メッセージのうちの少なくとも1つであり、
第1の信号がシステムメッセージである場合、第2の信号は、ランダムアクセスチャネル、RRC要求メッセージ、またはアップリンクデータチャネルのうちの少なくとも1つであり、
第1の信号がランダムアクセス応答チャネルである場合、第2の信号は、RRC要求メッセージまたはアップリンクデータチャネルのうちの少なくとも1つであり、または、
第1の信号がRRC要求確認メッセージである場合、第2の信号はアップリンクデータチャネルである。
【００６３】
第2の態様を参照すると、第19の実行可能な実施では、第1のリソースグループ内のN個のリソースは、時間ドメインリソース、周波数ドメインリソース、コードリソース、スペースリソース、または電力リソースのうちのいずれか1つのタイプのリソースであり、
第2のリソースグループ内のM個のリソースは、時間ドメインリソース、周波数ドメインリソース、コードリソース、スペースリソース、または電力リソースのうちのいずれか1つのタイプのリソースであり、
第3のリソースグループ内のQ個のリソースは、時間ドメインリソース、周波数ドメインリソース、コードリソース、スペースリソース、または電力リソースのいずれかのタイプのリソースであり、
第4のリソースグループ内のK個のリソースは、時間ドメインリソース、周波数ドメインリソース、コードリソース、スペースリソース、または電力リソースのうちのいずれか1つのタイプのリソースであり、
第5のリソースグループ内のJ個のリソースは、時間ドメインリソース、周波数ドメインリソース、コードリソース、スペースリソース、または電力リソースのうちのいずれかのタイプのリソースであり、
第6のリソースグループ内のR個のリソースは、時間ドメインリソース、周波数ドメインリソース、コードリソース、スペースリソース、または電力リソースのうちのいずれか1つのタイプのリソースであり、
第7のリソースグループ内のW個のリソースは、時間ドメインリソース、周波数ドメインリソース、コードリソース、スペースリソース、または電力リソースのいずれかのタイプのリソースであり、
第8のリソースグループ内のC個のリソースは、時間ドメインリソース、周波数ドメインリソース、コードリソース、スペースリソース、または電力リソースのいずれかのタイプのリソースであり、または、
第9のリソースグループ内のS個のリソースは、時間ドメインリソース、周波数ドメインリソース、コードリソース、スペースリソース、または電力リソースのいずれかのタイプのリソースである。
【００６４】
第2の態様を参照すると、第20の実行可能な実施では、第1のリソースグループ内の第nのリソースが時間ドメインリソースであり、第2のリソースグループ内の第mのリソースが時間ドメインリソースである場合、以下の式の
m＝n＋x1が満たされ、
x1は第1のオフセットであり、x1は0以上であり、
第3のリソースグループ内の第qのリソースが時間ドメインリソースである場合、以下の式の
q＝m＋x2が満たされ、
x2は第2のオフセットであり、x2は0以上であり、
第4のリソースグループ内の第kのリソースが時間ドメインリソースである場合、以下の式の
k＝q＋x3が満たされ、  x3は第3のオフセットであり、x3は0以上であり、
第5のリソースグループ内の第jのリソースが時間ドメインリソースである場合、以下の式の
j＝k＋x4が満たされ、
x4は第4のオフセットであり、x4は0以上であり、
第6のリソースグループ内の第rのリソースが時間ドメインリソースである場合、以下の式の
r＝j＋x5が満たされ、
x5は第5のオフセットであり、x5は0以上であり、
第7のリソースグループ内の第wのリソースが時間ドメインリソースの場合、以下の式の
w＝r＋x6が満たされ、
x6は第6のオフセットであり、x6は0以上であり、
第8のリソースグループ内の第cのリソースが時間ドメインリソースである場合、以下の式の
c＝w＋x7が満たされ、
x7は第7のオフセットであり、x7は0以上であり、
第9のリソースグループ内の第sのリソースが時間ドメインリソースである場合、以下の式の
s＝c＋x8が満たされ、
x8は第8のオフセットであり、x8は0以上である。
【００６５】
第2の態様を参照すると、第21の実行可能な実施では、シーケンスリソースは、信号送信シーケンス、信号によって使用される拡散コード、信号によって使用されるスクランブリングコード、または巡回冗長コードCRC処理の間に追加されるマスクのうちのいずれか1つを含む。
【００６６】
第2の態様を参照すると、第22の実行可能な実施では、スペースリソースは、第2のネットワーク装置が信号を送信するときに使用される少なくとも1つのビーム、または第1のネットワーク装置が信号を送信するときに使用される少なくとも1つのビームを示し、
第1のリソースグループ内の第nのリソースがスペースリソースである場合、第1の対応関係は、第1のリソースグループ内の第nのリソースに対応するビームの識別子と第2のリソースグループ内の第mのリソースとの対応関係であり、
第2のリソースグループ内の第mのリソースがスペースリソースである場合、第2の対応関係は、第2のリソースグループ内の第mのリソースに対応するビームの識別子と第3のリソースグループ内の第qのリソースとの対応関係であり、
第3のリソースグループ内の第qのリソースがスペースリソースである場合、第3の対応関係は、第3のリソースグループ内の第qのリソースに対応するビームの識別子と第4のリソースグループ内の第kのリソースとの対応関係であり、
第4のリソースグループ内の第kのリソースがスペースリソースである場合、第4の対応関係は、第4のリソースグループ内の第kのリソースに対応するビームの識別子と第5のリソースグループ内の第jのリソースとの対応関係であり、
第5のリソースグループ内の第jのリソースがスペースリソースである場合、第5の対応関係は、第5のリソースグループ内の第jのリソースに対応するビームの識別子と第6のリソースグループ内の第rのリソースとの対応関係であり、
第6のリソースグループ内の第rのリソースがスペースリソースである場合、第6の対応関係は、第6のリソースグループ内の第rのリソースに対応するビームの識別子と前記第7のリソースグループ内の第wのリソースとの対応関係であり、
第7のリソースグループ内の第wのリソースがスペースリソースである場合、第7の対応関係は、第7のリソースグループ内の第wのリソースに対応するビームの識別子と第8のリソースグループ内の第cのリソースとの対応関係であり、  第8のリソースグループ内の第cのリソースがスペースリソースである場合、第8の対応関係は、第8のリソースグループ内の第cのリソースに対応するビームの識別子と第9のリソースグループ内の第sのリソースとの対応関係である。
【００６７】
第2の態様に関して、第23の実行可能な実施では、第1のリソースグループ内の第nのリソースが時間ドメインリソースであり、第2のリソースグループ内の第mのリソースが時間ドメインリソースである場合、または、第1のリソースグループ内の第nのリソースが時間ドメインリソースであり、第2のリソースグループ内の第mのリソースが周波数ドメインリソースである場合、または、第1のリソースグループ内の第nのリソースが周波数ドメインリソースであり、第2のリソースグループ内の第mのリソースが時間ドメインリソースである場合、または、第1のリソースグループ内の第nのリソースが周波数ドメインリソースであり、第2のリソースグループ内の第mのリソースが周波数ドメインリソースである場合、または、第1のリソースグループ内の第nのリソースがコードリソースであり、第2のリソースグループ内の第mのリソースがコードリソースである場合、または、第1のリソースグループ内の第nのリソースがコードリソースであり、第2のリソースグループ内の第mのリソースが時間ドメインリソースである場合、または、第1のリソースグループ内の第nのリソースがコードリソースであり、第2のリソースグループ内の第mのリソースが周波数ドメインリソースである場合、または、第1のリソースグループ内の第nのリソースが周波数ドメインリソースであり、第2のリソースグループ内の第mのリソースがコードリソースである場合、または、第1のリソースグループ内の第nのリソースが時間ドメインリソースであり、第2のリソースグループ内の第mのリソースがコードリソースである場合、
第1の対応関係は、第1のリソースグループ内の第nのリソースと第2のリソースグループ内の第mのリソースとの間に確立された第1のインデックスであって、無線フレームインデックス、サブフレームインデックス、またはシンボルインデックスのうちの少なくとも1つの第1のインデックスであり、
第2のリソースグループ内の第mのリソースが時間ドメインリソースであり、第3のリソースグループ内の第qのリソースが時間ドメインリソースである場合、または、第2のリソースグループ内の第mのリソースが時間ドメインリソースであり、第3のリソースグループ内の第qのリソースが周波数ドメインリソースである場合、または、第2のリソースグループ内の第mのリソースが周波数ドメインリソースであり、第3のリソースグループ内の第qのリソースが時間ドメインリソースである場合、または、第2のリソースグループ内の第mのリソースが周波数ドメインリソースであり、第3のリソースグループ内の第qのリソースが周波数ドメインリソースである場合、または、第2のリソースグループ内の第mのリソースがコードリソースであり、第3のリソースグループ内の第qのリソースがコードリソースである場合、または、第2のリソースグループ内の第mのリソースがコードリソースであり、第3のリソースグループ内の第qのリソースが時間ドメインリソースである場合、または、第2のリソースグループ内の第mのリソースがコードリソースであり、第3のリソースグループ内の第qのリソースが周波数ドメインリソースである場合、または、第2のリソースグループ内の第mのリソースが周波数ドメインリソースであり、第3のリソースグループ内の第qのリソースがコードリソースである場合、または、第2のリソースグループ内の第mのリソースが時間ドメインリソースであり、第3のリソースグループ内の第qのリソースがコードリソースである場合、
第2の対応関係は、第2のリソースグループ内の第mのリソースと第3のリソースグループ内の第qのリソースとの間に確立された第2のインデックスであって、無線フレームインデックス、サブフレームインデックス、またはシンボルインデックスのうちの少なくとも1つの第2のインデックスであり、
第3のリソースグループ内の第qのリソースが時間ドメインリソースであり、第4のリソースグループ内の第kのリソースが時間ドメインリソースである場合、または、第3のリソースグループ内の第qのリソースが時間ドメインリソースであり、第4のリソースグループ内の第kのリソースが周波数ドメインリソースである場合、または、第3のリソースグループ内の第qのリソースが周波数ドメインリソースであり、第4のリソースグループ内の第kのリソースが時間ドメインリソースである場合、または、第3のリソースグループ内の第qのリソースが周波数ドメインリソースであり、第4のリソースグループ内の第kのリソースが周波数ドメインリソースである場合、または、第3のリソースグループ内の第qのリソースがコードリソースであり、第4のリソースグループ内の第kのリソースがコードリソースである場合、または、第3のリソースグループ内の第qのリソースがコードリソースであり、第4のリソースグループ内の第kのリソースが時間ドメインリソースである場合、または、第3のリソースグループ内の第qのリソースがコードリソースであり、第4のリソースグループ内の第kのリソースが周波数ドメインリソースである場合、または、第3のリソースグループ内の第qのリソースが周波数ドメインリソースであり、第4のリソースグループ内の第kのリソースがコードリソースである場合、または、第3のリソースグループ内の第qのリソースが時間ドメインリソースであり、第4のリソースグループ内の第kのリソースがコードリソースである場合、
第3の対応関係は、第3のリソースグループ内の第qのリソースと第4のリソースグループ内の第kのリソースとの間に確立された第3のインデックスであって、無線フレームインデックス、サブフレームインデックス、またはシンボルインデックスのうちの少なくとも1つの第3のインデックスであり、
第4のリソースグループ内の第kのリソースが時間ドメインリソースであり、第5のリソースグループ内の第jのリソースが時間ドメインリソースである場合、または、第4のリソースグループ内の第kのリソースが時間ドメインリソースであり、第5のリソースグループ内の第jのリソースが周波数ドメインリソースである場合、または、第4のリソースグループ内の第kのリソースが周波数ドメインリソースであり、第5のリソースグループ内の第jのリソースが時間ドメインリソースである場合、または、第4のリソースグループ内の第kのリソースが周波数ドメインリソースであり、第5のリソースグループ内の第jのリソースが周波数ドメインリソースである場合、または、第4のリソースグループ内の第kのリソースがコードリソースであり、第5のリソースグループ内の第jのリソースがコードリソースである場合、または、第4のリソースグループ内の第kのリソースがコードリソースであり、第5のリソースグループ内の第jのリソースが時間ドメインリソースである場合、または、第4のリソースグループ内の第kのリソースがコードリソースであり、第5のリソースグループ内の第jのリソースが周波数ドメインリソースである場合、または、第4のリソースグループ内の第kのリソースが周波数ドメインリソースであり、第5のリソースグループ内の第jのリソースがコードリソースである場合、または、第4のリソースグループ内の第kのリソースが時間ドメインリソースであり、第5のリソースグループ内の第jのリソースがコードリソースである場合、
第4の対応関係は、第4のリソースグループ内の第kのリソースと第5のリソースグループ内の第jのリソースとの間に確立された第4のインデックスであって、無線フレームインデックス、サブフレームインデックス、またはシンボルインデックスのうちの少なくとも1つの第4のインデックスであり、
第5のリソースグループ内の第jのリソースが時間ドメインリソースであり、第6のリソースグループ内の第rのリソースが時間ドメインリソースである場合、または、第5のリソースグループ内の第jのリソースが時間ドメインリソースであり、第6のリソースグループ内の第rのリソースが周波数ドメインリソースである場合、または、第5のリソースグループ内の第jのリソースが周波数ドメインリソースであり、第6のリソースグループ内の第rのリソースが時間ドメインリソースである場合、または、第5のリソースグループ内の第jのリソースが周波数ドメインリソースであり、第6のリソースグループ内の第rのリソースが周波数ドメインリソースである場合、または、第5のリソースグループ内の第jのリソースがコードリソースであり、第6のリソースグループ内の第rのリソースがコードリソースである場合、または、第5のリソースグループ内の第jのリソースがコードリソースであり、第6のリソースグループ内の第rのリソースが時間ドメインリソースである場合、または、第5のリソースグループ内の第jのリソースがコードリソースであり、第6のリソースグループ内の第rのリソースが周波数ドメインリソースである場合、または、第5のリソースグループ内の第jのリソースが周波数ドメインリソースであり、第6のリソースグループ内の第rのリソースがコードリソースである場合、または、第5のリソースグループ内の第jのリソースが時間ドメインリソースであり、第6のリソースグループ内の第rのリソースがコードリソースである場合、
第5の対応関係は、第5のリソースグループ内の第jのリソースと第6のリソースグループ内の第rのリソースとの間に確立された第5のインデックスであって、無線フレームインデックス、サブフレームインデックス、またはシンボルインデックスのうちの少なくとも1つの第5のインデックスであり、
第6のリソースグループ内の第rのリソースが時間ドメインリソースであり、第7のリソースグループ内の第wのリソースが時間ドメインリソースである場合、または、第6のリソースグループ内の第rのリソースが時間ドメインリソースであり、第7のリソースグループ内の第wのリソースが周波数ドメインリソースである場合、または、第6のリソースグループ内の第rのリソースが周波数ドメインリソースであり、第7のリソースグループ内の第wのリソースが時間ドメインリソースである場合、または、第6のリソースグループ内の第rのリソースが周波数ドメインリソースであり、第7のリソースグループ内の第wのリソースが周波数ドメインリソースである場合、または、第6のリソースグループ内の第rのリソースがコードリソースであり、第7のリソースグループ内の第wのリソースがコードリソースである場合、または、第6のリソースグループ内の第rのリソースがコードリソースであり、第7のリソースグループ内の第wのリソースが時間ドメインリソースである場合、または、第6のリソースグループ内の第rのリソースがコードリソースであり、第7のリソースグループ内の第wのリソースが周波数ドメインリソースである場合、または、第6のリソースグループ内の第rのリソースが周波数ドメインリソースであり、第7のリソースグループ内の第wのリソースがコードリソースである場合、または、第6のリソースグループ内の第rのリソースが時間ドメインリソースであり、第7のリソースグループ内の第wのリソースがコードリソースである場合、
第6の対応関係は、第6のリソースグループ内の第rのリソースと第7のリソースグループ内の第wのリソースとの間に確立された第6のインデックスであって、無線フレームインデックス、サブフレームインデックス、またはシンボルインデックスのうちの少なくとも1つの第6のインデックスであり、
第7のリソースグループ内の第wのリソースが時間ドメインリソースであり、第8のリソースグループ内の第cのリソースが時間ドメインリソースである場合、または、第7のリソースグループ内の第wのリソースが時間ドメインリソースであり、第8のリソースグループ内の第cのリソースが周波数ドメインリソースである場合、または、第7のリソースグループ内の第wのリソースが周波数ドメインリソースであり、第8のリソースグループ内の第cのリソースが時間ドメインリソースである場合、または、第7のリソースグループ内の第wのリソースが周波数ドメインリソースであり、第8のリソースグループ内の第cのリソースが周波数ドメインリソースである場合、または、第7のリソースグループ内の第wのリソースがコードリソースであり、第8のリソースグループ内の第cのリソースがコードリソースである場合、または、第7のリソースグループ内の第wのリソースがコードリソースであり、第8のリソースグループ内の第cのリソースが時間ドメインリソースである場合、または、第7のリソースグループ内の第wのリソースがコードリソースであり、第8のリソースグループ内の第cのリソースが周波数ドメインリソースである場合、または、第7のリソースグループ内の第wのリソースが周波数ドメインリソースであり、第8のリソースグループ内の第cのリソースがコードリソースである場合、または、第7のリソースグループ内の第wのリソースが時間ドメインリソースであり、第8のリソースグループ内の第cのリソースがコードリソースである場合、
第7の対応関係は、第7のリソースグループ内の第wのリソースと第8のリソースグループ内の第cのリソースとの間に確立された第7のインデックスであって、無線フレームインデックス、サブフレームインデックス、またはシンボルインデックスのうちの少なくとも1つの第7のインデックスであり、
第8のリソースグループ内の第cのリソースが時間ドメインリソースであり、第9のリソースグループ内の第sのリソースが時間ドメインリソースである場合、または、第8のリソースグループ内の第cのリソースが時間ドメインリソースであり、第9のリソースグループ内の第sのリソースが周波数ドメインリソースである場合、または、第8のリソースグループ内の第cのリソースが周波数ドメインリソースであり、第9のリソースグループ内の第sのリソースが時間ドメインリソースである場合、または、第8のリソースグループ内の第cのリソースが周波数ドメインリソースであり、第9のリソースグループ内の第sのリソースが周波数ドメインリソースである場合、または、第8のリソースグループ内の第cのリソースがコードリソースであり、第9のリソースグループ内の第sのリソースがコードリソースである場合、または、第8のリソースグループ内の第cのリソースがコードリソースであり、第9のリソースグループ内の第sのリソースが時間ドメインリソースである場合、または、第8のリソースグループ内の第cのリソースがコードリソースであり、第9のリソースグループ内の第sのリソースが周波数ドメインリソースである場合、または、第8のリソースグループ内の第cのリソースが周波数ドメインリソースであり、第9のリソースグループ内の第sのリソースがコードリソースである場合、または、第8のリソースグループ内の第cのリソースが時間ドメインリソースであり、第9のリソースグループ内の第sのリソースがコードリソースである場合、
第8の対応関係は、第8のリソースグループ内の第cのリソースと第9のリソースグループ内の第sのリソースとの間に確立された第8のインデックスであって、無線フレームインデックス、サブフレームインデックス、またはシンボルインデックスのうちの少なくとも1つの第8のインデックスである。
【００６８】
本発明の第3の態様は、第1の態様のいずれか1つによる少なくとも1つのネットワーク装置と、第1の態様の実行可能な実施とを含む信号伝送システムと、第2の態様および第2の態様の実行可能な実施のいずれか1つによる少なくとも1つのネットワーク装置と、を提供する。
【００６９】
本発明の第4の態様は信号伝送方法を提供し、信号伝送方法は、
第1のリソースグループ内の第1のネットワーク装置により、第2のネットワーク装置によって送信された第1の信号を検出するステップであって、第1のリソースグループはN個のリソースを含み、Nは1より大きい正の整数であり、第1のリソースグループの各リソースは1つの第1の信号に対応する、ステップと、
第1のネットワーク装置により、第1のリソースグループ内の第nのリソースおよび第1の対応関係に従って第2のリソースグループ内の第mのリソースを決定するステップとを含み、第2のリソースグループは、M個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。
【００７０】
第4の態様を参照すると、第1の実行可能な実施では、第1のネットワーク装置によって、第1のリソースグループ内の第nのリソースおよび第1の対応関係に従って第2のリソースグループ内の第mのリソースを決定するステップの前に、本方法は、
第1のネットワーク装置によって、第1のルールに従って第1のリソースグループ内の第nのリソースを決定するステップをさらに含む。
【００７１】
第4の態様を参照すると、第2の実行可能な実施では、第1のネットワーク装置によって、第1のリソースグループ内の第nのリソースを第1のルールに従って決定するステップは、  第1のネットワーク装置によって、第1の信号のエネルギーが第1のリソースグループ内において最も強い、検出されたリソースを、第1のリソースグループ内の第nのリソースとして使用するステップ、または、
第1のネットワーク装置によって、第1の信号のエネルギーが第1のリソースグループ内において、第1の予め設定された閾値よりも大きい第1のリソースを、第1のリソースグループ内の第nのリソースとして使用するステップ、または
第1のネットワーク装置によって、第1の信号の基準信号受信品質RSRQが、第1のリソースグループ内において、第2の予め設定された閾値よりも大きい第1のリソースを、第1のリソースグループ内の第nのリソースとして使用するステップ、または、
第1のネットワーク装置によって、第1のリソースグループ内において巡回冗長コードCRCを第1のリソースグループ内の第nのリソースとして使用して、第1の信号が正しくチェックされたリソースを使用するステップを含む。
【００７２】
第4の態様を参照すると、第3の実行可能な実施では、第1のネットワーク装置によって、第1のリソースグループ内の第nのリソースおよび第1の対応関係に従って第2のリソースグループ内の第mのリソースを決定するステップの後、本方法は、
第1のネットワーク装置によって、第2のリソースグループ内の第mのリソース上で、第2のネットワーク装置によって送信される第2の信号を検出するステップであって、第2のリソースグループの各リソースは1つの第2の信号に対応する、ステップと、
第1のネットワーク装置によって、第2のリソースグループ内の第mのリソースおよび第2の対応関係に従って第3のリソースグループ内の第qのリソースを決定するステップを含み、第3のリソースグループは、Q個のリソースを含み、Qは1より大きい正の整数であり、第3のリソースグループ内の第qのリソースは、第3のリソースグループ内の少なくとも2つの候補リソースのうちの1つであり、第2のリソースグループ内の第mのリソースは、第3のリソースグループ内の少なくとも2つの候補リソースのそれぞれと第2の対応関係を有し、qの値域は、0＜q≦Qである。
【００７３】
第4の態様を参照すると、第4の実行可能な実施では、第1のネットワーク装置によって、第2のリソースグループ内の第mのリソースおよび第2の対応関係に従って第3のリソースグループ内の第qのリソースを決定するステップの前に、本方法は、
第1のネットワーク装置によって、第2のルールに従って第2のリソースグループ内の第mのリソースを決定するステップをさらに含む。
【００７４】
第4の態様を参照すると、第5の実行可能な実施では、第1のネットワーク装置によって、第2のリソースグループ内の第mのリソースを第2のルールに従って決定するステップは、
第1のネットワーク装置によって、第2の信号のエネルギーが第2のリソースグループ内において最も強い、検出されたリソースを、第2のリソースグループ内の第mのリソースとして使用するステップ、または、
第1のネットワーク装置によって、第2の信号のエネルギーが第2のリソースグループ内において、第3の予め設定された閾値よりも大きい第1のリソースを、第2のリソースグループ内の第mのリソースとして使用するステップ、または、
第1のネットワーク装置によって、第2の信号の基準信号受信品質RSRQが、第2のリソースグループ内において、第4の予め設定された閾値よりも大きい第1のリソースを、第2のリソースグループ内の第mのリソースとして使用するステップ、または、
第1のネットワーク装置によって、第2のリソースグループ内において巡回冗長コードCRCを第2のリソースグループ内の第mのリソースとして使用して、第2の信号が正しくチェックされたリソースを使用するステップを含む。
【００７５】
第4の態様に関して、第6の実行可能な実施では、第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
第1の信号が同期チャネルである場合、第2の信号は、測定パイロット信号、ブロードキャストチャネル、システムメッセージ、ランダムアクセス応答チャネル、RRC要求確認メッセージ、またはダウンリンクデータチャネルの少なくとも1つであり、
第1の信号が測定パイロット信号である場合、第2の信号は、ブロードキャストチャネル、システムメッセージ、ランダムアクセス応答チャネル、RRC要求確認メッセージ、またはダウンリンクデータチャネルのうちの少なくとも1つであり、
第1の信号がブロードキャストチャネルである場合、第2の信号は、システムメッセージ、ランダムアクセス応答チャネル、RRC要求確認メッセージ、またはダウンリンクデータチャネルのうちの少なくとも1つであり、
第1の信号がシステムメッセージである場合、第2の信号は、ランダムアクセス応答チャネル、RRC要求確認メッセージ、またはダウンリンクデータチャネルのうちの少なくとも1つであり、
第1の信号がランダムアクセス応答チャネルである場合、第2の信号は、RRC要求確認応答メッセージまたはダウンリンクデータチャネルのうちの少なくとも1つであり、または
第1の信号がRRC要求確認メッセージである場合、第2の信号はダウンリンクデータチャネルである。
【００７６】
第4の態様を参照すると、第7の実行可能な実施では、第1のネットワーク装置によって、第2のリソースグループ内の第mのリソースおよび第2の対応関係に従って第3のリソースグループ内の第qのリソースを決定するステップの後、本方法は、
第1のネットワーク装置によって、第3のリソースグループ内の第qのリソース上で、第2のネットワーク装置によって送信される第3の信号を検出するステップであって、第3のリソースグループの各リソースは1つの第3の信号に対応する、ステップと、
第1のネットワーク装置によって、第3のリソースグループ内の第qのリソースおよび第3の対応関係に従って第4のリソースグループ内の第kのリソースを決定するステップとを含み、第4のリソースグループは、K個のリソースを含み、Kは1より大きい正の整数であり、第4のリソースグループ内の第kのリソースは、第4のリソースグループ内の少なくとも2つの候補リソースのうちの1つであり、第3のリソースグループ内の第qのリソースは、第4のリソースグループ内の少なくとも2つの候補リソースのそれぞれと第3の対応関係を有し、kの値域は、0＜k≦Kである。
【００７７】
第4の態様を参照すると、第8の実行可能な実施では、第1のネットワーク装置によって、第3のリソースグループ内の第qのリソースおよび第3の対応関係に従って第4のリソースグループ内の第kのリソースを決定するステップの前に、本方法は、
第1のネットワーク装置によって、第3のルールに従って第3のリソースグループ内の第qのリソースを決定するステップをさらに含む。
【００７８】
第4の態様を参照すると、第9の実行可能な実施では、第1のネットワーク装置によって、第3のリソースグループ内の第qのリソースを第3のルールに従って決定するステップは、
第1のネットワーク装置によって、第3の信号のエネルギーが第3のリソースグループ内において最も強い、検出されたリソースを、第3のリソースグループ内の第qのリソースとして使用するステップ、または、
第1のネットワーク装置によって、第3の信号のエネルギーが第3のリソースグループ内において、第5の予め設定された閾値よりも大きい第1のリソースを、第3のリソースグループ内の第qのリソースとして使用するステップ、または、
第1のネットワーク装置によって、第3の信号の基準信号受信品質RSRQが、第3のリソースグループ内において、第6の予め設定された閾値よりも大きい第1のリソースを、第3のリソースグループ内の第qのリソースとして使用するステップ、または、
第1のネットワーク装置によって、第3のリソースグループ内において巡回冗長コードCRCを第3のリソースグループ内の第qのリソースとして使用して、第3の信号が正しくチェックされたリソースを使用するステップを含む。
【００７９】
第4の態様を参照すると、第10の実行可能な実施では、第3の信号はブロードキャストチャネルである。
【００８０】
第4の態様を参照すると、第11の実行可能な実施では、第1のネットワーク装置によって、第3の対応関係に従って第4のリソースグループ内の第kのリソースを決定するステップの後、本方法は、
第1のネットワーク装置によって、第4のリソースグループ内の第kのリソース上の第4の信号を検出するステップであって、第4のリソースグループの各リソースは1つの第4の信号に対応する、ステップと、
第1のネットワーク装置によって、第5のリソースグループ内の第jのリソースおよび第4の対応関係に従って第5のリソースグループ内の第jのリソースを決定するステップとを含み、第5のリソースグループは、J個のリソースを含み、Jは1より大きい正の整数であり、第5のリソースグループ内の第jのリソースは、第5のリソースグループ内の少なくとも2つの候補リソースのうちの1つであり、第4のリソースグループ内の第kのリソースは、第5のリソースグループ内の少なくとも2つの候補リソースのそれぞれと第4の対応関係を有し、jの値域は、0＜j≦Jである。
【００８１】
第4の態様を参照すると、第12の実行可能な実施では、第1のネットワーク装置によって、第4のリソースグループ内の第kのリソースおよび第4の対応関係に従って第5のリソースグループ内の第jのリソースを決定するステップの前に、本方法は、
第1のネットワーク装置によって、第4のルールに従って第4のリソースグループ内の第kのリソースを決定するステップをさらに含む。
【００８２】
第4の態様を参照すると、第13の実行可能な実施では、
第1のネットワーク装置によって、第4のリソースグループ内の第kのリソースを第4のルールに従って決定するステップは、第1のネットワーク装置によって、第4の信号のエネルギーが第4のリソースグループ内において最も強い、検出されたリソースを、第4のリソースグループ内の第kのリソースとして使用するステップ、または、
第1のネットワーク装置によって、第4の信号のエネルギーが第4のリソースグループ内において、第7の予め設定された閾値よりも大きい第1のリソースを、第4のリソースグループ内の第kのリソースとして使用するステップ、または
第1のネットワーク装置によって、第4の信号の基準信号受信品質RSRQが、第4のリソースグループ内において、第8の予め設定された閾値よりも大きい第1のリソースを、第4のリソースグループ内の第kのリソースとして使用するステップ、または、
第1のネットワーク装置によって、第4のリソースグループ内において巡回冗長コードCRCを第4のリソースグループ内の第kのリソースとして使用して、第4の信号が正しくチェックされたリソースを使用するステップを含む。
【００８３】
第4の態様を参照すると、第14の実行可能な実施では、第4の信号はブロードキャストチャネルである。
【００８４】
第4の態様を参照すると、第15の実行可能な実施では、第1のネットワーク装置によって、第4のリソースグループ内の第kのリソースおよび第4の対応関係に従って第5のリソースグループ内の第jのリソースを決定するステップの後、本方法は、  第1のネットワーク装置によって、第5のリソースグループ内の第jのリソース上の第5の信号を送信するステップであって、
第5のリソースグループ内の第jのリソースは、第6のリソースグループ内の少なくとも2つの候補リソースのそれぞれと第5の対応関係を有し、第6のリソースグループ内の第rのリソースは、第6のリソースグループ内の少なくとも2つの候補リソースのうちの1つであり、第6のリソースグループはR個のリソースを含み、Rは1より大きい正の整数であり、rの値域は0＜r≦Rである。
【００８５】
第4の態様を参照すると、第16の実行可能な実施では、第5の信号はランダムアクセスチャネルである。
【００８６】
第4の態様を参照すると、第17の実行可能な実施では、第1のネットワーク装置によって、第5のリソースグループ内の第jのリソース上の第5の信号を送信するステップの後、本方法は、
第1のネットワーク装置によって、第6のリソースグループ内の第rのリソース上の第6の信号を検出するステップであって、第6のリソースグループの各リソースは1つの第6の信号に対応する、ステップと、
第1のネットワーク装置によって、第6のリソースグループ内の第rのリソースおよび第6の対応関係に従って第7のリソースグループ内の第wのリソースを決定するステップとを含み、第7のリソースグループは、W個のリソースを含み、Wは1より大きい正の整数であり、第7のリソースグループ内の第wのリソースは、第7のリソースグループ内の少なくとも2つの候補リソースのうちの1つであり、第6のリソースグループ内の第rのリソースは、第7のリソースグループ内の少なくとも2つの候補リソースのそれぞれと第6の対応関係を有し、wの値域は、0＜w≦Wである。
【００８７】
第4の態様を参照すると、第18の実行可能な実施では、第1のネットワーク装置によって、第6のリソースグループ内の第rのリソースおよび第6の対応関係に従って第7のリソースグループ内の第wのリソースを決定するステップの前に、本方法は、
第1のネットワーク装置によって、第6のルールに従って第6のリソースグループ内の第rのリソースを決定するステップをさらに含む。
【００８８】
第4の態様を参照すると、第19の実行可能な実施では、第1のネットワーク装置によって、第6のリソースグループ内の第rのリソースを第6のルールに従って決定するステップは、
第1のネットワーク装置によって、第6の信号のエネルギーが第6のリソースグループ内において最も強い、検出されたリソースを、第6のリソースグループ内の第rのリソースとして使用するステップ、または、
第1のネットワーク装置によって、第6の信号のエネルギーが第6のリソースグループ内において、第9の予め設定された閾値よりも大きい第1のリソースを、第6のリソースグループ内の第rのリソースとして使用するステップ、または
第1のネットワーク装置によって、第6の信号の基準信号受信品質RSRQが、第6のリソースグループ内において、第10の予め設定された閾値よりも大きい第1のリソースを、第6のリソースグループ内の第rのリソースとして使用するステップ、または、
第1のネットワーク装置によって、第6のリソースグループ内において巡回冗長コードCRCを第6のリソースグループ内の第kのリソースとして使用して、第6の信号が正しくチェックされたリソースを使用するステップと、を含む。
【００８９】
第4の態様を参照すると、第20の実行可能な実施では、第6の信号はランダムアクセス応答チャネルである。
【００９０】
第4の態様を参照すると、第21の実行可能な実施では、第1のネットワーク装置によって、第6のリソースグループ内の第rのリソース上の第6の信号を検出するステップの後、本方法は、
第1のネットワーク装置によって、第7のリソースグループ内の第wのリソース上の第7の信号を送信するステップをさらに含み、
第7のリソースグループ内の第wのリソースは、第8のリソースグループ内の少なくとも2つの候補リソースのそれぞれと第7の対応関係を有し、第8のリソースグループ内の第cのリソースは、第8のリソースグループ内の少なくとも2つの候補リソースのうちの1つであり、第8のリソースグループはC個のリソースを含み、Cは1より大きい正の整数であり、cの値域は0＜c≦Cである。
【００９１】
第4の態様を参照すると、第22の実行可能な実施では、第7の信号は、RRC要求メッセージである。
【００９２】
第4の態様を参照すると、第23の実行可能な実施では、第1のネットワーク装置によって第7のリソースグループ内の第wのリソース上で第7の信号を送信するステップの後、本方法は、
第1のネットワーク装置によって、第8のリソースグループ内の第cのリソース上の第8の信号を検出するステップであって、第8のリソースグループの各リソースは1つの第8の信号に対応する、ステップと、
第8のリソースグループ内の第cのリソースおよび第8の対応関係に従って第9のリソースグループ内の第sのリソースを決定するステップをさらに含み、第9のリソースグループは、S個のリソースを含み、Sは1より大きい正の整数であり、第9のリソースグループ内の第sのリソースは、第9のリソースグループ内の少なくとも2つの候補リソースのうちの1つであり、第8のリソースグループ内の第cのリソースは、第9のリソースグループ内の少なくとも2つの候補リソースのそれぞれと第8の対応関係を有し、sの値域は、0＜s≦Sである。
【００９３】
第4の態様を参照すると、第24の実行可能な実施では、第1のネットワーク装置によって、第8のリソースグループ内の第cのリソースおよび第8の対応関係に従って第9のリソースグループ内の第sのリソースを決定するステップの前に、本方法は、
第1のネットワーク装置によって、第7のルールに従って第8のリソースグループ内の第cのリソースを決定するステップをさらに含む。
【００９４】
第4の態様を参照すると、第25の実行可能な実施では、第1のネットワーク装置によって、第8のリソースグループ内の第cのリソースを第7のルールに従って決定するステップは、
第1のネットワーク装置によって、第8の信号のエネルギーが第8のリソースグループ内において最も強い、検出されたリソースを、第8のリソースグループ内の第cのリソースとして使用するステップ、または、
第1のネットワーク装置によって、第8の信号のエネルギーが第8のリソースグループ内において、第9の予め設定された閾値よりも大きい第1のリソースを、第8のリソースグループ内の第cのリソースとして使用するステップ、または、
第1のネットワーク装置によって、第8の信号の基準信号受信品質RSRQが、第8のリソースグループ内において、第10の予め設定された閾値よりも大きい第1のリソースを、第8のリソースグループ内の第cのリソースとして使用するステップ、または、
第1のネットワーク装置によって、第8のリソースグループ内において巡回冗長コードCRCを第8のリソースグループ内の第cのリソースとして使用して、第8の信号が正しくチェックされたリソースを使用するステップを含む。
【００９５】
第4の態様を参照すると、第26の実行可能な実施では、第8の信号は、RRC要求確認メッセージである。
【００９６】
第4の態様を参照すると、第27の実行可能な実施では、第1のネットワーク装置によって、第8のリソースグループ内の第cのリソース上の第8の信号を検出するステップの後、本方法は、
第1のネットワーク装置によって、第9のリソースグループ内の第sのリソース上の第9の信号または第10の信号を送信または検出するステップであって、
第9のリソースグループの各リソースは、1つの第10の信号に対応する、ステップをさらに含む。
【００９７】
第4の態様を参照すると、第28の実行可能な実施において、第1のネットワーク装置が第9のリソースグループ内の第sのリソース上の第10の信号を検出した場合、第1のネットワーク装置によって、第9のリソースグループ内の第sのリソース上の第10の信号を検出する前に、本方法は、
第1のネットワーク装置によって、第8のルールに従って、第9のリソースグループ内の第sのリソースを決定するステップをさらに含む。
【００９８】
第4の態様を参照すると、第29の実行可能な実施では、第1のネットワーク装置によって、第9のリソースグループ内の第sのリソースを第8のルールに従って決定するステップは、
第1のネットワーク装置によって、第9の信号のエネルギーが第9のリソースグループ内において最も強い、検出されたリソースを、第9のリソースグループ内の第sのリソースとして使用するステップ、または、
第1のネットワーク装置によって、第9の信号のエネルギーが第9のリソースグループ内において、第11の予め設定された閾値よりも大きい第1のリソースを、第9のリソースグループ内の第sのリソースとして使用するステップ、または、
第1のネットワーク装置によって、第9の信号の基準信号受信品質RSRQが、第9のリソースグループ内において、第12の予め設定された閾値よりも大きい第1のリソースを、第9のリソースグループ内の第sのリソースとして使用するステップ、または、
第1のネットワーク装置によって、第9のリソースグループ内において巡回冗長コードCRCを第9のリソースグループ内の第sのリソースとして使用して、第9の信号が正しくチェックされたリソースを使用するステップを含む。
【００９９】
第4の態様を参照すると、第30の実行可能な実施では、第9の信号はアップリンクデータチャネルであり、第10の信号はダウンリンクデータチャネルである。
【０１００】
第4の態様を参照すると、第31の実行可能な実施では、第1のネットワーク装置によって、第2のリソースグループ内の第mのリソースを第1の対応関係に従って決定するステップの後、本方法は、
第1のネットワーク装置によって、第2のリソースグループ内の第mのリソース上の第11の信号を送信するステップをさらに含む。
【０１０１】
第4の態様を参照すると、第32の実行可能な実施では、第1の信号は、システムメッセージ、ランダムアクセス応答チャネル、またはRRC要求確認メッセージのうちの少なくとも1つであり、
第1の信号がシステムメッセージである場合、第2の信号は、ランダムアクセスチャネル、RRC要求メッセージ、またはアップリンクデータチャネルのうちの少なくとも1つであり、
第1の信号がランダムアクセス応答チャネルである場合、第2の信号は、RRC要求メッセージまたはアップリンクデータチャネルのうちの少なくとも1つであり、または第1の信号がRRC要求確認メッセージである場合、第2の信号はアップリンクデータチャネルである。
【０１０２】
第4の態様を参照すると、第33の実行可能な実施では、第1のリソースグループ内のN個のリソースは、時間ドメインリソース、周波数ドメインリソース、コードリソース、スペースリソース、または電力リソースのうちのいずれか1つのタイプのリソースであり、
第2のリソースグループ内のM個のリソースは、時間ドメインリソース、周波数ドメインリソース、コードリソース、スペースリソース、または電力リソースのうちのいずれか1つのタイプのリソースであり、
第3のリソースグループ内のQ個のリソースは、時間ドメインリソース、周波数ドメインリソース、コードリソース、スペースリソース、または電力リソースのいずれかのタイプのリソースであり、
第4のリソースグループ内のK個のリソースは、時間ドメインリソース、周波数ドメインリソース、コードリソース、スペースリソース、または電力リソースのうちのいずれか1つのタイプのリソースであり、
第5のリソースグループ内のJ個のリソースは、時間ドメインリソース、周波数ドメインリソース、コードリソース、スペースリソース、または電力リソースのうちのいずれかのタイプのリソースであり、
第6のリソースグループ内のR個のリソースは、時間ドメインリソース、周波数ドメインリソース、コードリソース、スペースリソース、または電力リソースのうちのいずれか1つのタイプのリソースであり、
第7のリソースグループ内のW個のリソースは、時間ドメインリソース、周波数ドメインリソース、コードリソース、スペースリソース、または電力リソースのいずれかのタイプのリソースであり、
第8のリソースグループ内のC個のリソースは、時間ドメインリソース、周波数ドメインリソース、コードリソース、スペースリソース、または電力リソースのいずれかのタイプのリソースであり、または、
第9のリソースグループ内のS個のリソースは、時間ドメインリソース、周波数ドメインリソース、コードリソース、スペースリソース、または電力リソースのいずれかのタイプのリソースである。
【０１０３】
第4の態様を参照すると、第34の実行可能な実施では、第1のリソースグループ内の第nのリソースが時間ドメインリソースであり、第2のリソースグループ内の第mのリソースが時間ドメインリソースである場合、以下の式の
m＝n＋x1が満たされ、
x1は第1のオフセットであり、x1は0以上であり、
第3のリソースグループ内の第qのリソースが時間ドメインリソースである場合、以下の式の
q＝m＋x2が満たされ、
x2は第2のオフセットであり、x2は0以上であり、
第4のリソースグループ内の第kのリソースが時間ドメインリソースである場合、以下の式の
k＝q＋x3が満たされ、
x3は第3のオフセットであり、x3は0以上であり、
第5のリソースグループ内の第jのリソースが時間ドメインリソースである場合、以下の式の
j＝k＋x4が満たされ、
x4は第4のオフセットであり、x4は0以上であり、
第6のリソースグループ内の第rのリソースが時間ドメインリソースである場合、以下の式の  r＝j＋x5が満たされ、
x5は第5のオフセットであり、x5は0以上であり、
第7のリソースグループ内の第wのリソースが時間ドメインリソースの場合、以下の式の
w＝r＋x6が満たされ、
x6は第6のオフセットであり、x6は0以上であり、
第8のリソースグループ内の第cのリソースが時間ドメインリソースである場合、以下の式の
c＝w＋x7が満たされ、
x7は第7のオフセットであり、x7は0以上であり、
第9のリソースグループ内の第sのリソースが時間ドメインリソースである場合、以下の式の
s＝c＋x8が満たされ、
x8は第8のオフセットであり、x8は0以上である。
【０１０４】
第4の態様を参照すると、第35の実行可能な実施では、シーケンスリソースは、信号送信シーケンス、信号によって使用される拡散コード、信号によって使用されるスクランブリングコード、または巡回冗長コードCRC処理の間に追加されるマスクのうちのいずれか1つを含む。
【０１０５】
第4の態様を参照すると、第36の実行可能な実施では、スペースリソースは、第2のネットワーク装置が信号を送信するときに使用される少なくとも1つのビーム、または第1のネットワーク装置が信号を送信するときに使用される少なくとも1つのビームを示し、
第1のリソースグループ内の第nのリソースがスペースリソースである場合、第1の対応関係は、第1のリソースグループ内の第nのリソースに対応するビームの識別子と第2のリソースグループ内の第mのリソースとの対応関係であり、
第2のリソースグループ内の第mのリソースがスペースリソースである場合、第2の対応関係は、第2のリソースグループ内の第mのリソースに対応するビームの識別子と第3のリソースグループ内の第qのリソースとの対応関係であり、
第3のリソースグループ内の第qのリソースがスペースリソースである場合、第3の対応関係は、第3のリソースグループ内の第qのリソースに対応するビームの識別子と第4のリソースグループ内の第kのリソースとの対応関係であり、
第4のリソースグループ内の第kのリソースがスペースリソースである場合、第4の対応関係は、第4のリソースグループ内の第kのリソースに対応するビームの識別子と第5のリソースグループ内の第jのリソースとの対応関係であり、
第5のリソースグループ内の第jのリソースがスペースリソースである場合、第5の対応関係は、第5のリソースグループ内の第jのリソースに対応するビームの識別子と第6のリソースグループ内の第rのリソースとの対応関係であり、
第6のリソースグループ内の第rのリソースがスペースリソースである場合、第6の対応関係は、第6のリソースグループ内の第rのリソースに対応するビームの識別子と前記第7のリソースグループ内の第wのリソースとの対応関係であり、
第7のリソースグループ内の第wのリソースがスペースリソースである場合、第7の対応関係は、第7のリソースグループ内の第wのリソースに対応するビームの識別子と第8のリソースグループ内の第cのリソースとの対応関係であり、
第8のリソースグループ内の第cのリソースがスペースリソースである場合、第7の対応関係は、第8のリソースグループ内の第cのリソースに対応するビームの識別子と第9のリソースグループ内の第sのリソースとの対応関係である。
【０１０６】
第4の態様に関して、第37の実行可能な実施では、第1のリソースグループ内の第nのリソースが時間ドメインリソースであり、第2のリソースグループ内の第mのリソースが時間ドメインリソースである場合、または、第1のリソースグループ内の第nのリソースが時間ドメインリソースであり、第2のリソースグループ内の第mのリソースが周波数ドメインリソースである場合、または、第1のリソースグループ内の第nのリソースが周波数ドメインリソースであり、第2のリソースグループ内の第mのリソースが時間ドメインリソースである場合、または、第1のリソースグループ内の第nのリソースが周波数ドメインリソースであり、第2のリソースグループ内の第mのリソースが周波数ドメインリソースである場合、または、第1のリソースグループ内の第nのリソースがコードリソースであり、第2のリソースグループ内の第mのリソースがコードリソースである場合、または、第1のリソースグループ内の第nのリソースがコードリソースであり、第2のリソースグループ内の第mのリソースが時間ドメインリソースである場合、または、第1のリソースグループ内の第nのリソースがコードリソースであり、第2のリソースグループ内の第mのリソースが周波数ドメインリソースである場合、または、第1のリソースグループ内の第nのリソースが周波数ドメインリソースであり、第2のリソースグループ内の第mのリソースがコードリソースである場合、または、第1のリソースグループ内の第nのリソースが時間ドメインリソースであり、第2のリソースグループ内の第mのリソースがコードリソースである場合、
第1の対応関係は、第1のリソースグループ内の第nのリソースと第2のリソースグループ内の第mのリソースとの間に確立された第1のインデックスであって、無線フレームインデックス、サブフレームインデックス、またはシンボルインデックスのうちの少なくとも1つの第1のインデックスであり、
第2のリソースグループ内の第mのリソースが時間ドメインリソースであり、第3のリソースグループ内の第qのリソースが時間ドメインリソースである場合、または、第2のリソースグループ内の第mのリソースが時間ドメインリソースであり、第3のリソースグループ内の第qのリソースが周波数ドメインリソースである場合、または、第2のリソースグループ内の第mのリソースが周波数ドメインリソースであり、第3のリソースグループ内の第qのリソースが時間ドメインリソースである場合、または、第2のリソースグループ内の第mのリソースが周波数ドメインリソースであり、第3のリソースグループ内の第qのリソースが周波数ドメインリソースである場合、または、第2のリソースグループ内の第mのリソースがコードリソースであり、第3のリソースグループ内の第qのリソースがコードリソースである場合、または、第2のリソースグループ内の第mのリソースがコードリソースであり、第3のリソースグループ内の第qのリソースが時間ドメインリソースである場合、または、第2のリソースグループ内の第mのリソースがコードリソースであり、第3のリソースグループ内の第qのリソースが周波数ドメインリソースである場合、または、第2のリソースグループ内の第mのリソースが周波数ドメインリソースであり、第3のリソースグループ内の第qのリソースがコードリソースである場合、または、第2のリソースグループ内の第mのリソースが時間ドメインリソースであり、第3のリソースグループ内の第qのリソースがコードリソースである場合、
第2の対応関係は、第2のリソースグループ内の第mのリソースと第3のリソースグループ内の第qのリソースとの間に確立された第2のインデックスであって、無線フレームインデックス、サブフレームインデックス、またはシンボルインデックスのうちの少なくとも1つの第2のインデックスであり、
第3のリソースグループ内の第qのリソースが時間ドメインリソースであり、第4のリソースグループ内の第kのリソースが時間ドメインリソースである場合、または、第3のリソースグループ内の第qのリソースが時間ドメインリソースであり、第4のリソースグループ内の第kのリソースが周波数ドメインリソースである場合、または、第3のリソースグループ内の第qのリソースが周波数ドメインリソースであり、第4のリソースグループ内の第kのリソースが時間ドメインリソースである場合、または、第3のリソースグループ内の第qのリソースが周波数ドメインリソースであり、第4のリソースグループ内の第kのリソースが周波数ドメインリソースである場合、または、第3のリソースグループ内の第qのリソースがコードリソースであり、第4のリソースグループ内の第kのリソースがコードリソースである場合、または、第3のリソースグループ内の第qのリソースがコードリソースであり、第4のリソースグループ内の第kのリソースが時間ドメインリソースである場合、または、第3のリソースグループ内の第qのリソースがコードリソースであり、第4のリソースグループ内の第kのリソースが周波数ドメインリソースである場合、または、第3のリソースグループ内の第qのリソースが周波数ドメインリソースであり、第4のリソースグループ内の第kのリソースがコードリソースである場合、または、第3のリソースグループ内の第qのリソースが時間ドメインリソースであり、第4のリソースグループ内の第kのリソースがコードリソースである場合、
第3の対応関係は、第3のリソースグループ内の第qのリソースと第4のリソースグループ内の第kのリソースとの間に確立された第3のインデックスであって、無線フレームインデックス、サブフレームインデックス、またはシンボルインデックスのうちの少なくとも1つの第3のインデックスであり、
第4のリソースグループ内の第kのリソースが時間ドメインリソースであり、第5のリソースグループ内の第jのリソースが時間ドメインリソースである場合、または、第4のリソースグループ内の第kのリソースが時間ドメインリソースであり、第5のリソースグループ内の第jのリソースが周波数ドメインリソースである場合、または、第4のリソースグループ内の第kのリソースが周波数ドメインリソースであり、第5のリソースグループ内の第jのリソースが時間ドメインリソースである場合、または、第4のリソースグループ内の第kのリソースが周波数ドメインリソースであり、第5のリソースグループ内の第jのリソースが周波数ドメインリソースである場合、または、第4のリソースグループ内の第kのリソースがコードリソースであり、第5のリソースグループ内の第jのリソースがコードリソースである場合、または、第4のリソースグループ内の第kのリソースがコードリソースであり、第5のリソースグループ内の第jのリソースが時間ドメインリソースである場合、または、第4のリソースグループ内の第kのリソースがコードリソースであり、第5のリソースグループ内の第jのリソースが周波数ドメインリソースである場合、または、第4のリソースグループ内の第kのリソースが周波数ドメインリソースであり、第5のリソースグループ内の第jのリソースがコードリソースである場合、または、第4のリソースグループ内の第kのリソースが時間ドメインリソースであり、第5のリソースグループ内の第jのリソースがコードリソースである場合、
第4の対応関係は、第4のリソースグループ内の第kのリソースと第5のリソースグループ内の第jのリソースとの間に確立された第4のインデックスであって、無線フレームインデックス、サブフレームインデックス、またはシンボルインデックスのうちの少なくとも1つの第4のインデックスであり、
第5のリソースグループ内の第jのリソースが時間ドメインリソースであり、第6のリソースグループ内の第rのリソースが時間ドメインリソースである場合、または、第5のリソースグループ内の第jのリソースが時間ドメインリソースであり、第6のリソースグループ内の第rのリソースが周波数ドメインリソースである場合、または、第5のリソースグループ内の第jのリソースが周波数ドメインリソースであり、第6のリソースグループ内の第rのリソースが時間ドメインリソースである場合、または、第5のリソースグループ内の第jのリソースが周波数ドメインリソースであり、第6のリソースグループ内の第rのリソースが周波数ドメインリソースである場合、または、第5のリソースグループ内の第jのリソースがコードリソースであり、第6のリソースグループ内の第rのリソースがコードリソースである場合、または、第5のリソースグループ内の第jのリソースがコードリソースであり、第6のリソースグループ内の第rのリソースが時間ドメインリソースである場合、または、第5のリソースグループ内の第jのリソースがコードリソースであり、第6のリソースグループ内の第rのリソースが周波数ドメインリソースである場合、または、第5のリソースグループ内の第jのリソースが周波数ドメインリソースであり、第6のリソースグループ内の第rのリソースがコードリソースである場合、または、第5のリソースグループ内の第jのリソースが時間ドメインリソースであり、第6のリソースグループ内の第rのリソースがコードリソースである場合、
第5の対応関係は、第5のリソースグループ内の第jのリソースと第6のリソースグループ内の第rのリソースとの間に確立された第5のインデックスであって、無線フレームインデックス、サブフレームインデックス、またはシンボルインデックスのうちの少なくとも1つの第5のインデックスであり、
第6のリソースグループ内の第rのリソースが時間ドメインリソースであり、第7のリソースグループ内の第wのリソースが時間ドメインリソースである場合、または、第6のリソースグループ内の第rのリソースが時間ドメインリソースであり、第7のリソースグループ内の第wのリソースが周波数ドメインリソースである場合、または、第6のリソースグループ内の第rのリソースが周波数ドメインリソースであり、第7のリソースグループ内の第wのリソースが時間ドメインリソースである場合、または、第6のリソースグループ内の第rのリソースが周波数ドメインリソースであり、第7のリソースグループ内の第wのリソースが周波数ドメインリソースである場合、または、第6のリソースグループ内の第rのリソースがコードリソースであり、第7のリソースグループ内の第wのリソースがコードリソースである場合、または、第6のリソースグループ内の第rのリソースがコードリソースであり、第7のリソースグループ内の第wのリソースが時間ドメインリソースである場合、または、第6のリソースグループ内の第rのリソースがコードリソースであり、第7のリソースグループ内の第wのリソースが周波数ドメインリソースである場合、または、第6のリソースグループ内の第rのリソースが周波数ドメインリソースであり、第7のリソースグループ内の第wのリソースがコードリソースである場合、または、第6のリソースグループ内の第rのリソースが時間ドメインリソースであり、第7のリソースグループ内の第wのリソースがコードリソースである場合、
第6の対応関係は、第6のリソースグループ内の第rのリソースと第7のリソースグループ内の第wのリソースとの間に確立された第6のインデックスであって、無線フレームインデックス、サブフレームインデックス、またはシンボルインデックスのうちの少なくとも1つの第6のインデックスであり、
第7のリソースグループ内の第wのリソースが時間ドメインリソースであり、第8のリソースグループ内の第cのリソースが時間ドメインリソースである場合、または、第7のリソースグループ内の第wのリソースが時間ドメインリソースであり、第8のリソースグループ内の第cのリソースが周波数ドメインリソースである場合、または、第7のリソースグループ内の第wのリソースが周波数ドメインリソースであり、第8のリソースグループ内の第cのリソースが時間ドメインリソースである場合、または、第7のリソースグループ内の第wのリソースが周波数ドメインリソースであり、第8のリソースグループ内の第cのリソースが周波数ドメインリソースである場合、または、第7のリソースグループ内の第wのリソースがコードリソースであり、第8のリソースグループ内の第cのリソースがコードリソースである場合、または、第7のリソースグループ内の第wのリソースがコードリソースであり、第8のリソースグループ内の第cのリソースが時間ドメインリソースである場合、または、第7のリソースグループ内の第wのリソースがコードリソースであり、第8のリソースグループ内の第cのリソースが周波数ドメインリソースである場合、または、第7のリソースグループ内の第wのリソースが周波数ドメインリソースであり、第8のリソースグループ内の第cのリソースがコードリソースである場合、または、第7のリソースグループ内の第wのリソースが時間ドメインリソースであり、第8のリソースグループ内の第cのリソースがコードリソースである場合、
第7の対応関係は、第7のリソースグループ内の第wのリソースと第8のリソースグループ内の第cのリソースとの間に確立された第7のインデックスであって、無線フレームインデックス、サブフレームインデックス、またはシンボルインデックスのうちの少なくとも1つの第7のインデックスであり、
第8のリソースグループ内の第cのリソースが時間ドメインリソースであり、第9のリソースグループ内の第sのリソースが時間ドメインリソースである場合、または、第8のリソースグループ内の第cのリソースが時間ドメインリソースであり、第9のリソースグループ内の第sのリソースが周波数ドメインリソースである場合、または、第8のリソースグループ内の第cのリソースが周波数ドメインリソースであり、第9のリソースグループ内の第sのリソースが時間ドメインリソースである場合、または、第8のリソースグループ内の第cのリソースが周波数ドメインリソースであり、第9のリソースグループ内の第sのリソースが周波数ドメインリソースである場合、または、第8のリソースグループ内の第cのリソースがコードリソースであり、第9のリソースグループ内の第sのリソースがコードリソースである場合、または、第8のリソースグループ内の第cのリソースがコードリソースであり、第9のリソースグループ内の第sのリソースが時間ドメインリソースである場合、または、第8のリソースグループ内の第cのリソースがコードリソースであり、第9のリソースグループ内の第sのリソースが周波数ドメインリソースである場合、または、第8のリソースグループ内の第cのリソースが周波数ドメインリソースであり、第9のリソースグループ内の第sのリソースがコードリソースである場合、または、第8のリソースグループ内の第cのリソースが時間ドメインリソースであり、第9のリソースグループ内の第sのリソースがコードリソースである場合、
第8の対応関係は、第8のリソースグループ内の第cのリソースと第9のリソースグループ内の第sのリソースとの間に確立された第8のインデックスであって、無線フレームインデックス、サブフレームインデックス、またはシンボルインデックスのうちの少なくとも1つの第8のインデックスである。
【０１０７】
本発明の第5の態様は、信号伝送方法を提供し、信号伝送方法は、
第2のネットワーク装置によって、第1のリソースグループ内の第1の信号を送信するステップを備え、第1のリソースグループはN個のリソースを含み、Nは1より大きい正の整数であり、第1のリソースグループの各リソースは1つの第1の信号に対応し、
第1のリソースグループ内の第nのリソースは、第2のリソースグループ内の第mのリソースと第1の対応関係を有し、第2のリソースグループは、M個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。
【０１０８】
第5の態様を参照すると、第1の実行可能な実施では、第2のネットワーク装置によって、第1のリソースグループ内の第1の信号を送信するステップの後、本方法は、
第2のネットワーク装置によって、第2のリソースグループ内の第2の信号を送信するステップをさらに含み、第2のリソースグループの各リソースは1つの第2の信号に対応し、
第2のリソースグループ内の第mのリソースは、第3のリソースグループ内の第qのリソースと第2の対応関係を有し、第3のリソースグループは、Q個のリソースを含み、Qは1より大きい正の整数であり、第3のリソースグループ内の第qのリソースは、第3のリソースグループ内の少なくとも2つの候補リソースのうちの1つであり、第2のリソースグループ内の第mのリソースは、第3のリソースグループ内の少なくとも2つの候補リソースのそれぞれと第2の対応関係を有し、qの値域は、0＜q≦Qである。
【０１０９】
第5の態様に関して、第2の実行可能な実施では、第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
第1の信号が同期チャネルである場合、第2の信号は、測定パイロット信号、ブロードキャストチャネル、システムメッセージ、ランダムアクセス応答チャネル、RRC要求確認メッセージ、またはダウンリンクデータチャネルの少なくとも1つであり、
第1の信号が測定パイロット信号である場合、第2の信号は、ブロードキャストチャネル、システムメッセージ、ランダムアクセス応答チャネル、RRC要求確認メッセージ、またはダウンリンクデータチャネルのうちの少なくとも1つであり、
第1の信号がブロードキャストチャネルである場合、第2の信号は、システムメッセージ、ランダムアクセス応答チャネル、RRC要求確認メッセージ、またはダウンリンクデータチャネルのうちの少なくとも1つであり、
第1の信号がシステムメッセージである場合、第2の信号は、ランダムアクセス応答チャネル、RRC要求確認メッセージ、またはダウンリンクデータチャネルのうちの少なくとも1つであり、
第1の信号がランダムアクセス応答チャネルである場合、第2の信号は、RRC要求確認応答メッセージまたはダウンリンクデータチャネルのうちの少なくとも1つであり、または、
第1の信号がRRC要求確認メッセージである場合、第2の信号はダウンリンクデータチャネルである。
【０１１０】
第5の態様を参照すると、第3の実行可能な実施では、第2のネットワーク装置によって第2のリソースグループ内の第2の信号を送信するステップの後、本方法は、
第2のネットワーク装置によって、第3のリソースグループ上の第3の信号を送信するステップであって、第3のリソースグループの各リソースは1つの第3の信号に対応する、ステップをさらに含み、
第3のリソースグループ内の第qのリソースは、第4のリソースグループ内の第kのリソースと第3の対応関係を有し、第4のリソースグループは、K個のリソースを含み、Kは1より大きい正の整数であり、第4のリソースグループ内の第kのリソースは、第4のリソースグループ内の少なくとも2つの候補リソースのうちの1つであり、第3のリソースグループ内の第qのリソースは、第4のリソースグループ内の少なくとも2つの候補リソースのそれぞれと第3の対応関係を有し、kの値域は、0＜k≦Kである。
【０１１１】
第5の態様を参照すると、第4の実行可能な実施では、第3の信号はブロードキャストチャネルである。
【０１１２】
第5の態様を参照すると、第5の実行可能な実施では、第2のネットワーク装置によって、第3のリソースグループ上の第3の信号を送信するステップの後、本方法は、
第2のネットワーク装置によって、第4のリソースグループ上の第4の信号を送信するステップであって、第4のリソースグループの各リソースは1つの第4の信号に対応する、ステップをさらに含み、
第4のリソースグループ内の第kのリソースは、第5のリソースグループ内の第jのリソースと第4の対応関係を有し、第5のリソースグループは、J個のリソースを含み、Jは1より大きい正の整数であり、第5のリソースグループ内の第jのリソースは、第5のリソースグループ内の少なくとも2つの候補リソースのうちの1つであり、第4のリソースグループ内の第kのリソースは、第5のリソースグループ内の少なくとも2つの候補リソースのそれぞれと第4の対応関係を有し、jの値域は、0＜j≦Jである。
【０１１３】
第5の態様を参照すると、第6の実行可能な実施では、第4の信号はシステムメッセージである。
【０１１４】
第5の態様を参照すると、第7の実行可能な実施では、第4のリソースグループ上の第4の信号を送信するステップの後、本方法は、
第5のリソースグループ内の第jのリソース上の第2のネットワーク装置によって、第1のネットワーク装置によって送信された第5の信号を検出するステップであって、第5のリソースグループの各リソースは、1つの第5の信号に対応する、ステップと、
第2のネットワーク装置によって、第5のリソースグループ内の第jのリソースおよび第5の対応関係に従って、第6のリソースグループ内の第rのリソースを決定するステップとを含み、第6のリソースグループはR個のリソースを含み、Rは1より大きい正の整数であり、第6のリソースグループ内の第rのリソースは第6のリソースグループ内の少なくとも2つの候補リソースのうちの1つであり、rの値域は0＜r≦Rである。
【０１１５】
第5の態様を参照すると、第8の実行可能な実施では、第5の信号はランダムアクセスチャネルである。
【０１１６】
第5の態様を参照すると、第9の実行可能な実施では、第1のネットワーク装置によって、第5のリソースグループ内の第jのリソース上で第5の信号を送信するステップの後、本方法は、
第2のネットワーク装置によって、第6のリソースグループ上の第6の信号を送信するステップであって、第6のリソースグループの各リソースは1つの第6の信号に対応する、ステップをさらに含み、
第6のリソースグループ内の第rのリソースは、第7のリソースグループ内の第wのリソースと第6の対応関係を有し、第7のリソースグループは、W個のリソースを含み、Wは1より大きい正の整数であり、第7のリソースグループ内の第wのリソースは、第7のリソースグループ内の少なくとも2つの候補リソースのうちの1つであり、第6のリソースグループ内の第rのリソースは、第7のリソースグループ内の少なくとも2つの候補リソースのそれぞれと第6の対応関係を有し、wの値域は、0＜w≦Wである。
【０１１７】
第5の態様を参照すると、第10の実行可能な実施では、第6の信号はランダムアクセス応答チャネルである。
【０１１８】
第5の態様を参照すると、第11の実行可能な実施では、第2のネットワーク装置によって、第6のリソースグループ上の第6の信号を送信するステップの後、本方法は、
第7のリソースグループ内の第wのリソース上の第2のネットワーク装置によって、第1のネットワーク装置によって送信された第7の信号を検出するステップであって、第7のリソースグループの各リソースは、1つの第7の信号に対応する、ステップと、
第2のネットワーク装置によって、第7のリソースグループ内の第wのリソースおよび第7の対応関係に従って、第8のリソースグループ内の第cのリソースを決定するステップをさらに含み、第8のリソースグループはC個のリソースを含み、Cは1より大きい正の整数であり、第8のリソースグループ内の第cのリソースは第8のリソースグループ内の少なくとも2つの候補リソースのうちの1つであり、cの値域は0＜c≦Cである。
【０１１９】
第5の態様を参照すると、第12の実行可能な実施では、第7の信号はRRC要求メッセージである。
【０１２０】
第5の態様を参照すると、第13の実行可能な実施では、第1のネットワーク装置によって送信された第7の信号を、第7のリソースグループ内の第wのリソース上の第2のネットワーク装置によって検出するステップの後、
第2のネットワーク装置によって、第8のリソースグループ内の第cのリソース上の第8の信号を送信するステップであって、第8のリソースグループの各リソースが1つの第8の信号に対応する、ステップをさらに含み、
第8のリソースグループ内の第cのリソースは、第9のリソースグループ内の第sのリソースと第8の対応関係を有し、第9のリソースグループは、S個のリソースを含み、Sは1より大きい正の整数であり、第9のリソースグループ内の第sのリソースは、第9のリソースグループ内の少なくとも2つの候補リソースのうちの1つであり、第8のリソースグループ内の第cのリソースは、第9のリソースグループ内の少なくとも2つの候補リソースのそれぞれと第8の対応関係を有し、sの値域は、0＜s≦Sである。
【０１２１】
第5の態様を参照すると、第14の実行可能な実施では、第8の信号は、RRC要求確認メッセージである。
【０１２２】
第5の態様を参照すると、第15の実行可能な実施では、第2のネットワーク装置によって、第8のリソースグループ内の第cのリソース上の第8の信号を送信するステップの後、本方法は、
第2のネットワーク装置によって、第9のリソースグループ内の第sのリソース上の第9の信号を検出するステップまたは
第2のネットワーク装置によって、第9のリソースグループ内の第sのリソース上の第10の信号を送信するステップであって、第9のリソースグループの各リソースは、1つの第10の信号に対応する、ステップをさらに含む。
【０１２３】
第5の態様を参照すると、第16の実行可能な実施では、第9の信号はアップリンクデータチャネルであり、第10の信号はダウンリンクデータチャネルである。
【０１２４】
第5の態様を参照すると、第17の実行可能な実施では、第2のネットワーク装置によって、第1のリソースグループ内の第1の信号を送信するステップの後、本方法は、
第2のリソースグループ内の第mのリソース上の第2のネットワーク装置によって、第1のネットワーク装置によって送信された第11の信号を検出するステップをさらに含む。
【０１２５】
第5の態様を参照すると、第18の実行可能な実施では、第1の信号は、システムメッセージ、ランダムアクセス応答チャネル、またはRRC要求確認メッセージのうちの少なくとも1つであり、
第1の信号がシステムメッセージである場合、第2の信号は、ランダムアクセスチャネル、RRC要求メッセージ、またはアップリンクデータチャネルのうちの少なくとも1つであり、
第1の信号がランダムアクセス応答チャネルである場合、第2の信号は、RRC要求メッセージまたはアップリンクデータチャネルのうちの少なくとも1つであり、または、
第1の信号がRRC要求確認メッセージである場合、第2の信号はアップリンクデータチャネルである。
【０１２６】
第5の態様を参照すると、第19の実行可能な実施では、第1のリソースグループ内のN個のリソースは、時間ドメインリソース、周波数ドメインリソース、コードリソース、スペースリソース、または電力リソースのうちのいずれか1つのタイプのリソースであり、
第2のリソースグループ内のM個のリソースは、時間ドメインリソース、周波数ドメインリソース、コードリソース、スペースリソース、または電力リソースのうちのいずれか1つのタイプのリソースであり、
第3のリソースグループ内のQ個のリソースは、時間ドメインリソース、周波数ドメインリソース、コードリソース、スペースリソース、または電力リソースのいずれかのタイプのリソースであり、
第4のリソースグループ内のK個のリソースは、時間ドメインリソース、周波数ドメインリソース、コードリソース、スペースリソース、または電力リソースのうちのいずれか1つのタイプのリソースであり、
第5のリソースグループ内のJ個のリソースは、時間ドメインリソース、周波数ドメインリソース、コードリソース、スペースリソース、または電力リソースのうちのいずれかのタイプのリソースであり、
第6のリソースグループ内のR個のリソースは、時間ドメインリソース、周波数ドメインリソース、コードリソース、スペースリソース、または電力リソースのうちのいずれか1つのタイプのリソースであり、
第7のリソースグループ内のW個のリソースは、時間ドメインリソース、周波数ドメインリソース、コードリソース、スペースリソース、または電力リソースのいずれかのタイプのリソースであり、
第8のリソースグループ内のC個のリソースは、時間ドメインリソース、周波数ドメインリソース、コードリソース、スペースリソース、または電力リソースのいずれかのタイプのリソースであり、または
第9のリソースグループ内のS個のリソースは、時間ドメインリソース、周波数ドメインリソース、コードリソース、スペースリソース、または電力リソースのいずれかのタイプのリソースである。
【０１２７】
第5の態様を参照すると、第20の実行可能な実施では、第1のリソースグループ内の第nのリソースが時間ドメインリソースであり、第2のリソースグループ内の第mのリソースが時間ドメインリソースである場合、以下の式の
m＝n＋x1が満たされ、
x1は第1のオフセットであり、x1は0以上であり、
第3のリソースグループ内の第qのリソースが時間ドメインリソースである場合、以下の式の
q＝m＋x2が満たされ、
x2は第2のオフセットであり、x2は0以上であり、
第4のリソースグループの第kのリソースが時間ドメインリソースである場合、以下の式の
k＝q＋x3が満たされ、
x3は第3のオフセットであり、x3は0以上であり、
第5のリソースグループ内の第jのリソースが時間ドメインリソースである場合、以下の式の
j＝k＋x4が満たされ、
x4は第4のオフセットであり、x4は0以上であり、
第6のリソースグループ内の第rのリソースが時間ドメインリソースである場合、以下の式の
r＝j＋x5が満たされ、
x5は第5のオフセットであり、x5は0以上であり、
第7のリソースグループ内の第wのリソースが時間ドメインリソースの場合、以下の式の
w＝r＋x6が満たされ、
x6は第6のオフセットであり、x6は0以上であり、
第8のリソースグループ内の第cのリソースが時間ドメインリソースである場合、以下の式の
c＝w＋x7が満たされ、
x7は第7のオフセットであり、x7は0以上であり、
第9のリソースグループ内の第sのリソースが時間ドメインリソースである場合、以下の式の
s＝c＋x8が満たされ、x8は第8のオフセットであり、x8は0以上である。
【０１２８】
第5の態様を参照すると、第21の実行可能な実施では、シーケンスリソースは、信号送信シーケンス、信号によって使用される拡散コード、信号によって使用されるスクランブリングコード、または巡回冗長コードCRC処理の間に追加されるマスクのうちのいずれか1つを含む。
【０１２９】
第5の態様を参照すると、第22の実行可能な実施では、スペースリソースは、第2のネットワーク装置が信号を送信するときに使用される少なくとも1つのビーム、または第1のネットワーク装置が信号を送信するときに使用される少なくとも1つのビームを示し、
第1のリソースグループ内の第nのリソースがスペースリソースである場合、第1の対応関係は、第1のリソースグループ内の第nのリソースに対応するビームの識別子と第2のリソースグループ内の第mのリソースとの対応関係であり、
第2のリソースグループ内の第mのリソースがスペースリソースである場合、第2の対応関係は、第2のリソースグループ内の第mのリソースに対応するビームの識別子と第3のリソースグループ内の第qのリソースとの対応関係であり、
第3のリソースグループ内の第qのリソースがスペースリソースである場合、第3の対応関係は、第3のリソースグループ内の第qのリソースに対応するビームの識別子と第4のリソースグループ内の第kのリソースとの対応関係であり、
第4のリソースグループ内の第kのリソースがスペースリソースである場合、第4の対応関係は、第4のリソースグループ内の第kのリソースに対応するビームの識別子と第5のリソースグループ内の第jのリソースとの対応関係であり、
第5のリソースグループ内の第jのリソースがスペースリソースである場合、第5の対応関係は、第5のリソースグループ内の第jのリソースに対応するビームの識別子と第6のリソースグループ内の第rのリソースとの対応関係であり、
第6のリソースグループ内の第rのリソースがスペースリソースである場合、第6の対応関係は、第6のリソースグループ内の第rのリソースに対応するビームの識別子と前記第7のリソースグループ内の第wのリソースとの対応関係であり、
第7のリソースグループ内の第wのリソースがスペースリソースである場合、第7の対応関係は、第7のリソースグループ内の第wのリソースに対応するビームの識別子と第8のリソースグループ内の第cのリソースとの対応関係であり、
第8のリソースグループ内の第cのリソースがスペースリソースである場合、第8の対応関係は、第8のリソースグループ内の第cのリソースに対応するビームの識別子と第9のリソースグループ内の第sのリソースとの対応関係である。
【０１３０】
第5の態様に関して、第23の実行可能な実施では、第1のリソースグループ内の第nのリソースが時間ドメインリソースであり、第2のリソースグループ内の第mのリソースが時間ドメインリソースである場合、または、第1のリソースグループ内の第nのリソースが時間ドメインリソースであり、第2のリソースグループ内の第mのリソースが周波数ドメインリソースである場合、または、第1のリソースグループ内の第nのリソースが周波数ドメインリソースであり、第2のリソースグループ内の第mのリソースが時間ドメインリソースである場合、または、第1のリソースグループ内の第nのリソースが周波数ドメインリソースであり、第2のリソースグループ内の第mのリソースが周波数ドメインリソースである場合、または、第1のリソースグループ内の第nのリソースがコードリソースであり、第2のリソースグループ内の第mのリソースがコードリソースである場合、または、第1のリソースグループ内の第nのリソースがコードリソースであり、第2のリソースグループ内の第mのリソースが時間ドメインリソースである場合、または、第1のリソースグループ内の第nのリソースがコードリソースであり、第2のリソースグループ内の第mのリソースが周波数ドメインリソースである場合、または、第1のリソースグループ内の第nのリソースが周波数ドメインリソースであり、第2のリソースグループ内の第mのリソースがコードリソースである場合、または、第1のリソースグループ内の第nのリソースが時間ドメインリソースであり、第2のリソースグループ内の第mのリソースがコードリソースである場合、
第1の対応関係は、第1のリソースグループ内の第nのリソースと第2のリソースグループ内の第mのリソースとの間に確立された第1のインデックスであって、無線フレームインデックス、サブフレームインデックス、またはシンボルインデックスのうちの少なくとも1つの第1のインデックスであり、
第2のリソースグループ内の第mのリソースが時間ドメインリソースであり、第3のリソースグループ内の第qのリソースが時間ドメインリソースである場合、または、第2のリソースグループ内の第mのリソースが時間ドメインリソースであり、第3のリソースグループ内の第qのリソースが周波数ドメインリソースである場合、または、第2のリソースグループ内の第mのリソースが周波数ドメインリソースであり、第3のリソースグループ内の第qのリソースが時間ドメインリソースである場合、または、第2のリソースグループ内の第mのリソースが周波数ドメインリソースであり、第3のリソースグループ内の第qのリソースが周波数ドメインリソースである場合、または、第2のリソースグループ内の第mのリソースがコードリソースであり、第3のリソースグループ内の第qのリソースがコードリソースである場合、または、第2のリソースグループ内の第mのリソースがコードリソースであり、第3のリソースグループ内の第qのリソースが時間ドメインリソースである場合、または、第2のリソースグループ内の第mのリソースがコードリソースであり、第3のリソースグループ内の第qのリソースが周波数ドメインリソースである場合、または、第2のリソースグループ内の第mのリソースが周波数ドメインリソースであり、第3のリソースグループ内の第qのリソースがコードリソースである場合、または、第2のリソースグループ内の第mのリソースが時間ドメインリソースであり、第3のリソースグループ内の第qのリソースがコードリソースである場合、
第2の対応関係は、第2のリソースグループ内の第mのリソースと第3のリソースグループ内の第qのリソースとの間に確立された第2のインデックスであって、無線フレームインデックス、サブフレームインデックス、またはシンボルインデックスのうちの少なくとも1つの第2のインデックスであり、
第3のリソースグループ内の第qのリソースが時間ドメインリソースであり、第4のリソースグループ内の第kのリソースが時間ドメインリソースである場合、または、第3のリソースグループ内の第qのリソースが時間ドメインリソースであり、第4のリソースグループ内の第kのリソースが周波数ドメインリソースである場合、または、第3のリソースグループ内の第qのリソースが周波数ドメインリソースであり、第4のリソースグループ内の第kのリソースが時間ドメインリソースである場合、または、第3のリソースグループ内の第qのリソースが周波数ドメインリソースであり、第4のリソースグループ内の第kのリソースが周波数ドメインリソースである場合、または、第3のリソースグループ内の第qのリソースがコードリソースであり、第4のリソースグループ内の第kのリソースがコードリソースである場合、または、第3のリソースグループ内の第qのリソースがコードリソースであり、第4のリソースグループ内の第kのリソースが時間ドメインリソースである場合、または、第3のリソースグループ内の第qのリソースがコードリソースであり、第4のリソースグループ内の第kのリソースが周波数ドメインリソースである場合、または、第3のリソースグループ内の第qのリソースが周波数ドメインリソースであり、第4のリソースグループ内の第kのリソースがコードリソースである場合、または、第3のリソースグループ内の第qのリソースが時間ドメインリソースであり、第4のリソースグループ内の第kのリソースがコードリソースである場合、
第3の対応関係は、第3のリソースグループ内の第qのリソースと第4のリソースグループ内の第kのリソースとの間に確立された第3のインデックスであって、無線フレームインデックス、サブフレームインデックス、またはシンボルインデックスのうちの少なくとも1つの第3のインデックスであり、
第4のリソースグループ内の第kのリソースが時間ドメインリソースであり、第5のリソースグループ内の第jのリソースが時間ドメインリソースである場合、または、第4のリソースグループ内の第kのリソースが時間ドメインリソースであり、第5のリソースグループ内の第jのリソースが周波数ドメインリソースである場合、または、第4のリソースグループ内の第kのリソースが周波数ドメインリソースであり、第5のリソースグループ内の第jのリソースが時間ドメインリソースである場合、または、第4のリソースグループ内の第kのリソースが周波数ドメインリソースであり、第5のリソースグループ内の第jのリソースが周波数ドメインリソースである場合、または、第4のリソースグループ内の第kのリソースがコードリソースであり、第5のリソースグループ内の第jのリソースがコードリソースである場合、または、第4のリソースグループ内の第kのリソースがコードリソースであり、第5のリソースグループ内の第jのリソースが時間ドメインリソースである場合、または、第4のリソースグループ内の第kのリソースがコードリソースであり、第5のリソースグループ内の第jのリソースが周波数ドメインリソースである場合、または、第4のリソースグループ内の第kのリソースが周波数ドメインリソースであり、第5のリソースグループ内の第jのリソースがコードリソースである場合、または、第4のリソースグループ内の第kのリソースが時間ドメインリソースであり、第5のリソースグループ内の第jのリソースがコードリソースである場合、
第4の対応関係は、第4のリソースグループ内の第kのリソースと第5のリソースグループ内の第jのリソースとの間に確立された第4のインデックスであって、無線フレームインデックス、サブフレームインデックス、またはシンボルインデックスのうちの少なくとも1つの第4のインデックスであり、
第5のリソースグループ内の第jのリソースが時間ドメインリソースであり、第6のリソースグループ内の第rのリソースが時間ドメインリソースである場合、または、第5のリソースグループ内の第jのリソースが時間ドメインリソースであり、第6のリソースグループ内の第rのリソースが周波数ドメインリソースである場合、または、第5のリソースグループ内の第jのリソースが周波数ドメインリソースであり、第6のリソースグループ内の第rのリソースが時間ドメインリソースである場合、または、第5のリソースグループ内の第jのリソースが周波数ドメインリソースであり、第6のリソースグループ内の第rのリソースが周波数ドメインリソースである場合、または、第5のリソースグループ内の第jのリソースがコードリソースであり、第6のリソースグループ内の第rのリソースがコードリソースである場合、または、第5のリソースグループ内の第jのリソースがコードリソースであり、第6のリソースグループ内の第rのリソースが時間ドメインリソースである場合、または、第5のリソースグループ内の第jのリソースがコードリソースであり、第6のリソースグループ内の第rのリソースが周波数ドメインリソースである場合、または、第5のリソースグループ内の第jのリソースが周波数ドメインリソースであり、第6のリソースグループ内の第rのリソースがコードリソースである場合、または、第5のリソースグループ内の第jのリソースが時間ドメインリソースであり、第6のリソースグループ内の第rのリソースがコードリソースである場合、
第5の対応関係は、第5のリソースグループ内の第jのリソースと第6のリソースグループ内の第rのリソースとの間に確立された第5のインデックスであって、無線フレームインデックス、サブフレームインデックス、またはシンボルインデックスのうちの少なくとも1つの第5のインデックスであり、
第6のリソースグループ内の第rのリソースが時間ドメインリソースであり、第7のリソースグループ内の第wのリソースが時間ドメインリソースである場合、または、第6のリソースグループ内の第rのリソースが時間ドメインリソースであり、第7のリソースグループ内の第wのリソースが周波数ドメインリソースである場合、または、第6のリソースグループ内の第rのリソースが周波数ドメインリソースであり、第7のリソースグループ内の第wのリソースが時間ドメインリソースである場合、または、第6のリソースグループ内の第rのリソースが周波数ドメインリソースであり、第7のリソースグループ内の第wのリソースが周波数ドメインリソースである場合、または、第6のリソースグループ内の第rのリソースがコードリソースであり、第7のリソースグループ内の第wのリソースがコードリソースである場合、または、第6のリソースグループ内の第rのリソースがコードリソースであり、第7のリソースグループ内の第wのリソースが時間ドメインリソースである場合、または、第6のリソースグループ内の第rのリソースがコードリソースであり、第7のリソースグループ内の第wのリソースが周波数ドメインリソースである場合、または、第6のリソースグループ内の第rのリソースが周波数ドメインリソースであり、第7のリソースグループ内の第wのリソースがコードリソースである場合、または、第6のリソースグループ内の第rのリソースが時間ドメインリソースであり、第7のリソースグループ内の第wのリソースがコードリソースである場合、
第6の対応関係は、第6のリソースグループ内の第rのリソースと第7のリソースグループ内の第wのリソースとの間に確立された第6のインデックスであって、無線フレームインデックス、サブフレームインデックス、またはシンボルインデックスのうちの少なくとも1つの第6のインデックスであり、
第7のリソースグループ内の第wのリソースが時間ドメインリソースであり、第8のリソースグループ内の第cのリソースが時間ドメインリソースである場合、または、第7のリソースグループ内の第wのリソースが時間ドメインリソースであり、第8のリソースグループ内の第cのリソースが周波数ドメインリソースである場合、または、第7のリソースグループ内の第wのリソースが周波数ドメインリソースであり、第8のリソースグループ内の第cのリソースが時間ドメインリソースである場合、または、第7のリソースグループ内の第wのリソースが周波数ドメインリソースであり、第8のリソースグループ内の第cのリソースが周波数ドメインリソースである場合、または、第7のリソースグループ内の第wのリソースがコードリソースであり、第8のリソースグループ内の第cのリソースがコードリソースである場合、または、第7のリソースグループ内の第wのリソースがコードリソースであり、第8のリソースグループ内の第cのリソースが時間ドメインリソースである場合、または、第7のリソースグループ内の第wのリソースがコードリソースであり、第8のリソースグループ内の第cのリソースが周波数ドメインリソースである場合、または、第7のリソースグループ内の第wのリソースが周波数ドメインリソースであり、第8のリソースグループ内の第cのリソースがコードリソースである場合、または、第7のリソースグループ内の第wのリソースが時間ドメインリソースであり、第8のリソースグループ内の第cのリソースがコードリソースである場合、
第7の対応関係は、第7のリソースグループ内の第wのリソースと第8のリソースグループ内の第cのリソースとの間に確立された第7のインデックスであって、無線フレームインデックス、サブフレームインデックス、またはシンボルインデックスのうちの少なくとも1つの第7のインデックスであり、
第8のリソースグループ内の第cのリソースが時間ドメインリソースであり、第9のリソースグループ内の第sのリソースが時間ドメインリソースである場合、または、第8のリソースグループ内の第cのリソースが時間ドメインリソースであり、第9のリソースグループ内の第sのリソースが周波数ドメインリソースである場合、または、第8のリソースグループ内の第cのリソースが周波数ドメインリソースであり、第9のリソースグループ内の第sのリソースが時間ドメインリソースである場合、または、第8のリソースグループ内の第cのリソースが周波数ドメインリソースであり、第9のリソースグループ内の第sのリソースが周波数ドメインリソースである場合、または、第8のリソースグループ内の第cのリソースがコードリソースであり、第9のリソースグループ内の第sのリソースがコードリソースである場合、または、第8のリソースグループ内の第cのリソースがコードリソースであり、第9のリソースグループ内の第sのリソースが時間ドメインリソースである場合、または、第8のリソースグループ内の第cのリソースがコードリソースであり、第9のリソースグループ内の第sのリソースが周波数ドメインリソースである場合、または、第8のリソースグループ内の第cのリソースが周波数ドメインリソースであり、第9のリソースグループ内の第sのリソースがコードリソースである場合、または、第8のリソースグループ内の第cのリソースが時間ドメインリソースであり、第9のリソースグループ内の第sのリソースがコードリソースである場合、
第8の対応関係は、第8のリソースグループ内の第cのリソースと第9のリソースグループ内の第sのリソースとの間に確立された第8のインデックスであって、無線フレームインデックス、サブフレームインデックス、またはシンボルインデックスのうちの少なくとも1つの第8のインデックスである。
【０１３１】
本発明に係る信号伝送装置、システムおよび方法によれば、第1のネットワーク装置は、第1のリソースグループにおいて、第2のネットワーク装置によって送信された第1の信号を検出する。第1のリソースグループはN個のリソースを含み、Nは1より大きい正の整数であり、第1のリソースグループの各リソースは1つの第1の信号に対応する。そして、第1のネットワーク装置は、第1のリソースグループ内の第nのリソースおよび第1の対応関係に従って、第2のリソースグループ内の第mのリソースを決定する。第2のリソースグループはM個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。したがって、高周波シナリオでは、セル全体で信号の完全なカバレッジ（同期信号、システムメッセージ、またはブロードキャストメッセージなど）が保証される。すなわち、UEは、第1のリソースグループ内の検出を実行することによって、第2のネットワーク装置（アクセス装置）との相互作用を実施する。第1のリソースグループは複数のリソースを含むので、1つのリソースグループの各リソース上で、異なるUEに対して送信を実行することができる。すなわち、異なるUEが信号を検出するリソースが異なる。すなわち、UEは、複数の異なるリソースの対応関係から、その要件を満たす通信を決定することができ、第1のリソースグループ内の第nのリソースに従って、第2のリソースグループ内の第mのリソースを決定する。したがって、UEは、第2のリソースグループ内の複数の候補第2のリソースのブラインド検出によって、第2のネットワーク装置によって送信された第2の信号を取得する必要はなく、または、第2のリソースグループ内の複数のリソース上で信号を送信し、それによってシステム効率および性能を改善する。
【０１３２】
これに対して、従来技術では、ビームは高周波シナリオでは比較的狭く、セル全体をカバーすることができない。したがって、基地局がUEとの同期チャネル、測定パイロット信号、ブロードキャストチャネルなどを交換するリソースは、基地局のカバレッジ内のすべてのUEに対して常に同じである。すなわち、セル全体のすべてのUEは、同じリソース上で同期チャネル、測定パイロット信号、ブロードキャストチャネルなどを検出する。しかし、大規模MIMO技術を用いる場合、形成されるビームが極端に狭いため、同じリソースを使用してセル全体におけるUEをカバーするという要件を満たすことができない。
【０１３３】
本発明の実施形態または先行技術の技術的解決策をより明確に説明するために、実施形態または従来技術を説明するために必要な添付図面を簡単に説明する。明らかに、以下の説明における添付の図面は、本発明のいくつかの実施形態を示しており、当業者は創造的な努力なしにこれらの添付図面から他の図面を得ることができる。
【図面の簡単な説明】
【０１３４】
【図１】本発明の実施形態に係る、ユーザ機器が基地局にアクセスして対話するプロセスの概略図である。
【図２】本発明の実施形態に係る、ネットワーク装置の概略構成図である。
【図３】本発明の実施形態に係る、別のネットワーク装置の概略構成図である。
【図４】本発明の実施形態に係る、別のネットワーク装置の概略構成図である。
【図５】本発明の実施形態に係る、別のネットワーク装置の概略構成図である。
【図６】本発明の実施形態に係る、別のネットワーク装置の概略構成図である。
【図７】本発明の実施形態に係る、信号伝送方法の概略フローチャートである。
【図８Ａ】本発明の実施形態に係る、他の信号伝送方法の概略フローチャートである。
【図８Ｂ】本発明の実施形態に係る、他の信号伝送方法の概略フローチャートである。
【図９】本発明の実施形態に係る、スペースリソースの概略図である。
【図１０】本発明の実施形態に係る、他の信号伝送方法の概略フローチャートである。
【図１１Ａ】本発明の実施形態に係る他の信号伝送方法の概略フローチャートである。
【図１１Ｂ】本発明の実施形態に係る他の信号伝送方法の概略フローチャートである。
【図１２】本発明の実施形態に係る信号伝送方法の相互作用プロセスの概略図である。
【図１３】本発明の実施形態に係る図12のステップ1の概略図である。
【図１４】本発明の実施形態に係る図12のステップ2の概略図である。
【図１５】本発明の実施形態に係るパターンの概略図である。
【図１６】本発明の実施形態に係る別のパターンの概略図である。
【発明を実施するための形態】
【０１３５】
本発明の実施形態の目的、技術的解決策および利点をより明確にするために、本発明の実施形態における技術的解決策を、本発明の実施形態における添付の図面を参照して以下に明瞭かつ完全に記載する。明らかに、記載された実施形態は、本発明の実施形態のすべてではないが一部である。創作努力なしに本発明の実施形態に基づいて当業者によって得られる他のすべての実施形態は、本発明の保護範囲内に入るものとする。
【０１３６】
図1は、本発明の実施形態に係る、ユーザ機器および基地局の間のアクセスおよび相互作用プロセスの概略図である。図1を参照すると、プロセスは以下のステップを含む。
【０１３７】
ステップ1：基地局は、ユーザ機器（User Equipment、略してUE）に同期チャネルを送信する。
【０１３８】
ステップ2：基地局は、測定パイロット信号をUEに送信する。
【０１３９】
ステップ3：基地局は、UEにブロードキャストチャネルを送信する。
【０１４０】
ステップ4：基地局は、システムメッセージをUEに送信する。
【０１４１】
ステップ5：基地局は、UEによって送信されたランダムアクセスチャネルを受信する。
【０１４２】
ステップ6：基地局はランダムアクセス応答チャネルをUEに送信する。
【０１４３】
ステップ7：基地局は、UEによって送信された無線リソース制御（Radio Resource Control, RRC）要求メッセージを受信する。
【０１４４】
ステップ8：基地局は、RRC要求確認メッセージをUEに送信する。
【０１４５】
ステップ9：基地局は、ダウンリンクデータチャネルをUEに送信するか、または基地局は、UEによって送信されたアップリンクデータチャネルを受信する。
【０１４６】
具体的には、従来技術では、ビームは高周波シナリオでは比較的狭く、セル全体をカバーすることができない。したがって、基地局がUEとの同期チャネル、測定パイロット信号、ブロードキャストチャネルなどを交換するリソースは、基地局のカバレッジ内のすべてのUEに対して常に同じである。すなわち、セル全体のすべてのUEは、同じリソース上で同期チャネル、測定パイロット信号、ブロードキャストチャネルなどを検出する。しかし、大規模MIMO技術を用いる場合、形成されるビームが極端に狭いため、同じリソースを使用してセル全体におけるUEをカバーするという要件を満たすことができない。
【０１４７】
上述した問題を解決するために、本発明の実施形態は、大規模MIMO技術が使用される場合に、前述のチャネルおよびメッセージによってセル全体でUEのカバレッジを実施するように、信号伝送装置、システムおよび方法を提供する。
【０１４８】
以下、本発明の実施形態に係る信号伝送装置、システムおよび方法について、具体的な実施形態を用いて説明する。
【０１４９】
図2は、本発明の実施形態に係る、ネットワーク装置の概略構成図である。ネットワーク装置は、以下の第1のネットワーク装置に対応する。ネットワーク装置は、ユーザ機器UEであってもよい。具体的には、UEは、スマートフォン、タブレットコンピュータ、車両内通信装置などであってもよい。図2を参照すると、ネットワーク装置は、検出モジュール100と決定モジュール101とを含む。
【０１５０】
検出モジュール100は、第1のリソースグループにおいて、第2のネットワーク装置によって送信された第1の信号を検出するように構成され、第1のリソースグループはN個のリソースを含み、Nは1より大きい正の整数であり、第1のリソースグループの各リソースは1つの第1の信号に対応し、
決定モジュール101は、第1のリソースグループ内の第nのリソースおよび第1の対応関係に従って第2のリソースグループ内の第mのリソースを決定するように構成され、第2のリソースグループは、M個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。
【０１５１】
本発明のこの実施形態で提供されるネットワーク装置によれば、検出モジュールは、第1のリソースグループにおいて、第2のネットワーク装置によって送信された第1の信号を検出する。第1のリソースグループはN個のリソースを含み、Nは1より大きい正の整数であり、第1のリソースグループの各リソースは1つの第1の信号に対応する。そして、決定モジュールは、第1のリソースグループ内の第nのリソースおよび第1の対応関係に従って、第2のリソースグループ内の第mのリソースを決定する。第2のリソースグループはM個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。したがって、高周波シナリオでは、セル全体で信号の完全なカバレッジ（同期信号、システムメッセージ、またはブロードキャストメッセージなど）が保証される。すなわち、UEは、第1のリソースグループ内の検出を実行することによって、第2のネットワーク装置（アクセス装置）との相互作用を実施する。第1のリソースグループは複数のリソースを含むので、1つのリソースグループの各リソース上で、異なるUEに対して送信を実行することができる。すなわち、異なるUEが信号を検出するリソースが異なる。すなわち、UEは、複数の異なるリソースの対応関係から、その要件を満たす通信を決定することができ、第1のリソースグループ内の第nのリソースに従って、第2のリソースグループ内の第mのリソースを決定する。したがって、UEは、第2のリソースグループ内の複数の候補第2のリソースのブラインド検出によって、第2のネットワーク装置によって送信された第2の信号を取得する必要はなく、または、第2のリソースグループ内の複数のリソース上で信号を送信し、それによってシステム効率および性能を改善する。
【０１５２】
これに対して、従来技術では、ビームは高周波シナリオでは比較的狭く、セル全体をカバーすることができない。したがって、基地局がUEとの同期チャネル、測定パイロット信号、ブロードキャストチャネルなどを交換するリソースは、基地局のカバレッジ内のすべてのUEに対して常に同じである。すなわち、セル全体のすべてのUEは、同じリソース上で同期チャネル、測定パイロット信号、ブロードキャストチャネルなどを検出する。しかし、大規模MIMO技術を用いる場合、形成されるビームが極端に狭いため、同じリソースを使用してセル全体におけるUEをカバーするという要件を満たすことができない。
【０１５３】
さらに、決定モジュール101は、第1のリソースグループ内の第nのリソースおよび第1の対応関係に従って第2のリソースグループ内の第mのリソースを決定する前に、第1のルールに従って第1のリソースグループ内の第nのリソースを決定するようにさらに構成される。
【０１５４】
任意選択的に、決定モジュール101は、具体的には、
第1の信号のエネルギーが第1のリソースグループ内において最も強い、検出されたリソースを、第1のリソースグループ内の第nのリソースとして使用するように、または、  第1の信号のエネルギーが第1のリソースグループ内において、第1の予め設定された閾値よりも大きい第1のリソースを、第1のリソースグループ内の第nのリソースとして使用するように、または、
第1の信号の基準信号受信品質RSRQが、第1のリソースグループ内において、第2の予め設定された閾値よりも大きい第1のリソースを、第1のリソースグループ内の第nのリソースとして使用するように、または、
第1のリソースグループ内において巡回冗長コードCRCを第1のリソースグループ内の第nのリソースとして使用して、第1の信号が正しくチェックされたリソースを使用するように構成される。
【０１５５】
さらに、検出モジュール100は、決定モジュール101が第1のリソースグループ内の第nのリソースおよび第1の対応関係に従って第2のリソースグループ内の第mのリソースを決定した後、第2のリソースグループ内の第mのリソース上で、第2のネットワーク装置によって送信される第2の信号を検出するようにさらに構成され、第2のリソースグループの各リソースは1つの第2の信号に対応し、
決定モジュール101は、第2のリソースグループ内の第mのリソースおよび第2の対応関係に従って第3のリソースグループ内の第qのリソースを決定するようにさらに構成され、第3のリソースグループは、Q個のリソースを含み、Qは1より大きい正の整数であり、第3のリソースグループ内の第qのリソースは、第3のリソースグループ内の少なくとも2つの候補リソースのうちの1つであり、第2のリソースグループ内の第mのリソースは、第3のリソースグループ内の少なくとも2つの候補リソースのそれぞれと第2の対応関係を有し、qの値域は、0＜q≦Qである。
【０１５６】
さらに、決定モジュール101は、第2のリソースグループ内の第mのリソースおよび第2の対応関係に従って第3のリソースグループ内の第qのリソースを決定する前に、第2のルールに従って第2のリソースグループ内の第mのリソースを決定するようにさらに構成される。
【０１５７】
任意選択的に、決定モジュール101は、具体的には、
第2の信号のエネルギーが第2のリソースグループ内において最も強い、検出されたリソースを、第2のリソースグループ内の第mのリソースとして使用するように、または、
第2の信号のエネルギーが第2のリソースグループ内において、第3の予め設定された閾値よりも大きい第1のリソースを、第2のリソースグループ内の第mのリソースとして使用するように、または、
第2の信号の基準信号受信品質RSRQが、第2のリソースグループ内において、第4の予め設定された閾値よりも大きい第1のリソースを、第2のリソースグループ内の第mのリソースとして使用するように、または、
第2のリソースグループ内において巡回冗長コードCRCを第2のリソースグループ内の第mのリソースとして使用して、第2の信号が正しくチェックされたリソースを使用するように構成される。
【０１５８】
任意選択的に、第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
第1の信号が同期チャネルである場合、第2の信号は、測定パイロット信号、ブロードキャストチャネル、システムメッセージ、ランダムアクセス応答チャネル、RRC要求確認メッセージ、またはダウンリンクデータチャネルの少なくとも1つであり、
第1の信号が測定パイロット信号である場合、第2の信号は、ブロードキャストチャネル、システムメッセージ、ランダムアクセス応答チャネル、RRC要求確認メッセージ、またはダウンリンクデータチャネルのうちの少なくとも1つであり、  第1の信号がブロードキャストチャネルである場合、第2の信号は、システムメッセージ、ランダムアクセス応答チャネル、RRC要求確認メッセージ、またはダウンリンクデータチャネルのうちの少なくとも1つであり、
第1の信号がシステムメッセージである場合、第2の信号は、ランダムアクセス応答チャネル、RRC要求確認メッセージ、またはダウンリンクデータチャネルのうちの少なくとも1つであり、
第1の信号がランダムアクセス応答チャネルである場合、第2の信号は、RRC要求確認応答メッセージまたはダウンリンクデータチャネルのうちの少なくとも1つであり、または、
第1の信号がRRC要求確認メッセージである場合、第2の信号はダウンリンクデータチャネルである。
【０１５９】
さらに、検出モジュール100は、決定モジュール101が第2のリソースグループ内の第mのリソースおよび第2の対応関係に従って第3のリソースグループ内の第qのリソースを決定した後、第3のリソースグループ内の第qのリソース上で、第2のネットワーク装置によって送信される第3の信号を検出するようにさらに構成され、第3のリソースグループの各リソースは1つの第3の信号に対応し、
決定モジュール101は、第3のリソースグループ内の第qのリソースおよび第3の対応関係に従って第4のリソースグループ内の第kのリソースを決定するようにさらに構成され、第4のリソースグループは、K個のリソースを含み、Kは1より大きい正の整数であり、第4のリソースグループ内の第kのリソースは、第4のリソースグループ内の少なくとも2つの候補リソースのうちの1つであり、第3のリソースグループ内の第qのリソースは、第4のリソースグループ内の少なくとも2つの候補リソースのそれぞれと第3の対応関係を有し、kの値域は、0＜k≦Kである。
【０１６０】
さらに、決定モジュール101は、第1のネットワーク装置が、第3のリソースグループ内の第qのリソースおよび第3の対応関係に従って第4のリソースグループ内の第kのリソースを決定する前に、第3のルールに従って第3のリソースグループ内の第qのリソースを決定するようにさらに構成される。
【０１６１】
任意選択的に、決定モジュール101は、具体的には、
第3の信号のエネルギーが第3のリソースグループ内において最も強い、検出されたリソースを、第3のリソースグループ内の第qのリソースとして使用するように、または、
第3の信号のエネルギーが第3のリソースグループ内において、第5の予め設定された閾値よりも大きい第1のリソースを、第3のリソースグループ内の第qのリソースとして使用するように、または、
第3の信号の基準信号受信品質RSRQが、第3のリソースグループ内において、第6の予め設定された閾値よりも大きい第1のリソースを、第3のリソースグループ内の第qのリソースとして使用するように、または、
第3のリソースグループ内において巡回冗長コードCRCを第3のリソースグループ内の第qのリソースとして使用して、第3の信号が正しくチェックされたリソースを使用するように構成される。
【０１６２】
任意選択滴に、第3の信号はブロードキャストチャネルである。
【０１６３】
さらに、検出モジュール100は、決定モジュール101が第3の対応関係に従って第4のリソースグループ内の第kのリソースを決定した後、第4のリソースグループ内の第kのリソース上の第4の信号を検出するようにさらに構成され、第4のリソースグループの各リソースは1つの第4の信号に対応し、
決定モジュール101は、第5のリソースグループ内の第jのリソースおよび第4の対応関係に従って第5のリソースグループ内の第jのリソースを決定するようにさらに構成され、第5のリソースグループは、J個のリソースを含み、Jは1より大きい正の整数であり、第5のリソースグループ内の第jのリソースは、第5のリソースグループ内の少なくとも2つの候補リソースのうちの1つであり、第4のリソースグループ内の第kのリソースは、第5のリソースグループ内の少なくとも2つの候補リソースのそれぞれと第4の対応関係を有し、jの値域は、0＜j≦Jである。
【０１６４】
さらに、決定モジュール101は、第4のリソースグループ内の第kのリソースおよび第4の対応関係に従って第5のリソースグループ内の第jのリソースを決定する前に、第4のルールに従って第4のリソースグループ内の第kのリソースを決定するようにさらに構成される。
【０１６５】
任意選択的に、決定モジュール101は、具体的には、
第4の信号のエネルギーが第4のリソースグループ内において最も強い、検出されたリソースを、第4のリソースグループ内の第kのリソースとして使用するように、または、
第4の信号のエネルギーが第4のリソースグループ内において、第7の予め設定された閾値よりも大きい第1のリソースを、第4のリソースグループ内の第kのリソースとして使用するように、または、
第4の信号の基準信号受信品質RSRQが、第4のリソースグループ内において、第8の予め設定された閾値よりも大きい第1のリソースを、第4のリソースグループ内の第kのリソースとして使用するように、または、
第4のリソースグループ内において巡回冗長コードCRCを第4のリソースグループ内の第kのリソースとして使用して、第4の信号が正しくチェックされたリソースを使用するように構成される。
【０１６６】
任意選択的に、第4の信号はシステムメッセージである。
【０１６７】
図2に基づいて、図3は、本発明の実施形態に係る別のネットワーク装置の概略構成図である。図3を参照すると、ネットワーク装置は、送信モジュール102をさらに含む。
【０１６８】
送信モジュール102は、決定モジュール101が、第4のリソースグループ内の第kのリソースおよび第4の対応関係に従って第5のリソースグループ内の第jのリソースを決定した後、第5のリソースグループ内の第jのリソース上の第5の信号を送信するように構成され、
第5のリソースグループ内の第jのリソースは、第6のリソースグループ内の少なくとも2つの候補リソースのそれぞれと第5の対応関係を有し、第6のリソースグループ内の第rのリソースは、第6のリソースグループ内の少なくとも2つの候補リソースのうちの1つであり、第6のリソースグループはR個のリソースを含み、Rは1より大きい正の整数であり、rの値域は0＜r≦Rである。
【０１６９】
任意選択的に、第5の信号はランダムアクセスチャネルである。
【０１７０】
さらに、検出モジュール100は、送信モジュール102が第5のリソースグループ内の第jのリソース上の第5の信号を送信した後、第6のリソースグループ内の第rのリソース上の第6の信号を検出するように構成され、第6のリソースグループの各リソースは1つの第6の信号に対応し、
決定モジュール101は、第6のリソースグループ内の第rのリソースおよび第6の対応関係に従って第7のリソースグループ内の第wのリソースを決定するようにさらに構成され、第7のリソースグループは、W個のリソースを含み、Wは1より大きい正の整数であり、第7のリソースグループ内の第wのリソースは、第7のリソースグループ内の少なくとも2つの候補リソースのうちの1つであり、第6のリソースグループ内の第rのリソースは、第7のリソースグループ内の少なくとも2つの候補リソースのそれぞれと第6の対応関係を有し、wの値域は、0＜w≦Wである。
【０１７１】
さらに、決定モジュール101は、第6のリソースグループ内の第rのリソースおよび第6の対応関係に従って第7のリソースグループ内の第wのリソースを決定する前に、第6のルールに従って第6のリソースグループ内の第rのリソースを決定するようにさらに構成される。
【０１７２】
任意選択的に、決定モジュール101は、具体的には、
第6の信号のエネルギーが第6のリソースグループ内において最も強い、検出されたリソースを、第6のリソースグループ内の第rのリソースとして使用するように、または、
第6の信号のエネルギーが第6のリソースグループ内において、第9の予め設定された閾値よりも大きい第1のリソースを、第6のリソースグループ内の第rのリソースとして使用するように、または、
第6の信号の基準信号受信品質RSRQが、第6のリソースグループ内において、第10の予め設定された閾値よりも大きい第1のリソースを、第6のリソースグループ内の第rのリソースとして使用するように、または、
第6のリソースグループ内において巡回冗長コードCRCを第6のリソースグループ内の第rのリソースとして使用して、第6の信号が正しくチェックされたリソースを使用するように構成される。
【０１７３】
任意選択的に、第6の信号は、ランダムアクセス応答チャネルである。
【０１７４】
さらに、送信モジュール102は、
検出モジュール100が第6のリソースグループ内の第rのリソース上の第6の信号を検出した後、第7のリソースグループ内の第wのリソース上の第7の信号を送信するようにさらに構成され、
第7のリソースグループ内の第wのリソースは、第8のリソースグループ内の少なくとも2つの候補リソースのそれぞれと第7の対応関係を有し、第8のリソースグループ内の第cのリソースは、第8のリソースグループ内の少なくとも2つの候補リソースのうちの1つであり、第8のリソースグループはC個のリソースを含み、Cは1より大きい正の整数であり、cの値域は0＜c≦Cである。
【０１７５】
任意選択的に、第7の信号は、RRC要求メッセージである。
【０１７６】
さらに、検出モジュール100は、送信モジュール102が第7のリソースグループ内の第wのリソース上の第7の信号を送信した後、第8のリソースグループ内の第cのリソース上の第8の信号を検出するように構成され、第8のリソースグループの各リソースは1つの第8の信号に対応し、
決定モジュール101は、第8のリソースグループ内の第cのリソースおよび第8の対応関係に従って第9のリソースグループ内の第sのリソースを決定するようにさらに構成され、第9のリソースグループは、S個のリソースを含み、Sは1より大きい正の整数であり、第9のリソースグループ内の第sのリソースは、第9のリソースグループ内の少なくとも2つの候補リソースのうちの1つであり、第8のリソースグループ内の第cのリソースは、第9のリソースグループ内の少なくとも2つの候補リソースのそれぞれと第8の対応関係を有し、sの値域は、0＜s≦Sである。
【０１７７】
さらに、決定モジュール101は、第8のリソースグループ内の第cのリソースおよび第8の対応関係に従って第9のリソースグループ内の第sのリソースを決定する前に、第7のルールに従って第8のリソースグループ内の第cのリソースを決定するようにさらに構成される。
【０１７８】
任意選択的に、決定モジュール101は、具体的には、
第8の信号のエネルギーが第8のリソースグループ内において最も強い、検出されたリソースを、第8のリソースグループ内の第cのリソースとして使用するように、または、
第8の信号のエネルギーが第8のリソースグループ内において、第9の予め設定された閾値よりも大きい第1のリソースを、第8のリソースグループ内の第cのリソースとして使用するように、または、
第8の信号の基準信号受信品質RSRQが、第8のリソースグループ内において、第10の予め設定された閾値よりも大きい第1のリソースを、第8のリソースグループ内の第cのリソースとして使用するように、または、
第8のリソースグループ内において巡回冗長コードCRCを第8のリソースグループ内の第cのリソースとして使用して、第8の信号が正しくチェックされたリソースを使用するように構成される。
【０１７９】
任意選択的に、第8の信号はRRC要求確認メッセージである。
【０１８０】
さらに、送信モジュール102は、検出モジュール100が第8のリソースグループ内の第cのリソース上の第8の信号を検出した後、第9のリソースグループ内の第sのリソース上の第9の信号を送信するようにさらに構成され、
検出モジュール100は、第9のリソースグループ内の第sのリソース上の第10の信号を検出するようにさらに構成され、
第9のリソースグループの各リソースは、1つの第10の信号に対応する。
【０１８１】
さらに、検出モジュール100が第9のリソースグループ内の第sのリソース上の第10の信号を検出した場合、
決定モジュール101は、検出モジュール100が第9のリソースグループ内の第sのリソース上の第10の信号を検出する前に、第8のルールに従って第9のリソースグループ内の第sのリソースを決定するようにさらに構成されている。
【０１８２】
任意選択的に、決定モジュール101は、具体的には、
第9の信号のエネルギーが第9のリソースグループ内において最も強い、検出されたリソースを、第9のリソースグループ内の第sのリソースとして使用するように、または、
第9の信号のエネルギーが第9のリソースグループ内において、第11の予め設定された閾値よりも大きい第1のリソースを、第9のリソースグループ内の第sのリソースとして使用するように、または、
第9の信号の基準信号受信品質RSRQが、第9のリソースグループ内において、第12の予め設定された閾値よりも大きい第1のリソースを、第9のリソースグループ内の第sのリソースとして使用するように、または、
第9のリソースグループ内において巡回冗長コードCRCを第9のリソースグループ内の第sのリソースとして使用して、第9の信号が正しくチェックされたリソースを使用するように構成される。
【０１８３】
任意選択的に、第9の信号はアップリンクデータチャネルであり、第10の信号はダウンリンクデータチャネルである。
【０１８４】
さらに、送信モジュール102は、決定モジュール101が第1の対応関係に従って第2のリソースグループ内の第mのリソースを決定した後、第2のリソースグループ内の第mのリソース上の第11の信号を送信するようにさらに構成される。
【０１８５】
任意選択的に、第1の信号は、システムメッセージ、ランダムアクセス応答チャネル、またはRRC要求確認メッセージのうちの少なくとも1つであり、
第1の信号がシステムメッセージである場合、第2の信号は、ランダムアクセスチャネル、RRC要求メッセージ、またはアップリンクデータチャネルのうちの少なくとも1つであり、
第1の信号がランダムアクセス応答チャネルである場合、第2の信号は、RRC要求メッセージまたはアップリンクデータチャネルのうちの少なくとも1つであり、または、
第1の信号がRRC要求確認メッセージである場合、第2の信号はアップリンクデータチャネルである。
【０１８６】
任意選択的に、第1のリソースグループ内のN個のリソースは、時間ドメインリソース、周波数ドメインリソース、コードリソース、スペースリソース、または電力リソースのうちのいずれか1つのタイプのリソースであり、
第2のリソースグループ内のM個のリソースは、時間ドメインリソース、周波数ドメインリソース、コードリソース、スペースリソース、または電力リソースのうちのいずれか1つのタイプのリソースであり、
第3のリソースグループ内のQ個のリソースは、時間ドメインリソース、周波数ドメインリソース、コードリソース、スペースリソース、または電力リソースのいずれかのタイプのリソースであり、
第4のリソースグループ内のK個のリソースは、時間ドメインリソース、周波数ドメインリソース、コードリソース、スペースリソース、または電力リソースのうちのいずれか1つのタイプのリソースであり、
第5のリソースグループ内のJ個のリソースは、時間ドメインリソース、周波数ドメインリソース、コードリソース、スペースリソース、または電力リソースのうちのいずれかのタイプのリソースであり、
第6のリソースグループ内のR個のリソースは、時間ドメインリソース、周波数ドメインリソース、コードリソース、スペースリソース、または電力リソースのうちのいずれか1つのタイプのリソースであり、
第7のリソースグループ内のW個のリソースは、時間ドメインリソース、周波数ドメインリソース、コードリソース、スペースリソース、または電力リソースのいずれかのタイプのリソースであり、
第8のリソースグループ内のC個のリソースは、時間ドメインリソース、周波数ドメインリソース、コードリソース、スペースリソース、または電力リソースのいずれかのタイプのリソースであり、または
第9のリソースグループ内のS個のリソースは、時間ドメインリソース、周波数ドメインリソース、コードリソース、スペースリソース、または電力リソースのいずれかのタイプのリソースである。
【０１８７】
任意選択的に、第1のリソースグループ内の第nのリソースが時間ドメインリソースであり、第2のリソースグループ内の第mのリソースが時間ドメインリソースである場合、以下の式の
m＝n＋x1が満たされ、
x1は第1のオフセットであり、x1は0以上であり、
第3のリソースグループ内の第qのリソースが時間ドメインリソースである場合、以下の式の
q＝m＋x2が満たされ、
x2は第2のオフセットであり、x2は0以上であり、
第4のリソースグループ内の第kのリソースが時間ドメインリソースである場合、以下の式の
k＝q＋x3が満たされ、  x3は第3のオフセットであり、x3は0以上であり、
第5のリソースグループ内の第jのリソースが時間ドメインリソースである場合、以下の式の
j＝k＋x4が満たされ、
x4は第4のオフセットであり、x4は0以上であり、
第6のリソースグループ内の第rのリソースが時間ドメインリソースである場合、以下の式の
r＝j＋x5が満たされ、
x5は第5のオフセットであり、x5は0以上であり、
第7のリソースグループ内の第wのリソースが時間ドメインリソースの場合、以下の式の
w＝r＋x6が満たされ、
x6は第6のオフセットであり、x6は0以上であり、
第8のリソースグループ内の第cのリソースが時間ドメインリソースである場合、以下の式の
c＝w＋x7が満たされ、
x7は第7のオフセットであり、x7は0以上であり、
第9のリソースグループ内の第sのリソースが時間ドメインリソースである場合、以下の式のs＝c＋x8が満たされ、x8は第8のオフセットであり、x8は0以上である。
【０１８８】
任意選択的に、シーケンスリソースは、信号送信シーケンス、信号によって使用される拡散コード、信号によって使用されるスクランブリングコード、または巡回冗長コードCRC処理の間に追加されるマスクのうちのいずれか1つを含む。
【０１８９】
任意選択的に、スペースリソースは、第2のネットワーク装置が信号を送信するときに使用される少なくとも1つのビーム、または送信モジュール102が信号を送信するときに使用される少なくとも1つのビームを示し、
第1のリソースグループ内の第nのリソースがスペースリソースである場合、第1の対応関係は、第1のリソースグループ内の第nのリソースに対応するビームの識別子と第2のリソースグループ内の第mのリソースとの対応関係であり、
第2のリソースグループ内の第mのリソースがスペースリソースである場合、第2の対応関係は、第2のリソースグループ内の第mのリソースに対応するビームの識別子と第3のリソースグループ内の第qのリソースとの対応関係であり、
第3のリソースグループ内の第qのリソースがスペースリソースである場合、第3の対応関係は、第3のリソースグループ内の第qのリソースに対応するビームの識別子と第4のリソースグループ内の第kのリソースとの対応関係であり、
第4のリソースグループ内の第kのリソースがスペースリソースである場合、第4の対応関係は、第4のリソースグループ内の第kのリソースに対応するビームの識別子と第5のリソースグループ内の第jのリソースとの対応関係であり、
第5のリソースグループ内の第jのリソースがスペースリソースである場合、第5の対応関係は、第5のリソースグループ内の第jのリソースに対応するビームの識別子と第6のリソースグループ内の第rのリソースとの対応関係であり、
第6のリソースグループ内の第rのリソースがスペースリソースである場合、第6の対応関係は、第6のリソースグループ内の第rのリソースに対応するビームの識別子と前記第7のリソースグループ内の第wのリソースとの対応関係であり、
第7のリソースグループ内の第wのリソースがスペースリソースである場合、第7の対応関係は、第7のリソースグループ内の第wのリソースに対応するビームの識別子と第8のリソースグループ内の第cのリソースとの対応関係であり、
第8のリソースグループ内の第cのリソースがスペースリソースである場合、第7の対応関係は、第8のリソースグループ内の第cのリソースに対応するビームの識別子と第9のリソースグループ内の第sのリソースとの対応関係である。
【０１９０】
任意選択的に、第1のリソースグループ内の第nのリソースが時間ドメインリソースであり、第2のリソースグループ内の第mのリソースが時間ドメインリソースである場合、または、第1のリソースグループ内の第nのリソースが時間ドメインリソースであり、第2のリソースグループ内の第mのリソースが周波数ドメインリソースである場合、または、第1のリソースグループ内の第nのリソースが周波数ドメインリソースであり、第2のリソースグループ内の第mのリソースが時間ドメインリソースである場合、または、第1のリソースグループ内の第nのリソースが周波数ドメインリソースであり、第2のリソースグループ内の第mのリソースが周波数ドメインリソースである場合、または、第1のリソースグループ内の第nのリソースがコードリソースであり、第2のリソースグループ内の第mのリソースがコードリソースである場合、または、第1のリソースグループ内の第nのリソースがコードリソースであり、第2のリソースグループ内の第mのリソースが時間ドメインリソースである場合、または、第1のリソースグループ内の第nのリソースがコードリソースであり、第2のリソースグループ内の第mのリソースが周波数ドメインリソースである場合、または、第1のリソースグループ内の第nのリソースが周波数ドメインリソースであり、第2のリソースグループ内の第mのリソースがコードリソースである場合、または、第1のリソースグループ内の第nのリソースが時間ドメインリソースであり、第2のリソースグループ内の第mのリソースがコードリソースである場合、
第1の対応関係は、第1のリソースグループ内の第nのリソースと第2のリソースグループ内の第mのリソースとの間に確立された第1のインデックスであって、無線フレームインデックス、サブフレームインデックス、またはシンボルインデックスのうちの少なくとも1つの第1のインデックスであり、
第2のリソースグループ内の第mのリソースが時間ドメインリソースであり、第3のリソースグループ内の第qのリソースが時間ドメインリソースである場合、または、第2のリソースグループ内の第mのリソースが時間ドメインリソースであり、第3のリソースグループ内の第qのリソースが周波数ドメインリソースである場合、または、第2のリソースグループ内の第mのリソースが周波数ドメインリソースであり、第3のリソースグループ内の第qのリソースが時間ドメインリソースである場合、または、第2のリソースグループ内の第mのリソースが周波数ドメインリソースであり、第3のリソースグループ内の第qのリソースが周波数ドメインリソースである場合、または、第2のリソースグループ内の第mのリソースがコードリソースであり、第3のリソースグループ内の第qのリソースがコードリソースである場合、または、第2のリソースグループ内の第mのリソースがコードリソースであり、第3のリソースグループ内の第qのリソースが時間ドメインリソースである場合、または、第2のリソースグループ内の第mのリソースがコードリソースであり、第3のリソースグループ内の第qのリソースが周波数ドメインリソースである場合、または、第2のリソースグループ内の第mのリソースが周波数ドメインリソースであり、第3のリソースグループ内の第qのリソースがコードリソースである場合、または、第2のリソースグループ内の第mのリソースが時間ドメインリソースであり、第3のリソースグループ内の第qのリソースがコードリソースである場合、
第2の対応関係は、第2のリソースグループ内の第mのリソースと第3のリソースグループ内の第qのリソースとの間に確立された第2のインデックスであって、無線フレームインデックス、サブフレームインデックス、またはシンボルインデックスのうちの少なくとも1つの第2のインデックスであり、
第3のリソースグループ内の第qのリソースが時間ドメインリソースであり、第4のリソースグループ内の第kのリソースが時間ドメインリソースである場合、または、第3のリソースグループ内の第qのリソースが時間ドメインリソースであり、第4のリソースグループ内の第kのリソースが周波数ドメインリソースである場合、または、第3のリソースグループ内の第qのリソースが周波数ドメインリソースであり、第4のリソースグループ内の第kのリソースが時間ドメインリソースである場合、または、第3のリソースグループ内の第qのリソースが周波数ドメインリソースであり、第4のリソースグループ内の第kのリソースが周波数ドメインリソースである場合、または、第3のリソースグループ内の第qのリソースがコードリソースであり、第4のリソースグループ内の第kのリソースがコードリソースである場合、または、第3のリソースグループ内の第qのリソースがコードリソースであり、第4のリソースグループ内の第kのリソースが時間ドメインリソースである場合、または、第3のリソースグループ内の第qのリソースがコードリソースであり、第4のリソースグループ内の第kのリソースが周波数ドメインリソースである場合、または、第3のリソースグループ内の第qのリソースが周波数ドメインリソースであり、第4のリソースグループ内の第kのリソースがコードリソースである場合、または、第3のリソースグループ内の第qのリソースが時間ドメインリソースであり、第4のリソースグループ内の第kのリソースがコードリソースである場合、
第3の対応関係は、第3のリソースグループ内の第qのリソースと第4のリソースグループ内の第kのリソースとの間に確立された第3のインデックスであって、無線フレームインデックス、サブフレームインデックス、またはシンボルインデックスのうちの少なくとも1つの第3のインデックスであり、
第4のリソースグループ内の第kのリソースが時間ドメインリソースであり、第5のリソースグループ内の第jのリソースが時間ドメインリソースである場合、または、第4のリソースグループ内の第kのリソースが時間ドメインリソースであり、第5のリソースグループ内の第jのリソースが周波数ドメインリソースである場合、または、第4のリソースグループ内の第kのリソースが周波数ドメインリソースであり、第5のリソースグループ内の第jのリソースが時間ドメインリソースである場合、または、第4のリソースグループ内の第kのリソースが周波数ドメインリソースであり、第5のリソースグループ内の第jのリソースが周波数ドメインリソースである場合、または、第4のリソースグループ内の第kのリソースがコードリソースであり、第5のリソースグループ内の第jのリソースがコードリソースである場合、または、第4のリソースグループ内の第kのリソースがコードリソースであり、第5のリソースグループ内の第jのリソースが時間ドメインリソースである場合、または、第4のリソースグループ内の第kのリソースがコードリソースであり、第5のリソースグループ内の第jのリソースが周波数ドメインリソースである場合、または、第4のリソースグループ内の第kのリソースが周波数ドメインリソースであり、第5のリソースグループ内の第jのリソースがコードリソースである場合、または、第4のリソースグループ内の第kのリソースが時間ドメインリソースであり、第5のリソースグループ内の第jのリソースがコードリソースである場合、
第4の対応関係は、第4のリソースグループ内の第kのリソースと第5のリソースグループ内の第jのリソースとの間に確立された第4のインデックスであって、無線フレームインデックス、サブフレームインデックス、またはシンボルインデックスのうちの少なくとも1つの第4のインデックスであり、
第5のリソースグループ内の第jのリソースが時間ドメインリソースであり、第6のリソースグループ内の第rのリソースが時間ドメインリソースである場合、または、第5のリソースグループ内の第jのリソースが時間ドメインリソースであり、第6のリソースグループ内の第rのリソースが周波数ドメインリソースである場合、または、第5のリソースグループ内の第jのリソースが周波数ドメインリソースであり、第6のリソースグループ内の第rのリソースが時間ドメインリソースである場合、または、第5のリソースグループ内の第jのリソースが周波数ドメインリソースであり、第6のリソースグループ内の第rのリソースが周波数ドメインリソースである場合、または、第5のリソースグループ内の第jのリソースがコードリソースであり、第6のリソースグループ内の第rのリソースがコードリソースである場合、または、第5のリソースグループ内の第jのリソースがコードリソースであり、第6のリソースグループ内の第rのリソースが時間ドメインリソースである場合、または、第5のリソースグループ内の第jのリソースがコードリソースであり、第6のリソースグループ内の第rのリソースが周波数ドメインリソースである場合、または、第5のリソースグループ内の第jのリソースが周波数ドメインリソースであり、第6のリソースグループ内の第rのリソースがコードリソースである場合、または、第5のリソースグループ内の第jのリソースが時間ドメインリソースであり、第6のリソースグループ内の第rのリソースがコードリソースである場合、
第5の対応関係は、第5のリソースグループ内の第jのリソースと第6のリソースグループ内の第rのリソースとの間に確立された第5のインデックスであって、無線フレームインデックス、サブフレームインデックス、またはシンボルインデックスのうちの少なくとも1つの第5のインデックスであり、
第6のリソースグループ内の第rのリソースが時間ドメインリソースであり、第7のリソースグループ内の第wのリソースが時間ドメインリソースである場合、または、第6のリソースグループ内の第rのリソースが時間ドメインリソースであり、第7のリソースグループ内の第wのリソースが周波数ドメインリソースである場合、または、第6のリソースグループ内の第rのリソースが周波数ドメインリソースであり、第7のリソースグループ内の第wのリソースが時間ドメインリソースである場合、または、第6のリソースグループ内の第rのリソースが周波数ドメインリソースであり、第7のリソースグループ内の第wのリソースが周波数ドメインリソースである場合、または、第6のリソースグループ内の第rのリソースがコードリソースであり、第7のリソースグループ内の第wのリソースがコードリソースである場合、または、第6のリソースグループ内の第rのリソースがコードリソースであり、第7のリソースグループ内の第wのリソースが時間ドメインリソースである場合、または、第6のリソースグループ内の第rのリソースがコードリソースであり、第7のリソースグループ内の第wのリソースが周波数ドメインリソースである場合、または、第6のリソースグループ内の第rのリソースが周波数ドメインリソースであり、第7のリソースグループ内の第wのリソースがコードリソースである場合、または、第6のリソースグループ内の第rのリソースが時間ドメインリソースであり、第7のリソースグループ内の第wのリソースがコードリソースである場合、
第6の対応関係は、第6のリソースグループ内の第rのリソースと第7のリソースグループ内の第wのリソースとの間に確立された第6のインデックスであって、無線フレームインデックス、サブフレームインデックス、またはシンボルインデックスのうちの少なくとも1つの第6のインデックスであり、
第7のリソースグループ内の第wのリソースが時間ドメインリソースであり、第8のリソースグループ内の第cのリソースが時間ドメインリソースである場合、または、第7のリソースグループ内の第wのリソースが時間ドメインリソースであり、第8のリソースグループ内の第cのリソースが周波数ドメインリソースである場合、または、第7のリソースグループ内の第wのリソースが周波数ドメインリソースであり、第8のリソースグループ内の第cのリソースが時間ドメインリソースである場合、または、第7のリソースグループ内の第wのリソースが周波数ドメインリソースであり、第8のリソースグループ内の第cのリソースが周波数ドメインリソースである場合、または、第7のリソースグループ内の第wのリソースがコードリソースであり、第8のリソースグループ内の第cのリソースがコードリソースである場合、または、第7のリソースグループ内の第wのリソースがコードリソースであり、第8のリソースグループ内の第cのリソースが時間ドメインリソースである場合、または、第7のリソースグループ内の第wのリソースがコードリソースであり、第8のリソースグループ内の第cのリソースが周波数ドメインリソースである場合、または、第7のリソースグループ内の第wのリソースが周波数ドメインリソースであり、第8のリソースグループ内の第cのリソースがコードリソースである場合、または、第7のリソースグループ内の第wのリソースが時間ドメインリソースであり、第8のリソースグループ内の第cのリソースがコードリソースである場合、
第7の対応関係は、第7のリソースグループ内の第wのリソースと第8のリソースグループ内の第cのリソースとの間に確立された第7のインデックスであって、無線フレームインデックス、サブフレームインデックス、またはシンボルインデックスのうちの少なくとも1つの第7のインデックスであり、
第8のリソースグループ内の第cのリソースが時間ドメインリソースであり、第9のリソースグループ内の第sのリソースが時間ドメインリソースである場合、または、第8のリソースグループ内の第cのリソースが時間ドメインリソースであり、第9のリソースグループ内の第sのリソースが周波数ドメインリソースである場合、または、第8のリソースグループ内の第cのリソースが周波数ドメインリソースであり、第9のリソースグループ内の第sのリソースが時間ドメインリソースである場合、または、第8のリソースグループ内の第cのリソースが周波数ドメインリソースであり、第9のリソースグループ内の第sのリソースが周波数ドメインリソースである場合、または、第8のリソースグループ内の第cのリソースがコードリソースであり、第9のリソースグループ内の第sのリソースがコードリソースである場合、または、第8のリソースグループ内の第cのリソースがコードリソースであり、第9のリソースグループ内の第sのリソースが時間ドメインリソースである場合、または、第8のリソースグループ内の第cのリソースがコードリソースであり、第9のリソースグループ内の第sのリソースが周波数ドメインリソースである場合、または、第8のリソースグループ内の第cのリソースが周波数ドメインリソースであり、第9のリソースグループ内の第sのリソースがコードリソースである場合、または、第8のリソースグループ内の第cのリソースが時間ドメインリソースであり、第9のリソースグループ内の第sのリソースがコードリソースである場合、
第8の対応関係は、第8のリソースグループ内の第cのリソースと第9のリソースグループ内の第sのリソースとの間に確立された第8のインデックスであって、無線フレームインデックス、サブフレームインデックス、またはシンボルインデックスのうちの少なくとも1つの第8のインデックスである。
【０１９１】
図4は、本発明の実施形態に係る、別のネットワーク装置の概略構成図である。ネットワーク装置は、以下の第2のネットワーク装置に対応する。ネットワーク装置は、アクセスネットワーク装置であってもよい。具体的には、アクセスネットワーク装置は、基地局、進化型NodeB、中継装置などであってもよい。図4を参照すると、ネットワーク装置は送信モジュール200を含む。
【０１９２】
送信モジュール200は、第1のリソースグループ内の第1の信号を送信するように構成され、第1のリソースグループはN個のリソースを含み、Nは1より大きい正の整数であり、第1のリソースグループの各リソースは1つの第1の信号に対応し、第1のリソースグループ内の第nのリソースは、第2のリソースグループ内の第mのリソースと第1の対応関係を有し、第2のリソースグループは、M個のリソースを含み、Mは1より大きい正の整数であり、第2のリソースグループ内の第mのリソースは、第2のリソースグループ内の少なくとも2つの候補リソースのうちの1つであり、
第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。
【０１９３】
本発明のこの実施形態で提供されるネットワーク装置によれば、送信モジュールは、第1のリソースグループ内の第1の信号を送信する。第1のリソースグループはN個のリソースを含み、Nは1より大きい正の整数であり、第1のリソースグループの各リソースは1つの第1の信号に対応する。第1のリソースグループ内の第nのリソースは、第2のリソースグループ内の第mのリソースと第1の対応関係を有し、第2のリソースグループはM個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。したがって、高周波シナリオでは、セル全体で信号の完全なカバレッジ（同期信号、システムメッセージ、またはブロードキャストメッセージなど）が保証される。すなわち、第2のネットワーク装置（アクセス装置）は、第1のリソースグループ内のUEに第1の信号を送信する。第1のリソースグループは複数のリソースを含むので、1つのリソースグループの各リソース上で、異なるUEに対して送信を実行することができる。すなわち、異なるUEが信号を検出するリソースが異なる。すなわち、UEは、複数の異なるリソースの対応関係から、その要件を満たす通信を決定することができ、第1のリソースグループ内の第nのリソースに従って、第2のリソースグループ内の第mのリソースを決定する。したがって、UEは、第2のリソースグループ内の複数の候補第2のリソースのブラインド検出によって、第2のネットワーク装置によって送信された第2の信号を取得する必要はなく、または、第2のリソースグループ内の複数のリソース上で信号を送信し、それによってシステム効率および性能を改善する。
【０１９４】
これに対して、従来技術では、ビームは高周波シナリオでは比較的狭く、セル全体をカバーすることができない。したがって、基地局がUEとの同期チャネル、測定パイロット信号、ブロードキャストチャネルなどを交換するリソースは、基地局のカバレッジ内のすべてのUEに対して常に同じである。すなわち、セル全体のすべてのUEは、同じリソース上で同期チャネル、測定パイロット信号、ブロードキャストチャネルなどを検出する。しかし、大規模MIMO技術を用いる場合、形成されるビームが極端に狭いため、同じリソースを使用してセル全体におけるUEをカバーするという要件を満たすことができない。
【０１９５】
さらに、送信モジュール200は、第1のリソースグループ内の第1の信号を送信した後、第2のリソースグループ内の第2の信号を送信するように構成され、第2のリソースグループの各リソースは1つの第2の信号に対応し、
第2のリソースグループ内の第mのリソースは、第3のリソースグループ内の第qのリソースと第2の対応関係を有し、第3のリソースグループは、Q個のリソースを含み、Qは1より大きい正の整数であり、第3のリソースグループ内の第qのリソースは、第3のリソースグループ内の少なくとも2つの候補リソースのうちの1つであり、第2のリソースグループ内の第mのリソースは、第3のリソースグループ内の少なくとも2つの候補リソースのそれぞれと第2の対応関係を有し、qの値域は、0＜q≦Qである。
【０１９６】
任意選択的に、第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
第1の信号が同期チャネルである場合、第2の信号は、測定パイロット信号、ブロードキャストチャネル、システムメッセージ、ランダムアクセス応答チャネル、RRC要求確認メッセージ、またはダウンリンクデータチャネルの少なくとも1つであり、
第1の信号が測定パイロット信号である場合、第2の信号は、ブロードキャストチャネル、システムメッセージ、ランダムアクセス応答チャネル、RRC要求確認メッセージ、またはダウンリンクデータチャネルのうちの少なくとも1つであり、
第1の信号がブロードキャストチャネルである場合、第2の信号は、システムメッセージ、ランダムアクセス応答チャネル、RRC要求確認メッセージ、またはダウンリンクデータチャネルのうちの少なくとも1つであり、
第1の信号がシステムメッセージである場合、第2の信号は、ランダムアクセス応答チャネル、RRC要求確認メッセージ、またはダウンリンクデータチャネルのうちの少なくとも1つであり、
第1の信号がランダムアクセス応答チャネルである場合、第2の信号は、RRC要求確認応答メッセージまたはダウンリンクデータチャネルのうちの少なくとも1つであり、または、
第1の信号がRRC要求確認メッセージである場合、第2の信号はダウンリンクデータチャネルである。
【０１９７】
さらに、送信モジュール200は、第2のリソースグループ内の第2の信号を送信した後、第3のリソースグループ上の第3の信号を送信するように構成され、第3のリソースグループの各リソースは1つの第3の信号に対応し、
第3のリソースグループ内の第qのリソースは、第4のリソースグループ内の第kのリソースと第3の対応関係を有し、第4のリソースグループは、K個のリソースを含み、Kは1より大きい正の整数であり、第4のリソースグループ内の第kのリソースは、第4のリソースグループ内の少なくとも2つの候補リソースのうちの1つであり、第3のリソースグループ内の第qのリソースは、第4のリソースグループ内の少なくとも2つの候補リソースのそれぞれと第3の対応関係を有し、kの値域は、0＜k≦Kである。
【０１９８】
任意選択的に、第3の信号はブロードキャストチャネルである。
【０１９９】
さらに、送信モジュール200は、第3のリソースグループ上の第3の信号を送信した後、第4のリソースグループ上の第4の信号を送信するようにさらに構成され、第4のリソースグループの各リソースは1つの第4の信号に対応し、
第4のリソースグループ内の第kのリソースは、第5のリソースグループ内の第jのリソースと第4の対応関係を有し、第5のリソースグループは、J個のリソースを含み、Jは1より大きい正の整数であり、第5のリソースグループ内の第jのリソースは、第5のリソースグループ内の少なくとも2つの候補リソースのうちの1つであり、第4のリソースグループ内の第kのリソースは、第5のリソースグループ内の少なくとも2つの候補リソースのそれぞれと第4の対応関係を有し、jの値域は、0＜j≦Jである。
【０２００】
任意選択的に、第4の信号はシステムメッセージである。
【０２０１】
また、図4に基づいて、図5は、本発明の実施形態に係る別のネットワーク装置の概略構成図である。図5を参照すると、ネットワーク装置は、検出モジュール201および決定モジュール202をさらに含む。
【０２０２】
検出モジュール201は、送信モジュール200が第4のリソースグループ上の第4の信号を送信した後、第5のリソースグループ内の第jのリソース上で、第1のネットワーク装置によって送信された第5の信号を検出するように構成され、第5のリソースグループの各リソースは、第5の信号に対応し、
決定モジュール202は、第5のリソースグループ内の第jのリソースおよび第5の対応関係に従って、第6のリソースグループ内の第rのリソースを決定するように構成され、第6のリソースグループはR個のリソースを含み、Rは1より大きい正の整数であり、第6のリソースグループ内の第rのリソースは第6のリソースグループ内の少なくとも2つの候補リソースのうちの1つであり、rの値域は0＜r≦Rである。
【０２０３】
任意選択的に、第5の信号はランダムアクセスチャネルである。
【０２０４】
送信モジュール200は、第5の信号が、第5のリソースグループ内の第jのリソース上で送信された後、第6のリソースグループ上の第6の信号を送信するようにさらに構成され、第6のリソースグループの各リソースは1つの第6の信号に対応し、
第6のリソースグループ内の第rのリソースは、第7のリソースグループ内の第wのリソースと第6の対応関係を有し、第7のリソースグループは、W個のリソースを含み、Wは1より大きい正の整数であり、第7のリソースグループ内の第wのリソースは、第7のリソースグループ内の少なくとも2つの候補リソースのうちの1つであり、第6のリソースグループ内の第rのリソースは、第7のリソースグループ内の少なくとも2つの候補リソースのそれぞれと第6の対応関係を有し、wの値域は、0＜w≦Wである。
【０２０５】
任意選択的に、第6の信号は、ランダムアクセス応答チャネルである。
【０２０６】
さらに、検出モジュール201は、送信モジュール200が第6のリソースグループ上の第6の信号を送信した後、第7のリソースグループ内の第wのリソース上で、第1のネットワーク装置によって送信された第7の信号を検出するようにさらに構成され、第7のリソースグループの各リソースは、1つの第7の信号に対応し、
決定モジュール202は、第7のリソースグループ内の第wのリソースおよび第7の対応関係に従って、第8のリソースグループ内の第cのリソースを決定するようにさらに構成され、第8のリソースグループはC個のリソースを含み、Cは1より大きい正の整数であり、第8のリソースグループ内の第cのリソースは第8のリソースグループ内の少なくとも2つの候補リソースのうちの1つであり、cの値域は0＜c≦Cである。
【０２０７】
任意選択的に、第7の信号は、RRC要求メッセージである。
【０２０８】
さらに、送信モジュール200は、検出モジュール201が、第1のネットワーク装置によって送信された第7の信号を、第7のリソースグループ内の第wのリソース上で検出した後、第8のリソースグループ内の第cのリソース上の第8の信号を送信するようにさらに構成され、第8のリソースグループの各リソースが1つの第8の信号に対応し、
第8のリソースグループ内の第cのリソースは、第9のリソースグループ内の第sのリソースと第8の対応関係を有し、第9のリソースグループは、S個のリソースを含み、Sは1より大きい正の整数であり、第9のリソースグループ内の第sのリソースは、第9のリソースグループ内の少なくとも2つの候補リソースのうちの1つであり、第8のリソースグループ内の第cのリソースは、第9のリソースグループ内の少なくとも2つの候補リソースのそれぞれと第8の対応関係を有し、sの値域は、0＜s≦Sである。
【０２０９】
任意選択的に、第8の信号はRRC要求確認メッセージである。
【０２１０】
さらに、検出モジュール201は、送信モジュール200が第8のリソースグループ内の第cのリソース上の第8の信号を送信した後、第9のリソースグループ内の第sのリソース上の第9の信号を検出するようにさらに構成され、
送信モジュール200は、第9のリソースグループ内の第sのリソース上の第10の信号を送信するようにさらに構成され、第9のリソースグループの各リソースは、1つの第10の信号に対応する。
【０２１１】
任意選択的に、第9の信号はアップリンクデータチャネルであり、第10の信号はダウンリンクデータチャネルである。
【０２１２】
さらに、検出モジュール201は、送信モジュール200が第1のリソースグループ内の第1の信号を送信した後、第2のリソースグループ内の第mのリソース上で、第1のネットワーク装置によって送信された第11の信号を検出するようにさらに構成される。
【０２１３】
任意選択的に、第1の信号は、システムメッセージ、ランダムアクセス応答チャネル、またはRRC要求確認メッセージのうちの少なくとも1つであり、
第1の信号がシステムメッセージである場合、第2の信号は、ランダムアクセスチャネル、RRC要求メッセージ、またはアップリンクデータチャネルのうちの少なくとも1つであり、
第1の信号がランダムアクセス応答チャネルである場合、第2の信号は、RRC要求メッセージまたはアップリンクデータチャネルのうちの少なくとも1つであり、または、
第1の信号がRRC要求確認メッセージである場合、第2の信号はアップリンクデータチャネルである。
【０２１４】
任意選択的に、第1のリソースグループ内のN個のリソースは、時間ドメインリソース、周波数ドメインリソース、コードリソース、スペースリソース、または電力リソースのうちのいずれか1つのタイプのリソースであり、
第2のリソースグループ内のM個のリソースは、時間ドメインリソース、周波数ドメインリソース、コードリソース、スペースリソース、または電力リソースのうちのいずれか1つのタイプのリソースであり、
第3のリソースグループ内のQ個のリソースは、時間ドメインリソース、周波数ドメインリソース、コードリソース、スペースリソース、または電力リソースのいずれかのタイプのリソースであり、
第4のリソースグループ内のK個のリソースは、時間ドメインリソース、周波数ドメインリソース、コードリソース、スペースリソース、または電力リソースのうちのいずれか1つのタイプのリソースであり、
第5のリソースグループ内のJ個のリソースは、時間ドメインリソース、周波数ドメインリソース、コードリソース、スペースリソース、または電力リソースのうちのいずれかのタイプのリソースであり、
第6のリソースグループ内のR個のリソースは、時間ドメインリソース、周波数ドメインリソース、コードリソース、スペースリソース、または電力リソースのうちのいずれか1つのタイプのリソースであり、
第7のリソースグループ内のW個のリソースは、時間ドメインリソース、周波数ドメインリソース、コードリソース、スペースリソース、または電力リソースのいずれかのタイプのリソースであり、
第8のリソースグループ内のC個のリソースは、時間ドメインリソース、周波数ドメインリソース、コードリソース、スペースリソース、または電力リソースのいずれかのタイプのリソースであり、または、
第9のリソースグループ内のS個のリソースは、時間ドメインリソース、周波数ドメインリソース、コードリソース、スペースリソース、または電力リソースのいずれかのタイプのリソースである。
【０２１５】
任意選択的に、第1のリソースグループ内の第nのリソースが時間ドメインリソースであり、第2のリソースグループ内の第mのリソースが時間ドメインリソースである場合、以下の式の
m＝n＋x1が満たされ、
x1は第1のオフセットであり、x1は0以上であり、
第3のリソースグループ内の第qのリソースが時間ドメインリソースである場合、以下の式の
q＝m＋x2が満たされ、
x2は第2のオフセットであり、x2は0以上であり、
第4のリソースグループ内の第kのリソースが時間ドメインリソースである場合、以下の式の
k＝q＋x3が満たされ、
x3は第3のオフセットであり、x3は0以上であり、
第5のリソースグループ内の第jのリソースが時間ドメインリソースである場合、以下の式の
j＝k＋x4が満たされ、
x4は第4のオフセットであり、x4は0以上であり、
第6のリソースグループ内の第rのリソースが時間ドメインリソースである場合、以下の式の
r＝j＋x5が満たされ、
x5は第5のオフセットであり、x5は0以上であり、
第7のリソースグループ内の第wのリソースが時間ドメインリソースの場合、以下の式の
w＝r＋x6が満たされ、  x6は第6のオフセットであり、x6は0以上であり、
第8のリソースグループ内の第cのリソースが時間ドメインリソースである場合、以下の式の
c＝w＋x7が満たされ、
x7は第7のオフセットであり、x7は0以上であり、
第9のリソースグループ内の第sのリソースが時間ドメインリソースである場合、以下の式の
s＝c＋x8が満たされ、
x8は第8のオフセットであり、x8は0以上である。
【０２１６】
任意選択的に、シーケンスリソースは、信号送信シーケンス、信号によって使用される拡散コード、信号によって使用されるスクランブリングコード、または巡回冗長コードCRC処理の間に追加されるマスクのうちのいずれか1つを含む。
【０２１７】
任意選択的に、スペースリソースは、第2のネットワーク装置が信号を送信するときに使用される少なくとも1つのビーム、または第1のネットワーク装置が信号を送信するときに使用される少なくとも1つのビームを示し、
第1のリソースグループ内の第nのリソースがスペースリソースである場合、第1の対応関係は、第1のリソースグループ内の第nのリソースに対応するビームの識別子と第2のリソースグループ内の第mのリソースとの対応関係であり、
第2のリソースグループ内の第mのリソースがスペースリソースである場合、第2の対応関係は、第2のリソースグループ内の第mのリソースに対応するビームの識別子と第3のリソースグループ内の第qのリソースとの対応関係であり、
第3のリソースグループ内の第qのリソースがスペースリソースである場合、第3の対応関係は、第3のリソースグループ内の第qのリソースに対応するビームの識別子と第4のリソースグループ内の第kのリソースとの対応関係であり、
第4のリソースグループ内の第kのリソースがスペースリソースである場合、第4の対応関係は、第4のリソースグループ内の第kのリソースに対応するビームの識別子と第5のリソースグループ内の第jのリソースとの対応関係であり、
第5のリソースグループ内の第jのリソースがスペースリソースである場合、第5の対応関係は、第5のリソースグループ内の第jのリソースに対応するビームの識別子と第6のリソースグループ内の第rのリソースとの対応関係であり、
第6のリソースグループ内の第rのリソースがスペースリソースである場合、第6の対応関係は、第6のリソースグループ内の第rのリソースに対応するビームの識別子と前記第7のリソースグループ内の第wのリソースとの対応関係であり、
第7のリソースグループ内の第wのリソースがスペースリソースである場合、第7の対応関係は、第7のリソースグループ内の第wのリソースに対応するビームの識別子と第8のリソースグループ内の第cのリソースとの対応関係であり、
第8のリソースグループ内の第cのリソースがスペースリソースである場合、第8の対応関係は、第8のリソースグループ内の第cのリソースに対応するビームの識別子と第9のリソースグループ内の第sのリソースとの対応関係である。
【０２１８】
任意選択的に、第1のリソースグループ内の第nのリソースが時間ドメインリソースであり、第2のリソースグループ内の第mのリソースが時間ドメインリソースである場合、または、第1のリソースグループ内の第nのリソースが時間ドメインリソースであり、第2のリソースグループ内の第mのリソースが周波数ドメインリソースである場合、または、第1のリソースグループ内の第nのリソースが周波数ドメインリソースであり、第2のリソースグループ内の第mのリソースが時間ドメインリソースである場合、または、第1のリソースグループ内の第nのリソースが周波数ドメインリソースであり、第2のリソースグループ内の第mのリソースが周波数ドメインリソースである場合、または、第1のリソースグループ内の第nのリソースがコードリソースであり、第2のリソースグループ内の第mのリソースがコードリソースである場合、または、第1のリソースグループ内の第nのリソースがコードリソースであり、第2のリソースグループ内の第mのリソースが時間ドメインリソースである場合、または、第1のリソースグループ内の第nのリソースがコードリソースであり、第2のリソースグループ内の第mのリソースが周波数ドメインリソースである場合、または、第1のリソースグループ内の第nのリソースが周波数ドメインリソースであり、第2のリソースグループ内の第mのリソースがコードリソースである場合、または、第1のリソースグループ内の第nのリソースが時間ドメインリソースであり、第2のリソースグループ内の第mのリソースがコードリソースである場合、
第1の対応関係は、第1のリソースグループ内の第nのリソースと第2のリソースグループ内の第mのリソースとの間に確立された第1のインデックスであって、無線フレームインデックス、サブフレームインデックス、またはシンボルインデックスのうちの少なくとも1つの第1のインデックスであり、
第2のリソースグループ内の第mのリソースが時間ドメインリソースであり、第3のリソースグループ内の第qのリソースが時間ドメインリソースである場合、または、第2のリソースグループ内の第mのリソースが時間ドメインリソースであり、第3のリソースグループ内の第qのリソースが周波数ドメインリソースである場合、または、第2のリソースグループ内の第mのリソースが周波数ドメインリソースであり、第3のリソースグループ内の第qのリソースが時間ドメインリソースである場合、または、第2のリソースグループ内の第mのリソースが周波数ドメインリソースであり、第3のリソースグループ内の第qのリソースが周波数ドメインリソースである場合、または、第2のリソースグループ内の第mのリソースがコードリソースであり、第3のリソースグループ内の第qのリソースがコードリソースである場合、または、第2のリソースグループ内の第mのリソースがコードリソースであり、第3のリソースグループ内の第qのリソースが時間ドメインリソースである場合、または、第2のリソースグループ内の第mのリソースがコードリソースであり、第3のリソースグループ内の第qのリソースが周波数ドメインリソースである場合、または、第2のリソースグループ内の第mのリソースが周波数ドメインリソースであり、第3のリソースグループ内の第qのリソースがコードリソースである場合、または、第2のリソースグループ内の第mのリソースが時間ドメインリソースであり、第3のリソースグループ内の第qのリソースがコードリソースである場合、
第2の対応関係は、第2のリソースグループ内の第mのリソースと第3のリソースグループ内の第qのリソースとの間に確立された第2のインデックスであって、無線フレームインデックス、サブフレームインデックス、またはシンボルインデックスのうちの少なくとも1つの第2のインデックスであり、
第3のリソースグループ内の第qのリソースが時間ドメインリソースであり、第4のリソースグループ内の第kのリソースが時間ドメインリソースである場合、または、第3のリソースグループ内の第qのリソースが時間ドメインリソースであり、第4のリソースグループ内の第kのリソースが周波数ドメインリソースである場合、または、第3のリソースグループ内の第qのリソースが周波数ドメインリソースであり、第4のリソースグループ内の第kのリソースが時間ドメインリソースである場合、または、第3のリソースグループ内の第qのリソースが周波数ドメインリソースであり、第4のリソースグループ内の第kのリソースが周波数ドメインリソースである場合、または、第3のリソースグループ内の第qのリソースがコードリソースであり、第4のリソースグループ内の第kのリソースがコードリソースである場合、または、第3のリソースグループ内の第qのリソースがコードリソースであり、第4のリソースグループ内の第kのリソースが時間ドメインリソースである場合、または、第3のリソースグループ内の第qのリソースがコードリソースであり、第4のリソースグループ内の第kのリソースが周波数ドメインリソースである場合、または、第3のリソースグループ内の第qのリソースが周波数ドメインリソースであり、第4のリソースグループ内の第kのリソースがコードリソースである場合、または、第3のリソースグループ内の第qのリソースが時間ドメインリソースであり、第4のリソースグループ内の第kのリソースがコードリソースである場合、
第3の対応関係は、第3のリソースグループ内の第qのリソースと第4のリソースグループ内の第kのリソースとの間に確立された第3のインデックスであって、無線フレームインデックス、サブフレームインデックス、またはシンボルインデックスのうちの少なくとも1つの第3のインデックスであり、
第4のリソースグループ内の第kのリソースが時間ドメインリソースであり、第5のリソースグループ内の第jのリソースが時間ドメインリソースである場合、または、第4のリソースグループ内の第kのリソースが時間ドメインリソースであり、第5のリソースグループ内の第jのリソースが周波数ドメインリソースである場合、または、第4のリソースグループ内の第kのリソースが周波数ドメインリソースであり、第5のリソースグループ内の第jのリソースが時間ドメインリソースである場合、または、第4のリソースグループ内の第kのリソースが周波数ドメインリソースであり、第5のリソースグループ内の第jのリソースが周波数ドメインリソースである場合、または、第4のリソースグループ内の第kのリソースがコードリソースであり、第5のリソースグループ内の第jのリソースがコードリソースである場合、または、第4のリソースグループ内の第kのリソースがコードリソースであり、第5のリソースグループ内の第jのリソースが時間ドメインリソースである場合、または、第4のリソースグループ内の第kのリソースがコードリソースであり、第5のリソースグループ内の第jのリソースが周波数ドメインリソースである場合、または、第4のリソースグループ内の第kのリソースが周波数ドメインリソースであり、第5のリソースグループ内の第jのリソースがコードリソースである場合、または、第4のリソースグループ内の第kのリソースが時間ドメインリソースであり、第5のリソースグループ内の第jのリソースがコードリソースである場合、
第4の対応関係は、第4のリソースグループ内の第kのリソースと第5のリソースグループ内の第jのリソースとの間に確立された第4のインデックスであって、無線フレームインデックス、サブフレームインデックス、またはシンボルインデックスのうちの少なくとも1つの第4のインデックスであり、
第5のリソースグループ内の第jのリソースが時間ドメインリソースであり、第6のリソースグループ内の第rのリソースが時間ドメインリソースである場合、または、第5のリソースグループ内の第jのリソースが時間ドメインリソースであり、第6のリソースグループ内の第rのリソースが周波数ドメインリソースである場合、または、第5のリソースグループ内の第jのリソースが周波数ドメインリソースであり、第6のリソースグループ内の第rのリソースが時間ドメインリソースである場合、または、第5のリソースグループ内の第jのリソースが周波数ドメインリソースであり、第6のリソースグループ内の第rのリソースが周波数ドメインリソースである場合、または、第5のリソースグループ内の第jのリソースがコードリソースであり、第6のリソースグループ内の第rのリソースがコードリソースである場合、または、第5のリソースグループ内の第jのリソースがコードリソースであり、第6のリソースグループ内の第rのリソースが時間ドメインリソースである場合、または、第5のリソースグループ内の第jのリソースがコードリソースであり、第6のリソースグループ内の第rのリソースが周波数ドメインリソースである場合、または、第5のリソースグループ内の第jのリソースが周波数ドメインリソースであり、第6のリソースグループ内の第rのリソースがコードリソースである場合、または、第5のリソースグループ内の第jのリソースが時間ドメインリソースであり、第6のリソースグループ内の第rのリソースがコードリソースである場合、
第5の対応関係は、第5のリソースグループ内の第jのリソースと第6のリソースグループ内の第rのリソースとの間に確立された第5のインデックスであって、無線フレームインデックス、サブフレームインデックス、またはシンボルインデックスのうちの少なくとも1つの第5のインデックスであり、
第6のリソースグループ内の第rのリソースが時間ドメインリソースであり、第7のリソースグループ内の第wのリソースが時間ドメインリソースである場合、または、第6のリソースグループ内の第rのリソースが時間ドメインリソースであり、第7のリソースグループ内の第wのリソースが周波数ドメインリソースである場合、または、第6のリソースグループ内の第rのリソースが周波数ドメインリソースであり、第7のリソースグループ内の第wのリソースが時間ドメインリソースである場合、または、第6のリソースグループ内の第rのリソースが周波数ドメインリソースであり、第7のリソースグループ内の第wのリソースが周波数ドメインリソースである場合、または、第6のリソースグループ内の第rのリソースがコードリソースであり、第7のリソースグループ内の第wのリソースがコードリソースである場合、または、第6のリソースグループ内の第rのリソースがコードリソースであり、第7のリソースグループ内の第wのリソースが時間ドメインリソースである場合、または、第6のリソースグループ内の第rのリソースがコードリソースであり、第7のリソースグループ内の第wのリソースが周波数ドメインリソースである場合、または、第6のリソースグループ内の第rのリソースが周波数ドメインリソースであり、第7のリソースグループ内の第wのリソースがコードリソースである場合、または、第6のリソースグループ内の第rのリソースが時間ドメインリソースであり、第7のリソースグループ内の第wのリソースがコードリソースである場合、
第6の対応関係は、第6のリソースグループ内の第rのリソースと第7のリソースグループ内の第wのリソースとの間に確立された第6のインデックスであって、無線フレームインデックス、サブフレームインデックス、またはシンボルインデックスのうちの少なくとも1つの第6のインデックスであり、
第7のリソースグループ内の第wのリソースが時間ドメインリソースであり、第8のリソースグループ内の第cのリソースが時間ドメインリソースである場合、または、第7のリソースグループ内の第wのリソースが時間ドメインリソースであり、第8のリソースグループ内の第cのリソースが周波数ドメインリソースである場合、または、第7のリソースグループ内の第wのリソースが周波数ドメインリソースであり、第8のリソースグループ内の第cのリソースが時間ドメインリソースである場合、または、第7のリソースグループ内の第wのリソースが周波数ドメインリソースであり、第8のリソースグループ内の第cのリソースが周波数ドメインリソースである場合、または、第7のリソースグループ内の第wのリソースがコードリソースであり、第8のリソースグループ内の第cのリソースがコードリソースである場合、または、第7のリソースグループ内の第wのリソースがコードリソースであり、第8のリソースグループ内の第cのリソースが時間ドメインリソースである場合、または、第7のリソースグループ内の第wのリソースがコードリソースであり、第8のリソースグループ内の第cのリソースが周波数ドメインリソースである場合、または、第7のリソースグループ内の第wのリソースが周波数ドメインリソースであり、第8のリソースグループ内の第cのリソースがコードリソースである場合、または、第7のリソースグループ内の第wのリソースが時間ドメインリソースであり、第8のリソースグループ内の第cのリソースがコードリソースである場合、
第7の対応関係は、第7のリソースグループ内の第wのリソースと第8のリソースグループ内の第cのリソースとの間に確立された第7のインデックスであって、無線フレームインデックス、サブフレームインデックス、またはシンボルインデックスのうちの少なくとも1つの第7のインデックスであり、
第8のリソースグループ内の第cのリソースが時間ドメインリソースであり、第9のリソースグループ内の第sのリソースが時間ドメインリソースである場合、または、第8のリソースグループ内の第cのリソースが時間ドメインリソースであり、第9のリソースグループ内の第sのリソースが周波数ドメインリソースである場合、または、第8のリソースグループ内の第cのリソースが周波数ドメインリソースであり、第9のリソースグループ内の第sのリソースが時間ドメインリソースである場合、または、第8のリソースグループ内の第cのリソースが周波数ドメインリソースであり、第9のリソースグループ内の第sのリソースが周波数ドメインリソースである場合、または、第8のリソースグループ内の第cのリソースがコードリソースであり、第9のリソースグループ内の第sのリソースがコードリソースである場合、または、第8のリソースグループ内の第cのリソースがコードリソースであり、第9のリソースグループ内の第sのリソースが時間ドメインリソースである場合、または、第8のリソースグループ内の第cのリソースがコードリソースであり、第9のリソースグループ内の第sのリソースが周波数ドメインリソースである場合、または、第8のリソースグループ内の第cのリソースが周波数ドメインリソースであり、第9のリソースグループ内の第sのリソースがコードリソースである場合、または、第8のリソースグループ内の第cのリソースが時間ドメインリソースであり、第9のリソースグループ内の第sのリソースがコードリソースである場合、
第8の対応関係は、第8のリソースグループ内の第cのリソースと第9のリソースグループ内の第sのリソースとの間に確立された第8のインデックスであって、無線フレームインデックス、サブフレームインデックス、またはシンボルインデックスのうちの少なくとも1つの第8のインデックスである。
【０２１９】
図6は、本発明の実施形態に係る、別のネットワーク装置の概略構成図である。図6を参照すると、汎用ネットワーク装置は、プロセッサ300と、メモリ301と、トランシーバ302とを含む。
【０２２０】
上述したUEとしてのネットワーク装置と、アクセス装置としてのネットワーク装置は、いずれも、図6に示す汎用ネットワーク装置の構成を用いることができる。
【０２２１】
それに対応して、UEが図6に示す汎用ネットワーク装置の構造を使用する場合、メモリ301は、図2および図3に対応する実施形態に関連するパラメータ、プログラムおよびデータを格納するように構成される。プロセッサ300は、メモリ301に格納されたパラメータ、プログラム、およびデータを呼び出して、検出モジュール100および決定モジュール101の対応する機能を実施するように構成される。トランシーバ302は、MIMOシナリオにおける高周波送信/受信の対応する要件に適応して、送信モジュール102の対応する機能を実施して、図2および図3に対応する実施形態の技術的効果を実施することができる。
【０２２２】
それに対応して、アクセスネットワーク装置が図6に示す汎用ネットワーク装置の構造を使用する場合、メモリ301は、図4および図5に対応する実施形態に関連するパラメータ、プログラムおよびデータを格納するように構成される。プロセッサ300は、メモリ301に格納されたパラメータ、プログラム、およびデータを呼び出して、検出モジュール201および決定モジュール202の対応する機能を実施するように構成される。トランシーバ302は、MIMOシナリオにおける高周波送信/受信の対応する要件に適応して、送信モジュール200の対応する機能を実施して、図4および図5に対応する実施形態の技術的効果を実施することができる。
【０２２３】
本発明の実施形態はさらに、信号伝送システムを提供する。このシステムは、図2、図3または図6に示す構造を使用する第1のネットワーク装置と、図4、図5または図6に示す構造を使用する第2のネットワーク装置とを含む。このシステムは、図2、図3、図4、図5または図6に対応する実施形態の機能を実施し、対応する技術的効果を実施することができる。
【０２２４】
図7は、本発明の実施形態に係る、信号伝送方法の概略フローチャートである。この方法は、第1のネットワーク装置によって実行され、第1のネットワーク装置はユーザ機器UEであり、具体的にはスマートフォン、タブレットコンピュータ、車載通信デバイスなどであってもよい。図7を参照すると、この方法は以下のステップを含む。
【０２２５】
ステップ100：第1のネットワーク装置は、第1のリソースグループにおいて、第2のネットワーク装置によって送信された第1の信号を検出し、第1のリソースグループはN個のリソースを含み、Nは1より大きい正の整数であり、第1のリソースグループの各リソースは1つの第1の信号に対応する。
【０２２６】
ステップ101：第1のネットワーク装置は、第1のリソースグループ内の第nのリソースおよび第1の対応関係に従って、第2のリソースグループ内の第mのリソースを決定する。
【０２２７】
第2のリソースグループはM個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。
【０２２８】
本発明における実施形態で提供される信号伝送方法によれば、第1のネットワーク装置は、第1のリソースグループにおいて、第2のネットワーク装置によって送信された第1の信号を検出する。第1のリソースグループはN個のリソースを含み、Nは1より大きい正の整数であり、第1のリソースグループの各リソースは1つの第1の信号に対応する。そして、第1のネットワーク装置は、第1のリソースグループ内の第nのリソースおよび第1の対応関係に従って、第2のリソースグループ内の第mのリソースを決定する。第2のリソースグループはM個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。したがって、高周波シナリオでは、セル全体で信号の完全なカバレッジ（同期信号、システムメッセージ、またはブロードキャストメッセージなど）が保証される。すなわち、UEは、第1のリソースグループ内の検出を実行することによって、第2のネットワーク装置（アクセス装置）との相互作用を実施する。第1のリソースグループは複数のリソースを含むので、1つのリソースグループの各リソース上で、異なるUEに対して送信を実行することができる。すなわち、異なるUEが信号を検出するリソースが異なる。すなわち、UEは、複数の異なるリソースの対応関係から、その要件を満たす通信を決定することができ、第1のリソースグループ内の第nのリソースに従って、第2のリソースグループ内の第mのリソースを決定する。したがって、UEは、第2のリソースグループ内の複数の候補第2のリソースのブラインド検出によって、第2のネットワーク装置によって送信された第2の信号を取得する必要はなく、または、第2のリソースグループ内の複数のリソース上で信号を送信し、それによってシステム効率および性能を改善する。
【０２２９】
これに対して、従来技術では、ビームは高周波シナリオでは比較的狭く、セル全体をカバーすることができない。したがって、基地局がUEとの同期チャネル、測定パイロット信号、ブロードキャストチャネルなどを交換するリソースは、基地局のカバレッジ内のすべてのUEに対して常に同じである。すなわち、セル全体のすべてのUEは、同じリソース上で同期チャネル、測定パイロット信号、ブロードキャストチャネルなどを検出する。しかし、大規模MIMO技術を用いる場合、形成されるビームが極端に狭いため、同じリソースを使用してセル全体におけるUEをカバーするという要件を満たすことができない。
【０２３０】
必要に応じて、第1のリソースグループが例として使用される。第1のリソースグループ内の異なるリソースは、時分割であり、同じサイクルを有することができる。たとえば、第1のリソースグループ内の第1のリソースのサイクルは、t0、t0＋T、t0＋2T、．．．であり、第1のリソースグループ内の第2のリソースのサイクルは、t1、t1＋T、t1＋2T、．．．であり、t0およびt1は時間単位のインデックスであり、時間単位はシンボル、タイムスロットまたはサブフレームであり、Tはサイクルである。さらに、以下のリソースグループは、同様の属性を有していてもよく、詳細はここでは説明しない。
【０２３１】
さらに、ステップ101の前に、本方法はさらに、以下を含む。
【０２３２】
ステップ102：第1のネットワーク装置は、第1のルールに従って第1のリソースグループ内の第nのリソースを決定する。
【０２３３】
なお、ステップ102は図示を省略しており、以下同様のステップも図示していないため、本実施の形態でのみ説明する。
【０２３４】
具体的には、ステップ102は、以下の実行可能な実施を含んでもよい。
【０２３５】
方法1：第1のネットワーク装置は、第1の信号のエネルギーが第1のリソースグループ内において最も強い、検出されたリソースを、第1のリソースグループ内の第nのリソースとして使用し、または、
方法2：第1のネットワーク装置は、第1の信号のエネルギーが第1のリソースグループ内において、第1の予め設定された閾値よりも大きい第1のリソースを、第1のリソースグループ内の第nのリソースとして使用し、または、
方法3：第1のネットワーク装置は、第1の信号の基準信号受信品質RSRQが、第1のリソースグループ内において、第2の予め設定された閾値よりも大きい第1のリソースを、第1のリソースグループ内の第nのリソースとして使用し、または、
方法4：第1のネットワーク装置は、第1のリソースグループ内において巡回冗長コードCRCを第1のリソースグループ内の第nのリソースとして使用して、第1の信号が正しくチェックされたリソースを使用する。
【０２３６】
さらに、図7に基づいて、図8Aおよび図8Bは、本発明の実施形態による別の信号伝送方法の概略フローチャートである。図8Aおよび図8Bを参照すると、ステップ101の後、この方法は以下のステップをさらに含む。
【０２３７】
ステップ103：第1のネットワーク装置は、第2のリソースグループ内の第mのリソース上で、第2のネットワーク装置によって送信された第2の信号を検出し、第2のリソースグループの各リソースは1つの第2の信号に対応する。
【０２３８】
ステップ104：第1のネットワーク装置は、第2のリソースグループ内の第mのリソースおよび第2の対応関係に従って、第3のリソースグループ内の第qのリソースを決定し、第3のリソースグループはQ個のリソースを含み、Qは1より大きい正の整数であり、第3のリソースグループ内の第qのリソースは、第3のリソースグループ内の少なくとも2つの候補リソースのうちの1つであり、第2のリソースグループ内の第mのリソースは、第3のリソースグループ内の少なくとも2つの候補リソースのそれぞれと第2の対応関係を有し、qの値域は0＜q≦Qである。
【０２３９】
任意選択的に、ステップ104の前に、本方法はさらに、以下を含む。
【０２４０】
ステップ105：第1のネットワーク装置は、第2のルールに従って第2のリソースグループ内の第mのリソースを決定する。
【０２４１】
具体的には、ステップ105は、以下の実行可能な実施を含んでもよい。
【０２４２】
方法1：第1のネットワーク装置は、第2の信号のエネルギーが第2のリソースグループ内において最も強い、検出されたリソースを、第2のリソースグループ内の第mのリソースとして使用するように、または、
方法2：第1のネットワーク装置は、第2の信号のエネルギーが第2のリソースグループ内において、第3の予め設定された閾値よりも大きい第1のリソースを、第2のリソースグループ内の第mのリソースとして使用するように、または、
方法3：第1のネットワーク装置は、第2の信号の基準信号受信品質RSRQが、第2のリソースグループ内において、第4の予め設定された閾値よりも大きい第1のリソースを、第2のリソースグループ内の第mのリソースとして使用するように、または、
方法4：第1のネットワーク装置は、第2のリソースグループ内において巡回冗長コードCRCを第2のリソースグループ内の第mのリソースとして使用して、第2の信号が正しくチェックされたリソースを使用する。
【０２４３】
任意選択的に、第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
第1の信号が同期チャネルである場合、第2の信号は、測定パイロット信号、ブロードキャストチャネル、システムメッセージ、ランダムアクセス応答チャネル、RRC要求確認メッセージ、またはダウンリンクデータチャネルの少なくとも1つであり、
第1の信号が測定パイロット信号である場合、第2の信号は、ブロードキャストチャネル、システムメッセージ、ランダムアクセス応答チャネル、RRC要求確認メッセージ、またはダウンリンクデータチャネルのうちの少なくとも1つであり、
第1の信号がブロードキャストチャネルである場合、第2の信号は、システムメッセージ、ランダムアクセス応答チャネル、RRC要求確認メッセージ、またはダウンリンクデータチャネルのうちの少なくとも1つであり、
第1の信号がシステムメッセージである場合、第2の信号は、ランダムアクセス応答チャネル、RRC要求確認メッセージ、またはダウンリンクデータチャネルのうちの少なくとも1つであり、
第1の信号がランダムアクセス応答チャネルである場合、第2の信号は、RRC要求確認応答メッセージまたはダウンリンクデータチャネルのうちの少なくとも1つであり、または、
第1の信号がRRC要求確認メッセージである場合、第2の信号はダウンリンクデータチャネルである。
【０２４４】
さらに図8Aおよび図8Bを参照すると、ステップ104の後、本方法はさらに、以下を含む。
【０２４５】
ステップ106：第1のネットワーク装置は、第3のリソースグループ内の第qのリソース上で、第2のネットワーク装置によって送信された第3の信号を検出し、第3のリソースグループの各リソースは1つの第3の信号に対応する。
【０２４６】
ステップ107：第1のネットワーク装置は、第3のリソースグループ内の第qのリソースおよび第3の対応関係に従って、第4のリソースグループ内の第kのリソースを決定する。
【０２４７】
第4のリソースグループはK個のリソースを含み、Kは1より大きい正の整数であり、第4のリソースグループ内の第kのリソースは、第4のリソースグループ内の少なくとも2つの候補リソースのうちの1つであり、第3のリソースグループ内の第qのリソースは、第4のリソースグループ内の少なくとも2つの候補リソースのそれぞれと第3の対応関係を有し、k値域は0＜k≦Kである。
【０２４８】
任意選択的に、ステップ107の前に、本方法はさらに、以下を含む。
【０２４９】
ステップ108：第1のネットワーク装置は、第3のルールに従って第3のリソースグループ内の第qのリソースを決定する。
【０２５０】
具体的には、ステップ108は、以下の実行可能な実施を含んでもよい。
【０２５１】
方法1：第1のネットワーク装置は、第3の信号のエネルギーが第3のリソースグループ内において最も強い、検出されたリソースを、第3のリソースグループ内の第qのリソースとして使用し、または、
方法2：第1のネットワーク装置は、第3の信号のエネルギーが第3のリソースグループ内において、第5の予め設定された閾値よりも大きい第1のリソースを、第3のリソースグループ内の第qのリソースとして使用し、または、
方法3：第1のネットワーク装置は、第3の信号の基準信号受信品質RSRQが、第3のリソースグループ内において、第6の予め設定された閾値よりも大きい第1のリソースを、第3のリソースグループ内の第qのリソースとして使用し、または、
方法4：第1のネットワーク装置は、第3のリソースグループ内において巡回冗長コードCRCを第3のリソースグループ内の第qのリソースとして使用して、第3の信号が正しくチェックされたリソースを使用する。
【０２５２】
任意選択的に、第3の信号はブロードキャストチャネルである。
【０２５３】
さらに図8Aおよび図8Bを参照すると、ステップ107の後、本方法はさらに、以下を含む。
【０２５４】
ステップ109：第1のネットワーク装置は、第4のリソースグループの第kのリソース上の第4の信号を検出し、第4のリソースグループの各リソースは、1つの第4の信号に対応する。
【０２５５】
ステップ110：第1のネットワーク装置は、第4のリソースグループ内の第kのリソースおよび第4の対応関係に従って、第5のリソースグループ内の第jのリソースを決定する。
【０２５６】
第5のリソースグループはJ個のリソースを含み、Jは1より大きい正の整数であり、第5のリソースグループ内の第jのリソースは、第5のリソースグループ内の少なくとも2つの候補リソースのうちの1つであり、第4のリソースグループ内の第kのリソースは、第5のリソースグループ内の少なくとも2つの候補リソースのそれぞれと第4の対応関係を有し、jの値域は0＜j≦Jである。
【０２５７】
任意選択的に、ステップ110の前に、本方法はさらに、以下を含む。
【０２５８】
ステップ111：第1のネットワーク装置は、第4のルールに従って第4のリソースグループ内の第kのリソースを決定する。
【０２５９】
具体的には、ステップ111は、以下の実行可能な実施を含んでもよい。
【０２６０】
方法1：第1のネットワーク装置は、第4の信号のエネルギーが第4のリソースグループ内において最も強い、検出されたリソースを、第4のリソースグループ内の第kのリソースとして使用し、または、
方法2：第1のネットワーク装置は、第4の信号のエネルギーが第4のリソースグループ内において、第7の予め設定された閾値よりも大きい第1のリソースを、第4のリソースグループ内の第kのリソースとして使用し、または、
方法3：第1のネットワーク装置は、第4の信号の基準信号受信品質RSRQが、第4のリソースグループ内において、第8の予め設定された閾値よりも大きい第1のリソースを、第4のリソースグループ内の第kのリソースとして使用し、または、
方法4：第1のネットワーク装置は、第4のリソースグループ内において巡回冗長コードCRCを第4のリソースグループ内の第kのリソースとして使用して、第4の信号が正しくチェックされたリソースを使用する。
【０２６１】
任意選択的に、第4の信号はシステムメッセージである。
【０２６２】
さらに、図8Aおよび図8Bを参照すると、ステップ110の後、本方法はさらに、以下を含む。
【０２６３】
ステップ112：第1のネットワーク装置は、第5のリソースグループ内の第jのリソース上の第5の信号を送信する。
【０２６４】
第5のリソースグループ内の第jのリソースは、第6のリソースグループ内の少なくとも2つの候補リソースのそれぞれと第5の対応関係を有し、第6のリソースグループ内の第rのリソースは、第6のリソースグループ内の少なくとも2つの候補リソースのうちの1つであり、第6のリソースグループはR個のリソースを含み、Rは1より大きい正の整数であり、rの値域は0＜r≦Rである。
【０２６５】
任意選択的に、第5の信号はランダムアクセスチャネルである。
【０２６６】
さらに、図8Aおよび図8Bを参照すると、ステップ112の後、本方法はさらに、以下を含む。
【０２６７】
ステップ113：第1のネットワーク装置は、第6のリソースグループ内の第rのリソース上の第6の信号を検出し、第6のリソースグループの各リソースは、第6の信号に対応する。
【０２６８】
ステップ114：第1のネットワーク装置は、第6のリソースグループ内の第rのリソースおよび第6の対応関係に従って、第7のリソースグループ内の第wのリソースを決定する。
【０２６９】
第7のリソースグループは、W個のリソースを含み、Wは1より大きい正の整数であり、第7のリソースグループ内の第wのリソースは、第7のリソースグループ内の少なくとも2つの候補リソースのうちの1つであり、第6のリソースグループ内の第rのリソースは、第7のリソースグループ内の少なくとも2つの候補リソースのそれぞれと第6の対応関係を有し、wの値域は、0＜w≦Wである。
【０２７０】
任意選択的に、ステップ114の前に、本方法はさらに、以下を含む。
【０２７１】
ステップ115：第1のネットワーク装置は、第6のルールに従って、第6のリソースグループ内の第rのリソースを決定する。
【０２７２】
具体的には、ステップ115は、以下の実行可能な実施を含んでもよい。
【０２７３】
方法1：第1のネットワーク装置は、第6の信号のエネルギーが第6のリソースグループ内において最も強い、検出されたリソースを、第6のリソースグループ内の第rのリソースとして使用し、または、
方法2：第1のネットワーク装置は、第6の信号のエネルギーが第6のリソースグループ内において、第9の予め設定された閾値よりも大きい第1のリソースを、第6のリソースグループ内の第rのリソースとして使用し、または、
方法3：第1のネットワーク装置は、第6の信号の基準信号受信品質RSRQが、第6のリソースグループ内において、第10の予め設定された閾値よりも大きい第1のリソースを、第6のリソースグループ内の第rのリソースとして使用し、または、  方法4：第1のネットワーク装置は、第6のリソースグループ内において巡回冗長コードCRCを第6のリソースグループ内の第rのリソースとして使用して、第6の信号が正しくチェックされたリソースを使用する。
【０２７４】
任意選択的に、第6の信号は、ランダムアクセス応答チャネルである。
【０２７５】
さらに、図8Aおよび図8Bを参照すると、ステップ114の後、本方法はさらに、以下を含む。
【０２７６】
ステップ116：第1のネットワーク装置は、第7のリソースグループ内の第wのリソース上で第7の信号を送信する。
【０２７７】
第7のリソースグループ内の第wのリソースは、第8のリソースグループ内の少なくとも2つの候補リソースのそれぞれと第7の対応関係を持ち、第8のリソースグループの第cのリソースは、第8のリソースグループ内の少なくとも2つの候補リソースのうちの1つであり、第8のリソースグループはC個のリソースを含み、Cは1より大きい正の整数であり、cの値域は0＜c≦Cである。
【０２７８】
任意選択的に、第7の信号は、RRC要求メッセージである。
【０２７９】
さらに、図8Aおよび図8Bを参照すると、ステップ116の後、本方法はさらに、以下を含む。
【０２８０】
ステップ117：第1のネットワーク装置は、第8のリソースグループ内の第cのリソース上の第8の信号を検出し、第8のリソースグループの各リソースは、1つの第8の信号に対応する。
【０２８１】
ステップ118：第1のネットワーク装置は、第8のリソースグループ内の第cのリソースおよび第8の対応関係に従って、第9のリソースグループ内の第sのリソースを決定する。
【０２８２】
第9のリソースグループはS個のリソースを含み、Sは1より大きい正の整数であり、第9のリソースグループ内の第sのリソースは、第9のリソースグループ内の少なくとも2つの候補リソースのうちの1つであり、第8のリソースグループ内の第cのリソースは、第9のリソースグループの少なくとも2つの候補リソースのそれぞれと第8の対応関係を有し、sの値域は0＜s≦Sである。
【０２８３】
任意選択的に、ステップ118の前に、本方法はさらに、以下を含む。
【０２８４】
ステップ119：第1のネットワーク装置は、第7のルールに従って、第8のリソースグループ内の第cのリソースを決定する。
【０２８５】
具体的には、ステップ119は、以下の実行可能な実施を含んでもよい。
【０２８６】
方法1：第1のネットワーク装置は、第8の信号のエネルギーが第8のリソースグループ内において最も強い、検出されたリソースを、第8のリソースグループ内の第cのリソースとして使用し、または、
方法2：第1のネットワーク装置は、第8の信号のエネルギーが第8のリソースグループ内において、第9の予め設定された閾値よりも大きい第1のリソースを、第8のリソースグループ内の第rのリソースとして使用し、または、
方法3：第1のネットワーク装置は、第8の信号の基準信号受信品質RSRQが、第8のリソースグループ内において、第10の予め設定された閾値よりも大きい第1のリソースを、第8のリソースグループ内の第cのリソースとして使用し、または、
方法4：第1のネットワーク装置は、第8のリソースグループ内において巡回冗長コードCRCを第8のリソースグループ内の第cのリソースとして使用して、第8の信号が正しくチェックされたリソースを使用する。
【０２８７】
任意選択的に、第8の信号はRRC要求確認メッセージである。
【０２８８】
さらに、図8Aおよび図8Bを参照すると、ステップ118の後、本方法はさらに、以下を含む。
【０２８９】
ステップ120：第1のネットワーク装置は、第9の信号を送信するか、または第9のリソースグループ内の第sのリソース上の第10の信号を検出する。
【０２９０】
第9のリソースグループの各リソースは、1つの第10の信号に対応する。
【０２９１】
任意選択的に、第1のネットワーク装置がステップ120の前に第9のリソースグループ内の第sのリソース上の第10の信号を検出する場合、本方法はさらに、以下を含む。
【０２９２】
ステップ121：第1のネットワーク装置は、第8のルールに従って、第9のリソースグループ内の第sのリソースを決定する。
【０２９３】
具体的には、ステップ121は、以下の実行可能な実施を含んでもよい。
【０２９４】
方法1：第1のネットワーク装置は、第9の信号のエネルギーが第9のリソースグループ内において最も強い、検出されたリソースを、第9のリソースグループ内の第sのリソースとして使用し、または、
方法2：第1のネットワーク装置は、第9の信号のエネルギーが第9のリソースグループ内において、第11の予め設定された閾値よりも大きい第1のリソースを、第9のリソースグループ内の第sのリソースとして使用し、または、
方法3：第1のネットワーク装置は、第9の信号の基準信号受信品質RSRQが、第9のリソースグループ内において、第12の予め設定された閾値よりも大きい第1のリソースを、第9のリソースグループ内の第sのリソースとして使用し、または、
方法4：第1のネットワーク装置は、第9のリソースグループ内において巡回冗長コードCRCを第9のリソースグループ内の第aのリソースとして使用して、第9の信号が正しくチェックされたリソースを使用する。
【０２９５】
任意選択的に、第9の信号はアップリンクデータチャネルであり、第10の信号はダウンリンクデータチャネルである。
【０２９６】
任意選択的に、図8Aおよび図8Bをさらに参照すると、ステップ101の後、本方法はさらに、以下を含む。
【０２９７】
ステップ122：第1のネットワーク装置は、第2のリソースグループ内の第mのリソース上の第11の信号を送信する。
【０２９８】
さらに、第1の信号は、システムメッセージ、ランダムアクセス応答チャネル、またはRRC要求確認メッセージのうちの少なくとも1つであり、
第1の信号がシステムメッセージである場合、第2の信号は、ランダムアクセスチャネル、RRC要求メッセージ、またはアップリンクデータチャネルのうちの少なくとも1つであり、
第1の信号がランダムアクセス応答チャネルである場合、第2の信号は、RRC要求メッセージまたはアップリンクデータチャネルのうちの少なくとも1つであり、
または第1の信号がRRC要求確認メッセージである場合、第2の信号はアップリンクデータチャネルである。
【０２９９】
前述の実施形態では、第1のリソースグループ内のN個のリソースは、時間ドメインリソース、周波数ドメインリソース、コードリソース、スペースリソース、または電力リソースのいずれかのタイプのリソースである。
【０３００】
具体的には、時間ドメインリソースの場合、第1の信号が一例として使用され、第2のネットワーク装置は、複数の時間ドメインリソース上の第1の信号を送信してもよい。複数の時間ドメインリソースは、前述の第1のリソースグループを形成し、各時間ドメインリソースは、第2のリソースグループの1つ以上のリソースとの対応関係を有することができる。
【０３０１】
周波数ドメインリソースは、時間ドメインリソースに類似し、異なる物理リソースブロックPRBまたはサブバンド（サブバンド）を有する。
【０３０２】
シーケンスリソースは、信号送信シーケンス、信号によって使用される拡散コード、信号によって使用されるスクランブリングコード、または巡回冗長コードCRC処理の間に追加されるマスクのうちのいずれか1つを含む。
【０３０３】
さらに、リソースグループがシーケンスリソースであり、リソースグループ内のリソースのシーケンス識別子がID1である場合、それに対応して、シーケンス識別子は次のリソースグループ内のリソースと対応関係を有する。たとえば、次のリソースグループは時間ドメインリソースである。そして、シーケンス識別子は、次のリソースグループ内のリソースt1に対応する。たとえば、次のリソースグループが周波数ドメインリソースである場合、シーケンス識別子は次のリソースグループ内のリソースf1に対応する。たとえば、次のリソースグループが時間周波数リソースである場合、シーケンス識別子は次のリソースグループ内のリソース（t1、f1）に対応する。
【０３０４】
同様に、たとえば、シーケンス識別子がID2である場合、対応する時間周波数リソースは（t2、f2）である。
【０３０５】
同期チャネルは、1次同期信号PSSと2次同期信号SSSとを含む。PSSは、以下の式および表を使用して生成することができる。1つのセクタが12本のビームを支持し、1つの基地局が3つのセクタに分割されていると仮定する。PSSは3×12＝36本のビームをサポートする必要があり、それに対応して36コードリソースが必要となる。たとえば、表中のNID1 0〜35は合計36個のコードリソースを表す。
【数１】
2019149815.tif 000003
【０３０６】
【表１】
2019149815.tif 000004
【０３０７】
スペースリソースの場合、高周波シナリオでは、単一のビームは比較的狭い幅を有し、第2のネットワーク装置（アクセスネットワーク装置）は、完全なセルカバレッジを実行するために異なる方向にビームを送信する必要がある。したがって、異なる方向のビームはスペースリソースを表す。
【０３０８】
電力リソースのために、アクセスネットワーク装置またはUEは、異なる電力を使用することによって信号送信を実行することができ、UEは異なる電力を使用して復調を行うことができる。復調パイロットのデータ電力および電力情報は、データ復調の間に必要とされる。したがって、異なるビームを送信するプロセスでは、電力情報が異なる可能性がある。
【０３０９】
第2のリソースグループ内のM個のリソースは、時間ドメインリソース、周波数ドメインリソース、コードリソース、スペースリソース、または電力リソースのうちのいずれか1つのタイプのリソースであり、
第3のリソースグループ内のQ個のリソースは、時間ドメインリソース、周波数ドメインリソース、コードリソース、スペースリソース、または電力リソースのいずれかのタイプのリソースであり、
第4のリソースグループ内のK個のリソースは、時間ドメインリソース、周波数ドメインリソース、コードリソース、スペースリソース、または電力リソースのうちのいずれか1つのタイプのリソースであり、
第5のリソースグループ内のJ個のリソースは、時間ドメインリソース、周波数ドメインリソース、コードリソース、スペースリソース、または電力リソースのうちのいずれかのタイプのリソースであり、
第6のリソースグループ内のR個のリソースは、時間ドメインリソース、周波数ドメインリソース、コードリソース、スペースリソース、または電力リソースのうちのいずれか1つのタイプのリソースであり、
第7のリソースグループ内のW個のリソースは、時間ドメインリソース、周波数ドメインリソース、コードリソース、スペースリソース、または電力リソースのいずれかのタイプのリソースであり、
第8のリソースグループ内のC個のリソースは、時間ドメインリソース、周波数ドメインリソース、コードリソース、スペースリソース、または電力リソースのいずれかのタイプのリソースであり、または、
第9のリソースグループ内のS個のリソースは、時間ドメインリソース、周波数ドメインリソース、コードリソース、スペースリソース、または電力リソースのいずれかのタイプのリソースである。
【０３１０】
また、上記のリソースグループが時間ドメインリソースである場合には、オフセットを用いて、各リソースグループのリソースと他のリソースグループのリソースとの対応関係を提示してもよい。これは、特定の実施形態を用いて以下に説明される。
【０３１１】
第1のリソースグループ内の第nのリソースが時間ドメインリソースであり、第2のリソースグループ内の第mのリソースが時間ドメインリソースである場合、以下の式の
m＝n＋x1が満たされ、
x1は第1のオフセットであり、x1は0以上であり、
第3のリソースグループ内の第qのリソースが時間ドメインリソースである場合、以下の式の
q＝m＋x2が満たされ、
x2は第2のオフセットであり、x2は0以上であり、
第4のリソースグループ内の第kのリソースが時間ドメインリソースである場合、以下の式の
k＝q＋x3が満たされ、
x3は第3のオフセットであり、x3は0以上であり、
第5のリソースグループ内の第jのリソースが時間ドメインリソースである場合、以下の式の
j＝k＋x4が満たされ、
x4は第4のオフセットであり、x4は0以上であり、
第6のリソースグループ内の第rのリソースが時間ドメインリソースである場合、以下の式の
r＝j＋x5が満たされ、
x5は第5のオフセットであり、x5は0以上であり、
第7のリソースグループ内の第wのリソースが時間ドメインリソースの場合、以下の式の
w＝r＋x6が満たされ、
x6は第6のオフセットであり、x6は0以上であり、
第8のリソースグループ内の第cのリソースが時間ドメインリソースである場合、以下の式の
c＝w＋x7が満たされ、
x7は第7のオフセットであり、x7は0以上であり、
第9のリソースグループ内の第sのリソースが時間ドメインリソースである場合、以下の式の
s＝c＋x8が満たされ、
x8は第8のオフセットであり、x8は0以上である。
【０３１２】
さらに、スペースリソースは、第2のネットワーク装置が信号を送信するときに使用される少なくとも1つのビーム、または第1のネットワーク装置が信号を送信するときに使用される少なくとも1つのビームを示し、
第1のリソースグループ内の第nのリソースがスペースリソースである場合、第1の対応関係は、第1のリソースグループ内の第nのリソースに対応するビームの識別子と第2のリソースグループ内の第mのリソースとの対応関係であり、
第2のリソースグループ内の第mのリソースがスペースリソースである場合、第2の対応関係は、第2のリソースグループ内の第mのリソースに対応するビームの識別子と第3のリソースグループ内の第qのリソースとの対応関係であり、
第3のリソースグループ内の第qのリソースがスペースリソースである場合、第3の対応関係は、第3のリソースグループ内の第qのリソースに対応するビームの識別子と第4のリソースグループ内の第kのリソースとの対応関係であり、
第4のリソースグループ内の第kのリソースがスペースリソースである場合、第4の対応関係は、第4のリソースグループ内の第kのリソースに対応するビームの識別子と第5のリソースグループ内の第jのリソースとの対応関係であり、
第5のリソースグループ内の第jのリソースがスペースリソースである場合、第5の対応関係は、第5のリソースグループ内の第jのリソースに対応するビームの識別子と第6のリソースグループ内の第rのリソースとの対応関係であり、
第6のリソースグループ内の第rのリソースがスペースリソースである場合、第6の対応関係は、第6のリソースグループ内の第rのリソースに対応するビームの識別子と前記第7のリソースグループ内の第wのリソースとの対応関係であり、
第7のリソースグループ内の第wのリソースがスペースリソースである場合、第7の対応関係は、第7のリソースグループ内の第wのリソースに対応するビームの識別子と第8のリソースグループ内の第cのリソースとの対応関係であり、
第8のリソースグループ内の第cのリソースがスペースリソースである場合、第7の対応関係は、第8のリソースグループ内の第cのリソースに対応するビームの識別子と第9のリソースグループ内の第sのリソースとの対応関係である。
【０３１３】
図9は、本発明の実施形態に係る、スペースリソースの概略図である。図9を参照すると、比較的広い範囲のビームは、特定のサブビームを含むことができる。たとえば、同期チャネルは、比較的狭いビーム幅：B00、B01、B02、およびB03を有する4つのサブビームを含む広いビームB0を使用する。UE1がB00上で同期チャネルを検出した場合、第2のネットワーク装置が、第2のリソースグループ（B00、B01、B02、B03）の各リソース上で同期チャネルを送信することが分かる。UE1は、B00上で同期チャネルを検出する、すなわち、第2のリソースグループ内の第mのリソース上の同期チャネルを検出する。B00の識別子は、次の第2の信号のリソースと対応関係を有していてもよく、対応関係は、1対1対応でもよいし、1対複数対応でもよい。すなわち、UE1は、第2のリソースグループ内の第mのリソースに対してB00の検出を行い、B00の識別子が第3のリソースグループ内の第qのリソースと対応関係を有することを認識する。その後、UE1は、第3のリソースグループ内の第qのリソースに対して次の操作を実行する。確かに、上述したように、前述の対応関係は1対複数対応であってもよい。すなわち、B00の識別子は、第3のリソースグループ内の複数のリソースに対応する。この場合、UEは、好ましくは、次の操作を実行するために、第3のリソースグループ内にあり、UEの要件を満たすリソースを選択することができる。
【０３１４】
また、上述した第1の対応関係〜第7の対応関係は、複数の実施形態を有していてもよく、本発明においてはこれに限定されない。第1の対応関係は、以下の説明のための例として使用される。
【０３１５】
第1のリソースグループ内の第nのリソースが時間ドメインリソースであり、第2のリソースグループ内の第mのリソースが時間ドメインリソースである場合、または、第1のリソースグループ内の第nのリソースが時間ドメインリソースであり、第2のリソースグループ内の第mのリソースが周波数ドメインリソースである場合、または、第1のリソースグループ内の第nのリソースが周波数ドメインリソースであり、第2のリソースグループ内の第mのリソースが時間ドメインリソースである場合、または、第1のリソースグループ内の第nのリソースが周波数ドメインリソースであり、第2のリソースグループ内の第mのリソースが周波数ドメインリソースである場合、または、第1のリソースグループ内の第nのリソースがコードリソースであり、第2のリソースグループ内の第mのリソースがコードリソースである場合、または、第1のリソースグループ内の第nのリソースがコードリソースであり、第2のリソースグループ内の第mのリソースが時間ドメインリソースである場合、または、第1のリソースグループ内の第nのリソースがコードリソースであり、第2のリソースグループ内の第mのリソースが周波数ドメインリソースである場合、または、第1のリソースグループ内の第nのリソースが周波数ドメインリソースであり、第2のリソースグループ内の第mのリソースがコードリソースである場合、または、第1のリソースグループ内の第nのリソースが時間ドメインリソースであり、第2のリソースグループ内の第mのリソースがコードリソースである場合、
第1の対応関係は、第1のリソースグループ内の第nのリソースと第2のリソースグループ内の第mのリソースとの間に確立された第1のインデックスであって、無線フレームインデックス、サブフレームインデックス、またはシンボルインデックスのうちの少なくとも1つの第1のインデックスであり、
第2のリソースグループ内の第mのリソースが時間ドメインリソースであり、第3のリソースグループ内の第qのリソースが時間ドメインリソースである場合、または、第2のリソースグループ内の第mのリソースが時間ドメインリソースであり、第3のリソースグループ内の第qのリソースが周波数ドメインリソースである場合、または、第2のリソースグループ内の第mのリソースが周波数ドメインリソースであり、第3のリソースグループ内の第qのリソースが時間ドメインリソースである場合、または、第2のリソースグループ内の第mのリソースが周波数ドメインリソースであり、第3のリソースグループ内の第qのリソースが周波数ドメインリソースである場合、または、第2のリソースグループ内の第mのリソースがコードリソースであり、第3のリソースグループ内の第qのリソースがコードリソースである場合、または、第2のリソースグループ内の第mのリソースがコードリソースであり、第3のリソースグループ内の第qのリソースが時間ドメインリソースである場合、または、第2のリソースグループ内の第mのリソースがコードリソースであり、第3のリソースグループ内の第qのリソースが周波数ドメインリソースである場合、または、第2のリソースグループ内の第mのリソースが周波数ドメインリソースであり、第3のリソースグループ内の第qのリソースがコードリソースである場合、または、第2のリソースグループ内の第mのリソースが時間ドメインリソースであり、第3のリソースグループ内の第qのリソースがコードリソースである場合、
第2の対応関係は、第2のリソースグループ内の第mのリソースと第3のリソースグループ内の第qのリソースとの間に確立された第2のインデックスであって、無線フレームインデックス、サブフレームインデックス、またはシンボルインデックスのうちの少なくとも1つの第2のインデックスであり、
第3のリソースグループ内の第qのリソースが時間ドメインリソースであり、第4のリソースグループ内の第kのリソースが時間ドメインリソースである場合、または、第3のリソースグループ内の第qのリソースが時間ドメインリソースであり、第4のリソースグループ内の第kのリソースが周波数ドメインリソースである場合、または、第3のリソースグループ内の第qのリソースが周波数ドメインリソースであり、第4のリソースグループ内の第kのリソースが時間ドメインリソースである場合、または、第3のリソースグループ内の第qのリソースが周波数ドメインリソースであり、第4のリソースグループ内の第kのリソースが周波数ドメインリソースである場合、または、第3のリソースグループ内の第qのリソースがコードリソースであり、第4のリソースグループ内の第kのリソースがコードリソースである場合、または、第3のリソースグループ内の第qのリソースがコードリソースであり、第4のリソースグループ内の第kのリソースが時間ドメインリソースである場合、または、第3のリソースグループ内の第qのリソースがコードリソースであり、第4のリソースグループ内の第kのリソースが周波数ドメインリソースである場合、または、第3のリソースグループ内の第qのリソースが周波数ドメインリソースであり、第4のリソースグループ内の第kのリソースがコードリソースである場合、または、第3のリソースグループ内の第qのリソースが時間ドメインリソースであり、第4のリソースグループ内の第kのリソースがコードリソースである場合、
第3の対応関係は、第3のリソースグループ内の第qのリソースと第4のリソースグループ内の第kのリソースとの間に確立された第3のインデックスであって、無線フレームインデックス、サブフレームインデックス、またはシンボルインデックスのうちの少なくとも1つの第3のインデックスであり、
第4のリソースグループ内の第kのリソースが時間ドメインリソースであり、第5のリソースグループ内の第jのリソースが時間ドメインリソースである場合、または、第4のリソースグループ内の第kのリソースが時間ドメインリソースであり、第5のリソースグループ内の第jのリソースが周波数ドメインリソースである場合、または、第4のリソースグループ内の第kのリソースが周波数ドメインリソースであり、第5のリソースグループ内の第jのリソースが時間ドメインリソースである場合、または、第4のリソースグループ内の第kのリソースが周波数ドメインリソースであり、第5のリソースグループ内の第jのリソースが周波数ドメインリソースである場合、または、第4のリソースグループ内の第kのリソースがコードリソースであり、第5のリソースグループ内の第jのリソースがコードリソースである場合、または、第4のリソースグループ内の第kのリソースがコードリソースであり、第5のリソースグループ内の第jのリソースが時間ドメインリソースである場合、または、第4のリソースグループ内の第kのリソースがコードリソースであり、第5のリソースグループ内の第jのリソースが周波数ドメインリソースである場合、または、第4のリソースグループ内の第kのリソースが周波数ドメインリソースであり、第5のリソースグループ内の第jのリソースがコードリソースである場合、または、第4のリソースグループ内の第kのリソースが時間ドメインリソースであり、第5のリソースグループ内の第jのリソースがコードリソースである場合、
第4の対応関係は、第4のリソースグループ内の第kのリソースと第5のリソースグループ内の第jのリソースとの間に確立された第4のインデックスであって、無線フレームインデックス、サブフレームインデックス、またはシンボルインデックスのうちの少なくとも1つの第4のインデックスであり、
第5のリソースグループ内の第jのリソースが時間ドメインリソースであり、第6のリソースグループ内の第rのリソースが時間ドメインリソースである場合、または、第5のリソースグループ内の第jのリソースが時間ドメインリソースであり、第6のリソースグループ内の第rのリソースが周波数ドメインリソースである場合、または、第5のリソースグループ内の第jのリソースが周波数ドメインリソースであり、第6のリソースグループ内の第rのリソースが時間ドメインリソースである場合、または、第5のリソースグループ内の第jのリソースが周波数ドメインリソースであり、第6のリソースグループ内の第rのリソースが周波数ドメインリソースである場合、または、第5のリソースグループ内の第jのリソースがコードリソースであり、第6のリソースグループ内の第rのリソースがコードリソースである場合、または、第5のリソースグループ内の第jのリソースがコードリソースであり、第6のリソースグループ内の第rのリソースが時間ドメインリソースである場合、または、第5のリソースグループ内の第jのリソースがコードリソースであり、第6のリソースグループ内の第rのリソースが周波数ドメインリソースである場合、または、第5のリソースグループ内の第jのリソースが周波数ドメインリソースであり、第6のリソースグループ内の第rのリソースがコードリソースである場合、または、
第5のリソースグループ内の第jのリソースが時間ドメインリソースであり、第6のリソースグループ内の第rのリソースがコードリソースである場合、
第5の対応関係は、第5のリソースグループ内の第jのリソースと第6のリソースグループ内の第rのリソースとの間に確立された第5のインデックスであって、無線フレームインデックス、サブフレームインデックス、またはシンボルインデックスのうちの少なくとも1つの第5のインデックスであり、
第6のリソースグループ内の第rのリソースが時間ドメインリソースであり、第7のリソースグループ内の第wのリソースが時間ドメインリソースである場合、または、第6のリソースグループ内の第rのリソースが時間ドメインリソースであり、第7のリソースグループ内の第wのリソースが周波数ドメインリソースである場合、または、第6のリソースグループ内の第rのリソースが周波数ドメインリソースであり、第7のリソースグループ内の第wのリソースが時間ドメインリソースである場合、または、第6のリソースグループ内の第rのリソースが周波数ドメインリソースであり、第7のリソースグループ内の第wのリソースが周波数ドメインリソースである場合、または、第6のリソースグループ内の第rのリソースがコードリソースであり、第7のリソースグループ内の第wのリソースがコードリソースである場合、または、第6のリソースグループ内の第rのリソースがコードリソースであり、第7のリソースグループ内の第wのリソースが時間ドメインリソースである場合、または、第6のリソースグループ内の第rのリソースがコードリソースであり、第7のリソースグループ内の第wのリソースが周波数ドメインリソースである場合、または、第6のリソースグループ内の第rのリソースが周波数ドメインリソースであり、第7のリソースグループ内の第wのリソースがコードリソースである場合、または、第6のリソースグループ内の第rのリソースが時間ドメインリソースであり、第7のリソースグループ内の第wのリソースがコードリソースである場合、
第6の対応関係は、第6のリソースグループ内の第rのリソースと第7のリソースグループ内の第wのリソースとの間に確立された第6のインデックスであって、無線フレームインデックス、サブフレームインデックス、またはシンボルインデックスのうちの少なくとも1つの第6のインデックスであり、
第7のリソースグループ内の第wのリソースが時間ドメインリソースであり、第8のリソースグループ内の第cのリソースが時間ドメインリソースである場合、または、第7のリソースグループ内の第wのリソースが時間ドメインリソースであり、第8のリソースグループ内の第cのリソースが周波数ドメインリソースである場合、または、第7のリソースグループ内の第wのリソースが周波数ドメインリソースであり、第8のリソースグループ内の第cのリソースが時間ドメインリソースである場合、または、第7のリソースグループ内の第wのリソースが周波数ドメインリソースであり、第8のリソースグループ内の第cのリソースが周波数ドメインリソースである場合、または、第7のリソースグループ内の第wのリソースがコードリソースであり、第8のリソースグループ内の第cのリソースがコードリソースである場合、または、第7のリソースグループ内の第wのリソースがコードリソースであり、第8のリソースグループ内の第cのリソースが時間ドメインリソースである場合、または、第7のリソースグループ内の第wのリソースがコードリソースであり、第8のリソースグループ内の第cのリソースが周波数ドメインリソースである場合、または、第7のリソースグループ内の第wのリソースが周波数ドメインリソースであり、第8のリソースグループ内の第cのリソースがコードリソースである場合、または、第7のリソースグループ内の第wのリソースが時間ドメインリソースであり、第8のリソースグループ内の第cのリソースがコードリソースである場合、
第7の対応関係は、第7のリソースグループ内の第wのリソースと第8のリソースグループ内の第cのリソースとの間に確立された第7のインデックスであって、無線フレームインデックス、サブフレームインデックス、またはシンボルインデックスのうちの少なくとも1つの第7のインデックスであり、
第8のリソースグループ内の第cのリソースが時間ドメインリソースであり、第9のリソースグループ内の第sのリソースが時間ドメインリソースである場合、または、第8のリソースグループ内の第cのリソースが時間ドメインリソースであり、第9のリソースグループ内の第sのリソースが周波数ドメインリソースである場合、または、第8のリソースグループ内の第cのリソースが周波数ドメインリソースであり、第9のリソースグループ内の第sのリソースが時間ドメインリソースである場合、または、第8のリソースグループ内の第cのリソースが周波数ドメインリソースであり、第9のリソースグループ内の第sのリソースが周波数ドメインリソースである場合、または、第8のリソースグループ内の第cのリソースがコードリソースであり、第9のリソースグループ内の第sのリソースがコードリソースである場合、または、第8のリソースグループ内の第cのリソースがコードリソースであり、第9のリソースグループ内の第sのリソースが時間ドメインリソースである場合、または、第8のリソースグループ内の第cのリソースがコードリソースであり、第9のリソースグループ内の第sのリソースが周波数ドメインリソースである場合、または、第8のリソースグループ内の第cのリソースが周波数ドメインリソースであり、第9のリソースグループ内の第sのリソースがコードリソースである場合、または、第8のリソースグループ内の第cのリソースが時間ドメインリソースであり、第9のリソースグループ内の第sのリソースがコードリソースである場合、
第8の対応関係は、第8のリソースグループ内の第cのリソースと第9のリソースグループ内の第sのリソースとの間に確立された第8のインデックスであって、無線フレームインデックス、サブフレームインデックス、またはシンボルインデックスのうちの少なくとも1つの第8のインデックスである。
【０３１６】
たとえば、第1のリソースグループ内のリソースが時間ドメインリソースであり、第2のリソースグループ内のリソースが時間ドメインリソースである場合、第1の対応関係は、第1のリソースグループと第2のリソースグループとの間で確立されたインデックスであってもよい。インデックスは、無線フレームインデックス、サブフレームインデックス、またはシンボルインデックスであってもよい。第1のネットワーク装置が第1のリソースグループ内の第nのリソースを決定すると、第1のネットワーク装置は、関数関係、すなわちm＝f（n）を用いて、第2のリソースグループ内の第mのリソースをリソースに応じて取得し、または、
別の例として、第1のリソースグループ内のリソースが時間リソースであり、第2のリソースグループ内のリソースが周波数リソースである場合、第1のリソースグループおよび第2のリソースグループの間にインデックスを確立することができる。インデックスは、無線フレームインデックス、サブフレームインデックス、またはシンボルインデックスであってもよい。第1のネットワーク装置が第1のリソースグループ内の第nのリソースを決定すると、第1のネットワーク装置は、関数関係、すなわちm＝f（n）を用いて、リソースに応じて第2のリソースグループ内の第mのリソースを取得する。
【０３１７】
異なるリソースグループについては、どのリソースが使用されているかにかかわらず、前述のインデックス確立方法を使用することによって、異なるリソースグループ間の対応関係を得ることができる。
【０３１８】
第2のネットワーク装置について以下に説明する。図10は、本発明の実施形態に係る、他の信号伝送方法の概略フローチャートである。この方法は、第2のネットワーク装置によって実行され、第2のネットワーク装置は、具体的には、基地局、eNB、アクセスネットワーク装置、ホットスポット装置、中継装置などであってもよい。図10を参照すると、この方法は、以下のステップを含む。
【０３１９】
ステップ200：第2のネットワーク装置は、第1のリソースグループ内の第1の信号を送信し、第1のリソースグループはN個のリソースを含み、Nは1より大きい正の整数であり、第1のリソースグループの各リソースは1つの第1の信号に対応する。
【０３２０】
第1のリソースグループ内の第nのリソースは、第2のリソースグループ内の第mのリソースと第1の対応関係を有し、第2のリソースグループはM個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。
【０３２１】
本発明における実施形態で提供される信号伝送方法によれば、第2のネットワーク装置は、第1のリソースグループ内の第1の信号を送信する。第1のリソースグループはN個のリソースを含み、Nは1より大きい正の整数であり、第1のリソースグループの各リソースは1つの第1の信号に対応する。第1のリソースグループ内の第nのリソースは、第2のリソースグループ内の第mのリソースと第1の対応関係を有し、第2のリソースグループはM個のリソースを含み、Mは1より大きい正の整数であり、第2のリソースグループ内の第mのリソースは、第2のリソースグループ内の少なくとも2つの候補リソースのうちの1つであり、第1のリソースグループ内の第nのリソースは、第2のリソースグループ内の少なくとも2つの候補リソースのそれぞれと第1の対応関係を有し、mの値域は0＜m≦Mであり、nの値域は0＜n≦Nである。したがって、高周波シナリオでは、セル全体で信号の完全なカバレッジ（同期信号、システムメッセージ、またはブロードキャストメッセージなど）が保証される。すなわち、第2のネットワーク装置（アクセス装置）は、第1のリソースグループ内のUEに第1の信号を送信する。第1のリソースグループは複数のリソースを含むので、1つのリソースグループの各リソース上で、異なるUEに対して送信を実行することができる。すなわち、異なるUEが信号を検出するリソースが異なる。すなわち、UEは、複数の異なるリソースの対応関係から、その要件を満たす通信を決定することができ、第1のリソースグループ内の第nのリソースに従って、第2のリソースグループ内の第mのリソースを決定する。したがって、UEは、第2のリソースグループ内の複数の候補第2のリソースのブラインド検出によって、第2のネットワーク装置によって送信された第2の信号を取得する必要はなく、または、第2のリソースグループ内の複数のリソース上で信号を送信し、それによってシステム効率および性能を改善する。
【０３２２】
これに対して、従来技術では、ビームは高周波シナリオでは比較的狭く、セル全体をカバーすることができない。したがって、基地局がUEとの同期チャネル、測定パイロット信号、ブロードキャストチャネルなどを交換するリソースは、基地局のカバレッジ内のすべてのUEに対して常に同じである。すなわち、セル全体のすべてのUEは、同じリソース上で同期チャネル、測定パイロット信号、ブロードキャストチャネルなどを検出する。しかし、大規模MIMO技術を用いる場合、形成されるビームが極端に狭いため、同じリソースを使用してセル全体におけるUEをカバーするという要件を満たすことができない。
【０３２３】
さらに、図10に基づいて、図11Aおよび図11Bは、本発明の実施形態による別の信号伝送方法の概略フローチャートである。図11Aおよび図11Bを参照すると、ステップ200の後、この方法は以下のステップをさらに含む。
【０３２４】
ステップ201：第2のネットワーク装置は、第2のリソースグループ内の第2の信号を送信し、第2のリソースグループの各リソースは、1つの第2の信号に対応する。
【０３２５】
第2のリソースグループ内の第mのリソースは、第3のリソースグループ内の第qのリソースと第2の対応関係を有し、第3のリソースグループはQ個のリソースを含み、Qは1より大きい正の整数であり、第3のリソースグループ内の第qのリソースは、第3のリソースグループ内の少なくとも2つの候補リソースのうちの1つであり、第2のリソースグループ内の第mのリソースは、第3のリソースグループ内の少なくとも2つの候補リソースのそれぞれと第2の対応関係を有し、qの値域は0＜q≦Qである。
【０３２６】
任意選択的に、第1の信号は、同期チャネル、測定パイロット信号、ブロードキャストチャネル、システムメッセージ、ランダムアクセス応答チャネル、RRC要求確認メッセージ、またはダウンリンクデータチャネルのうちの少なくとも1つであり、
第1の信号が同期チャネルである場合、第2の信号は、測定パイロット信号、ブロードキャストチャネル、システムメッセージ、ランダムアクセス応答チャネル、RRC要求確認メッセージ、またはダウンリンクデータチャネルの少なくとも1つであり、
第1の信号が測定パイロット信号である場合、第2の信号は、ブロードキャストチャネル、システムメッセージ、ランダムアクセス応答チャネル、RRC要求確認メッセージ、またはダウンリンクデータチャネルのうちの少なくとも1つであり、
第1の信号がブロードキャストチャネルである場合、第2の信号は、システムメッセージ、ランダムアクセス応答チャネル、RRC要求確認メッセージ、またはダウンリンクデータチャネルのうちの少なくとも1つであり、
第1の信号がシステムメッセージである場合、第2の信号は、ランダムアクセス応答チャネル、RRC要求確認メッセージ、またはダウンリンクデータチャネルのうちの少なくとも1つであり、
第1の信号がランダムアクセス応答チャネルである場合、第2の信号は、RRC要求確認応答メッセージまたはダウンリンクデータチャネルのうちの少なくとも1つであり、または、
第1の信号がRRC要求確認メッセージである場合、第2の信号はダウンリンクデータチャネルである。
【０３２７】
さらに、図11Aおよび図11Bを参照すると、ステップ201の後、本方法はさらに、以下を含む。
【０３２８】
ステップ202：第2のネットワーク装置は、第3のリソースグループ上の第3の信号を送信し、第3のリソースグループの各リソースは、1つの第3の信号に対応する。
【０３２９】
第3のリソースグループ内の第qのリソースは、第4のリソースグループ内の第kのリソースと第3の対応関係を有し、第4のリソースグループはK個のリソースを含み、Kは1より大きい正の整数であり、第4のリソースグループ内の第kのリソースは、第4のリソースグループ内の少なくとも2つの候補リソースのうちの1つであり、第3のリソースグループ内の第qのリソースは、第4のリソースグループ内の少なくとも2つの候補リソースのそれぞれと第3の対応関係を有し、kの値域は0＜k≦Kである。
【０３３０】
任意選択的に、第3の信号はブロードキャストチャネルである。
【０３３１】
さらに図11Aおよび図11Bを参照すると、ステップ202の後、本方法はさらに、以下を含む。
【０３３２】
ステップ203：第2のネットワーク装置は、第4のリソースグループ上の第4の信号を送信し、第4のリソースグループの各リソースは、1つの第4の信号に対応する。
【０３３３】
第4のリソースグループ内の第kのリソースは、第5のリソースグループ内の第jのリソースと第4の対応関係を有し、第5のリソースグループはJ個のリソースを含み、Jは1より大きい正の整数であり、第5のリソースグループ内の第jのリソースは、第5のリソースグループ内の少なくとも2つの候補リソースのうちの1つであり、第4のリソースグループ内の第kのリソースは、第5のリソースグループ内の少なくとも2つの候補リソースのそれぞれと第4の対応関係を有し、jの値域は0＜j≦Jである。
【０３３４】
任意選択的に、第4の信号はシステムメッセージである。
【０３３５】
さらに図11Aおよび図11Bを参照すると、ステップ203の後、本方法はさらに、以下を含む。
【０３３６】
ステップ204：第2のネットワーク装置は、第5のリソースグループ内の第jのリソース上で、第1のネットワーク装置によって送信された第5の信号を検出し、第5のリソースグループの各リソースは1つの第5の信号に対応する。
【０３３７】
ステップ205：第2のネットワーク装置は、第5のリソースグループ内の第jのリソースおよび第5の対応関係に従って、第6のリソースグループ内の第rのリソースを決定し、第6のリソースグループはR個のリソースを含み、Rは1より大きい正の整数であり、第6のリソースグループ内の第rのリソースは、第6のリソースグループ内の少なくとも2つの候補リソースのうちの1つであり、rの値域は0＜r≦Rである。
【０３３８】
なお、ステップ205の前に、第2のネットワーク装置は、第5のリソースグループ内の第jのリソースを決定する必要がある。具体的な実施形態については、前述の方法1〜方法4を参照されたい。
【０３３９】
任意選択的に、第5の信号はランダムアクセスチャネルである。
【０３４０】
さらに図11Aおよび図11Bを参照すると、ステップ205の後、本方法はさらに、以下を含む。
【０３４１】
ステップ206：第2のネットワーク装置は、第6のリソースグループ上の第6の信号を送信し、第6のリソースグループの各リソースは、1つの第6の信号に対応する。
【０３４２】
第6のリソースグループ内の第rのリソースは、第7のリソースグループ内の第wのリソースと第6の対応関係を有し、第7のリソースグループは、W個のリソースを含み、Wは1より大きい正の整数であり、第7のリソースグループ内の第wのリソースは、第7のリソースグループ内の少なくとも2つの候補リソースのうちの1つであり、第6のリソースグループ内の第rのリソースは、第7のリソースグループ内の少なくとも2つの候補リソースのそれぞれと第6の対応関係を有し、wの値域は、0＜w≦Wである。
【０３４３】
任意選択的に、第6の信号は、ランダムアクセス応答チャネルである。
【０３４４】
さらに図11Aおよび図11Bを参照すると、ステップ206の後、本方法はさらに、以下を含む。
【０３４５】
ステップ207：第2のネットワーク装置は、第7のリソースグループ内の第wのリソース上で、第1のネットワーク装置によって送信された第7の信号を検出し、第7のリソースグループの各リソースは1つの第7の信号に対応する。
【０３４６】
ステップ208：第2のネットワーク装置は、第7のリソースグループ内の第wのリソースおよび第7の対応関係に従って、第8のリソースグループ内の第cのリソースを決定し、第8のリソースグループはC個のリソースを含み、Cは1より大きい正の整数であり、第8のリソースグループ内の第cのリソースは、第8のリソースグループの少なくとも2つの候補リソースのうちの1つであり、cの値域は0＜c≦Cである。
【０３４７】
なお、ステップ208の前に、第2のネットワーク装置は、第7のリソースグループ内の第wのリソースを決定する必要がある。具体的な実施形態については、前述の方法1〜方法4を参照されたい。
【０３４８】
任意選択的に、第7の信号は、RRC要求メッセージである。
【０３４９】
さらに図11Aおよび図11Bを参照すると、ステップ208の後、本方法はさらに、以下を含む。
【０３５０】
ステップ209：第2のネットワーク装置は、第8のリソースグループ内の第cのリソース上の第8の信号を送信し、第8のリソースグループの各リソースは、1つの第8の信号に対応する。
【０３５１】
第8のリソースグループ内の第cのリソースは、第9のリソースグループ内の第sのリソースと第8の対応関係を持ち、第9のリソースグループはS個のリソースを含み、Sは1より大きい正の整数であり、第9のリソースグループ内の第sのリソースは、第9のリソースグループ内の少なくとも2つの候補リソースのうちの1つであり、第8のリソースグループ内の第cのリソースは、第9のリソースグループ内の少なくとも2つの候補リソースのそれぞれと第8の対応関係を有し、sの値域は0＜s≦Sである。
【０３５２】
任意選択的に、第8の信号はRRC要求確認メッセージである。
【０３５３】
さらに図11Aおよび図11Bを参照すると、ステップ209の後、本方法はさらに、以下を含む。
【０３５４】
ステップ210：第2のネットワーク装置は、第9のリソースグループ内の第sのリソース上の第9の信号を検出し、または、第2のネットワーク装置は、第9のリソースグループ内の第sのリソース上の第10の信号を送信する。
【０３５５】
第9のリソースグループの各リソースは、1つの第10の信号に対応する。
【０３５６】
任意選択的に、第9の信号はアップリンクデータチャネルであり、第10の信号はダウンリンクデータチャネルである。
【０３５７】
さらに図11Aおよび図11Bを参照すると、ステップ200の後、本方法はさらに、以下を含む。
【０３５８】
ステップ211：第2のネットワーク装置は、第2のリソースグループ内の第mのリソース上で、第1のネットワーク装置によって送信された第11の信号を検出する。
【０３５９】
任意選択的に、第1の信号は、システムメッセージ、ランダムアクセス応答チャネル、またはRRC要求確認メッセージのうちの少なくとも1つであり、
第1の信号がシステムメッセージである場合、第2の信号は、ランダムアクセスチャネル、RRC要求メッセージ、またはアップリンクデータチャネルのうちの少なくとも1つであり、
第1の信号がランダムアクセス応答チャネルである場合、第2の信号は、RRC要求メッセージまたはアップリンクデータチャネルのうちの少なくとも1つであり、または
第1の信号がRRC要求確認メッセージである場合、第2の信号はアップリンクデータチャネルである。
【０３６０】
任意選択的に、第1のリソースグループ内のN個のリソースは、時間ドメインリソース、周波数ドメインリソース、コードリソース、スペースリソース、または電力リソースのうちのいずれか1つのタイプのリソースであり、
第2のリソースグループ内のM個のリソースは、時間ドメインリソース、周波数ドメインリソース、コードリソース、スペースリソース、または電力リソースのうちのいずれか1つのタイプのリソースであり、
第3のリソースグループ内のQ個のリソースは、時間ドメインリソース、周波数ドメインリソース、コードリソース、スペースリソース、または電力リソースのいずれかのタイプのリソースであり、
第4のリソースグループ内のK個のリソースは、時間ドメインリソース、周波数ドメインリソース、コードリソース、スペースリソース、または電力リソースのうちのいずれか1つのタイプのリソースであり、
第5のリソースグループ内のJ個のリソースは、時間ドメインリソース、周波数ドメインリソース、コードリソース、スペースリソース、または電力リソースのうちのいずれかのタイプのリソースであり、
第6のリソースグループ内のR個のリソースは、時間ドメインリソース、周波数ドメインリソース、コードリソース、スペースリソース、または電力リソースのうちのいずれか1つのタイプのリソースであり、
第7のリソースグループ内のW個のリソースは、時間ドメインリソース、周波数ドメインリソース、コードリソース、スペースリソース、または電力リソースのいずれかのタイプのリソースであり、
第8のリソースグループ内のC個のリソースは、時間ドメインリソース、周波数ドメインリソース、コードリソース、スペースリソース、または電力リソースのいずれかのタイプのリソースであり、または、
第9のリソースグループ内のS個のリソースは、時間ドメインリソース、周波数ドメインリソース、コードリソース、スペースリソース、または電力リソースのいずれかのタイプのリソースである。
【０３６１】
任意選択的に、第1のリソースグループ内の第nのリソースが時間ドメインリソースであり、第2のリソースグループ内の第mのリソースが時間ドメインリソースである場合、以下の式の
m＝n＋x1が満たされ、
x1は第1のオフセットであり、x1は0以上であり、
第3のリソースグループ内の第qのリソースが時間ドメインリソースである場合、以下の式の
q＝m＋x2が満たされ、
x2は第2のオフセットであり、x2は0以上であり、
第4のリソースグループ内の第kのリソースが時間ドメインリソースである場合、以下の式の
k＝q＋x3が満たされ、
x3は第3のオフセットであり、x3は0以上であり、
第5のリソースグループ内の第jのリソースが時間ドメインリソースである場合、以下の式の
j＝k＋x4が満たされ、
x4は第4のオフセットであり、x4は0以上であり、
第6のリソースグループ内の第rのリソースが時間ドメインリソースである場合、以下の式の
r＝j＋x5が満たされ、
x5は第5のオフセットであり、x5は0以上であり、
第7のリソースグループ内の第wのリソースが時間ドメインリソースの場合、以下の式の
w＝r＋x6が満たされ、
x6は第6のオフセットであり、x6は0以上であり、
第8のリソースグループ内の第cのリソースが時間ドメインリソースである場合、以下の式の  c＝w＋x7が満たされ、
x7は第7のオフセットであり、x7は0以上であり、
第9のリソースグループ内の第sのリソースが時間ドメインリソースである場合、以下の式の
s＝c＋x8が満たされ、
x8は第8のオフセットであり、x8は0以上である。
【０３６２】
任意選択的に、シーケンスリソースは、信号送信シーケンス、信号によって使用される拡散コード、信号によって使用されるスクランブリングコード、または巡回冗長コードCRC処理の間に追加されるマスクのうちのいずれか1つを含む。
【０３６３】
任意選択的に、スペースリソースは、第2のネットワーク装置が信号を送信するときに使用される少なくとも1つのビーム、または第1のネットワーク装置が信号を送信するときに使用される少なくとも1つのビームを示し、
第1のリソースグループ内の第nのリソースがスペースリソースである場合、第1の対応関係は、第1のリソースグループ内の第nのリソースに対応するビームの識別子と第2のリソースグループ内の第mのリソースとの対応関係であり、
第2のリソースグループ内の第mのリソースがスペースリソースである場合、第2の対応関係は、第2のリソースグループ内の第mのリソースに対応するビームの識別子と第3のリソースグループ内の第qのリソースとの対応関係であり、
第3のリソースグループ内の第qのリソースがスペースリソースである場合、第3の対応関係は、第3のリソースグループ内の第qのリソースに対応するビームの識別子と第4のリソースグループ内の第kのリソースとの対応関係であり、
第4のリソースグループ内の第kのリソースがスペースリソースである場合、第4の対応関係は、第4のリソースグループ内の第kのリソースに対応するビームの識別子と第5のリソースグループ内の第jのリソースとの対応関係であり、
第5のリソースグループ内の第jのリソースがスペースリソースである場合、第5の対応関係は、第5のリソースグループ内の第jのリソースに対応するビームの識別子と第6のリソースグループ内の第rのリソースとの対応関係であり、
第6のリソースグループ内の第rのリソースがスペースリソースである場合、第6の対応関係は、第6のリソースグループ内の第rのリソースに対応するビームの識別子と前記第7のリソースグループ内の第wのリソースとの対応関係であり、
第7のリソースグループ内の第wのリソースがスペースリソースである場合、第7の対応関係は、第7のリソースグループ内の第wのリソースに対応するビームの識別子と第8のリソースグループ内の第cのリソースとの対応関係であり、
第8のリソースグループ内の第cのリソースがスペースリソースである場合、第8の対応関係は、第8のリソースグループ内の第cのリソースに対応するビームの識別子と第9のリソースグループ内の第sのリソースとの対応関係である。
【０３６４】
任意選択的に、第1のリソースグループ内の第nのリソースが時間ドメインリソースであり、第2のリソースグループ内の第mのリソースが時間ドメインリソースである場合、または、第1のリソースグループ内の第nのリソースが時間ドメインリソースであり、第2のリソースグループ内の第mのリソースが周波数ドメインリソースである場合、または、第1のリソースグループ内の第nのリソースが周波数ドメインリソースであり、第2のリソースグループ内の第mのリソースが時間ドメインリソースである場合、または、第1のリソースグループ内の第nのリソースが周波数ドメインリソースであり、第2のリソースグループ内の第mのリソースが周波数ドメインリソースである場合、または、第1のリソースグループ内の第nのリソースがコードリソースであり、第2のリソースグループ内の第mのリソースがコードリソースである場合、または、第1のリソースグループ内の第nのリソースがコードリソースであり、第2のリソースグループ内の第mのリソースが時間ドメインリソースである場合、または、第1のリソースグループ内の第nのリソースがコードリソースであり、第2のリソースグループ内の第mのリソースが周波数ドメインリソースである場合、または、第1のリソースグループ内の第nのリソースが周波数ドメインリソースであり、第2のリソースグループ内の第mのリソースがコードリソースである場合、または、第1のリソースグループ内の第nのリソースが時間ドメインリソースであり、第2のリソースグループ内の第mのリソースがコードリソースである場合、
第1の対応関係は、第1のリソースグループ内の第nのリソースと第2のリソースグループ内の第mのリソースとの間に確立された第1のインデックスであって、無線フレームインデックス、サブフレームインデックス、またはシンボルインデックスのうちの少なくとも1つの第1のインデックスであり、
第2のリソースグループ内の第mのリソースが時間ドメインリソースであり、第3のリソースグループ内の第qのリソースが時間ドメインリソースである場合、または、第2のリソースグループ内の第mのリソースが時間ドメインリソースであり、第3のリソースグループ内の第qのリソースが周波数ドメインリソースである場合、または、第2のリソースグループ内の第mのリソースが周波数ドメインリソースであり、第3のリソースグループ内の第qのリソースが時間ドメインリソースである場合、または、第2のリソースグループ内の第mのリソースが周波数ドメインリソースであり、第3のリソースグループ内の第qのリソースが周波数ドメインリソースである場合、または、第2のリソースグループ内の第mのリソースがコードリソースであり、第3のリソースグループ内の第qのリソースがコードリソースである場合、または、第2のリソースグループ内の第mのリソースがコードリソースであり、第3のリソースグループ内の第qのリソースが時間ドメインリソースである場合、または、第2のリソースグループ内の第mのリソースがコードリソースであり、第3のリソースグループ内の第qのリソースが周波数ドメインリソースである場合、または、第2のリソースグループ内の第mのリソースが周波数ドメインリソースであり、第3のリソースグループ内の第qのリソースがコードリソースである場合、または、第2のリソースグループ内の第mのリソースが時間ドメインリソースであり、第3のリソースグループ内の第qのリソースがコードリソースである場合、
第2の対応関係は、第2のリソースグループ内の第mのリソースと第3のリソースグループ内の第qのリソースとの間に確立された第2のインデックスであって、無線フレームインデックス、サブフレームインデックス、またはシンボルインデックスのうちの少なくとも1つの第2のインデックスであり、
第3のリソースグループ内の第qのリソースが時間ドメインリソースであり、第4のリソースグループ内の第kのリソースが時間ドメインリソースである場合、または、第3のリソースグループ内の第qのリソースが時間ドメインリソースであり、第4のリソースグループ内の第kのリソースが周波数ドメインリソースである場合、または、第3のリソースグループ内の第qのリソースが周波数ドメインリソースであり、第4のリソースグループ内の第kのリソースが時間ドメインリソースである場合、または、第3のリソースグループ内の第qのリソースが周波数ドメインリソースであり、第4のリソースグループ内の第kのリソースが周波数ドメインリソースである場合、または、第3のリソースグループ内の第qのリソースがコードリソースであり、第4のリソースグループ内の第kのリソースがコードリソースである場合、または、第3のリソースグループ内の第qのリソースがコードリソースであり、第4のリソースグループ内の第kのリソースが時間ドメインリソースである場合、または、第3のリソースグループ内の第qのリソースがコードリソースであり、第4のリソースグループ内の第kのリソースが周波数ドメインリソースである場合、または、第3のリソースグループ内の第qのリソースが周波数ドメインリソースであり、第4のリソースグループ内の第kのリソースがコードリソースである場合、または、第3のリソースグループ内の第qのリソースが時間ドメインリソースであり、第4のリソースグループ内の第kのリソースがコードリソースである場合、
第3の対応関係は、第3のリソースグループ内の第qのリソースと第4のリソースグループ内の第kのリソースとの間に確立された第3のインデックスであって、無線フレームインデックス、サブフレームインデックス、またはシンボルインデックスのうちの少なくとも1つの第3のインデックスであり、
第4のリソースグループ内の第kのリソースが時間ドメインリソースであり、第5のリソースグループ内の第jのリソースが時間ドメインリソースである場合、または、第4のリソースグループ内の第kのリソースが時間ドメインリソースであり、第5のリソースグループ内の第jのリソースが周波数ドメインリソースである場合、または、第4のリソースグループ内の第kのリソースが周波数ドメインリソースであり、第5のリソースグループ内の第jのリソースが時間ドメインリソースである場合、または、第4のリソースグループ内の第kのリソースが周波数ドメインリソースであり、第5のリソースグループ内の第jのリソースが周波数ドメインリソースである場合、または、第4のリソースグループ内の第kのリソースがコードリソースであり、第5のリソースグループ内の第jのリソースがコードリソースである場合、または、第4のリソースグループ内の第kのリソースがコードリソースであり、第5のリソースグループ内の第jのリソースが時間ドメインリソースである場合、または、第4のリソースグループ内の第kのリソースがコードリソースであり、第5のリソースグループ内の第jのリソースが周波数ドメインリソースである場合、または、第4のリソースグループ内の第kのリソースが周波数ドメインリソースであり、第5のリソースグループ内の第jのリソースがコードリソースである場合、または、第4のリソースグループ内の第kのリソースが時間ドメインリソースであり、第5のリソースグループ内の第jのリソースがコードリソースである場合、
第4の対応関係は、第4のリソースグループ内の第kのリソースと第5のリソースグループ内の第jのリソースとの間に確立された第4のインデックスであって、無線フレームインデックス、サブフレームインデックス、またはシンボルインデックスのうちの少なくとも1つの第4のインデックスであり、
第5のリソースグループ内の第jのリソースが時間ドメインリソースであり、第6のリソースグループ内の第rのリソースが時間ドメインリソースである場合、または、第5のリソースグループ内の第jのリソースが時間ドメインリソースであり、第6のリソースグループ内の第rのリソースが周波数ドメインリソースである場合、または、第5のリソースグループ内の第jのリソースが周波数ドメインリソースであり、第6のリソースグループ内の第rのリソースが時間ドメインリソースである場合、または、第5のリソースグループ内の第jのリソースが周波数ドメインリソースであり、第6のリソースグループ内の第rのリソースが周波数ドメインリソースである場合、または、第5のリソースグループ内の第jのリソースがコードリソースであり、第6のリソースグループ内の第rのリソースがコードリソースである場合、または、第5のリソースグループ内の第jのリソースがコードリソースであり、第6のリソースグループ内の第rのリソースが時間ドメインリソースである場合、または、第5のリソースグループ内の第jのリソースがコードリソースであり、第6のリソースグループ内の第rのリソースが周波数ドメインリソースである場合、または、第5のリソースグループ内の第jのリソースが周波数ドメインリソースであり、第6のリソースグループ内の第rのリソースがコードリソースである場合、または、第5のリソースグループ内の第jのリソースが時間ドメインリソースであり、第6のリソースグループ内の第rのリソースがコードリソースである場合、
第5の対応関係は、第5のリソースグループ内の第jのリソースと第6のリソースグループ内の第rのリソースとの間に確立された第5のインデックスであって、無線フレームインデックス、サブフレームインデックス、またはシンボルインデックスのうちの少なくとも1つの第5のインデックスであり、
第6のリソースグループ内の第rのリソースが時間ドメインリソースであり、第7のリソースグループ内の第wのリソースが時間ドメインリソースである場合、または、第6のリソースグループ内の第rのリソースが時間ドメインリソースであり、第7のリソースグループ内の第wのリソースが周波数ドメインリソースである場合、または、第6のリソースグループ内の第rのリソースが周波数ドメインリソースであり、第7のリソースグループ内の第wのリソースが時間ドメインリソースである場合、または、第6のリソースグループ内の第rのリソースが周波数ドメインリソースであり、第7のリソースグループ内の第wのリソースが周波数ドメインリソースである場合、または、第6のリソースグループ内の第rのリソースがコードリソースであり、第7のリソースグループ内の第wのリソースがコードリソースである場合、または、第6のリソースグループ内の第rのリソースがコードリソースであり、第7のリソースグループ内の第wのリソースが時間ドメインリソースである場合、または、第6のリソースグループ内の第rのリソースがコードリソースであり、第7のリソースグループ内の第wのリソースが周波数ドメインリソースである場合、または、第6のリソースグループ内の第rのリソースが周波数ドメインリソースであり、第7のリソースグループ内の第wのリソースがコードリソースである場合、または、第6のリソースグループ内の第rのリソースが時間ドメインリソースであり、第7のリソースグループ内の第wのリソースがコードリソースである場合、
第6の対応関係は、第6のリソースグループ内の第rのリソースと第7のリソースグループ内の第wのリソースとの間に確立された第6のインデックスであって、無線フレームインデックス、サブフレームインデックス、またはシンボルインデックスのうちの少なくとも1つの第6のインデックスであり、
第7のリソースグループ内の第wのリソースが時間ドメインリソースであり、第8のリソースグループ内の第cのリソースが時間ドメインリソースである場合、または、第7のリソースグループ内の第wのリソースが時間ドメインリソースであり、第8のリソースグループ内の第cのリソースが周波数ドメインリソースである場合、または、第7のリソースグループ内の第wのリソースが周波数ドメインリソースであり、第8のリソースグループ内の第cのリソースが時間ドメインリソースである場合、または、第7のリソースグループ内の第wのリソースが周波数ドメインリソースであり、第8のリソースグループ内の第cのリソースが周波数ドメインリソースである場合、または、第7のリソースグループ内の第wのリソースがコードリソースであり、第8のリソースグループ内の第cのリソースがコードリソースである場合、または、第7のリソースグループ内の第wのリソースがコードリソースであり、第8のリソースグループ内の第cのリソースが時間ドメインリソースである場合、または、第7のリソースグループ内の第wのリソースがコードリソースであり、第8のリソースグループ内の第cのリソースが周波数ドメインリソースである場合、または、第7のリソースグループ内の第wのリソースが周波数ドメインリソースであり、第8のリソースグループ内の第cのリソースがコードリソースである場合、または、第7のリソースグループ内の第wのリソースが時間ドメインリソースであり、第8のリソースグループ内の第cのリソースがコードリソースである場合、
第7の対応関係は、第7のリソースグループ内の第wのリソースと第8のリソースグループ内の第cのリソースとの間に確立された第7のインデックスであって、無線フレームインデックス、サブフレームインデックス、またはシンボルインデックスのうちの少なくとも1つの第7のインデックスであり、
第8のリソースグループ内の第cのリソースが時間ドメインリソースであり、第9のリソースグループ内の第sのリソースが時間ドメインリソースである場合、または、第8のリソースグループ内の第cのリソースが時間ドメインリソースであり、第9のリソースグループ内の第sのリソースが周波数ドメインリソースである場合、または、第8のリソースグループ内の第cのリソースが周波数ドメインリソースであり、第9のリソースグループ内の第sのリソースが時間ドメインリソースである場合、または、第8のリソースグループ内の第cのリソースが周波数ドメインリソースであり、第9のリソースグループ内の第sのリソースが周波数ドメインリソースである場合、または、第8のリソースグループ内の第cのリソースがコードリソースであり、第9のリソースグループ内の第sのリソースがコードリソースである場合、または、第8のリソースグループ内の第cのリソースがコードリソースであり、第9のリソースグループ内の第sのリソースが時間ドメインリソースである場合、または、第8のリソースグループ内の第cのリソースがコードリソースであり、第9のリソースグループ内の第sのリソースが周波数ドメインリソースである場合、または、第8のリソースグループ内の第cのリソースが周波数ドメインリソースであり、第9のリソースグループ内の第sのリソースがコードリソースである場合、または、第8のリソースグループ内の第cのリソースが時間ドメインリソースであり、第9のリソースグループ内の第sのリソースがコードリソースである場合、
第8の対応関係は、第8のリソースグループ内の第cのリソースと第9のリソースグループ内の第sのリソースとの間に確立された第8のインデックスであって、無線フレームインデックス、サブフレームインデックス、またはシンボルインデックスのうちの少なくとも1つの第8のインデックスである。
【０３６５】
本発明の実施形態の解決策を、第1のネットワーク装置と第2のネットワーク装置との間の相互作用を参照して説明する。
【０３６６】
図12は、本発明の実施形態に係る信号伝送方法の相互作用プロセスの概略図である。たとえば、第1のネットワーク装置はUEであり、第2のネットワーク装置は基地局である。図12を参照すると、この方法は以下のステップを含む。
【０３６７】
ステップ1：基地局は、異なるビームを使用して、異なる時間単位で、同期チャネル、ブロードキャストチャネル、システムメッセージ、ページングメッセージ、測定パイロット信号、ランダムアクセス応答チャネルを送信する。
【０３６８】
具体的には、図13は、本発明の実施形態に係る図12のステップ1の概略図である。図13を参照すると、時間単位は前述の時間ドメインリソースである。時間単位がサブフレームであると仮定すると、基地局は、ビーム1を使用して第1の時間単位（サブフレーム0）において第1の同期チャネル、第1のブロードキャストチャネル、および第1のシステムメッセージを送信し、基地局は、ビーム2を使用して第2の時間単位（サブフレーム2）において第2の同期チャネル、第2のブロードキャストチャネル、および第2のシステムメッセージを送信し、類推すると、基地局は、第nのビームを使用して第nの同期チャネル、第nのブロードキャストチャネル、および第nのシステムメッセージを第nの時間ユニット（サブフレーム2n）に送信する。
【０３６９】
任意選択的に、第1の同期チャネルおよび第2の同期チャネルは、異なるシーケンスを使用することができる。たとえば、第1の同期チャネルはシーケンスS1を使用し、第2の同期チャネルはシーケンスS2を使用する。すなわち、第1の同期チャネルは、別の時間ドメインリソース上の同期チャネルによって使用されるものとは異なるコードリソースまたはシーケンスリソースを使用することができる。
【０３７０】
なお、第1の時間単位は、さらに、無線フレーム、タイムスロット、シンボルなどであってもよい。
【０３７１】
ステップ2：基地局は、異なるビームを用いて、第1の測定信号、第2の測定信号、．．．および第nの測定信号を送信する。
【０３７２】
具体的には、図14は、本発明の実施形態に係る図12のステップ2の概略図である。図14を参照すると、第nの測定信号のシーケンス、時間−周波数位置、パターン、電力情報などは、ステップ1の第nの同期チャネルのシーケンスと対応関係を有する。対応関係は、第nの同期チャネルの時間周波数リソースの位置または第nの同期チャネルのシーケンスに関連してもよい。また、第nの測定信号は、第nの同期信号と同じビームを用いることができる。
【０３７３】
ステップ3：UEは、第nの同期チャネルを検出することによって、第nの同期チャネルを送信する基地局との周波数および時間同期を実行する。
【０３７４】
具体的には、検出プロセスは、滑り相関のものであってもよい。さらに、基地局は、複数の第1のリソース上の同期チャネルを送信し、たとえば、n個の第1のリソース上のn個の同期チャネルを送信する。UEは、第nの同期チャネルを検出することによって、第nの測定信号の情報（シーケンス、時間−周波数位置、パターンおよび電力情報）を得ることができる。さらに、第nの測定信号の情報は、第nの第2のリソース上の第nの測定信号をUEに検出させるように指示するために使用される。さらに、UEは、第nの第2のリソース上の第nの測定信号を検出し、基準信号受信電力（Reference Signal Receiving Power、略してRSRP）と、受信信号強度インジケータ（Received Signal Strength Indication、略してRSSI）と、第nの測定信号の他の情報とを測定して、セル選択を実施する。
【０３７５】
さらに、UEによって実行されるセル選択は、以下のように記述され、たとえば、セル1に対応するN個の同期チャネルに対応するシーケンスは、それぞれ第1の時間単位、第2の時間単位、第nの時間単位、．．．、および第Nの時間単位である、S11、S12、S1nおよびS1Nである。
【０３７６】
たとえば、UE1は、サーチによってセル1の第nの同期チャネルを見つけ出し、同期チャネルに対応するシーケンスS1nに従って、対応する第nの測定信号のパターンおよび電力などの情報を決定する。図15は、本発明の実施形態に係るパターンの概略図である。図15を参照すると、図15は物理リソースブロックペアのパターンを示し、電力はP1nであり、受信されたRSRPはRSRP1nである。
【０３７７】
さらに、セル2に対応するN個の同期チャネルに対応する系列は、それぞれ第1の時間単位、第2の時間単位、第nの時間単位、第mの時間単位、および第Nの時間単位である、S21、S22、S2n、S1mおよびS2Nである。
【０３７８】
UE1は、サーチによってセル2の第mの同期チャネルを見つけ出し、S1mに従って、第mの同期チャネルに対応する第mの測定信号のパターンおよび電力などの情報を決定することができる。図16は、本発明の実施形態に係る別のパターンの概略図である。図16を参照すると、電力はP1mであり、受信されたRSRPはRSRP2mである。
【０３７９】
以上のようにして、UE1は、N個のセルの測定信号を取得し、N個のセルの測定信号を比較する。各セルは少なくとも2つの測定信号を有し、UEは信号のうちの1つのみを測定する。たとえば、N＝2である。セル1の基地局は、N個の同期信号を送信する。UE1は第nの同期信号を検出するので、第nの同期信号に対応する第nの測定信号が測定され、RSRP1nが得られる。セル2の基地局は、M個の同期信号を送信する。第mの同期信号が検出されるので、第mの同期信号に対応する第mの測定信号が測定され、RSRP2mが得られる。
【０３８０】
UE1は、RSRP1nとRSRP2mとを比較する。RSRP1n＞RSRP2mの場合、UE1はセル1を選択し、それ以外の場合は、セル2を選択する。
【０３８１】
ステップ4：UEは、第nの同期チャネルに対応する第nのブロードキャストチャネルを受信し、第nのブロードキャストチャネルの時間周波数リソースは、第nの同期チャネルと対応関係を有する。
【０３８２】
具体的には、前述のUE1を例に挙げる。UE1はセル1を選択し、第nの同期チャネルに基づいてセル1との同期を実行すると仮定する。そして、セル1の基地局は、第nのブロードキャストチャネルを用いて、ランダムアクセスに用いられるシーケンス、時間−周波数リソース、電力情報等をUEに通知する。たとえば、セル1の基地局は、第nのブロードキャストチャネルを用いて、ランダムアクセスのために使用されるシーケンスグループは、シーケンスグループnであり、シーケンスグループnに含まれるシーケンスは、（Pn1、Pn2、Png、．．．、PnG）であり、ランダムアクセスプリアンブルを送信するための時間−周波数リソースは、（tn、fn）であることを、UEに対して報知して、ここで、tは時間ドメインリソースであり、fは周波数ドメインリソースである。たとえば、セル1の基地局は、第mのブロードキャストチャネルを用いて、ランダムアクセスのために使用されるシーケンスグループmをUE1に対して報知して、シーケンスグループmに含まれるシーケンスは、（Pm1、Pm2、Pmg、．．．、PmG）であり、ランダムアクセスプリアンブルを送信するための時間−周波数リソースは、（tm、fm）であり、ここで、tは時間リソースであり、fは周波数リソースである。すなわち、1つのセル内の1つの無線フレームで送信されるN個のブロードキャストチャネル上のコンテンツは異なる場合があり、または、UEの送信シーケンス情報は、ブロードキャストチャネルを使用して通知する必要はない。（tn、fn）および（Pn1、Pn2、Png、．．．、PnG）は下り同期信号S1nに結合される。（tm、fm）および（Pm1、Pm2、Pmg、．．．、PmG）は下り同期信号S1mに結合される。
【０３８３】
当業者であれば、方法の実施形態のステップのすべてまたは一部が、関連するハードウェアを指示するプログラムによって実施されてもよいことを理解することができる。プログラムは、コンピュータ可読記憶媒体に格納されてもよい。プログラムが実行されると、方法の実施形態のステップが実行される。上記記憶媒体には、ROM、RAM、磁気ディスク、光ディスクなどのプログラムコードを格納可能な任意の媒体が含まれる。
【０３８４】
最後に、前述の実施形態は、本発明の技術的解決策を説明するためのものであって、本発明を限定するものではない。本発明は前述の実施形態を参照して詳細に説明されているが、当業者であれば、本発明の実施形態の技術的解決策の精神および範囲から逸脱することなく、前述の実施形態に記載された技術的解決策を変更したり、またはそのいくつかまたはすべての技術的特徴を同等に置き換えてもよい。
【符号の説明】
【０３８５】
１００……検出モジュール
１０１……決定モジュール
【図１】
2019149815.tif 000005
【図２】
2019149815.tif 000006
【図３】
2019149815.tif 000007
【図４】
2019149815.tif 000008
【図５】
2019149815.tif 000009
【図６】
2019149815.tif 000010
【図７】
2019149815.tif 000011
【図８Ａ】
2019149815.tif 000012
【図８Ｂ】
2019149815.tif 000013
【図９】
2019149815.tif 000014
【図１０】
2019149815.tif 000015
【図１１Ａ】
2019149815.tif 000016
【図１１Ｂ】
2019149815.tif 000017
【図１２】
2019149815.tif 000018
【図１３】
2019149815.tif 000019
【図１４】
2019149815.tif 000020
【図１５】
2019149815.tif 000021
【図１６】
2019149815.tif 000022
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
基地局によって送信された同期信号を、ユーザ機器UEによって、第1のリソースグループにおいて検出するステップ(100)であって、前記第1のリソースグループは、N個のリソースを含み、Nは、1より大きい正の整数であり、前記第1のリソースグループの各リソースは、1つの同期信号に対応する、ステップと、
前記UEによって、前記第1のリソースグループ内の第nのリソースを決定するステップ(102)と、
前記UEによって、第2のリソースグループ内の第mのリソースを決定するステップ(101)であって、前記第mのリソースは、前記第nのリソースと、前記第nのリソースと前記第mのリソースとの第1の対応関係とに従って決定され、前記第2のリソースグループは、前記基地局によってシステムメッセージを送信するために使用され、前記第2のリソースグループは、M個の候補リソースを含み、Mは、1より大きい正の整数であり、mの値域は、0＜m≦Mであり、nの値域は、0＜n≦Nである、ステップと、
前記基地局によって送信された前記システムメッセージを、前記UEによって、前記第mのリソース上で  検出するステップ(103)であって、前記第2のリソースグループの各リソースは、1つのシステムメッセージに対応する、ステップと
を含む信号伝送方法。
【請求項２】
前記UEによって、第3のリソースグループ内の第qのリソースを決定するステップ(104)であって、前記第qのリソースは、前記第2のリソースグループ内の前記第mのリソースと、前記第qのリソースと前記第mのリソースとの第2の対応関係とに従って決定され、前記第3のリソースグループは、Q個のリソースを含み、Qは、1より大きい正の整数であり、qの値域は、0＜q≦Qであり、前記第3のリソースグループは、前記基地局によって第3の信号を送信するために使用され、前記第3のリソースグループの各リソースは、1つの第3の信号に対応する、ステップ
を更に含む請求項1に記載の方法。
【請求項３】
前記UEによって、前記第2のリソースグループ内の前記第mのリソースと第2の対応関係とに従って、第3のリソースグループ内の第qのリソースを決定する前記ステップ(104)の前に、
前記UEによって、第2のルールに従って、前記第2のリソースグループ内の前記第mのリソースを決定するステップ
を更に含み、前記UEによって、第2のルールに従って、前記第2のリソースグループ内の前記第mのリソースを決定する前記ステップは、
前記UEによって、前記システムメッセージのエネルギーが前記第2のリソースグループ内において最も強い、検出されたリソースを、前記第2のリソースグループ内の前記第mのリソースとして使用するステップ、または、
前記UEによって、前記システムメッセージのエネルギーが前記第2のリソースグループ内において第3の予め設定された閾値よりも大きい、第1のリソースを、前記第2のリソースグループ内の前記第mのリソースとして使用するステップ、または、
前記UEによって、前記システムメッセージの基準信号受信品質RSRQが前記第2のリソースグループ内において第4の予め設定された閾値よりも大きい、第1のリソースを、前記第2のリソースグループ内の前記第mのリソースとして使用するステップ、または、
前記UEによって、前記システムメッセージが前記第2のリソースグループ内において巡回冗長コードCRCを使用して正しくチェックされた、リソースを、前記第2のリソースグループ内の前記第mのリソースとして使用するステップ
を含む、請求項2に記載の方法。
【請求項４】
前記同期信号と前記システムメッセージとは、同じビーム上で受信される、請求項1から3の何れか一項に記載の方法。
【請求項５】
前記第1のリソースグループ内の第nのリソースが時間ドメインリソースであり、前記第2のリソースグループ内の第mのリソースが時間ドメインリソースである場合、または、前記第1のリソースグループ内の第nのリソースが時間ドメインリソースであり、前記第2のリソースグループ内の第mのリソースが周波数ドメインリソースである場合、または、前記第1のリソースグループ内の第nのリソースが周波数ドメインリソースであり、前記第2のリソースグループ内の第mのリソースが時間ドメインリソースである場合、または、前記第1のリソースグループ内の第nのリソースが周波数ドメインリソースであり、前記第2のリソースグループ内の第mのリソースが周波数ドメインリソースである場合、または、前記第1のリソースグループ内の第nのリソースがコードリソースであり、前記第2のリソースグループ内の第mのリソースがコードリソースである場合、または、前記第1のリソースグループ内の第nのリソースがコードリソースであり、前記第2のリソースグループ内の第mのリソースが時間ドメインリソースである場合、または、前記第1のリソースグループ内の第nのリソースがコードリソースであり、前記第2のリソースグループ内の第mのリソースが周波数ドメインリソースである場合、または、前記第1のリソースグループ内の第nのリソースが周波数ドメインリソースであり、前記第2のリソースグループ内の第mのリソースがコードリソースである場合、または、前記第1のリソースグループ内の第nのリソースが時間ドメインリソースであり、前記第2のリソースグループ内の第mのリソースがコードリソースである場合、
前記第1の対応関係は、前記第1のリソースグループ内の前記第nのリソースと前記第2のリソースグループ内の前記第mのリソースとの間に確立された第1のインデックスであり、前記第1のインデックスは、無線フレームインデックス、サブフレームインデックス、または、シンボルインデックスのうちの少なくとも1つである、請求項1から4の何れか一項に記載の方法。
【請求項６】
基地局BSによって、第1のリソースグループにおいて、同期信号をユーザ機器UEに送信するステップ(200)であって、前記第1のリソースグループは、N個のリソースを含み、Nは、1より大きい正の整数であり、前記第1のリソースグループの各リソースは、1つの同期信号に対応する、ステップと、
前記BSによって、第2のリソースグループ内の第mのリソース上で、システムメッセージを前記UEに送信するステップ(201)であって、第mのリソースは、前記第nのリソースとの第1の対応関係を有し、第2のリソースグループは、M個の候補リソースを含み、Mは、1より大きい正の整数であり、mの値域は、0＜m≦Mであり、nの値域は、0＜n≦Nであり、前記第2のリソースグループの各リソースは、1つのシステムメッセージに対応する、ステップと
を含む信号伝送方法。
【請求項７】
前記BSによって、第3のリソースグループ内の第qのリソース上で、第3の信号を前記UEに送信するステップ(202)であって、前記第3のリソースグループ内の前記第qのリソースは、前記第mのリソースとの第2の対応関係を有し、前記第3のリソースグループは、Q個の候補リソースを含み、Qは、1より大きい正の整数であり、qの値域は、0＜q≦Qであり、前記第3のリソースグループの各リソースは、1つの第3の信号に対応する、ステップ
を更に含む請求項6に記載の方法。
【請求項８】
前記同期信号と前記システムメッセージとは、同じビーム上で送信される、請求項6または7に記載の方法。
【請求項９】
前記同期信号と前記システムメッセージとは、関連付けられたビーム上で送信される、請求項6または7に記載の方法。
【請求項１０】
前記第1のリソースグループ内の第nのリソースが時間ドメインリソースであり、前記第2のリソースグループ内の第mのリソースが時間ドメインリソースである場合、または、前記第1のリソースグループ内の第nのリソースが時間ドメインリソースであり、前記第2のリソースグループ内の第mのリソースが周波数ドメインリソースである場合、または、前記第1のリソースグループ内の第nのリソースが周波数ドメインリソースであり、前記第2のリソースグループ内の第mのリソースが時間ドメインリソースである場合、または、前記第1のリソースグループ内の第nのリソースが周波数ドメインリソースであり、前記第2のリソースグループ内の第mのリソースが周波数ドメインリソースである場合、または、前記第1のリソースグループ内の第nのリソースがコードリソースであり、前記第2のリソースグループ内の第mのリソースがコードリソースである場合、または、前記第1のリソースグループ内の第nのリソースがコードリソースであり、前記第2のリソースグループ内の第mのリソースが時間ドメインリソースである場合、または、前記第1のリソースグループ内の第nのリソースがコードリソースであり、前記第2のリソースグループ内の第mのリソースが周波数ドメインリソースである場合、または、前記第1のリソースグループ内の第nのリソースが周波数ドメインリソースであり、前記第2のリソースグループ内の第mのリソースがコードリソースである場合、または、前記第1のリソースグループ内の第nのリソースが時間ドメインリソースであり、前記第2のリソースグループ内の第mのリソースがコードリソースである場合、
前記第1の対応関係は、前記第1のリソースグループ内の前記第nのリソースと前記第2のリソースグループ内の前記第mのリソースとの間に確立された第1のインデックスであり、前記第1のインデックスは、無線フレームインデックス、サブフレームインデックス、または、シンボルインデックスのうちの少なくとも1つである、請求項6から9の何れか一項に記載の方法。
【請求項１１】
ユーザ機器UEであって、前記UEは、
基地局によって送信された同期信号を、第1のリソースグループにおいて検出するように構成された検出モジュールであって、前記第1のリソースグループは、N個のリソースを含み、Nは、1より大きい正の整数であり、前記第1のリソースグループの各リソースは、1つの同期信号に対応する、検出モジュールと、
前記第1のリソースグループ内の第nのリソースを決定するように構成された決定モジュールと
を含み、
前記決定モジュールは、第2のリソースグループ内の第mのリソースを決定するように更に構成され、前記第mのリソースは、前記第nのリソースと、前記第nのリソースと前記第mのリソースとの第1の対応関係とに従って決定され、前記第2のリソースグループは、前記基地局によってシステムメッセージを送信するために使用され、前記第2のリソースグループは、M個のリソースを含み、Mは、1より大きい正の整数であり、mの値域は、0＜m≦Mであり、nの値域は、0＜n≦Nであり、
前記検出モジュールは、前記基地局によって送信された前記システムメッセージを、前記第mのリソース上で検出するように更に構成され、前記第2のリソースグループの各リソースは、1つのシステムメッセージに対応する、ユーザ機器UE。
【請求項１２】
前記決定モジュールは、第3のリソースグループ内の第qのリソースを決定するように更に構成され、前記第qのリソースは、前記第2のリソースグループ内の前記第mのリソースと、前記第qのリソースと前記第mのリソースとの第2の対応関係とに従って決定され、前記第3のリソースグループは、Q個のリソースを含み、Qは、1より大きい正の整数であり、前記第3のリソースグループは、前記基地局によって第3の信号を送信するために使用され、前記第3のリソースグループの各リソースは、1つの第3の信号に対応する、請求項11に記載のUE。
【請求項１３】
前記決定モジュールが、前記第2のリソースグループ内の前記第mのリソースと第2の対応関係とに従って、第3のリソースグループ内の第qのリソースを決定する前に、前記決定モジュールは、
第2のルールに従って、前記第2のリソースグループ内の前記第mのリソースを決定するように更に構成され、第2のルールに従って、前記第2のリソースグループ内の前記第mのリソースを決定することは、
前記システムメッセージのエネルギーが前記第2のリソースグループ内において最も強い、検出されたリソースを、前記第2のリソースグループ内の前記第mのリソースとして使用すること、または、
前記システムメッセージのエネルギーが前記第2のリソースグループ内において第3の予め設定された閾値よりも大きい、第1のリソースを、前記第2のリソースグループ内の前記第mのリソースとして使用すること、または、
前記システムメッセージの基準信号受信品質RSRQが前記第2のリソースグループ内において第4の予め設定された閾値よりも大きい、第1のリソースを、前記第2のリソースグループ内の第mのリソースとして使用すること、または、
前記システムメッセージが前記第2のリソースグループ内において巡回冗長コードCRCを使用して正しくチェックされた、リソースを、前記第2のリソースグループ内の第mのリソースとして使用すること
を含む、請求項12に記載のUE。
【請求項１４】
前記同期信号と前記システムメッセージとは、同じビーム上で受信される、請求項11から13の何れか一項に記載のUE。
【請求項１５】
前記第1のリソースグループ内の第nのリソースが時間ドメインリソースであり、前記第2のリソースグループ内の第mのリソースが時間ドメインリソースである場合、または、前記第1のリソースグループ内の第nのリソースが時間ドメインリソースであり、前記第2のリソースグループ内の第mのリソースが周波数ドメインリソースである場合、または、前記第1のリソースグループ内の第nのリソースが周波数ドメインリソースであり、前記第2のリソースグループ内の第mのリソースが時間ドメインリソースである場合、または、前記第1のリソースグループ内の第nのリソースが周波数ドメインリソースであり、前記第2のリソースグループ内の第mのリソースが周波数ドメインリソースである場合、または、前記第1のリソースグループ内の第nのリソースがコードリソースであり、前記第2のリソースグループ内の第mのリソースがコードリソースである場合、または、前記第1のリソースグループ内の第nのリソースがコードリソースであり、前記第2のリソースグループ内の第mのリソースが時間ドメインリソースである場合、または、前記第1のリソースグループ内の第nのリソースがコードリソースであり、前記第2のリソースグループ内の第mのリソースが周波数ドメインリソースである場合、または、前記第1のリソースグループ内の第nのリソースが周波数ドメインリソースであり、前記第2のリソースグループ内の第mのリソースがコードリソースである場合、または、前記第1のリソースグループ内の第nのリソースが時間ドメインリソースであり、前記第2のリソースグループ内の第mのリソースがコードリソースである場合、
前記第1の対応関係は、前記第1のリソースグループ内の前記第nのリソースと前記第2のリソースグループ内の前記第mのリソースとの間に確立された第1のインデックスであり、前記第1のインデックスは、無線フレームインデックス、サブフレームインデックス、または、シンボルインデックスのうちの少なくとも1つである、請求項11から14の何れか一項に記載のUE。
【請求項１６】
基地局BSであって、前記BSは、
第1のリソースグループにおいて、同期信号をユーザ機器UEに送信するように構成された送信モジュールであって、前記第1のリソースグループは、N個のリソースを含み、Nは、1より大きい正の整数であり、前記第1のリソースグループの各リソースは、1つの同期信号に対応する、送信モジュール
を含み、
前記送信モジュールは、第2のリソースグループ内の第mのリソース上で、システムメッセージを前記UEに送信するように更に構成され、前記第mのリソースは、前記第nのリソースとの第1の対応関係を有し、第2のリソースグループは、M個の候補リソースを含み、Mは、1より大きい正の整数であり、mの値域は、0＜m≦Mであり、nの値域は、0＜n≦Nであり、前記第2のリソースグループの各リソースは、1つのシステムメッセージに対応する、基地局BS。
【請求項１７】
前記送信モジュールは、第3のリソースグループ内の第qのリソース上で、第3の信号を前記UEに送信するように更に構成され、前記第3のリソースグループ内の前記第qのリソースは、前記第mのリソースとの第2の対応関係を有し、前記第3のリソースグループは、Q個の候補リソースを含み、Qは、1より大きい正の整数であり、qの値域は、0＜q≦Qであり、前記第3のリソースグループの各リソースは、1つの第3の信号に対応する、請求項16に記載のBS。
【請求項１８】
前記同期信号と前記システムメッセージとは、同じビーム上で送信される、請求項16または17に記載のBS。
【請求項１９】
前記同期信号と前記システムメッセージとは、関連付けられたビーム上で送信される、請求項16または17に記載のBS。
【請求項２０】
前記第1のリソースグループ内の第nのリソースが時間ドメインリソースであり、前記第2のリソースグループ内の第mのリソースが時間ドメインリソースである場合、または、前記第1のリソースグループ内の第nのリソースが時間ドメインリソースであり、前記第2のリソースグループ内の第mのリソースが周波数ドメインリソースである場合、または、前記第1のリソースグループ内の第nのリソースが周波数ドメインリソースであり、前記第2のリソースグループ内の第mのリソースが時間ドメインリソースである場合、または、前記第1のリソースグループ内の第nのリソースが周波数ドメインリソースであり、前記第2のリソースグループ内の第mのリソースが周波数ドメインリソースである場合、または、前記第1のリソースグループ内の第nのリソースがコードリソースであり、前記第2のリソースグループ内の第mのリソースがコードリソースである場合、または、前記第1のリソースグループ内の第nのリソースがコードリソースであり、前記第2のリソースグループ内の第mのリソースが時間ドメインリソースである場合、または、前記第1のリソースグループ内の第nのリソースがコードリソースであり、前記第2のリソースグループ内の第mのリソースが周波数ドメインリソースである場合、または、前記第1のリソースグループ内の第nのリソースが周波数ドメインリソースであり、前記第2のリソースグループ内の第mのリソースがコードリソースである場合、または、前記第1のリソースグループ内の第nのリソースが時間ドメインリソースであり、前記第2のリソースグループ内の第mのリソースがコードリソースである場合、
前記第1の対応関係は、前記第1のリソースグループ内の前記第nのリソースと前記第2のリソースグループ内の前記第mのリソースとの間に確立された第1のインデックスであり、前記第1のインデックスは、無線フレームインデックス、サブフレームインデックス、または、シンボルインデックスのうちの少なくとも1つである、請求項16から19の何れか一項に記載のBS。
【請求項２１】
請求項1から5の何れか一項の前記ステップをコンピュータに実行させるプログラム。
【請求項２２】
請求項6から10の何れか一項の前記ステップをコンピュータに実行させるプログラム。
【外国語明細書】
2019149815000001.pdf